(57)【要約】【課題】商品に対する消費者の信用度を増大させると共に、消費者が安心して商品を選択できるようにする。【解決手段】通販サイトに、販売商品である食品の画像Ａ１〜Ａ３と共に、付属物の画像１１〜１９を掲載する。また、消費者が選択した付属物を提供し、消費者が付属物を確認した後に、食品を提供する。【選択図】図１
2018132915.tif 000002
【特許請求の範囲】
【請求項１】
一次産品である所定の食品の生産に関与した土壌、水、海水、海底水、アルカリ水、海底水から採取した塩、海底泥、海藻、肥料、土壌消毒剤、殺菌剤、抗菌剤、農薬、種子、土壌中の生き物、水中の生き物、草、養殖用飼料、プランクトン、昆虫類、忌避植物、飼料、赤身肉化剤、抗生物質、成長ホルモン剤、ビニールハウスのビニールと略同質のビニール、放射線の少なくとも１つである付属物の画像、
或いは、
前記食品と略同一条件で前記食品とは別体で成長した代替食品である付属物の画像、
或いは、
前記食品と略同一条件で前記食品とは別体で成長した代替食品の粉末である付属物の画像、
或いは、
前記食品と略同一条件で前記食品とは別体で成長した代替食品の加工品である付属物の画像、
或いは、
前記食品と略同一条件で前記食品とは別体で成長した代替食品の粉末加工品である付属物の画像、
或いは、
前記食品と略同一条件で前記食品とは別体で成長した代替食品と一体に成長した代替一体成長物である付属物の画像、
或いは、
前記食品と略同一条件で前記食品とは別体で成長した代替食品と一体に成長した代替一体成長物の粉末である付属物の画像、
或いは、
前記食品と略同一条件で前記食品とは別体で成長した代替食品と一体に成長した代替一体成長物の加工品である付属物の画像、
或いは、
前記食品と略同一条件で前記食品とは別体で成長した代替食品と一体に成長した代替一体成長物の粉末加工品である付属物の画像、
或いは、
前記食品と一体に成長した一体成長物の前記食品とは異なる部分であり、若しくは、前記食品と略同一条件で前記食品とは別体で成長した代替食品と一体に成長した代替一体成長物の前記食品に対応する部分とは異なる部分である付属物の画像、
或いは、
前記食品と一体に成長した一体成長物の前記食品とは異なる部分の粉末であり、若しくは、前記食品と略同一条件で前記食品とは別体で成長した代替食品と一体に成長した代替一体成長物の前記食品に対応する部分とは異なる部分の粉末である付属物の画像、
或いは、
前記食品と一体に成長した一体成長物の前記食品とは異なる部分の加工品であり、若しくは、前記食品と略同一条件で前記食品とは別体で成長した代替食品と一体に成長した代替一体成長物の前記食品に対応する部分とは異なる部分の加工品である付属物の画像、
或いは、
前記食品と一体に成長した一体成長物の前記食品とは異なる部分の粉末加工品であり、若しくは、前記食品と略同一条件で前記食品とは別体で成長した代替食品と一体に成長した代替一体成長物の前記食品に対応する部分とは異なる部分の粉末加工品である付属物の画像、
或いは、
前記食品の次世代の種子、若しくは、前記食品と略同一条件で前記食品とは別体で成長した代替食品の次世代の種子である付属物の画像、
或いは、
前記食品の一部、若しくは、前記食品と略同一条件で前記食品とは別体で成長した代替食品から得られた種芋である付属物の画像、
或いは、
前記食品の一部であり、若しくは、前記食品と略同一条件で前記食品とは別体で成長した代替食品であり、若しくは、前記食品と一体に成長した一体成長物の前記食品とは異なる部分であり、若しくは、前記食品と略同一条件で前記食品とは別体で成長した代替食品と一体に成長した代替一体成長物の前記食品に対応する部分とは異なる部分である付属物本体が、水と共に収容されて構成された付属物の画像、
或いは、
前記食品の生産の後に使用された農薬である付属物の画像、
或いは、
前記食品の生産の後に同食品に関与した燻蒸剤、消毒剤、殺菌剤、抗菌剤、防かび剤、防腐剤、被膜剤、酸化防止剤、除草剤、殺虫剤、漂白殺菌剤、放射線、若しくは、薬剤の少なくとも１つである付属物の画像、
或いは、
前記食品の生産の後に同食品に関与した動物用食品添加物、若しくは、成長ホルモン剤の少なくとも１つである付属物の画像、
或いは、
前記食品の生産と略同時期に略同一環境で成長した海藻、草、魚介類の少なくとも１つである付属物の画像、
の少なくとも２つ以上を消費者に選択させるために表示する工程と、
２つ以上の前記付属物の画像の中から消費者によって選択された１つ以上の前記付属物の画像に対応する前記付属物の現物のみ、２つ以上の前記付属物の画像の中から消費者によって選択された１つ以上の前記付属物の画像に対応する前記付属物の擬似物のみ、２つ以上の前記付属物の画像の中から消費者によって選択された１つ以上の前記付属物の画像に対応する前記付属物の画像のみが印刷された印刷媒体、の少なくとも１つを手渡し、消費者が前記付属物の現物、若しくは、前記付属物の擬似物、若しくは、前記印刷媒体を確認した後に、前記食品を送付若しくは手渡し、
或いは、
２つ以上の前記付属物の画像の中から消費者によって選択された１つ以上の前記付属物の画像に対応する前記付属物の現物のみ、２つ以上の前記付属物の画像の中から消費者によって選択された１つ以上の前記付属物の画像に対応する前記付属物の擬似物のみ、２つ以上の前記付属物の画像の中から消費者によって選択された１つ以上の前記付属物の画像に対応する前記付属物の画像のみが印刷された印刷媒体、の少なくとも１つを送付若しくは手渡し、消費者が前記付属物の現物、若しくは、前記付属物の擬似物、若しくは、前記印刷媒体を確認した後に、前記食品を手渡す工程とを備える
食品製品の提供方法。
【請求項２】
二次産品である所定の食品の原料である付属物の画像、
或いは、
前記食品の原料と略同一条件で前記食品の原料とは別体で成長した代替原料である付属物の画像、
或いは、
前記食品の原料と略同一条件で前記食品の原料とは別体で成長した代替原料の粉末である付属物の画像、
或いは、
前記食品の原料と略同一条件で前記食品の原料とは別体で成長した代替原料の加工品である付属物の画像、
或いは、
前記食品の原料と略同一条件で前記食品の原料とは別体で成長した代替原料の粉末加工品である付属物の画像、
或いは、
前記食品の原料と略同一条件で前記食品の原料とは別体で成長した代替原料と一体に成長した代替一体成長物である付属物の画像、
或いは、
前記食品の原料と略同一条件で前記食品の原料とは別体で成長した代替原料と一体に成長した代替一体成長物の粉末である付属物の画像、
或いは、
前記食品の原料と略同一条件で前記食品の原料とは別体で成長した代替原料と一体に成長した代替一体成長物の加工品である付属物の画像、
或いは、
前記食品の原料と略同一条件で前記食品の原料とは別体で成長した代替原料と一体に成長した代替一体成長物の粉末加工品である付属物の画像、
或いは、
前記食品の原料である卵である付属物の画像、
或いは、
前記食品の原料である卵と略同一条件で生産された代替卵である付属物の画像、
或いは、
前記食品の生産に関与した乳酸菌、ビフィズス菌、麹、麹菌、若しくは、枯草菌の少なくとも１つである付属物の画像、
或いは、
前記食品の生産に関与した木樽、瓶、プラスチック製容器、若しくは、漬け床である付属物の画像、
或いは、
前記食品の原料の生産に関与した土壌、水、海水、海底水、アルカリ水、海底水から採取した塩、海底泥、海藻、塩、肥料、土壌消毒剤、殺菌剤、抗菌剤、農薬、種子、土壌中の生き物、水中の生き物、草、養殖用飼料、プランクトン、昆虫類、忌避植物、飼料、赤身肉化剤、抗生物質、成長ホルモン剤、ビニールハウスのビニールと略同質のビニール、放射線の少なくとも１つである付属物の画像、
或いは、
前記食品の生産に関与した木樽の木片、前記食品の生産に関与した木樽と略同一条件の木樽の木片、前記食品の生産に関与した木樽の構成材と同一種類の木片、前記食品を生産した木樽の中に同食品と共に入れられた前記木樽の構成材と同一種類の木片、前記食品に含まれる汁、若しくは、前記食品の生産に関与した汁の少なくとも１つである付属物の画像、
或いは、
前記食品の原料と一体に成長した一体成長物の前記食品の原料とは異なる部分であり、若しくは、前記食品の原料と略同一条件で前記食品の原料とは別体で成長した代替原料と一体に成長した代替一体成長物の前記食品の原料に対応する部分とは異なる部分である付属物の画像、
或いは、
前記食品の原料と一体に成長した一体成長物の前記食品の原料とは異なる部分の粉末であり、若しくは、前記食品の原料と略同一条件で前記食品の原料とは別体で成長した代替原料と一体に成長した代替一体成長物の前記食品の原料に対応する部分とは異なる部分の粉末である付属物の画像、
或いは、
前記食品の原料と一体に成長した一体成長物の前記食品の原料とは異なる部分の加工品であり、若しくは、前記食品の原料と略同一条件で前記食品の原料とは別体で成長した代替原料と一体に成長した代替一体成長物の前記食品の原料に対応する部分とは異なる部分の加工品である付属物の画像、
或いは、
前記食品の原料と一体に成長した一体成長物の前記食品の原料とは異なる部分の粉末加工品であり、若しくは、前記食品の原料と略同一条件で前記食品の原料とは別体で成長した代替原料と一体に成長した代替一体成長物の前記食品の原料に対応する部分とは異なる部分の粉末加工品である付属物の画像、
或いは、
前記食品に用いられた食品添加物の総重量と同じ重量の食品添加物、前記食品に用いられた食品添加物の総重量と同じ重量の擬似物、前記食品に用いられた食品添加物の総体積と同じ体積の食品添加物、前記食品に用いられた食品添加物の総体積と同じ体積の擬似物、前記食品に用いられた食品添加物の総体積と見かけ上同じ体積の食品添加物、前記食品に用いられた食品添加物の総体積と見かけ上同じ体積の擬似物、前記食品に用いられた砂糖の総重量と同じ重量の砂糖、前記食品に用いられた砂糖の総重量と同じ重量の擬似物、前記食品に用いられた砂糖の総体積と同じ体積の砂糖、前記食品に用いられた砂糖の総体積と同じ体積の擬似物、前記食品に用いられた砂糖の総体積と見かけ上同じ体積の砂糖、前記食品に用いられた砂糖の総体積と見かけ上同じ体積の擬似物、前記食品に用いられた塩の総重量と同じ重量の塩、前記食品に用いられた塩の総重量と同じ重量の擬似物、前記食品に用いられた塩の総体積と同じ体積の塩、前記食品に用いられた塩の総体積と同じ体積の擬似物、前記食品に用いられた塩の総体積と見かけ上同じ体積の塩、前記食品に用いられた塩の総体積と見かけ上同じ体積の擬似物、前記食品に用いられたタンパク加水分解物の総重量と同じ重量のタンパク加水分解物、前記食品に用いられたタンパク加水分解物の総重量と同じ重量の擬似物、前記食品に用いられたタンパク加水分解物の総体積と同じ体積のタンパク加水分解物、前記食品に用いられたタンパク加水分解物の総体積と同じ体積の擬似物、前記食品に用いられたタンパク加水分解物の総体積と見かけ上同じ体積のタンパク加水分解物、前記食品に用いられたタンパク加水分解物の総体積と見かけ上同じ体積の擬似物、前記食品に用いられた調味料の総重量と同じ重量の調味料、前記食品に用いられた調味料の総重量と同じ重量の擬似物、前記食品に用いられた調味料の総体積と同じ体積の調味料、前記食品に用いられた調味料の総体積と同じ体積の擬似物、前記食品に用いられた調味料の総体積と見かけ上同じ体積の調味料、前記食品に用いられた調味料の総体積と見かけ上同じ体積の擬似物、前記食品に用いられたブドウ糖果糖液糖の総重量と同じ重量のブドウ糖果糖液糖、前記食品に用いられたブドウ糖果糖液糖の総重量と同じ重量の擬似物、前記食品に用いられたブドウ糖果糖液糖の総体積と同じ体積のブドウ糖果糖液糖、前記食品に用いられたブドウ糖果糖液糖の総体積と同じ体積の擬似物、前記食品に用いられたブドウ糖果糖液糖の総体積と見かけ上同じ体積のブドウ糖果糖液糖、前記食品に用いられたブドウ糖果糖液糖の総体積と見かけ上同じ体積の擬似物、前記食品に用いられた加工油脂の総重量と同じ重量の加工油脂、前記食品に用いられた加工油脂の総重量と同じ重量の擬似物、前記食品に用いられた加工油脂の総体積と同じ体積の加工油脂、前記食品に用いられた加工油脂の総体積と同じ体積の擬似物、前記食品に用いられた加工油脂の総体積と見かけ上同じ体積の加工油脂、前記食品に用いられた加工油脂の総体積と見かけ上同じ体積の擬似物、前記食品に用いられたトランス脂肪酸の総重量と同じ重量のトランス脂肪酸、前記食品に用いられたトランス脂肪酸の総重量と同じ重量の擬似物、前記食品に用いられたトランス脂肪酸の総体積と同じ体積のトランス脂肪酸、前記食品に用いられたトランス脂肪酸の総体積と同じ体積の擬似物、前記食品に用いられたトランス脂肪酸の総体積と見かけ上同じ体積のトランス脂肪酸、前記食品に用いられたトランス脂肪酸の総体積と見かけ上同じ体積の擬似物、前記食品に用いられた加工デンプンの総重量と同じ重量の加工デンプン、前記食品に用いられた加工デンプンの総重量と同じ重量の擬似物、前記食品に用いられた加工デンプンの総体積と同じ体積の加工デンプン、前記食品に用いられた加工デンプンの総体積と同じ体積の擬似物、前記食品に用いられた加工デンプンの総体積と見かけ上同じ体積の加工デンプン、前記食品に用いられた加工デンプンの総体積と見かけ上同じ体積の擬似物、前記食品に用いられた食品添加物のうち一括名の表示が認められた食品添加物の総重量と同じ重量の食品添加物、前記食品に用いられた食品添加物のうち一括名の表示が認められた食品添加物の総重量と同じ重量の擬似物、前記食品に用いられた食品添加物のうち一括名の表示が認められた食品添加物の総体積と同じ体積の食品添加物、前記食品に用いられた食品添加物のうち一括名の表示が認められた食品添加物の総体積と同じ体積の擬似物、前記食品に用いられた食品添加物のうち一括名の表示が認められた食品添加物の総体積と見かけ上同じ体積の食品添加物、前記食品に用いられた食品添加物のうち一括名の表示が認められた食品添加物の総体積と見かけ上同じ体積の擬似物、前記食品に用いられた合成ビタミンの総重量と同じ重量の合成ビタミン、前記食品に用いられた合成ビタミンの総重量と同じ重量の擬似物、前記食品に用いられた合成ビタミンの総体積と同じ体積の合成ビタミン、前記食品に用いられた合成ビタミンの総体積と同じ体積の擬似物、前記食品に用いられた合成ビタミンの総体積と見かけ上同じ体積の合成ビタミン、前記食品に用いられた合成ビタミンの総体積と見かけ上同じ体積の擬似物、前記食品に用いられた食品添加物のうちキャリーオーバーとみなされた食品添加物の総重量と同じ重量の食品添加物、前記食品に用いられた食品添加物のうちキャリーオーバーとみなされた食品添加物の総重量と同じ重量の擬似物、前記食品に用いられた食品添加物のうちキャリーオーバーとみなされた食品添加物の総体積と同じ体積の食品添加物、前記食品に用いられた食品添加物のうちキャリーオーバーとみなされた食品添加物の総体積と同じ体積の擬似物、前記食品に用いられた食品添加物のうちキャリーオーバーとみなされた食品添加物の総体積と見かけ上同じ体積の食品添加物、前記食品に用いられた食品添加物のうちキャリーオーバーとみなされた食品添加物の総体積と見かけ上同じ体積の擬似物、前記食品に用いられた食品添加物のうちキャリーオーバーとみなされた食品添加物を除く食品添加物の総重量と同じ重量の食品添加物、前記食品に用いられた食品添加物のうちキャリーオーバーとみなされた食品添加物を除く食品添加物の総重量と同じ重量の擬似物、前記食品に用いられた食品添加物のうちキャリーオーバーとみなされた食品添加物を除く食品添加物の総体積と同じ体積の食品添加物、前記食品に用いられた食品添加物のうちキャリーオーバーとみなされた食品添加物を除く食品添加物の総体積と同じ体積の擬似物、前記食品に用いられた食品添加物のうちキャリーオーバーとみなされた食品添加物を除く食品添加物の総体積と見かけ上同じ体積の食品添加物、前記食品に用いられた食品添加物のうちキャリーオーバーとみなされた食品添加物を除く食品添加物の総体積と見かけ上同じ体積の擬似物、前記食品に用いられた脱脂加工大豆の総重量と同じ重量の脱脂加工大豆、前記食品に用いられた脱脂加工大豆の総重量と同じ重量の擬似物、前記食品に用いられた脱脂加工大豆の総体積と同じ体積の脱脂加工大豆、前記食品に用いられた脱脂加工大豆の総体積と同じ体積の擬似物、前記食品に用いられた脱脂加工大豆の総体積と見かけ上同じ体積の脱脂加工大豆、前記食品に用いられた脱脂加工大豆の総体積と見かけ上同じ体積の擬似物、前記食品に用いられたカラメル色素の総重量と同じ重量のカラメル色素、前記食品に用いられたカラメル色素の総重量と同じ重量の擬似物、前記食品に用いられたカラメル色素の総体積と同じ体積のカラメル色素、前記食品に用いられたカラメル色素の総体積と同じ体積の擬似物、前記食品に用いられたカラメル色素の総体積と見かけ上同じ体積のカラメル色素、前記食品に用いられたカラメル色素の総体積と見かけ上同じ体積の擬似物、前記食品に用いられたアスパルテームの総重量と同じ重量のアスパルテーム、前記食品に用いられたアスパルテームの総重量と同じ重量の擬似物、前記食品に用いられたアスパルテームの総体積と同じ体積のアスパルテーム、前記食品に用いられたアスパルテームの総体積と同じ体積の擬似物、前記食品に用いられたアスパルテームの総体積と見かけ上同じ体積のアスパルテーム、前記食品に用いられたアスパルテームの総体積と見かけ上同じ体積の擬似物、前記食品に用いられた香料の総重量と同じ重量の香料、前記食品に用いられた香料の総重量と同じ重量の擬似物、前記食品に用いられた香料の総体積と同じ体積の香料、前記食品に用いられた香料の総体積と同じ体積の擬似物、前記食品に用いられた香料の総体積と見かけ上同じ体積の香料、前記食品に用いられた香料の総体積と見かけ上同じ体積の擬似物の少なくとも１つである付属物の画像、
或いは、
所定の機能別若しくは所定の用途別に分類された前記食品に用いられた食品添加物の少なくとも一部である付属物の画像、
或いは、
前記食品に用いられた食品添加物の総重量に所定の割合を乗じて得られた重量と同じ重量の食品添加物、前記食品に用いられた食品添加物の総重量に所定の割合を乗じて得られた重量と同じ重量の擬似物、前記食品に用いられた食品添加物の総体積に所定の割合を乗じて得られた体積と同じ体積の食品添加物、前記食品に用いられた食品添加物の総体積に所定の割合を乗じて得られた体積と同じ体積の擬似物、前記食品に用いられた食品添加物の総体積に所定の割合を乗じて得られた体積と見かけ上同じ体積の食品添加物、前記食品に用いられた食品添加物の総体積に所定の割合を乗じて得られた体積と見かけ上同じ体積の擬似物、前記食品に用いられた砂糖の総重量に所定の割合を乗じて得られた重量と同じ重量の砂糖、前記食品に用いられた砂糖の総重量に所定の割合を乗じて得られた重量と同じ重量の擬似物、前記食品に用いられた砂糖の総体積に所定の割合を乗じて得られた体積と同じ体積の砂糖、前記食品に用いられた砂糖の総体積に所定の割合を乗じて得られた体積と同じ体積の擬似物、前記食品に用いられた砂糖の総体積に所定の割合を乗じて得られた体積と見かけ上同じ体積の砂糖、前記食品に用いられた砂糖の総体積に所定の割合を乗じて得られた体積と見かけ上同じ体積の擬似物、前記食品に用いられた塩の総重量に所定の割合を乗じて得られた重量と同じ重量の塩、前記食品に用いられた塩の総重量に所定の割合を乗じて得られた重量と同じ重量の擬似物、前記食品に用いられた塩の総体積に所定の割合を乗じて得られた体積と同じ体積の塩、前記食品に用いられた塩の総体積に所定の割合を乗じて得られた体積と同じ体積の擬似物、前記食品に用いられた塩の総体積に所定の割合を乗じて得られた体積と見かけ上同じ体積の塩、前記食品に用いられた塩の総体積に所定の割合を乗じて得られた体積と見かけ上同じ体積の擬似物、前記食品に用いられたタンパク加水分解物の総重量に所定の割合を乗じて得られた重量と同じ重量のタンパク加水分解物、前記食品に用いられたタンパク加水分解物の総重量に所定の割合を乗じて得られた重量と同じ重量の擬似物、前記食品に用いられたタンパク加水分解物の総体積に所定の割合を乗じて得られた体積と同じ体積のタンパク加水分解物、前記食品に用いられたタンパク加水分解物の総体積に所定の割合を乗じて得られた体積と同じ体積の擬似物、前記食品に用いられたタンパク加水分解物の総体積に所定の割合を乗じて得られた体積と見かけ上同じ体積のタンパク加水分解物、前記食品に用いられたタンパク加水分解物の総体積に所定の割合を乗じて得られた体積と見かけ上同じ体積の擬似物、前記食品に用いられた調味料の総重量に所定の割合を乗じて得られた重量と同じ重量の調味料、前記食品に用いられた調味料の総重量に所定の割合を乗じて得られた重量と同じ重量の擬似物、前記食品に用いられた調味料の総体積に所定の割合を乗じて得られた体積と同じ体積の調味料、前記食品に用いられた調味料の総体積に所定の割合を乗じて得られた体積と同じ体積の擬似物、前記食品に用いられた調味料の総体積に所定の割合を乗じて得られた体積と見かけ上同じ体積の調味料、前記食品に用いられた調味料の総体積に所定の割合を乗じて得られた体積と見かけ上同じ体積の擬似物、前記食品に用いられたブドウ糖果糖液糖の総重量に所定の割合を乗じて得られた重量と同じ重量のブドウ糖果糖液糖、前記食品に用いられたブドウ糖果糖液糖の総重量に所定の割合を乗じて得られた重量と同じ重量の擬似物、前記食品に用いられたブドウ糖果糖液糖の総体積に所定の割合を乗じて得られた体積と同じ体積のブドウ糖果糖液糖、前記食品に用いられたブドウ糖果糖液糖の総体積に所定の割合を乗じて得られた体積と同じ体積の擬似物、前記食品に用いられたブドウ糖果糖液糖の総体積に所定の割合を乗じて得られた体積と見かけ上同じ体積のブドウ糖果糖液糖、前記食品に用いられたブドウ糖果糖液糖の総体積に所定の割合を乗じて得られた体積と見かけ上同じ体積の擬似物、前記食品に用いられた加工油脂の総重量に所定の割合を乗じて得られた重量と同じ重量の加工油脂、前記食品に用いられた加工油脂の総重量に所定の割合を乗じて得られた重量と同じ重量の擬似物、前記食品に用いられた加工油脂の総体積に所定の割合を乗じて得られた体積と同じ体積の加工油脂、前記食品に用いられた加工油脂の総体積に所定の割合を乗じて得られた体積と同じ体積の擬似物、前記食品に用いられた加工油脂の総体積に所定の割合を乗じて得られた体積と見かけ上同じ体積の加工油脂、前記食品に用いられた加工油脂の総体積に所定の割合を乗じて得られた体積と見かけ上同じ体積の擬似物、前記食品に用いられたトランス脂肪酸の総重量に所定の割合を乗じて得られた重量と同じ重量のトランス脂肪酸、前記食品に用いられたトランス脂肪酸の総重量に所定の割合を乗じて得られた重量と同じ重量の擬似物、前記食品に用いられたトランス脂肪酸の総体積に所定の割合を乗じて得られた体積と同じ体積のトランス脂肪酸、前記食品に用いられたトランス脂肪酸の総体積に所定の割合を乗じて得られた体積と同じ体積の擬似物、前記食品に用いられたトランス脂肪酸の総体積に所定の割合を乗じて得られた体積と見かけ上同じ体積のトランス脂肪酸、前記食品に用いられたトランス脂肪酸の総体積に所定の割合を乗じて得られた体積と見かけ上同じ体積の擬似物、前記食品に用いられた加工デンプンの総重量に所定の割合を乗じて得られた重量と同じ重量の加工デンプン、前記食品に用いられた加工デンプンの総重量に所定の割合を乗じて得られた重量と同じ重量の擬似物、前記食品に用いられた加工デンプンの総体積に所定の割合を乗じて得られた体積と同じ体積の加工デンプン、前記食品に用いられた加工デンプンの総体積に所定の割合を乗じて得られた体積と同じ体積の擬似物、前記食品に用いられた加工デンプンの総体積に所定の割合を乗じて得られた体積と見かけ上同じ体積の加工デンプン、前記食品に用いられた加工デンプンの総体積に所定の割合を乗じて得られた体積と見かけ上同じ体積の擬似物、前記食品に用いられた食品添加物のうち一括名の表示が認められた食品添加物の総重量に所定の割合を乗じて得られた重量と同じ重量の食品添加物、前記食品に用いられた食品添加物のうち一括名の表示が認められた食品添加物の総重量に所定の割合を乗じて得られた重量と同じ重量の擬似物、前記食品に用いられた食品添加物のうち一括名の表示が認められた食品添加物の総体積に所定の割合を乗じて得られた体積と同じ体積の食品添加物、前記食品に用いられた食品添加物のうち一括名の表示が認められた食品添加物の総体積に所定の割合を乗じて得られた体積と同じ体積の擬似物、前記食品に用いられた食品添加物のうち一括名の表示が認められた食品添加物の総体積に所定の割合を乗じて得られた体積と見かけ上同じ体積の食品添加物、前記食品に用いられた食品添加物のうち一括名の表示が認められた食品添加物の総体積に所定の割合を乗じて得られた体積と見かけ上同じ体積の擬似物、前記食品に用いられた合成ビタミンの総重量に所定の割合を乗じて得られた重量と同じ重量の合成ビタミン、前記食品に用いられた合成ビタミンの総重量に所定の割合を乗じて得られた重量と同じ重量の擬似物、前記食品に用いられた合成ビタミンの総体積に所定の割合を乗じて得られた体積と同じ体積の合成ビタミン、前記食品に用いられた合成ビタミンの総体積に所定の割合を乗じて得られた体積と同じ体積の擬似物、前記食品に用いられた合成ビタミンの総体積に所定の割合を乗じて得られた体積と見かけ上同じ体積の合成ビタミン、前記食品に用いられた合成ビタミンの総体積に所定の割合を乗じて得られた体積と見かけ上同じ体積の擬似物、前記食品に用いられた食品添加物のうちキャリーオーバーとみなされた食品添加物の総重量に所定の割合を乗じて得られた重量と同じ重量の食品添加物、前記食品に用いられた食品添加物のうちキャリーオーバーとみなされた食品添加物の総重量に所定の割合を乗じて得られた重量と同じ重量の擬似物、前記食品に用いられた食品添加物のうちキャリーオーバーとみなされた食品添加物の総体積に所定の割合を乗じて得られた体積と同じ体積の食品添加物、前記食品に用いられた食品添加物のうちキャリーオーバーとみなされた食品添加物の総体積に所定の割合を乗じて得られた体積と同じ体積の擬似物、前記食品に用いられた食品添加物のうちキャリーオーバーとみなされた食品添加物の総体積に所定の割合を乗じて得られた体積と見かけ上同じ体積の食品添加物、前記食品に用いられた食品添加物のうちキャリーオーバーとみなされた食品添加物の総体積に所定の割合を乗じて得られた体積と見かけ上同じ体積の擬似物、前記食品に用いられた食品添加物のうちキャリーオーバーとみなされた食品添加物を除く食品添加物の総重量に所定の割合を乗じて得られた重量と同じ重量の食品添加物、前記食品に用いられた食品添加物のうちキャリーオーバーとみなされた食品添加物を除く食品添加物の総重量に所定の割合を乗じて得られた重量と同じ重量の擬似物、前記食品に用いられた食品添加物のうちキャリーオーバーとみなされた食品添加物を除く食品添加物の総体積に所定の割合を乗じて得られた体積と同じ体積の食品添加物、前記食品に用いられた食品添加物のうちキャリーオーバーとみなされた食品添加物を除く食品添加物の総体積に所定の割合を乗じて得られた体積と同じ体積の擬似物、前記食品に用いられた食品添加物のうちキャリーオーバーとみなされた食品添加物を除く食品添加物の総体積に所定の割合を乗じて得られた体積と見かけ上同じ体積の食品添加物、前記食品に用いられた食品添加物のうちキャリーオーバーとみなされた食品添加物を除く食品添加物の総体積に所定の割合を乗じて得られた体積と見かけ上同じ体積の擬似物、前記食品に用いられた脱脂加工大豆の総重量に所定の割合を乗じて得られた重量と同じ重量の脱脂加工大豆、前記食品に用いられた脱脂加工大豆の総重量に所定の割合を乗じて得られた重量と同じ重量の擬似物、前記食品に用いられた脱脂加工大豆の総体積に所定の割合を乗じて得られた体積と同じ体積の脱脂加工大豆、前記食品に用いられた脱脂加工大豆の総体積に所定の割合を乗じて得られた体積と同じ体積の擬似物、前記食品に用いられた脱脂加工大豆の総体積に所定の割合を乗じて得られた体積と見かけ上同じ体積の脱脂加工大豆、前記食品に用いられた脱脂加工大豆の総体積に所定の割合を乗じて得られた体積と見かけ上同じ体積の擬似物、前記食品に用いられたカラメル色素の総重量に所定の割合を乗じて得られた重量と同じ重量のカラメル色素、前記食品に用いられたカラメル色素の総重量に所定の割合を乗じて得られた重量と同じ重量の擬似物、前記食品に用いられたカラメル色素の総体積に所定の割合を乗じて得られた体積と同じ体積のカラメル色素、前記食品に用いられたカラメル色素の総体積に所定の割合を乗じて得られた体積と同じ体積の擬似物、前記食品に用いられたカラメル色素の総体積に所定の割合を乗じて得られた体積と見かけ上同じ体積のカラメル色素、前記食品に用いられたカラメル色素の総体積に所定の割合を乗じて得られた体積と見かけ上同じ体積の擬似物、前記食品に用いられたアスパルテームの総重量に所定の割合を乗じて得られた重量と同じ重量のアスパルテーム、前記食品に用いられたアスパルテームの総重量に所定の割合を乗じて得られた重量と同じ重量の擬似物、前記食品に用いられたアスパルテームの総体積に所定の割合を乗じて得られた体積と同じ体積のアスパルテーム、前記食品に用いられたアスパルテームの総体積に所定の割合を乗じて得られた体積と同じ体積の擬似物、前記食品に用いられたアスパルテームの総体積に所定の割合を乗じて得られた体積と見かけ上同じ体積のアスパルテーム、前記食品に用いられたアスパルテームの総体積に所定の割合を乗じて得られた体積と見かけ上同じ体積の擬似物、前記食品に用いられた香料の総重量に所定の割合を乗じて得られた重量と同じ重量の香料、前記食品に用いられた香料の総重量に所定の割合を乗じて得られた重量と同じ重量の擬似物、前記食品に用いられた香料の総体積
に所定の割合を乗じて得られた体積と同じ体積の香料、前記食品に用いられた香料の総体積に所定の割合を乗じて得られた体積と同じ体積の擬似物、前記食品に用いられた香料の総体積に所定の割合を乗じて得られた体積と見かけ上同じ体積の香料、前記食品に用いられた香料の総体積に所定の割合を乗じて得られた体積と見かけ上同じ体積の擬似物の少なくとも１つである付属物の画像、及び、前記所定の割合を表示した表示物、
或いは、
前記食品の原料の次世代の種子、若しくは、前記食品の原料と略同一条件で前記食品の原料とは別体で成長した代替原料の次世代の種子である付属物の画像、
或いは、
前記食品の原料の一部、若しくは、前記食品の原料と略同一条件で前記食品の原料とは別体で成長した代替原料から得られた種芋である付属物の画像、
或いは、
前記食品の原料の一部であり、若しくは、前記食品の原料と略同一条件で前記食品の原料とは別体で成長した代替原料であり、若しくは、前記食品の原料と一体に成長した一体成長物の前記食品の原料とは異なる部分であり、若しくは、前記食品の原料と略同一条件で前記食品の原料とは別体で成長した代替原料と一体に成長した代替一体成長物の前記食品の原料に対応する部分とは異なる部分である付属物本体が、水と共に収容されて構成された付属物の画像、
或いは、
前記食品の原料の生産の後に同食品の原料に関与した燻蒸剤、消毒剤、殺菌剤、抗菌剤、防かび剤、防腐剤、被膜剤、酸化防止剤、除草剤、殺虫剤、漂白殺菌剤、放射線、若しくは、薬剤の少なくとも１つである付属物の画像、
或いは、
前記食品の原料の生産の後に同食品の原料に関与した食品添加物、若しくは、成長ホルモン剤の少なくとも１つである付属物の画像、
の少なくとも２つ以上を消費者に選択させるために表示する工程と、
２つ以上の前記付属物の画像の中から消費者によって選択された１つ以上の前記付属物の画像に対応する前記付属物の現物のみ、２つ以上の前記付属物の画像の中から消費者によって選択された１つ以上の前記付属物の画像に対応する前記付属物の擬似物のみ、２つ以上の前記付属物の画像の中から消費者によって選択された１つ以上の前記付属物の画像に対応する前記付属物の画像のみが印刷された印刷媒体、の少なくとも１つを手渡し、消費者が前記付属物の現物、若しくは、前記付属物の擬似物、若しくは、前記印刷媒体を確認した後に、前記食品を送付若しくは手渡し、
或いは、
２つ以上の前記付属物の画像の中から消費者によって選択された１つ以上の前記付属物の画像に対応する前記付属物の現物のみ、２つ以上の前記付属物の画像の中から消費者によって選択された１つ以上の前記付属物の画像に対応する前記付属物の擬似物のみ、２つ以上の前記付属物の画像の中から消費者によって選択された１つ以上の前記付属物の画像に対応する前記付属物の画像のみが印刷された印刷媒体、の少なくとも１つを送付若しくは手渡し、消費者が前記付属物の現物、若しくは、前記付属物の擬似物、若しくは、前記印刷媒体を確認した後に、前記食品を手渡す工程とを備える
食品製品の提供方法。
【請求項３】
一次産品である所定の食品の生産に関与した土壌、水、海水、海底水、アルカリ水、海底水から採取した塩、海底泥、海藻、肥料、土壌消毒剤、殺菌剤、抗菌剤、農薬、種子、土壌中の生き物、水中の生き物、草、養殖用飼料、プランクトン、昆虫類、忌避植物、飼料、赤身肉化剤、抗生物質、成長ホルモン剤、ビニールハウスのビニールと略同質のビニール、放射線の少なくとも１つである付属物の画像、
或いは、
前記食品と略同一条件で前記食品とは別体で成長した代替食品である付属物の画像、
或いは、
前記食品と略同一条件で前記食品とは別体で成長した代替食品の粉末である付属物の画像、
或いは、
前記食品と略同一条件で前記食品とは別体で成長した代替食品の加工品である付属物の画像、
或いは、
前記食品と略同一条件で前記食品とは別体で成長した代替食品の粉末加工品である付属物の画像、
或いは、
前記食品と略同一条件で前記食品とは別体で成長した代替食品と一体に成長した代替一体成長物である付属物の画像、
或いは、
前記食品と略同一条件で前記食品とは別体で成長した代替食品と一体に成長した代替一体成長物の粉末である付属物の画像、
或いは、
前記食品と略同一条件で前記食品とは別体で成長した代替食品と一体に成長した代替一体成長物の加工品である付属物の画像、
或いは、
前記食品と略同一条件で前記食品とは別体で成長した代替食品と一体に成長した代替一体成長物の粉末加工品である付属物の画像、
或いは、
前記食品と一体に成長した一体成長物の前記食品とは異なる部分であり、若しくは、前記食品と略同一条件で前記食品とは別体で成長した代替食品と一体に成長した代替一体成長物の前記食品に対応する部分とは異なる部分である付属物の画像、
或いは、
前記食品と一体に成長した一体成長物の前記食品とは異なる部分の粉末であり、若しくは、前記食品と略同一条件で前記食品とは別体で成長した代替食品と一体に成長した代替一体成長物の前記食品に対応する部分とは異なる部分の粉末である付属物の画像、
或いは、
前記食品と一体に成長した一体成長物の前記食品とは異なる部分の加工品であり、若しくは、前記食品と略同一条件で前記食品とは別体で成長した代替食品と一体に成長した代替一体成長物の前記食品に対応する部分とは異なる部分の加工品である付属物の画像、
或いは、
前記食品と一体に成長した一体成長物の前記食品とは異なる部分の粉末加工品であり、若しくは、前記食品と略同一条件で前記食品とは別体で成長した代替食品と一体に成長した代替一体成長物の前記食品に対応する部分とは異なる部分の粉末加工品である付属物の画像、
或いは、
前記食品の次世代の種子、若しくは、前記食品と略同一条件で前記食品とは別体で成長した代替食品の次世代の種子である付属物の画像、
或いは、
前記食品の一部、若しくは、前記食品と略同一条件で前記食品とは別体で成長した代替食品から得られた種芋である付属物の画像、
或いは、
前記食品の一部であり、若しくは、前記食品と略同一条件で前記食品とは別体で成長した代替食品であり、若しくは、前記食品と一体に成長した一体成長物の前記食品とは異なる部分であり、若しくは、前記食品と略同一条件で前記食品とは別体で成長した代替食品と一体に成長した代替一体成長物の前記食品に対応する部分とは異なる部分である付属物本体が、水と共に収容されて構成された付属物の画像、
或いは、
前記食品の生産の後に使用された農薬である付属物の画像、
或いは、
前記食品の生産の後に同食品に関与した燻蒸剤、消毒剤、殺菌剤、抗菌剤、防かび剤、防腐剤、被膜剤、酸化防止剤、除草剤、殺虫剤、漂白殺菌剤、放射線、若しくは、薬剤の少なくとも１つである付属物の画像、
或いは、
前記食品の生産の後に同食品に関与した動物用食品添加物、若しくは、成長ホルモン剤の少なくとも１つである付属物の画像、
或いは、
前記食品の生産と略同時期に略同一環境で成長した海藻、草、魚介類の少なくとも１つである付属物の画像、
の少なくとも２つ以上が表示された印刷物を、同印刷物に表示された前記付属物の画像を選択させるために消費者に提供する工程と、
提供された前記印刷物に表示された２つ以上の前記付属物の画像の中から消費者によって選択された１つ以上の前記付属物の画像に対応する前記付属物の現物のみ、提供された前記印刷物に表示された２つ以上の前記付属物の画像の中から消費者によって選択された１つ以上の前記付属物の画像に対応する前記付属物の擬似物のみ、提供された前記印刷物に表示された２つ以上の前記付属物の画像の中から消費者によって選択された１つ以上の前記付属物の画像に対応する前記付属物の画像のみが印刷された印刷媒体、の少なくとも１つを手渡し、消費者が前記付属物の現物、若しくは、前記付属物の擬似物、若しくは、前記印刷媒体を確認した後に、前記食品を送付若しくは手渡し、
或いは、
提供された前記印刷物に表示された２つ以上の前記付属物の画像の中から消費者によって選択された１つ以上の前記付属物の画像に対応する前記付属物の現物のみ、提供された前記印刷物に表示された２つ以上の前記付属物の画像の中から消費者によって選択された１つ以上の前記付属物の画像に対応する前記付属物の擬似物のみ、提供された前記印刷物に表示された２つ以上の前記付属物の画像の中から消費者によって選択された１つ以上の前記付属物の画像に対応する前記付属物の画像のみが印刷された印刷媒体、の少なくとも１つを送付若しくは手渡し、消費者が前記付属物の現物、若しくは、前記付属物の擬似物、若しくは、前記印刷媒体を確認した後に、前記食品を手渡す工程とを備える
食品製品の提供方法。
【請求項４】
二次産品である所定の食品の原料である付属物の画像、
或いは、
前記食品の原料と略同一条件で前記食品の原料とは別体で成長した代替原料である付属物の画像、
或いは、
前記食品の原料と略同一条件で前記食品の原料とは別体で成長した代替原料の粉末である付属物の画像、
或いは、
前記食品の原料と略同一条件で前記食品の原料とは別体で成長した代替原料の加工品である付属物の画像、
或いは、
前記食品の原料と略同一条件で前記食品の原料とは別体で成長した代替原料の粉末加工品である付属物の画像、
或いは、
前記食品の原料と略同一条件で前記食品の原料とは別体で成長した代替原料と一体に成長した代替一体成長物である付属物の画像、
或いは、
前記食品の原料と略同一条件で前記食品の原料とは別体で成長した代替原料と一体に成長した代替一体成長物の粉末である付属物の画像、
或いは、
前記食品の原料と略同一条件で前記食品の原料とは別体で成長した代替原料と一体に成長した代替一体成長物の加工品である付属物の画像、
或いは、
前記食品の原料と略同一条件で前記食品の原料とは別体で成長した代替原料と一体に成長した代替一体成長物の粉末加工品である付属物の画像、
或いは、
前記食品の原料である卵である付属物の画像、
或いは、
前記食品の原料である卵と略同一条件で生産された代替卵である付属物の画像、
或いは、
前記食品の生産に関与した乳酸菌、ビフィズス菌、麹、麹菌、若しくは、枯草菌の少なくとも１つである付属物の画像、
或いは、
前記食品の生産に関与した木樽、瓶、プラスチック製容器、若しくは、漬け床である付属物の画像、
或いは、
前記食品の原料の生産に関与した土壌、水、海水、海底水、アルカリ水、海底水から採取した塩、海底泥、海藻、塩、肥料、土壌消毒剤、殺菌剤、抗菌剤、農薬、種子、土壌中の生き物、水中の生き物、草、養殖用飼料、プランクトン、昆虫類、忌避植物、飼料、赤身肉化剤、抗生物質、成長ホルモン剤、ビニールハウスのビニールと略同質のビニール、放射線の少なくとも１つである付属物の画像、
或いは、
前記食品の生産に関与した木樽の木片、前記食品の生産に関与した木樽と略同一条件の木樽の木片、前記食品の生産に関与した木樽の構成材と同一種類の木片、前記食品を生産した木樽の中に同食品と共に入れられた前記木樽の構成材と同一種類の木片、前記食品に含まれる汁、若しくは、前記食品の生産に関与した汁の少なくとも１つである付属物の画像、
或いは、
前記食品の原料と一体に成長した一体成長物の前記食品の原料とは異なる部分であり、若しくは、前記食品の原料と略同一条件で前記食品の原料とは別体で成長した代替原料と一体に成長した代替一体成長物の前記食品の原料に対応する部分とは異なる部分である付属物の画像、
或いは、
前記食品の原料と一体に成長した一体成長物の前記食品の原料とは異なる部分の粉末であり、若しくは、前記食品の原料と略同一条件で前記食品の原料とは別体で成長した代替原料と一体に成長した代替一体成長物の前記食品の原料に対応する部分とは異なる部分の粉末である付属物の画像、
或いは、
前記食品の原料と一体に成長した一体成長物の前記食品の原料とは異なる部分の加工品であり、若しくは、前記食品の原料と略同一条件で前記食品の原料とは別体で成長した代替原料と一体に成長した代替一体成長物の前記食品の原料に対応する部分とは異なる部分の加工品である付属物の画像、
或いは、
前記食品の原料と一体に成長した一体成長物の前記食品の原料とは異なる部分の粉末加工品であり、若しくは、前記食品の原料と略同一条件で前記食品の原料とは別体で成長した代替原料と一体に成長した代替一体成長物の前記食品の原料に対応する部分とは異なる部分の粉末加工品である付属物の画像、
或いは、
前記食品に用いられた食品添加物の総重量と同じ重量の食品添加物、前記食品に用いられた食品添加物の総重量と同じ重量の擬似物、前記食品に用いられた食品添加物の総体積と同じ体積の食品添加物、前記食品に用いられた食品添加物の総体積と同じ体積の擬似物、前記食品に用いられた食品添加物の総体積と見かけ上同じ体積の食品添加物、前記食品に用いられた食品添加物の総体積と見かけ上同じ体積の擬似物、前記食品に用いられた砂糖の総重量と同じ重量の砂糖、前記食品に用いられた砂糖の総重量と同じ重量の擬似物、前記食品に用いられた砂糖の総体積と同じ体積の砂糖、前記食品に用いられた砂糖の総体積と同じ体積の擬似物、前記食品に用いられた砂糖の総体積と見かけ上同じ体積の砂糖、前記食品に用いられた砂糖の総体積と見かけ上同じ体積の擬似物、前記食品に用いられた塩の総重量と同じ重量の塩、前記食品に用いられた塩の総重量と同じ重量の擬似物、前記食品に用いられた塩の総体積と同じ体積の塩、前記食品に用いられた塩の総体積と同じ体積の擬似物、前記食品に用いられた塩の総体積と見かけ上同じ体積の塩、前記食品に用いられた塩の総体積と見かけ上同じ体積の擬似物、前記食品に用いられたタンパク加水分解物の総重量と同じ重量のタンパク加水分解物、前記食品に用いられたタンパク加水分解物の総重量と同じ重量の擬似物、前記食品に用いられたタンパク加水分解物の総体積と同じ体積のタンパク加水分解物、前記食品に用いられたタンパク加水分解物の総体積と同じ体積の擬似物、前記食品に用いられたタンパク加水分解物の総体積と見かけ上同じ体積のタンパク加水分解物、前記食品に用いられたタンパク加水分解物の総体積と見かけ上同じ体積の擬似物、前記食品に用いられた調味料の総重量と同じ重量の調味料、前記食品に用いられた調味料の総重量と同じ重量の擬似物、前記食品に用いられた調味料の総体積と同じ体積の調味料、前記食品に用いられた調味料の総体積と同じ体積の擬似物、前記食品に用いられた調味料の総体積と見かけ上同じ体積の調味料、前記食品に用いられた調味料の総体積と見かけ上同じ体積の擬似物、前記食品に用いられたブドウ糖果糖液糖の総重量と同じ重量のブドウ糖果糖液糖、前記食品に用いられたブドウ糖果糖液糖の総重量と同じ重量の擬似物、前記食品に用いられたブドウ糖果糖液糖の総体積と同じ体積のブドウ糖果糖液糖、前記食品に用いられたブドウ糖果糖液糖の総体積と同じ体積の擬似物、前記食品に用いられたブドウ糖果糖液糖の総体積と見かけ上同じ体積のブドウ糖果糖液糖、前記食品に用いられたブドウ糖果糖液糖の総体積と見かけ上同じ体積の擬似物、前記食品に用いられた加工油脂の総重量と同じ重量の加工油脂、前記食品に用いられた加工油脂の総重量と同じ重量の擬似物、前記食品に用いられた加工油脂の総体積と同じ体積の加工油脂、前記食品に用いられた加工油脂の総体積と同じ体積の擬似物、前記食品に用いられた加工油脂の総体積と見かけ上同じ体積の加工油脂、前記食品に用いられた加工油脂の総体積と見かけ上同じ体積の擬似物、前記食品に用いられたトランス脂肪酸の総重量と同じ重量のトランス脂肪酸、前記食品に用いられたトランス脂肪酸の総重量と同じ重量の擬似物、前記食品に用いられたトランス脂肪酸の総体積と同じ体積のトランス脂肪酸、前記食品に用いられたトランス脂肪酸の総体積と同じ体積の擬似物、前記食品に用いられたトランス脂肪酸の総体積と見かけ上同じ体積のトランス脂肪酸、前記食品に用いられたトランス脂肪酸の総体積と見かけ上同じ体積の擬似物、前記食品に用いられた加工デンプンの総重量と同じ重量の加工デンプン、前記食品に用いられた加工デンプンの総重量と同じ重量の擬似物、前記食品に用いられた加工デンプンの総体積と同じ体積の加工デンプン、前記食品に用いられた加工デンプンの総体積と同じ体積の擬似物、前記食品に用いられた加工デンプンの総体積と見かけ上同じ体積の加工デンプン、前記食品に用いられた加工デンプンの総体積と見かけ上同じ体積の擬似物、前記食品に用いられた食品添加物のうち一括名の表示が認められた食品添加物の総重量と同じ重量の食品添加物、前記食品に用いられた食品添加物のうち一括名の表示が認められた食品添加物の総重量と同じ重量の擬似物、前記食品に用いられた食品添加物のうち一括名の表示が認められた食品添加物の総体積と同じ体積の食品添加物、前記食品に用いられた食品添加物のうち一括名の表示が認められた食品添加物の総体積と同じ体積の擬似物、前記食品に用いられた食品添加物のうち一括名の表示が認められた食品添加物の総体積と見かけ上同じ体積の食品添加物、前記食品に用いられた食品添加物のうち一括名の表示が認められた食品添加物の総体積と見かけ上同じ体積の擬似物、前記食品に用いられた合成ビタミンの総重量と同じ重量の合成ビタミン、前記食品に用いられた合成ビタミンの総重量と同じ重量の擬似物、前記食品に用いられた合成ビタミンの総体積と同じ体積の合成ビタミン、前記食品に用いられた合成ビタミンの総体積と同じ体積の擬似物、前記食品に用いられた合成ビタミンの総体積と見かけ上同じ体積の合成ビタミン、前記食品に用いられた合成ビタミンの総体積と見かけ上同じ体積の擬似物、前記食品に用いられた食品添加物のうちキャリーオーバーとみなされた食品添加物の総重量と同じ重量の食品添加物、前記食品に用いられた食品添加物のうちキャリーオーバーとみなされた食品添加物の総重量と同じ重量の擬似物、前記食品に用いられた食品添加物のうちキャリーオーバーとみなされた食品添加物の総体積と同じ体積の食品添加物、前記食品に用いられた食品添加物のうちキャリーオーバーとみなされた食品添加物の総体積と同じ体積の擬似物、前記食品に用いられた食品添加物のうちキャリーオーバーとみなされた食品添加物の総体積と見かけ上同じ体積の食品添加物、前記食品に用いられた食品添加物のうちキャリーオーバーとみなされた食品添加物の総体積と見かけ上同じ体積の擬似物、前記食品に用いられた食品添加物のうちキャリーオーバーとみなされた食品添加物を除く食品添加物の総重量と同じ重量の食品添加物、前記食品に用いられた食品添加物のうちキャリーオーバーとみなされた食品添加物を除く食品添加物の総重量と同じ重量の擬似物、前記食品に用いられた食品添加物のうちキャリーオーバーとみなされた食品添加物を除く食品添加物の総体積と同じ体積の食品添加物、前記食品に用いられた食品添加物のうちキャリーオーバーとみなされた食品添加物を除く食品添加物の総体積と同じ体積の擬似物、前記食品に用いられた食品添加物のうちキャリーオーバーとみなされた食品添加物を除く食品添加物の総体積と見かけ上同じ体積の食品添加物、前記食品に用いられた食品添加物のうちキャリーオーバーとみなされた食品添加物を除く食品添加物の総体積と見かけ上同じ体積の擬似物、前記食品に用いられた脱脂加工大豆の総重量と同じ重量の脱脂加工大豆、前記食品に用いられた脱脂加工大豆の総重量と同じ重量の擬似物、前記食品に用いられた脱脂加工大豆の総体積と同じ体積の脱脂加工大豆、前記食品に用いられた脱脂加工大豆の総体積と同じ体積の擬似物、前記食品に用いられた脱脂加工大豆の総体積と見かけ上同じ体積の脱脂加工大豆、前記食品に用いられた脱脂加工大豆の総体積と見かけ上同じ体積の擬似物、前記食品に用いられたカラメル色素の総重量と同じ重量のカラメル色素、前記食品に用いられたカラメル色素の総重量と同じ重量の擬似物、前記食品に用いられたカラメル色素の総体積と同じ体積のカラメル色素、前記食品に用いられたカラメル色素の総体積と同じ体積の擬似物、前記食品に用いられたカラメル色素の総体積と見かけ上同じ体積のカラメル色素、前記食品に用いられたカラメル色素の総体積と見かけ上同じ体積の擬似物、前記食品に用いられたアスパルテームの総重量と同じ重量のアスパルテーム、前記食品に用いられたアスパルテームの総重量と同じ重量の擬似物、前記食品に用いられたアスパルテームの総体積と同じ体積のアスパルテーム、前記食品に用いられたアスパルテームの総体積と同じ体積の擬似物、前記食品に用いられたアスパルテームの総体積と見かけ上同じ体積のアスパルテーム、前記食品に用いられたアスパルテームの総体積と見かけ上同じ体積の擬似物、前記食品に用いられた香料の総重量と同じ重量の香料、前記食品に用いられた香料の総重量と同じ重量の擬似物、前記食品に用いられた香料の総体積と同じ体積の香料、前記食品に用いられた香料の総体積と同じ体積の擬似物、前記食品に用いられた香料の総体積と見かけ上同じ体積の香料、前記食品に用いられた香料の総体積と見かけ上同じ体積の擬似物の少なくとも１つである付属物の画像、
或いは、
所定の機能別若しくは所定の用途別に分類された前記食品に用いられた食品添加物の少なくとも一部である付属物の画像、
或いは、
前記食品に用いられた食品添加物の総重量に所定の割合を乗じて得られた重量と同じ重量の食品添加物、前記食品に用いられた食品添加物の総重量に所定の割合を乗じて得られた重量と同じ重量の擬似物、前記食品に用いられた食品添加物の総体積に所定の割合を乗じて得られた体積と同じ体積の食品添加物、前記食品に用いられた食品添加物の総体積に所定の割合を乗じて得られた体積と同じ体積の擬似物、前記食品に用いられた食品添加物の総体積に所定の割合を乗じて得られた体積と見かけ上同じ体積の食品添加物、前記食品に用いられた食品添加物の総体積に所定の割合を乗じて得られた体積と見かけ上同じ体積の擬似物、前記食品に用いられた砂糖の総重量に所定の割合を乗じて得られた重量と同じ重量の砂糖、前記食品に用いられた砂糖の総重量に所定の割合を乗じて得られた重量と同じ重量の擬似物、前記食品に用いられた砂糖の総体積に所定の割合を乗じて得られた体積と同じ体積の砂糖、前記食品に用いられた砂糖の総体積に所定の割合を乗じて得られた体積と同じ体積の擬似物、前記食品に用いられた砂糖の総体積に所定の割合を乗じて得られた体積と見かけ上同じ体積の砂糖、前記食品に用いられた砂糖の総体積に所定の割合を乗じて得られた体積と見かけ上同じ体積の擬似物、前記食品に用いられた塩の総重量に所定の割合を乗じて得られた重量と同じ重量の塩、前記食品に用いられた塩の総重量に所定の割合を乗じて得られた重量と同じ重量の擬似物、前記食品に用いられた塩の総体積に所定の割合を乗じて得られた体積と同じ体積の塩、前記食品に用いられた塩の総体積に所定の割合を乗じて得られた体積と同じ体積の擬似物、前記食品に用いられた塩の総体積に所定の割合を乗じて得られた体積と見かけ上同じ体積の塩、前記食品に用いられた塩の総体積に所定の割合を乗じて得られた体積と見かけ上同じ体積の擬似物、前記食品に用いられたタンパク加水分解物の総重量に所定の割合を乗じて得られた重量と同じ重量のタンパク加水分解物、前記食品に用いられたタンパク加水分解物の総重量に所定の割合を乗じて得られた重量と同じ重量の擬似物、前記食品に用いられたタンパク加水分解物の総体積に所定の割合を乗じて得られた体積と同じ体積のタンパク加水分解物、前記食品に用いられたタンパク加水分解物の総体積に所定の割合を乗じて得られた体積と同じ体積の擬似物、前記食品に用いられたタンパク加水分解物の総体積に所定の割合を乗じて得られた体積と見かけ上同じ体積のタンパク加水分解物、前記食品に用いられたタンパク加水分解物の総体積に所定の割合を乗じて得られた体積と見かけ上同じ体積の擬似物、前記食品に用いられた調味料の総重量に所定の割合を乗じて得られた重量と同じ重量の調味料、前記食品に用いられた調味料の総重量に所定の割合を乗じて得られた重量と同じ重量の擬似物、前記食品に用いられた調味料の総体積に所定の割合を乗じて得られた体積と同じ体積の調味料、前記食品に用いられた調味料の総体積に所定の割合を乗じて得られた体積と同じ体積の擬似物、前記食品に用いられた調味料の総体積に所定の割合を乗じて得られた体積と見かけ上同じ体積の調味料、前記食品に用いられた調味料の総体積に所定の割合を乗じて得られた体積と見かけ上同じ体積の擬似物、前記食品に用いられたブドウ糖果糖液糖の総重量に所定の割合を乗じて得られた重量と同じ重量のブドウ糖果糖液糖、前記食品に用いられたブドウ糖果糖液糖の総重量に所定の割合を乗じて得られた重量と同じ重量の擬似物、前記食品に用いられたブドウ糖果糖液糖の総体積に所定の割合を乗じて得られた体積と同じ体積のブドウ糖果糖液糖、前記食品に用いられたブドウ糖果糖液糖の総体積に所定の割合を乗じて得られた体積と同じ体積の擬似物、前記食品に用いられたブドウ糖果糖液糖の総体積に所定の割合を乗じて得られた体積と見かけ上同じ体積のブドウ糖果糖液糖、前記食品に用いられたブドウ糖果糖液糖の総体積に所定の割合を乗じて得られた体積と見かけ上同じ体積の擬似物、前記食品に用いられた加工油脂の総重量に所定の割合を乗じて得られた重量と同じ重量の加工油脂、前記食品に用いられた加工油脂の総重量に所定の割合を乗じて得られた重量と同じ重量の擬似物、前記食品に用いられた加工油脂の総体積に所定の割合を乗じて得られた体積と同じ体積の加工油脂、前記食品に用いられた加工油脂の総体積に所定の割合を乗じて得られた体積と同じ体積の擬似物、前記食品に用いられた加工油脂の総体積に所定の割合を乗じて得られた体積と見かけ上同じ体積の加工油脂、前記食品に用いられた加工油脂の総体積に所定の割合を乗じて得られた体積と見かけ上同じ体積の擬似物、前記食品に用いられたトランス脂肪酸の総重量に所定の割合を乗じて得られた重量と同じ重量のトランス脂肪酸、前記食品に用いられたトランス脂肪酸の総重量に所定の割合を乗じて得られた重量と同じ重量の擬似物、前記食品に用いられたトランス脂肪酸の総体積に所定の割合を乗じて得られた体積と同じ体積のトランス脂肪酸、前記食品に用いられたトランス脂肪酸の総体積に所定の割合を乗じて得られた体積と同じ体積の擬似物、前記食品に用いられたトランス脂肪酸の総体積に所定の割合を乗じて得られた体積と見かけ上同じ体積のトランス脂肪酸、前記食品に用いられたトランス脂肪酸の総体積に所定の割合を乗じて得られた体積と見かけ上同じ体積の擬似物、前記食品に用いられた加工デンプンの総重量に所定の割合を乗じて得られた重量と同じ重量の加工デンプン、前記食品に用いられた加工デンプンの総重量に所定の割合を乗じて得られた重量と同じ重量の擬似物、前記食品に用いられた加工デンプンの総体積に所定の割合を乗じて得られた体積と同じ体積の加工デンプン、前記食品に用いられた加工デンプンの総体積に所定の割合を乗じて得られた体積と同じ体積の擬似物、前記食品に用いられた加工デンプンの総体積に所定の割合を乗じて得られた体積と見かけ上同じ体積の加工デンプン、前記食品に用いられた加工デンプンの総体積に所定の割合を乗じて得られた体積と見かけ上同じ体積の擬似物、前記食品に用いられた食品添加物のうち一括名の表示が認められた食品添加物の総重量に所定の割合を乗じて得られた重量と同じ重量の食品添加物、前記食品に用いられた食品添加物のうち一括名の表示が認められた食品添加物の総重量に所定の割合を乗じて得られた重量と同じ重量の擬似物、前記食品に用いられた食品添加物のうち一括名の表示が認められた食品添加物の総体積に所定の割合を乗じて得られた体積と同じ体積の食品添加物、前記食品に用いられた食品添加物のうち一括名の表示が認められた食品添加物の総体積に所定の割合を乗じて得られた体積と同じ体積の擬似物、前記食品に用いられた食品添加物のうち一括名の表示が認められた食品添加物の総体積に所定の割合を乗じて得られた体積と見かけ上同じ体積の食品添加物、前記食品に用いられた食品添加物のうち一括名の表示が認められた食品添加物の総体積に所定の割合を乗じて得られた体積と見かけ上同じ体積の擬似物、前記食品に用いられた合成ビタミンの総重量に所定の割合を乗じて得られた重量と同じ重量の合成ビタミン、前記食品に用いられた合成ビタミンの総重量に所定の割合を乗じて得られた重量と同じ重量の擬似物、前記食品に用いられた合成ビタミンの総体積に所定の割合を乗じて得られた体積と同じ体積の合成ビタミン、前記食品に用いられた合成ビタミンの総体積に所定の割合を乗じて得られた体積と同じ体積の擬似物、前記食品に用いられた合成ビタミンの総体積に所定の割合を乗じて得られた体積と見かけ上同じ体積の合成ビタミン、前記食品に用いられた合成ビタミンの総体積に所定の割合を乗じて得られた体積と見かけ上同じ体積の擬似物、前記食品に用いられた食品添加物のうちキャリーオーバーとみなされた食品添加物の総重量に所定の割合を乗じて得られた重量と同じ重量の食品添加物、前記食品に用いられた食品添加物のうちキャリーオーバーとみなされた食品添加物の総重量に所定の割合を乗じて得られた重量と同じ重量の擬似物、前記食品に用いられた食品添加物のうちキャリーオーバーとみなされた食品添加物の総体積に所定の割合を乗じて得られた体積と同じ体積の食品添加物、前記食品に用いられた食品添加物のうちキャリーオーバーとみなされた食品添加物の総体積に所定の割合を乗じて得られた体積と同じ体積の擬似物、前記食品に用いられた食品添加物のうちキャリーオーバーとみなされた食品添加物の総体積に所定の割合を乗じて得られた体積と見かけ上同じ体積の食品添加物、前記食品に用いられた食品添加物のうちキャリーオーバーとみなされた食品添加物の総体積に所定の割合を乗じて得られた体積と見かけ上同じ体積の擬似物、前記食品に用いられた食品添加物のうちキャリーオーバーとみなされた食品添加物を除く食品添加物の総重量に所定の割合を乗じて得られた重量と同じ重量の食品添加物、前記食品に用いられた食品添加物のうちキャリーオーバーとみなされた食品添加物を除く食品添加物の総重量に所定の割合を乗じて得られた重量と同じ重量の擬似物、前記食品に用いられた食品添加物のうちキャリーオーバーとみなされた食品添加物を除く食品添加物の総体積に所定の割合を乗じて得られた体積と同じ体積の食品添加物、前記食品に用いられた食品添加物のうちキャリーオーバーとみなされた食品添加物を除く食品添加物の総体積に所定の割合を乗じて得られた体積と同じ体積の擬似物、前記食品に用いられた食品添加物のうちキャリーオーバーとみなされた食品添加物を除く食品添加物の総体積に所定の割合を乗じて得られた体積と見かけ上同じ体積の食品添加物、前記食品に用いられた食品添加物のうちキャリーオーバーとみなされた食品添加物を除く食品添加物の総体積に所定の割合を乗じて得られた体積と見かけ上同じ体積の擬似物、前記食品に用いられた脱脂加工大豆の総重量に所定の割合を乗じて得られた重量と同じ重量の脱脂加工大豆、前記食品に用いられた脱脂加工大豆の総重量に所定の割合を乗じて得られた重量と同じ重量の擬似物、前記食品に用いられた脱脂加工大豆の総体積に所定の割合を乗じて得られた体積と同じ体積の脱脂加工大豆、前記食品に用いられた脱脂加工大豆の総体積に所定の割合を乗じて得られた体積と同じ体積の擬似物、前記食品に用いられた脱脂加工大豆の総体積に所定の割合を乗じて得られた体積と見かけ上同じ体積の脱脂加工大豆、前記食品に用いられた脱脂加工大豆の総体積に所定の割合を乗じて得られた体積と見かけ上同じ体積の擬似物、前記食品に用いられたカラメル色素の総重量に所定の割合を乗じて得られた重量と同じ重量のカラメル色素、前記食品に用いられたカラメル色素の総重量に所定の割合を乗じて得られた重量と同じ重量の擬似物、前記食品に用いられたカラメル色素の総体積に所定の割合を乗じて得られた体積と同じ体積のカラメル色素、前記食品に用いられたカラメル色素の総体積に所定の割合を乗じて得られた体積と同じ体積の擬似物、前記食品に用いられたカラメル色素の総体積に所定の割合を乗じて得られた体積と見かけ上同じ体積のカラメル色素、前記食品に用いられたカラメル色素の総体積に所定の割合を乗じて得られた体積と見かけ上同じ体積の擬似物、前記食品に用いられたアスパルテームの総重量に所定の割合を乗じて得られた重量と同じ重量のアスパルテーム、前記食品に用いられたアスパルテームの総重量に所定の割合を乗じて得られた重量と同じ重量の擬似物、前記食品に用いられたアスパルテームの総体積に所定の割合を乗じて得られた体積と同じ体積のアスパルテーム、前記食品に用いられたアスパルテームの総体積に所定の割合を乗じて得られた体積と同じ体積の擬似物、前記食品に用いられたアスパルテームの総体積に所定の割合を乗じて得られた体積と見かけ上同じ体積のアスパルテーム、前記食品に用いられたアスパルテームの総体積に所定の割合を乗じて得られた体積と見かけ上同じ体積の擬似物、前記食品に用いられた香料の総重量に所定の割合を乗じて得られた重量と同じ重量の香料、前記食品に用いられた香料の総重量に所定の割合を乗じて得られた重量と同じ重量の擬似物、前記食品に用いられた香料の総体積
に所定の割合を乗じて得られた体積と同じ体積の香料、前記食品に用いられた香料の総体積に所定の割合を乗じて得られた体積と同じ体積の擬似物、前記食品に用いられた香料の総体積に所定の割合を乗じて得られた体積と見かけ上同じ体積の香料、前記食品に用いられた香料の総体積に所定の割合を乗じて得られた体積と見かけ上同じ体積の擬似物の少なくとも１つである付属物の画像、及び、前記所定の割合を表示した表示物、
或いは、
前記食品の原料の次世代の種子、若しくは、前記食品の原料と略同一条件で前記食品の原料とは別体で成長した代替原料の次世代の種子である付属物の画像、
或いは、
前記食品の原料の一部、若しくは、前記食品の原料と略同一条件で前記食品の原料とは別体で成長した代替原料から得られた種芋である付属物の画像、
或いは、
前記食品の原料の一部であり、若しくは、前記食品の原料と略同一条件で前記食品の原料とは別体で成長した代替原料であり、若しくは、前記食品の原料と一体に成長した一体成長物の前記食品の原料とは異なる部分であり、若しくは、前記食品の原料と略同一条件で前記食品の原料とは別体で成長した代替原料と一体に成長した代替一体成長物の前記食品の原料に対応する部分とは異なる部分である付属物本体が、水と共に収容されて構成された付属物の画像、
或いは、
前記食品の原料の収穫後に使用された農薬である付属物の画像、
或いは、
前記食品の原料の生産の後に同食品の原料に関与した燻蒸剤、消毒剤、殺菌剤、抗菌剤、防かび剤、防腐剤、被膜剤、酸化防止剤、除草剤、殺虫剤、漂白殺菌剤、放射線、若しくは、薬剤の少なくとも１つである付属物の画像、
或いは、
前記食品の原料の生産の後に同食品の原料に関与した動物用食品添加物、若しくは、成長ホルモン剤の少なくとも１つである付属物の画像、
或いは、
前記食品の原料の加工直前に、前記食品の原料に含まれている燻蒸剤、消毒剤、殺菌剤、抗菌剤、防かび剤、防腐剤、被膜剤、酸化防止剤、除草剤、殺虫剤、漂白殺菌剤、放射線、若しくは、薬剤の少なくとも１つである付属物の画像、
或いは、
前記食品の原料の生産と略同時期に略同一環境で成長した海藻、草、魚介類の少なくとも１つである付属物の画像、
の少なくとも２つ以上が表示された印刷物を、同印刷物に表示された前記付属物の画像を選択させるために消費者に提供する工程と、
提供された前記印刷物に表示された２つ以上の前記付属物の画像の中から消費者によって選択された１つ以上の前記付属物の画像に対応する前記付属物の現物のみ、提供された前記印刷物に表示された２つ以上の前記付属物の画像の中から消費者によって選択された１つ以上の前記付属物の画像に対応する前記付属物の擬似物のみ、提供された前記印刷物に表示された２つ以上の前記付属物の画像の中から消費者によって選択された１つ以上の前記付属物の画像に対応する前記付属物の画像のみが印刷された印刷媒体、の少なくとも１つを手渡し、消費者が前記付属物の現物、若しくは、前記付属物の擬似物、若しくは、前記印刷媒体を確認した後に、前記食品を送付若しくは手渡し、
或いは、
提供された前記印刷物に表示された２つ以上の前記付属物の画像の中から消費者によって選択された１つ以上の前記付属物の画像に対応する前記付属物の現物のみ、提供された前記印刷物に表示された２つ以上の前記付属物の画像の中から消費者によって選択された１つ以上の前記付属物の画像に対応する前記付属物の擬似物のみ、提供された前記印刷物に表示された２つ以上の前記付属物の画像の中から消費者によって選択された１つ以上の前記付属物の画像に対応する前記付属物の画像のみが印刷された印刷媒体、の少なくとも１つを送付若しくは手渡し、消費者が前記付属物の現物、若しくは、前記付属物の擬似物、若しくは、前記印刷媒体を確認した後に、前記食品を手渡す工程とを備える
食品製品の提供方法。
【請求項５】
二次産品である所定の商品本体の原料である付属物の画像、
或いは、
前記商品本体の原料と略同一条件で前記商品本体の原料とは別体で成長した代替原料である付属物の画像、
或いは、
前記商品本体の原料と略同一条件で前記商品本体の原料とは別体で成長した代替原料の粉末である付属物の画像、
或いは、
前記商品本体の原料と略同一条件で前記商品本体の原料とは別体で成長した代替原料の加工品である付属物の画像、
或いは、
前記商品本体の原料と略同一条件で前記商品本体の原料とは別体で成長した代替原料の粉末加工品である付属物の画像、
或いは、
前記商品本体の原料と略同一条件で前記商品本体の原料とは別体で成長した代替原料と一体に成長した代替一体成長物である付属物の画像、
或いは、
前記商品本体の原料と略同一条件で前記商品本体の原料とは別体で成長した代替原料と一体に成長した代替一体成長物の粉末である付属物の画像、
或いは、
前記商品本体の原料と略同一条件で前記商品本体の原料とは別体で成長した代替原料と一体に成長した代替一体成長物の加工品である付属物の画像、
或いは、
前記商品本体の原料と略同一条件で前記商品本体の原料とは別体で成長した代替原料と一体に成長した代替一体成長物の粉末加工品である付属物の画像、
或いは、
前記商品本体の原料と略同一条件で製造された代替製造原料である付属物の画像、
或いは、
前記商品本体の原料と略同一条件で製造された代替製造原料の粉末である付属物の画像、
或いは、
前記商品本体の原料と略同一条件で製造された代替製造原料の加工品である付属物の画像、
或いは、
前記商品本体の原料と略同一条件で製造された代替製造原料の粉末加工品である付属物の画像、
或いは、
前記商品本体の生産に関与した乳酸菌、ビフィズス菌、麹、麹菌、若しくは、枯草菌の少なくとも１つである付属物の画像、
或いは、
前記商品本体の生産に関与した木樽、瓶、プラスチック製容器、若しくは、漬け床である付属物の画像、
或いは、
前記商品本体の原料の生産に関与した土壌、水、海水、海底水、アルカリ水、海底水から採取した塩、海底泥、海藻、塩、肥料、土壌消毒剤、殺菌剤、抗菌剤、農薬、種子、土壌中の生き物、水中の生き物、草、養殖用飼料、プランクトン、昆虫類、忌避植物、飼料、赤身肉化剤、抗生物質、成長ホルモン剤、ビニールハウスのビニールと略同質のビニール、放射線の少なくとも１つである付属物の画像、
或いは、
前記商品本体の生産に関与した木樽の木片、前記商品本体の生産に関与した木樽と略同一条件の木樽の木片、前記商品本体の生産に関与した木樽の構成材と同一種類の木片、前記商品本体を生産した木樽の中に同商品本体と共に入れられた前記木樽の構成材と同一種類の木片、前記商品本体に含まれる汁、若しくは、前記商品本体の生産に関与した汁の少なくとも１つである付属物の画像、
或いは、
前記商品本体の原料と一体に成長した一体成長物の前記商品本体の原料とは異なる部分であり、若しくは、前記商品本体の原料と略同一条件で前記商品本体の原料とは別体で成長した代替原料と一体に成長した代替一体成長物の前記商品本体の原料に対応する部分とは異なる部分である付属物の画像、
或いは、
前記商品本体の原料と一体に成長した一体成長物の前記商品本体の原料とは異なる部分の粉末であり、若しくは、前記商品本体の原料と略同一条件で前記商品本体の原料とは別体で成長した代替原料と一体に成長した代替一体成長物の前記商品本体の原料に対応する部分とは異なる部分の粉末である付属物の画像、
或いは、
前記商品本体の原料と一体に成長した一体成長物の前記商品本体の原料とは異なる部分の加工品であり、若しくは、前記商品本体の原料と略同一条件で前記商品本体の原料とは別体で成長した代替原料と一体に成長した代替一体成長物の前記商品本体の原料に対応する部分とは異なる部分の加工品である付属物の画像、
或いは、
前記商品本体の原料と一体に成長した一体成長物の前記商品本体の原料とは異なる部分の粉末加工品であり、若しくは、前記商品本体の原料と略同一条件で前記商品本体の原料とは別体で成長した代替原料と一体に成長した代替一体成長物の前記商品本体の原料に対応する部分とは異なる部分の粉末加工品である付属物の画像、
或いは、
前記商品本体に用いられた食品添加物の総重量と同じ重量の食品添加物、前記商品本体に用いられた食品添加物の総重量と同じ重量の擬似物、前記商品本体に用いられた食品添加物の総体積と同じ体積の食品添加物、前記商品本体に用いられた食品添加物の総体積と同じ体積の擬似物、前記商品本体に用いられた食品添加物の総体積と見かけ上同じ体積の食品添加物、前記商品本体に用いられた食品添加物の総体積と見かけ上同じ体積の擬似物、前記商品本体に用いられた砂糖の総重量と同じ重量の砂糖、前記商品本体に用いられた砂糖の総重量と同じ重量の擬似物、前記商品本体に用いられた砂糖の総体積と同じ体積の砂糖、前記商品本体に用いられた砂糖の総体積と同じ体積の擬似物、前記商品本体に用いられた砂糖の総体積と見かけ上同じ体積の砂糖、前記商品本体に用いられた砂糖の総体積と見かけ上同じ体積の擬似物、前記商品本体に用いられた塩の総重量と同じ重量の塩、前記商品本体に用いられた塩の総重量と同じ重量の擬似物、前記商品本体に用いられた塩の総体積と同じ体積の塩、前記商品本体に用いられた塩の総体積と同じ体積の擬似物、前記商品本体に用いられた塩の総体積と見かけ上同じ体積の塩、前記商品本体に用いられた塩の総体積と見かけ上同じ体積の擬似物、前記商品本体に用いられたタンパク加水分解物の総重量と同じ重量のタンパク加水分解物、前記商品本体に用いられたタンパク加水分解物の総重量と同じ重量の擬似物、前記商品本体に用いられたタンパク加水分解物の総体積と同じ体積のタンパク加水分解物、前記商品本体に用いられたタンパク加水分解物の総体積と同じ体積の擬似物、前記商品本体に用いられたタンパク加水分解物の総体積と見かけ上同じ体積のタンパク加水分解物、前記商品本体に用いられたタンパク加水分解物の総体積と見かけ上同じ体積の擬似物、前記商品本体に用いられた調味料の総重量と同じ重量の調味料、前記商品本体に用いられた調味料の総重量と同じ重量の擬似物、前記商品本体に用いられた調味料の総体積と同じ体積の調味料、前記商品本体に用いられた調味料の総体積と同じ体積の擬似物、前記商品本体に用いられた調味料の総体積と見かけ上同じ体積の調味料、前記商品本体に用いられた調味料の総体積と見かけ上同じ体積の擬似物、前記商品本体に用いられたブドウ糖果糖液糖の総重量と同じ重量のブドウ糖果糖液糖、前記商品本体に用いられたブドウ糖果糖液糖の総重量と同じ重量の擬似物、前記商品本体に用いられたブドウ糖果糖液糖の総体積と同じ体積のブドウ糖果糖液糖、前記商品本体に用いられたブドウ糖果糖液糖の総体積と同じ体積の擬似物、前記商品本体に用いられたブドウ糖果糖液糖の総体積と見かけ上同じ体積のブドウ糖果糖液糖、前記商品本体に用いられたブドウ糖果糖液糖の総体積と見かけ上同じ体積の擬似物、前記商品本体に用いられた加工油脂の総重量と同じ重量の加工油脂、前記商品本体に用いられた加工油脂の総重量と同じ重量の擬似物、前記商品本体に用いられた加工油脂の総体積と同じ体積の加工油脂、前記商品本体に用いられた加工油脂の総体積と同じ体積の擬似物、前記商品本体に用いられた加工油脂の総体積と見かけ上同じ体積の加工油脂、前記商品本体に用いられた加工油脂の総体積と見かけ上同じ体積の擬似物、前記商品本体に用いられたトランス脂肪酸の総重量と同じ重量のトランス脂肪酸、前記商品本体に用いられたトランス脂肪酸の総重量と同じ重量の擬似物、前記商品本体に用いられたトランス脂肪酸の総体積と同じ体積のトランス脂肪酸、前記商品本体に用いられたトランス脂肪酸の総体積と同じ体積の擬似物、前記商品本体に用いられたトランス脂肪酸の総体積と見かけ上同じ体積のトランス脂肪酸、前記商品本体に用いられたトランス脂肪酸の総体積と見かけ上同じ体積の擬似物、前記商品本体に用いられた加工デンプンの総重量と同じ重量の加工デンプン、前記商品本体に用いられた加工デンプンの総重量と同じ重量の擬似物、前記商品本体に用いられた加工デンプンの総体積と同じ体積の加工デンプン、前記商品本体に用いられた加工デンプンの総体積と同じ体積の擬似物、前記商品本体に用いられた加工デンプンの総体積と見かけ上同じ体積の加工デンプン、前記商品本体に用いられた加工デンプンの総体積と見かけ上同じ体積の擬似物、前記商品本体に用いられた食品添加物のうち一括名の表示が認められた食品添加物の総重量と同じ重量の食品添加物、前記商品本体に用いられた食品添加物のうち一括名の表示が認められた食品添加物の総重量と同じ重量の擬似物、前記商品本体に用いられた食品添加物のうち一括名の表示が認められた食品添加物の総体積と同じ体積の食品添加物、前記商品本体に用いられた食品添加物のうち一括名の表示が認められた食品添加物の総体積と同じ体積の擬似物、前記商品本体に用いられた食品添加物のうち一括名の表示が認められた食品添加物の総体積と見かけ上同じ体積の食品添加物、前記商品本体に用いられた食品添加物のうち一括名の表示が認められた食品添加物の総体積と見かけ上同じ体積の擬似物、前記商品本体に用いられた合成ビタミンの総重量と同じ重量の合成ビタミン、前記商品本体に用いられた合成ビタミンの総重量と同じ重量の擬似物、前記商品本体に用いられた合成ビタミンの総体積と同じ体積の合成ビタミン、前記商品本体に用いられた合成ビタミンの総体積と同じ体積の擬似物、前記商品本体に用いられた合成ビタミンの総体積と見かけ上同じ体積の合成ビタミン、前記商品本体に用いられた合成ビタミンの総体積と見かけ上同じ体積の擬似物、前記商品本体に用いられた食品添加物のうちキャリーオーバーとみなされた食品添加物の総重量と同じ重量の食品添加物、前記商品本体に用いられた食品添加物のうちキャリーオーバーとみなされた食品添加物の総重量と同じ重量の擬似物、前記商品本体に用いられた食品添加物のうちキャリーオーバーとみなされた食品添加物の総体積と同じ体積の食品添加物、前記商品本体に用いられた食品添加物のうちキャリーオーバーとみなされた食品添加物の総体積と同じ体積の擬似物、前記商品本体に用いられた食品添加物のうちキャリーオーバーとみなされた食品添加物の総体積と見かけ上同じ体積の食品添加物、前記商品本体に用いられた食品添加物のうちキャリーオーバーとみなされた食品添加物の総体積と見かけ上同じ体積の擬似物、前記商品本体に用いられた食品添加物のうちキャリーオーバーとみなされた食品添加物を除く食品添加物の総重量と同じ重量の食品添加物、前記商品本体に用いられた食品添加物のうちキャリーオーバーとみなされた食品添加物を除く食品添加物の総重量と同じ重量の擬似物、前記商品本体に用いられた食品添加物のうちキャリーオーバーとみなされた食品添加物を除く食品添加物の総体積と同じ体積の食品添加物、前記商品本体に用いられた食品添加物のうちキャリーオーバーとみなされた食品添加物を除く食品添加物の総体積と同じ体積の擬似物、前記商品本体に用いられた食品添加物のうちキャリーオーバーとみなされた食品添加物を除く食品添加物の総体積と見かけ上同じ体積の食品添加物、前記商品本体に用いられた食品添加物のうちキャリーオーバーとみなされた食品添加物を除く食品添加物の総体積と見かけ上同じ体積の擬似物、前記商品本体に用いられた脱脂加工大豆の総重量と同じ重量の脱脂加工大豆、前記商品本体に用いられた脱脂加工大豆の総重量と同じ重量の擬似物、前記商品本体に用いられた脱脂加工大豆の総体積と同じ体積の脱脂加工大豆、前記商品本体に用いられた脱脂加工大豆の総体積と同じ体積の擬似物、前記商品本体に用いられた脱脂加工大豆の総体積と見かけ上同じ体積の脱脂加工大豆、前記商品本体に用いられた脱脂加工大豆の総体積と見かけ上同じ体積の擬似物、前記食品に用いられたカラメル色素の総重量と同じ重量のカラメル色素、前記食品に用いられたカラメル色素の総重量と同じ重量の擬似物、前記食品に用いられたカラメル色素の総体積と同じ体積のカラメル色素、前記食品に用いられたカラメル色素の総体積と同じ体積の擬似物、前記食品に用いられたカラメル色素の総体積と見かけ上同じ体積のカラメル色素、前記食品に用いられたカラメル色素の総体積と見かけ上同じ体積の擬似物、前記食品に用いられたアスパルテームの総重量と同じ重量のアスパルテーム、前記食品に用いられたアスパルテームの総重量と同じ重量の擬似物、前記食品に用いられたアスパルテームの総体積と同じ体積のアスパルテーム、前記食品に用いられたアスパルテームの総体積と同じ体積の擬似物、前記食品に用いられたアスパルテームの総体積と見かけ上同じ体積のアスパルテーム、前記食品に用いられたアスパルテームの総体積と見かけ上同じ体積の擬似物、前記食品に用いられた香料の総重量と同じ重量の香料、前記食品に用いられた香料の総重量と同じ重量の擬似物、前記食品に用いられた香料の総体積と同じ体積の香料、前記食品に用いられた香料の総体積と同じ体積の擬似物、前記食品に用いられた香料の総体積と見かけ上同じ体積の香料、前記食品に用いられた香料の総体積と見かけ上同じ体積の擬似物の少なくとも１つである付属物の画像、
或いは、
所定の機能別若しくは所定の用途別に分類された前記商品本体に用いられた食品添加物の少なくとも一部である付属物の画像、
或いは、
前記商品本体に用いられた食品添加物の総重量に所定の割合を乗じて得られた重量と同じ重量の食品添加物、前記商品本体に用いられた食品添加物の総重量に所定の割合を乗じて得られた重量と同じ重量の擬似物、前記商品本体に用いられた食品添加物の総体積に所定の割合を乗じて得られた体積と同じ体積の食品添加物、前記商品本体に用いられた食品添加物の総体積に所定の割合を乗じて得られた体積と同じ体積の擬似物、前記商品本体に用いられた食品添加物の総体積に所定の割合を乗じて得られた体積と見かけ上同じ体積の食品添加物、前記商品本体に用いられた食品添加物の総体積に所定の割合を乗じて得られた体積と見かけ上同じ体積の擬似物、前記商品本体に用いられた砂糖の総重量に所定の割合を乗じて得られた重量と同じ重量の砂糖、前記商品本体に用いられた砂糖の総重量に所定の割合を乗じて得られた重量と同じ重量の擬似物、前記商品本体に用いられた砂糖の総体積に所定の割合を乗じて得られた体積と同じ体積の砂糖、前記商品本体に用いられた砂糖の総体積に所定の割合を乗じて得られた体積と同じ体積の擬似物、前記商品本体に用いられた砂糖の総体積に所定の割合を乗じて得られた体積と見かけ上同じ体積の砂糖、前記商品本体に用いられた砂糖の総体積に所定の割合を乗じて得られた体積と見かけ上同じ体積の擬似物、前記商品本体に用いられた塩の総重量に所定の割合を乗じて得られた重量と同じ重量の塩、前記商品本体に用いられた塩の総重量に所定の割合を乗じて得られた重量と同じ重量の擬似物、前記商品本体に用いられた塩の総体積に所定の割合を乗じて得られた体積と同じ体積の塩、前記商品本体に用いられた塩の総体積に所定の割合を乗じて得られた体積と同じ体積の擬似物、前記商品本体に用いられた塩の総体積に所定の割合を乗じて得られた体積と見かけ上同じ体積の塩、前記商品本体に用いられた塩の総体積に所定の割合を乗じて得られた体積と見かけ上同じ体積の擬似物、前記商品本体に用いられたタンパク加水分解物の総重量に所定の割合を乗じて得られた重量と同じ重量のタンパク加水分解物、前記商品本体に用いられたタンパク加水分解物の総重量に所定の割合を乗じて得られた重量と同じ重量の擬似物、前記商品本体に用いられたタンパク加水分解物の総体積に所定の割合を乗じて得られた体積と同じ体積のタンパク加水分解物、前記商品本体に用いられたタンパク加水分解物の総体積に所定の割合を乗じて得られた体積と同じ体積の擬似物、前記商品本体に用いられたタンパク加水分解物の総体積に所定の割合を乗じて得られた体積と見かけ上同じ体積のタンパク加水分解物、前記商品本体に用いられたタンパク加水分解物の総体積に所定の割合を乗じて得られた体積と見かけ上同じ体積の擬似物、前記商品本体に用いられた調味料の総重量に所定の割合を乗じて得られた重量と同じ重量の調味料、前記商品本体に用いられた調味料の総重量に所定の割合を乗じて得られた重量と同じ重量の擬似物、前記商品本体に用いられた調味料の総体積に所定の割合を乗じて得られた体積と同じ体積の調味料、前記商品本体に用いられた調味料の総体積に所定の割合を乗じて得られた体積と同じ体積の擬似物、前記商品本体に用いられた調味料の総体積に所定の割合を乗じて得られた体積と見かけ上同じ体積の調味料、前記商品本体に用いられた調味料の総体積に所定の割合を乗じて得られた体積と見かけ上同じ体積の擬似物、前記商品本体に用いられたブドウ糖果糖液糖の総重量に所定の割合を乗じて得られた重量と同じ重量のブドウ糖果糖液糖、前記商品本体に用いられたブドウ糖果糖液糖の総重量に所定の割合を乗じて得られた重量と同じ重量の擬似物、前記商品本体に用いられたブドウ糖果糖液糖の総体積に所定の割合を乗じて得られた体積と同じ体積のブドウ糖果糖液糖、前記商品本体に用いられたブドウ糖果糖液糖の総体積に所定の割合を乗じて得られた体積と同じ体積の擬似物、前記商品本体に用いられたブドウ糖果糖液糖の総体積に所定の割合を乗じて得られた体積と見かけ上同じ体積のブドウ糖果糖液糖、前記商品本体に用いられたブドウ糖果糖液糖の総体積に所定の割合を乗じて得られた体積と見かけ上同じ体積の擬似物、前記商品本体に用いられた加工油脂の総重量に所定の割合を乗じて得られた重量と同じ重量の加工油脂、前記商品本体に用いられた加工油脂の総重量に所定の割合を乗じて得られた重量と同じ重量の擬似物、前記商品本体に用いられた加工油脂の総体積に所定の割合を乗じて得られた体積と同じ体積の加工油脂、前記商品本体に用いられた加工油脂の総体積に所定の割合を乗じて得られた体積と同じ体積の擬似物、前記商品本体に用いられた加工油脂の総体積に所定の割合を乗じて得られた体積と見かけ上同じ体積の加工油脂、前記商品本体に用いられた加工油脂の総体積に所定の割合を乗じて得られた体積と見かけ上同じ体積の擬似物、前記商品本体に用いられたトランス脂肪酸の総重量に所定の割合を乗じて得られた重量と同じ重量のトランス脂肪酸、前記商品本体に用いられたトランス脂肪酸の総重量に所定の割合を乗じて得られた重量と同じ重量の擬似物、前記商品本体に用いられたトランス脂肪酸の総体積に所定の割合を乗じて得られた体積と同じ体積のトランス脂肪酸、前記商品本体に用いられたトランス脂肪酸の総体積に所定の割合を乗じて得られた体積と同じ体積の擬似物、前記商品本体に用いられたトランス脂肪酸の総体積に所定の割合を乗じて得られた体積と見かけ上同じ体積のトランス脂肪酸、前記商品本体に用いられたトランス脂肪酸の総体積に所定の割合を乗じて得られた体積と見かけ上同じ体積の擬似物、前記商品本体に用いられた加工デンプンの総重量に所定の割合を乗じて得られた重量と同じ重量の加工デンプン、前記商品本体に用いられた加工デンプンの総重量に所定の割合を乗じて得られた重量と同じ重量の擬似物、前記商品本体に用いられた加工デンプンの総体積に所定の割合を乗じて得られた体積と同じ体積の加工デンプン、前記商品本体に用いられた加工デンプンの総体積に所定の割合を乗じて得られた体積と同じ体積の擬似物、前記商品本体に用いられた加工デンプンの総体積に所定の割合を乗じて得られた体積と見かけ上同じ体積の加工デンプン、前記商品本体に用いられた加工デンプンの総体積に所定の割合を乗じて得られた体積と見かけ上同じ体積の擬似物、前記商品本体に用いられた食品添加物のうち一括名の表示が認められた食品添加物の総重量に所定の割合を乗じて得られた重量と同じ重量の食品添加物、前記商品本体に用いられた食品添加物のうち一括名の表示が認められた食品添加物の総重量に所定の割合を乗じて得られた重量と同じ重量の擬似物、前記商品本体に用いられた食品添加物のうち一括名の表示が認められた食品添加物の総体積に所定の割合を乗じて得られた体積と同じ体積の食品添加物、前記商品本体に用いられた食品添加物のうち一括名の表示が認められた食品添加物の総体積に所定の割合を乗じて得られた体積と同じ体積の擬似物、前記商品本体に用いられた食品添加物のうち一括名の表示が認められた食品添加物の総体積に所定の割合を乗じて得られた体積と見かけ上同じ体積の食品添加物、前記商品本体に用いられた食品添加物のうち一括名の表示が認められた食品添加物の総体積に所定の割合を乗じて得られた体積と見かけ上同じ体積の擬似物、前記商品本体に用いられた合成ビタミンの総重量に所定の割合を乗じて得られた重量と同じ重量の合成ビタミン、前記商品本体に用いられた合成ビタミンの総重量に所定の割合を乗じて得られた重量と同じ重量の擬似物、前記商品本体に用いられた合成ビタミンの総体積に所定の割合を乗じて得られた体積と同じ体積の合成ビタミン、前記商品本体に用いられた合成ビタミンの総体積に所定の割合を乗じて得られた体積と同じ体積の擬似物、前記商品本体に用いられた合成ビタミンの総体積に所定の割合を乗じて得られた体積と見かけ上同じ体積の合成ビタミン、前記商品本体に用いられた合成ビタミンの総体積に所定の割合を乗じて得られた体積と見かけ上同じ体積の擬似物、前記商品本体に用いられた食品添加物のうちキャリーオーバーとみなされた食品添加物の総重量に所定の割合を乗じて得られた重量と同じ重量の食品添加物、前記商品本体に用いられた食品添加物のうちキャリーオーバーとみなされた食品添加物の総重量に所定の割合を乗じて得られた重量と同じ重量の擬似物、前記商品本体に用いられた食品添加物のうちキャリーオーバーとみなされた食品添加物の総体積に所定の割合を乗じて得られた体積と同じ体積の食品添加物、前記商品本体に用いられた食品添加物のうちキャリーオーバーとみなされた食品添加物の総体積に所定の割合を乗じて得られた体積と同じ体積の擬似物、前記商品本体に用いられた食品添加物のうちキャリーオーバーとみなされた食品添加物の総体積に所定の割合を乗じて得られた体積と見かけ上同じ体積の食品添加物、前記商品本体に用いられた食品添加物のうちキャリーオーバーとみなされた食品添加物の総体積に所定の割合を乗じて得られた体積と見かけ上同じ体積の擬似物、前記商品本体に用いられた食品添加物のうちキャリーオーバーとみなされた食品添加物を除く食品添加物の総重量に所定の割合を乗じて得られた重量と同じ重量の食品添加物、前記商品本体に用いられた食品添加物のうちキャリーオーバーとみなされた食品添加物を除く食品添加物の総重量に所定の割合を乗じて得られた重量と同じ重量の擬似物、前記商品本体に用いられた食品添加物のうちキャリーオーバーとみなされた食品添加物を除く食品添加物の総体積に所定の割合を乗じて得られた体積と同じ体積の食品添加物、前記商品本体に用いられた食品添加物のうちキャリーオーバーとみなされた食品添加物を除く食品添加物の総体積に所定の割合を乗じて得られた体積と同じ体積の擬似物、前記商品本体に用いられた食品添加物のうちキャリーオーバーとみなされた食品添加物を除く食品添加物の総体積に所定の割合を乗じて得られた体積と見かけ上同じ体積の食品添加物、前記商品本体に用いられた食品添加物のうちキャリーオーバーとみなされた食品添加物を除く食品添加物の総体積に所定の割合を乗じて得られた体積と見かけ上同じ体積の擬似物、前記商品本体に用いられた脱脂加工大豆の総重量に所定の割合を乗じて得られた重量と同じ重量の脱脂加工大豆、前記商品本体に用いられた脱脂加工大豆の総重量に所定の割合を乗じて得られた重量と同じ重量の擬似物、前記商品本体に用いられた脱脂加工大豆の総体積に所定の割合を乗じて得られた体積と同じ体積の脱脂加工大豆、前記商品本体に用いられた脱脂加工大豆の総体積に所定の割合を乗じて得られた体積と同じ体積の擬似物、前記商品本体に用いられた脱脂加工大豆の総体積に所定の割合を乗じて得られた体積と見かけ上同じ体積の脱脂加工大豆、前記商品本体に用いられた脱脂加工大豆の総体積に所定の割合を乗じて得られた体積と見かけ上同じ体積の擬似物、前記食品に用いられたカラメル色素の総重量に所定の割合を乗じて得られた重量と同じ重量のカラメル色素、前記食品に用いられたカラメル色素の総重量に所定の割合を乗じて得られた重量と同じ重量の擬似物、前記食品に用いられたカラメル色素の総体積に所定の割合を乗じて得られた体積と同じ体積のカラメル色素、前記食品に用いられたカラメル色素の総体積に所定の割合を乗じて得られた体積と同じ体積の擬似物、前記食品に用いられたカラメル色素の総体積に所定の割合を乗じて得られた体積と見かけ上同じ体積のカラメル色素、前記食品に用いられたカラメル色素の総体積に所定の割合を乗じて得られた体積と見かけ上同じ体積の擬似物、前記食品に用いられたアスパルテームの総重量に所定の割合を乗じて得られた重量と同じ重量のアスパルテーム、前記食品に用いられたアスパルテームの総重量に所定の割合を乗じて得られた重量と同じ重量の擬似物、前記食品に用いられたアスパルテームの総体積に所定の割合を乗じて得られた体積と同じ体積のアスパルテーム、前記食品に用いられたアスパルテームの総体積に所定の割合を乗じて得られた体積と同じ体積の擬似物、前記食品に用いられたアスパルテームの総体積に所定の割合を乗じて得られた体積
と見かけ上同じ体積のアスパルテーム、前記食品に用いられたアスパルテームの総体積に所定の割合を乗じて得られた体積と見かけ上同じ体積の擬似物、前記食品に用いられた香料の総重量に所定の割合を乗じて得られた重量と同じ重量の香料、前記食品に用いられた香料の総重量に所定の割合を乗じて得られた重量と同じ重量の擬似物、前記食品に用いられた香料の総体積に所定の割合を乗じて得られた体積と同じ体積の香料、前記食品に用いられた香料の総体積に所定の割合を乗じて得られた体積と同じ体積の擬似物、前記食品に用いられた香料の総体積に所定の割合を乗じて得られた体積と見かけ上同じ体積の香料、前記食品に用いられた香料の総体積に所定の割合を乗じて得られた体積と見かけ上同じ体積の擬似物の少なくとも１つである付属物の画像、及び、前記所定の割合を表示した表示物、
或いは、
前記商品本体の原料の次世代の種子、若しくは、前記商品本体の原料と略同一条件で前記商品本体の原料とは別体で成長した代替原料の次世代の種子である付属物の画像、
或いは、
前記商品本体の原料の一部、若しくは、前記商品本体の原料と略同一条件で前記商品本体の原料とは別体で成長した代替原料から得られた種芋である付属物の画像、
或いは、
前記商品本体の原料の一部であり、若しくは、前記商品本体の原料と略同一条件で前記商品本体の原料とは別体で成長した代替原料であり、若しくは、前記商品本体の原料と一体に成長した一体成長物の前記商品本体の原料とは異なる部分であり、若しくは、前記商品本体の原料と略同一条件で前記商品本体の原料とは別体で成長した代替原料と一体に成長した代替一体成長物の前記商品本体の原料に対応する部分とは異なる部分である付属物本体が、水と共に収容されて構成された付属物の画像、
或いは、
前記商品本体の原料の生産の後に同商品本体の原料に関与した燻蒸剤、消毒剤、殺菌剤、抗菌剤、防かび剤、防腐剤、被膜剤、酸化防止剤、除草剤、殺虫剤、漂白殺菌剤、放射線、若しくは、薬剤の少なくとも１つである付属物の画像、
或いは、
前記商品本体の原料の生産の後に同商品本体の原料に関与した食品添加物、若しくは、成長ホルモン剤の少なくとも１つである付属物の画像、
の少なくとも２つ以上を消費者に選択させるために表示する工程と、
２つ以上の前記付属物の画像の中から消費者によって選択された１つ以上の前記付属物の画像に対応する前記付属物の現物のみ、２つ以上の前記付属物の画像の中から消費者によって選択された１つ以上の前記付属物の画像に対応する前記付属物の擬似物のみ、２つ以上の前記付属物の画像の中から消費者によって選択された１つ以上の前記付属物の画像に対応する前記付属物の画像のみが印刷された印刷媒体、の少なくとも１つを手渡し、消費者が前記付属物の現物、若しくは、前記付属物の擬似物、若しくは、前記印刷媒体を確認した後に、前記商品本体を送付若しくは手渡し、
或いは、
２つ以上の前記付属物の画像の中から消費者によって選択された１つ以上の前記付属物の画像に対応する前記付属物の現物のみ、２つ以上の前記付属物の画像の中から消費者によって選択された１つ以上の前記付属物の画像に対応する前記付属物の擬似物のみ、２つ以上の前記付属物の画像の中から消費者によって選択された１つ以上の前記付属物の画像に対応する前記付属物の画像のみが印刷された印刷媒体、の少なくとも１つを送付若しくは手渡し、消費者が前記付属物の現物、若しくは、前記付属物の擬似物、若しくは、前記印刷媒体を確認した後に、前記商品本体を手渡す工程とを備える
商品の提供方法。
【請求項６】
二次産品である所定の商品本体の原料である付属物の画像、
或いは、
前記商品本体の原料と略同一条件で前記商品本体の原料とは別体で成長した代替原料である付属物の画像、
或いは、
前記商品本体の原料と略同一条件で前記商品本体の原料とは別体で成長した代替原料の粉末である付属物の画像、
或いは、
前記商品本体の原料と略同一条件で前記商品本体の原料とは別体で成長した代替原料の加工品である付属物の画像、
或いは、
前記商品本体の原料と略同一条件で前記商品本体の原料とは別体で成長した代替原料の粉末加工品である付属物の画像、
或いは、
前記商品本体の原料と略同一条件で前記商品本体の原料とは別体で成長した代替原料と一体に成長した代替一体成長物である付属物の画像、
或いは、
前記商品本体の原料と略同一条件で前記商品本体の原料とは別体で成長した代替原料と一体に成長した代替一体成長物の粉末である付属物の画像、
或いは、
前記商品本体の原料と略同一条件で前記商品本体の原料とは別体で成長した代替原料と一体に成長した代替一体成長物の加工品である付属物の画像、
或いは、
前記商品本体の原料と略同一条件で前記商品本体の原料とは別体で成長した代替原料と一体に成長した代替一体成長物の粉末加工品である付属物の画像、
或いは、
前記商品本体の原料と略同一条件で製造された代替製造原料である付属物の画像、
或いは、
前記商品本体の原料と略同一条件で製造された代替製造原料の粉末である付属物の画像、
或いは、
前記商品本体の原料と略同一条件で製造された代替製造原料の加工品である付属物の画像、
或いは、
前記商品本体の原料と略同一条件で製造された代替製造原料の粉末加工品である付属物の画像、
或いは、
前記商品本体の生産に関与した乳酸菌、ビフィズス菌、麹、麹菌、若しくは、枯草菌の少なくとも１つである付属物の画像、
或いは、
前記商品本体の生産に関与した木樽、瓶、プラスチック製容器、若しくは、漬け床である付属物の画像、
或いは、
前記商品本体の原料の生産に関与した土壌、水、海水、海底水、アルカリ水、海底水から採取した塩、海底泥、海藻、塩、肥料、土壌消毒剤、殺菌剤、抗菌剤、農薬、種子、土壌中の生き物、水中の生き物、草、養殖用飼料、プランクトン、昆虫類、忌避植物、飼料、赤身肉化剤、抗生物質、成長ホルモン剤、ビニールハウスのビニールと略同質のビニール、放射線の少なくとも１つである付属物の画像、
或いは、
前記商品本体の生産に関与した木樽の木片、前記商品本体の生産に関与した木樽と略同一条件の木樽の木片、前記商品本体の生産に関与した木樽の構成材と同一種類の木片、前記商品本体を生産した木樽の中に同商品本体と共に入れられた前記木樽の構成材と同一種類の木片、前記商品本体に含まれる汁、若しくは、前記商品本体の生産に関与した汁の少なくとも１つである付属物の画像、
或いは、
前記商品本体の原料と一体に成長した一体成長物の前記商品本体の原料とは異なる部分であり、若しくは、前記商品本体の原料と略同一条件で前記商品本体の原料とは別体で成長した代替原料と一体に成長した代替一体成長物の前記商品本体の原料に対応する部分とは異なる部分である付属物の画像、
或いは、
前記商品本体の原料と一体に成長した一体成長物の前記商品本体の原料とは異なる部分の粉末であり、若しくは、前記商品本体の原料と略同一条件で前記商品本体の原料とは別体で成長した代替原料と一体に成長した代替一体成長物の前記商品本体の原料に対応する部分とは異なる部分の粉末である付属物の画像、
或いは、
前記商品本体の原料と一体に成長した一体成長物の前記商品本体の原料とは異なる部分の加工品であり、若しくは、前記商品本体の原料と略同一条件で前記商品本体の原料とは別体で成長した代替原料と一体に成長した代替一体成長物の前記商品本体の原料に対応する部分とは異なる部分の加工品である付属物の画像、
或いは、
前記商品本体の原料と一体に成長した一体成長物の前記商品本体の原料とは異なる部分の粉末加工品であり、若しくは、前記商品本体の原料と略同一条件で前記商品本体の原料とは別体で成長した代替原料と一体に成長した代替一体成長物の前記商品本体の原料に対応する部分とは異なる部分の粉末加工品である付属物の画像、
或いは、
前記商品本体に用いられた食品添加物の総重量と同じ重量の食品添加物、前記商品本体に用いられた食品添加物の総重量と同じ重量の擬似物、前記商品本体に用いられた食品添加物の総体積と同じ体積の食品添加物、前記商品本体に用いられた食品添加物の総体積と同じ体積の擬似物、前記商品本体に用いられた食品添加物の総体積と見かけ上同じ体積の食品添加物、前記商品本体に用いられた食品添加物の総体積と見かけ上同じ体積の擬似物、前記商品本体に用いられた砂糖の総重量と同じ重量の砂糖、前記商品本体に用いられた砂糖の総重量と同じ重量の擬似物、前記商品本体に用いられた砂糖の総体積と同じ体積の砂糖、前記商品本体に用いられた砂糖の総体積と同じ体積の擬似物、前記商品本体に用いられた砂糖の総体積と見かけ上同じ体積の砂糖、前記商品本体に用いられた砂糖の総体積と見かけ上同じ体積の擬似物、前記商品本体に用いられた塩の総重量と同じ重量の塩、前記商品本体に用いられた塩の総重量と同じ重量の擬似物、前記商品本体に用いられた塩の総体積と同じ体積の塩、前記商品本体に用いられた塩の総体積と同じ体積の擬似物、前記商品本体に用いられた塩の総体積と見かけ上同じ体積の塩、前記商品本体に用いられた塩の総体積と見かけ上同じ体積の擬似物、前記商品本体に用いられたタンパク加水分解物の総重量と同じ重量のタンパク加水分解物、前記商品本体に用いられたタンパク加水分解物の総重量と同じ重量の擬似物、前記商品本体に用いられたタンパク加水分解物の総体積と同じ体積のタンパク加水分解物、前記商品本体に用いられたタンパク加水分解物の総体積と同じ体積の擬似物、前記商品本体に用いられたタンパク加水分解物の総体積と見かけ上同じ体積のタンパク加水分解物、前記商品本体に用いられたタンパク加水分解物の総体積と見かけ上同じ体積の擬似物、前記商品本体に用いられた調味料の総重量と同じ重量の調味料、前記商品本体に用いられた調味料の総重量と同じ重量の擬似物、前記商品本体に用いられた調味料の総体積と同じ体積の調味料、前記商品本体に用いられた調味料の総体積と同じ体積の擬似物、前記商品本体に用いられた調味料の総体積と見かけ上同じ体積の調味料、前記商品本体に用いられた調味料の総体積と見かけ上同じ体積の擬似物、前記商品本体に用いられたブドウ糖果糖液糖の総重量と同じ重量のブドウ糖果糖液糖、前記商品本体に用いられたブドウ糖果糖液糖の総重量と同じ重量の擬似物、前記商品本体に用いられたブドウ糖果糖液糖の総体積と同じ体積のブドウ糖果糖液糖、前記商品本体に用いられたブドウ糖果糖液糖の総体積と同じ体積の擬似物、前記商品本体に用いられたブドウ糖果糖液糖の総体積と見かけ上同じ体積のブドウ糖果糖液糖、前記商品本体に用いられたブドウ糖果糖液糖の総体積と見かけ上同じ体積の擬似物、前記商品本体に用いられた加工油脂の総重量と同じ重量の加工油脂、前記商品本体に用いられた加工油脂の総重量と同じ重量の擬似物、前記商品本体に用いられた加工油脂の総体積と同じ体積の加工油脂、前記商品本体に用いられた加工油脂の総体積と同じ体積の擬似物、前記商品本体に用いられた加工油脂の総体積と見かけ上同じ体積の加工油脂、前記商品本体に用いられた加工油脂の総体積と見かけ上同じ体積の擬似物、前記商品本体に用いられたトランス脂肪酸の総重量と同じ重量のトランス脂肪酸、前記商品本体に用いられたトランス脂肪酸の総重量と同じ重量の擬似物、前記商品本体に用いられたトランス脂肪酸の総体積と同じ体積のトランス脂肪酸、前記商品本体に用いられたトランス脂肪酸の総体積と同じ体積の擬似物、前記商品本体に用いられたトランス脂肪酸の総体積と見かけ上同じ体積のトランス脂肪酸、前記商品本体に用いられたトランス脂肪酸の総体積と見かけ上同じ体積の擬似物、前記商品本体に用いられた加工デンプンの総重量と同じ重量の加工デンプン、前記商品本体に用いられた加工デンプンの総重量と同じ重量の擬似物、前記商品本体に用いられた加工デンプンの総体積と同じ体積の加工デンプン、前記商品本体に用いられた加工デンプンの総体積と同じ体積の擬似物、前記商品本体に用いられた加工デンプンの総体積と見かけ上同じ体積の加工デンプン、前記商品本体に用いられた加工デンプンの総体積と見かけ上同じ体積の擬似物、前記商品本体に用いられた食品添加物のうち一括名の表示が認められた食品添加物の総重量と同じ重量の食品添加物、前記商品本体に用いられた食品添加物のうち一括名の表示が認められた食品添加物の総重量と同じ重量の擬似物、前記商品本体に用いられた食品添加物のうち一括名の表示が認められた食品添加物の総体積と同じ体積の食品添加物、前記商品本体に用いられた食品添加物のうち一括名の表示が認められた食品添加物の総体積と同じ体積の擬似物、前記商品本体に用いられた食品添加物のうち一括名の表示が認められた食品添加物の総体積と見かけ上同じ体積の食品添加物、前記商品本体に用いられた食品添加物のうち一括名の表示が認められた食品添加物の総体積と見かけ上同じ体積の擬似物、前記商品本体に用いられた合成ビタミンの総重量と同じ重量の合成ビタミン、前記商品本体に用いられた合成ビタミンの総重量と同じ重量の擬似物、前記商品本体に用いられた合成ビタミンの総体積と同じ体積の合成ビタミン、前記商品本体に用いられた合成ビタミンの総体積と同じ体積の擬似物、前記商品本体に用いられた合成ビタミンの総体積と見かけ上同じ体積の合成ビタミン、前記商品本体に用いられた合成ビタミンの総体積と見かけ上同じ体積の擬似物、前記商品本体に用いられた食品添加物のうちキャリーオーバーとみなされた食品添加物の総重量と同じ重量の食品添加物、前記商品本体に用いられた食品添加物のうちキャリーオーバーとみなされた食品添加物の総重量と同じ重量の擬似物、前記商品本体に用いられた食品添加物のうちキャリーオーバーとみなされた食品添加物の総体積と同じ体積の食品添加物、前記商品本体に用いられた食品添加物のうちキャリーオーバーとみなされた食品添加物の総体積と同じ体積の擬似物、前記商品本体に用いられた食品添加物のうちキャリーオーバーとみなされた食品添加物の総体積と見かけ上同じ体積の食品添加物、前記商品本体に用いられた食品添加物のうちキャリーオーバーとみなされた食品添加物の総体積と見かけ上同じ体積の擬似物、前記商品本体に用いられた食品添加物のうちキャリーオーバーとみなされた食品添加物を除く食品添加物の総重量と同じ重量の食品添加物、前記商品本体に用いられた食品添加物のうちキャリーオーバーとみなされた食品添加物を除く食品添加物の総重量と同じ重量の擬似物、前記商品本体に用いられた食品添加物のうちキャリーオーバーとみなされた食品添加物を除く食品添加物の総体積と同じ体積の食品添加物、前記商品本体に用いられた食品添加物のうちキャリーオーバーとみなされた食品添加物を除く食品添加物の総体積と同じ体積の擬似物、前記商品本体に用いられた食品添加物のうちキャリーオーバーとみなされた食品添加物を除く食品添加物の総体積と見かけ上同じ体積の食品添加物、前記商品本体に用いられた食品添加物のうちキャリーオーバーとみなされた食品添加物を除く食品添加物の総体積と見かけ上同じ体積の擬似物、前記商品本体に用いられた脱脂加工大豆の総重量と同じ重量の脱脂加工大豆、前記商品本体に用いられた脱脂加工大豆の総重量と同じ重量の擬似物、前記商品本体に用いられた脱脂加工大豆の総体積と同じ体積の脱脂加工大豆、前記商品本体に用いられた脱脂加工大豆の総体積と同じ体積の擬似物、前記商品本体に用いられた脱脂加工大豆の総体積と見かけ上同じ体積の脱脂加工大豆、前記商品本体に用いられた脱脂加工大豆の総体積と見かけ上同じ体積の擬似物、前記食品に用いられたカラメル色素の総重量と同じ重量のカラメル色素、前記食品に用いられたカラメル色素の総重量と同じ重量の擬似物、前記食品に用いられたカラメル色素の総体積と同じ体積のカラメル色素、前記食品に用いられたカラメル色素の総体積と同じ体積の擬似物、前記食品に用いられたカラメル色素の総体積と見かけ上同じ体積のカラメル色素、前記食品に用いられたカラメル色素の総体積と見かけ上同じ体積の擬似物、前記食品に用いられたアスパルテームの総重量と同じ重量のアスパルテーム、前記食品に用いられたアスパルテームの総重量と同じ重量の擬似物、前記食品に用いられたアスパルテームの総体積と同じ体積のアスパルテーム、前記食品に用いられたアスパルテームの総体積と同じ体積の擬似物、前記食品に用いられたアスパルテームの総体積と見かけ上同じ体積のアスパルテーム、前記食品に用いられたアスパルテームの総体積と見かけ上同じ体積の擬似物、前記食品に用いられた香料の総重量と同じ重量の香料、前記食品に用いられた香料の総重量と同じ重量の擬似物、前記食品に用いられた香料の総体積と同じ体積の香料、前記食品に用いられた香料の総体積と同じ体積の擬似物、前記食品に用いられた香料の総体積と見かけ上同じ体積の香料、前記食品に用いられた香料の総体積と見かけ上同じ体積の擬似物の少なくとも１つである付属物の画像、
或いは、
所定の機能別若しくは所定の用途別に分類された前記商品本体に用いられた食品添加物の少なくとも一部である付属物の画像、
或いは、
前記商品本体に用いられた食品添加物の総重量に所定の割合を乗じて得られた重量と同じ重量の食品添加物、前記商品本体に用いられた食品添加物の総重量に所定の割合を乗じて得られた重量と同じ重量の擬似物、前記商品本体に用いられた食品添加物の総体積に所定の割合を乗じて得られた体積と同じ体積の食品添加物、前記商品本体に用いられた食品添加物の総体積に所定の割合を乗じて得られた体積と同じ体積の擬似物、前記商品本体に用いられた食品添加物の総体積に所定の割合を乗じて得られた体積と見かけ上同じ体積の食品添加物、前記商品本体に用いられた食品添加物の総体積に所定の割合を乗じて得られた体積と見かけ上同じ体積の擬似物、前記商品本体に用いられた砂糖の総重量に所定の割合を乗じて得られた重量と同じ重量の砂糖、前記商品本体に用いられた砂糖の総重量に所定の割合を乗じて得られた重量と同じ重量の擬似物、前記商品本体に用いられた砂糖の総体積に所定の割合を乗じて得られた体積と同じ体積の砂糖、前記商品本体に用いられた砂糖の総体積に所定の割合を乗じて得られた体積と同じ体積の擬似物、前記商品本体に用いられた砂糖の総体積に所定の割合を乗じて得られた体積と見かけ上同じ体積の砂糖、前記商品本体に用いられた砂糖の総体積に所定の割合を乗じて得られた体積と見かけ上同じ体積の擬似物、前記商品本体に用いられた塩の総重量に所定の割合を乗じて得られた重量と同じ重量の塩、前記商品本体に用いられた塩の総重量に所定の割合を乗じて得られた重量と同じ重量の擬似物、前記商品本体に用いられた塩の総体積に所定の割合を乗じて得られた体積と同じ体積の塩、前記商品本体に用いられた塩の総体積に所定の割合を乗じて得られた体積と同じ体積の擬似物、前記商品本体に用いられた塩の総体積に所定の割合を乗じて得られた体積と見かけ上同じ体積の塩、前記商品本体に用いられた塩の総体積に所定の割合を乗じて得られた体積と見かけ上同じ体積の擬似物、前記商品本体に用いられたタンパク加水分解物の総重量に所定の割合を乗じて得られた重量と同じ重量のタンパク加水分解物、前記商品本体に用いられたタンパク加水分解物の総重量に所定の割合を乗じて得られた重量と同じ重量の擬似物、前記商品本体に用いられたタンパク加水分解物の総体積に所定の割合を乗じて得られた体積と同じ体積のタンパク加水分解物、前記商品本体に用いられたタンパク加水分解物の総体積に所定の割合を乗じて得られた体積と同じ体積の擬似物、前記商品本体に用いられたタンパク加水分解物の総体積に所定の割合を乗じて得られた体積と見かけ上同じ体積のタンパク加水分解物、前記商品本体に用いられたタンパク加水分解物の総体積に所定の割合を乗じて得られた体積と見かけ上同じ体積の擬似物、前記商品本体に用いられた調味料の総重量に所定の割合を乗じて得られた重量と同じ重量の調味料、前記商品本体に用いられた調味料の総重量に所定の割合を乗じて得られた重量と同じ重量の擬似物、前記商品本体に用いられた調味料の総体積に所定の割合を乗じて得られた体積と同じ体積の調味料、前記商品本体に用いられた調味料の総体積に所定の割合を乗じて得られた体積と同じ体積の擬似物、前記商品本体に用いられた調味料の総体積に所定の割合を乗じて得られた体積と見かけ上同じ体積の調味料、前記商品本体に用いられた調味料の総体積に所定の割合を乗じて得られた体積と見かけ上同じ体積の擬似物、前記商品本体に用いられたブドウ糖果糖液糖の総重量に所定の割合を乗じて得られた重量と同じ重量のブドウ糖果糖液糖、前記商品本体に用いられたブドウ糖果糖液糖の総重量に所定の割合を乗じて得られた重量と同じ重量の擬似物、前記商品本体に用いられたブドウ糖果糖液糖の総体積に所定の割合を乗じて得られた体積と同じ体積のブドウ糖果糖液糖、前記商品本体に用いられたブドウ糖果糖液糖の総体積に所定の割合を乗じて得られた体積と同じ体積の擬似物、前記商品本体に用いられたブドウ糖果糖液糖の総体積に所定の割合を乗じて得られた体積と見かけ上同じ体積のブドウ糖果糖液糖、前記商品本体に用いられたブドウ糖果糖液糖の総体積に所定の割合を乗じて得られた体積と見かけ上同じ体積の擬似物、前記商品本体に用いられた加工油脂の総重量に所定の割合を乗じて得られた重量と同じ重量の加工油脂、前記商品本体に用いられた加工油脂の総重量に所定の割合を乗じて得られた重量と同じ重量の擬似物、前記商品本体に用いられた加工油脂の総体積に所定の割合を乗じて得られた体積と同じ体積の加工油脂、前記商品本体に用いられた加工油脂の総体積に所定の割合を乗じて得られた体積と同じ体積の擬似物、前記商品本体に用いられた加工油脂の総体積に所定の割合を乗じて得られた体積と見かけ上同じ体積の加工油脂、前記商品本体に用いられた加工油脂の総体積に所定の割合を乗じて得られた体積と見かけ上同じ体積の擬似物、前記商品本体に用いられたトランス脂肪酸の総重量に所定の割合を乗じて得られた重量と同じ重量のトランス脂肪酸、前記商品本体に用いられたトランス脂肪酸の総重量に所定の割合を乗じて得られた重量と同じ重量の擬似物、前記商品本体に用いられたトランス脂肪酸の総体積に所定の割合を乗じて得られた体積と同じ体積のトランス脂肪酸、前記商品本体に用いられたトランス脂肪酸の総体積に所定の割合を乗じて得られた体積と同じ体積の擬似物、前記商品本体に用いられたトランス脂肪酸の総体積に所定の割合を乗じて得られた体積と見かけ上同じ体積のトランス脂肪酸、前記商品本体に用いられたトランス脂肪酸の総体積に所定の割合を乗じて得られた体積と見かけ上同じ体積の擬似物、前記商品本体に用いられた加工デンプンの総重量に所定の割合を乗じて得られた重量と同じ重量の加工デンプン、前記商品本体に用いられた加工デンプンの総重量に所定の割合を乗じて得られた重量と同じ重量の擬似物、前記商品本体に用いられた加工デンプンの総体積に所定の割合を乗じて得られた体積と同じ体積の加工デンプン、前記商品本体に用いられた加工デンプンの総体積に所定の割合を乗じて得られた体積と同じ体積の擬似物、前記商品本体に用いられた加工デンプンの総体積に所定の割合を乗じて得られた体積と見かけ上同じ体積の加工デンプン、前記商品本体に用いられた加工デンプンの総体積に所定の割合を乗じて得られた体積と見かけ上同じ体積の擬似物、前記商品本体に用いられた食品添加物のうち一括名の表示が認められた食品添加物の総重量に所定の割合を乗じて得られた重量と同じ重量の食品添加物、前記商品本体に用いられた食品添加物のうち一括名の表示が認められた食品添加物の総重量に所定の割合を乗じて得られた重量と同じ重量の擬似物、前記商品本体に用いられた食品添加物のうち一括名の表示が認められた食品添加物の総体積に所定の割合を乗じて得られた体積と同じ体積の食品添加物、前記商品本体に用いられた食品添加物のうち一括名の表示が認められた食品添加物の総体積に所定の割合を乗じて得られた体積と同じ体積の擬似物、前記商品本体に用いられた食品添加物のうち一括名の表示が認められた食品添加物の総体積に所定の割合を乗じて得られた体積と見かけ上同じ体積の食品添加物、前記商品本体に用いられた食品添加物のうち一括名の表示が認められた食品添加物の総体積に所定の割合を乗じて得られた体積と見かけ上同じ体積の擬似物、前記商品本体に用いられた合成ビタミンの総重量に所定の割合を乗じて得られた重量と同じ重量の合成ビタミン、前記商品本体に用いられた合成ビタミンの総重量に所定の割合を乗じて得られた重量と同じ重量の擬似物、前記商品本体に用いられた合成ビタミンの総体積に所定の割合を乗じて得られた体積と同じ体積の合成ビタミン、前記商品本体に用いられた合成ビタミンの総体積に所定の割合を乗じて得られた体積と同じ体積の擬似物、前記商品本体に用いられた合成ビタミンの総体積に所定の割合を乗じて得られた体積と見かけ上同じ体積の合成ビタミン、前記商品本体に用いられた合成ビタミンの総体積に所定の割合を乗じて得られた体積と見かけ上同じ体積の擬似物、前記商品本体に用いられた食品添加物のうちキャリーオーバーとみなされた食品添加物の総重量に所定の割合を乗じて得られた重量と同じ重量の食品添加物、前記商品本体に用いられた食品添加物のうちキャリーオーバーとみなされた食品添加物の総重量に所定の割合を乗じて得られた重量と同じ重量の擬似物、前記商品本体に用いられた食品添加物のうちキャリーオーバーとみなされた食品添加物の総体積に所定の割合を乗じて得られた体積と同じ体積の食品添加物、前記商品本体に用いられた食品添加物のうちキャリーオーバーとみなされた食品添加物の総体積に所定の割合を乗じて得られた体積と同じ体積の擬似物、前記商品本体に用いられた食品添加物のうちキャリーオーバーとみなされた食品添加物の総体積に所定の割合を乗じて得られた体積と見かけ上同じ体積の食品添加物、前記商品本体に用いられた食品添加物のうちキャリーオーバーとみなされた食品添加物の総体積に所定の割合を乗じて得られた体積と見かけ上同じ体積の擬似物、前記商品本体に用いられた食品添加物のうちキャリーオーバーとみなされた食品添加物を除く食品添加物の総重量に所定の割合を乗じて得られた重量と同じ重量の食品添加物、前記商品本体に用いられた食品添加物のうちキャリーオーバーとみなされた食品添加物を除く食品添加物の総重量に所定の割合を乗じて得られた重量と同じ重量の擬似物、前記商品本体に用いられた食品添加物のうちキャリーオーバーとみなされた食品添加物を除く食品添加物の総体積に所定の割合を乗じて得られた体積と同じ体積の食品添加物、前記商品本体に用いられた食品添加物のうちキャリーオーバーとみなされた食品添加物を除く食品添加物の総体積に所定の割合を乗じて得られた体積と同じ体積の擬似物、前記商品本体に用いられた食品添加物のうちキャリーオーバーとみなされた食品添加物を除く食品添加物の総体積に所定の割合を乗じて得られた体積と見かけ上同じ体積の食品添加物、前記商品本体に用いられた食品添加物のうちキャリーオーバーとみなされた食品添加物を除く食品添加物の総体積に所定の割合を乗じて得られた体積と見かけ上同じ体積の擬似物、前記商品本体に用いられた脱脂加工大豆の総重量に所定の割合を乗じて得られた重量と同じ重量の脱脂加工大豆、前記商品本体に用いられた脱脂加工大豆の総重量に所定の割合を乗じて得られた重量と同じ重量の擬似物、前記商品本体に用いられた脱脂加工大豆の総体積に所定の割合を乗じて得られた体積と同じ体積の脱脂加工大豆、前記商品本体に用いられた脱脂加工大豆の総体積に所定の割合を乗じて得られた体積と同じ体積の擬似物、前記商品本体に用いられた脱脂加工大豆の総体積に所定の割合を乗じて得られた体積と見かけ上同じ体積の脱脂加工大豆、前記商品本体に用いられた脱脂加工大豆の総体積に所定の割合を乗じて得られた体積と見かけ上同じ体積の擬似物、前記食品に用いられたカラメル色素の総重量に所定の割合を乗じて得られた重量と同じ重量のカラメル色素、前記食品に用いられたカラメル色素の総重量に所定の割合を乗じて得られた重量と同じ重量の擬似物、前記食品に用いられたカラメル色素の総体積に所定の割合を乗じて得られた体積と同じ体積のカラメル色素、前記食品に用いられたカラメル色素の総体積に所定の割合を乗じて得られた体積と同じ体積の擬似物、前記食品に用いられたカラメル色素の総体積に所定の割合を乗じて得られた体積と見かけ上同じ体積のカラメル色素、前記食品に用いられたカラメル色素の総体積に所定の割合を乗じて得られた体積と見かけ上同じ体積の擬似物、前記食品に用いられたアスパルテームの総重量に所定の割合を乗じて得られた重量と同じ重量のアスパルテーム、前記食品に用いられたアスパルテームの総重量に所定の割合を乗じて得られた重量と同じ重量の擬似物、前記食品に用いられたアスパルテームの総体積に所定の割合を乗じて得られた体積と同じ体積のアスパルテーム、前記食品に用いられたアスパルテームの総体積に所定の割合を乗じて得られた体積と同じ体積の擬似物、前記食品に用いられたアスパルテームの総体積に所定の割合を乗じて得られた体積
と見かけ上同じ体積のアスパルテーム、前記食品に用いられたアスパルテームの総体積に所定の割合を乗じて得られた体積と見かけ上同じ体積の擬似物、前記食品に用いられた香料の総重量に所定の割合を乗じて得られた重量と同じ重量の香料、前記食品に用いられた香料の総重量に所定の割合を乗じて得られた重量と同じ重量の擬似物、前記食品に用いられた香料の総体積に所定の割合を乗じて得られた体積と同じ体積の香料、前記食品に用いられた香料の総体積に所定の割合を乗じて得られた体積と同じ体積の擬似物、前記食品に用いられた香料の総体積に所定の割合を乗じて得られた体積と見かけ上同じ体積の香料、前記食品に用いられた香料の総体積に所定の割合を乗じて得られた体積と見かけ上同じ体積の擬似物の少なくとも１つである付属物の画像、及び、前記所定の割合を表示した表示物、
或いは、
前記商品本体の原料の次世代の種子、若しくは、前記商品本体の原料と略同一条件で前記商品本体の原料とは別体で成長した代替原料の次世代の種子である付属物の画像、
或いは、
前記商品本体の原料の一部、若しくは、前記商品本体の原料と略同一条件で前記商品本体の原料とは別体で成長した代替原料から得られた種芋である付属物の画像、
或いは、
前記商品本体の原料の一部であり、若しくは、前記商品本体の原料と略同一条件で前記商品本体の原料とは別体で成長した代替原料であり、若しくは、前記商品本体の原料と一体に成長した一体成長物の前記商品本体の原料とは異なる部分であり、若しくは、前記商品本体の原料と略同一条件で前記商品本体の原料とは別体で成長した代替原料と一体に成長した代替一体成長物の前記商品本体の原料に対応する部分とは異なる部分である付属物本体が、水と共に収容されて構成された付属物の画像、
或いは、
前記商品本体の原料の生産の後に同商品本体の原料に関与した燻蒸剤、消毒剤、殺菌剤、抗菌剤、防かび剤、防腐剤、被膜剤、酸化防止剤、除草剤、殺虫剤、漂白殺菌剤、放射線、若しくは、薬剤の少なくとも１つである付属物の画像、
或いは、
前記商品本体の原料の生産の後に同商品本体の原料に関与した食品添加物、若しくは、成長ホルモン剤の少なくとも１つである付属物の画像、
の少なくとも２つ以上が表示された印刷物を、同印刷物に表示された前記付属物の画像を選択させるために消費者に提供する工程と、
提供された前記印刷物に表示された２つ以上の前記付属物の画像の中から消費者によって選択された１つ以上の前記付属物の画像に対応する前記付属物の現物のみ、提供された前記印刷物に表示された２つ以上の前記付属物の画像の中から消費者によって選択された１つ以上の前記付属物の画像に対応する前記付属物の擬似物のみ、提供された前記印刷物に表示された２つ以上の前記付属物の画像の中から消費者によって選択された１つ以上の前記付属物の画像に対応する前記付属物の画像のみが印刷された印刷媒体、の少なくとも１つを手渡し、消費者が前記付属物の現物、若しくは、前記付属物の擬似物、若しくは、前記印刷媒体を確認した後に、前記商品本体を送付若しくは手渡し、
或いは、
提供された前記印刷物に表示された２つ以上の前記付属物の画像の中から消費者によって選択された１つ以上の前記付属物の画像に対応する前記付属物の現物のみ、提供された前記印刷物に表示された２つ以上の前記付属物の画像の中から消費者によって選択された１つ以上の前記付属物の画像に対応する前記付属物の擬似物のみ、提供された前記印刷物に表示された２つ以上の前記付属物の画像の中から消費者によって選択された１つ以上の前記付属物の画像に対応する前記付属物の画像のみが印刷された印刷媒体、の少なくとも１つを送付若しくは手渡し、消費者が前記付属物の現物、若しくは、前記付属物の擬似物、若しくは、前記印刷媒体を確認した後に、前記商品本体を手渡す工程とを備える
商品の提供方法。
【発明の詳細な説明】
【技術分野】
【０００１】
本発明は食品製品の提供方法及び商品の提供方法に関する。詳しくは、消費者が安心して商品を選択することが可能となる食品製品の提供方法及び商品の提供方法に係るものである。
【背景技術】
【０００２】
従来、食品を中心として商品の安全性が消費者に注目されており、消費者が商品を選択する際に、消費者は商品自体や商品の原料がどの様な物であるのかという点にまで関心を示す様になっている。
【０００３】
そのため、商品の提供者は、提供する商品や商品の原料の成分や産地、製造年月日等の情報を商品の包装に貼付したラベルに記載したり、ＩＣタグに記録したりして、商品を提供している。
【０００４】
しかし、単に情報を記載や記録したものを商品に添付して提供するだけでは、その情報の改竄や偽造等が容易であり、現に情報の改竄や偽造等が行われている事実もあり、消費者に信用度が低く、消費者が安心して商品を選択することが困難であった。
【０００５】
そこで、本発明の発明者は、単に情報を記載や記録したものを食品に添付するのではなく、食品の原料を粉末にした原料粉末見本を食品に添付して食品を提供する技術を提案している（特許文献１参照）。
【先行技術文献】
【特許文献】
【０００６】
【特許文献１】特開２００９−５６５６号公報
【発明の概要】
【発明が解決しようとする課題】
【０００７】
ところで、食品を含む各種商品の品質は、その商品が消費者に提供されるまでの過程における様々な要因に強く影響を受けるものである。
【０００８】
そのため、食品の原料粉末は、食品の品質についての情報を得ることができる要因ではあるものの、たった１つの要因に過ぎず、原料粉末見本を食品に添付して食品を提供するといった特許文献１に記載の技術のみでは、消費者が安心して食品を選択するといった目的を実現するのに充分ではない場合がある。
【０００９】
本発明は以上の点に鑑みて創案されたものであって、より一層充分に消費者が安心して食品や商品本体を選択することが可能となる食品製品の提供方法及び商品の提供方法を提供することを目的とするものである。
【課題を解決するための手段】
【００１０】
上記の目的を達成するために、本発明の食品製品の提供方法では、一次産品である所定の食品の生産に関与した土壌、水、海水、海底水、アルカリ水、海底水から採取した塩、海底泥、海藻、肥料、土壌消毒剤、殺菌剤、抗菌剤、農薬、種子、土壌中の生き物、水中の生き物、草、養殖用飼料、プランクトン、昆虫類、忌避植物、飼料、赤身肉化剤、抗生物質、成長ホルモン剤、ビニールハウスのビニールと略同質のビニール、放射線の少なくとも１つである付属物の画像、或いは、前記食品と略同一条件で前記食品とは別体で成長した代替食品である付属物の画像、或いは、前記食品と略同一条件で前記食品とは別体で成長した代替食品の粉末である付属物の画像、或いは、前記食品と略同一条件で前記食品とは別体で成長した代替食品の加工品である付属物の画像、或いは、前記食品と略同一条件で前記食品とは別体で成長した代替食品の粉末加工品である付属物の画像、或いは、前記食品と略同一条件で前記食品とは別体で成長した代替食品と一体に成長した代替一体成長物である付属物の画像、或いは、前記食品と略同一条件で前記食品とは別体で成長した代替食品と一体に成長した代替一体成長物の粉末である付属物の画像、或いは、前記食品と略同一条件で前記食品とは別体で成長した代替食品と一体に成長した代替一体成長物の加工品である付属物の画像、或いは、前記食品と略同一条件で前記食品とは別体で成長した代替食品と一体に成長した代替一体成長物の粉末加工品である付属物の画像、或いは、前記食品と一体に成長した一体成長物の前記食品とは異なる部分であり、若しくは、前記食品と略同一条件で前記食品とは別体で成長した代替食品と一体に成長した代替一体成長物の前記食品に対応する部分とは異なる部分である付属物の画像、或いは、前記食品と一体に成長した一体成長物の前記食品とは異なる部分の粉末であり、若しくは、前記食品と略同一条件で前記食品とは別体で成長した代替食品と一体に成長した代替一体成長物の前記食品に対応する部分とは異なる部分の粉末である付属物の画像、或いは、前記食品と一体に成長した一体成長物の前記食品とは異なる部分の加工品であり、若しくは、前記食品と略同一条件で前記食品とは別体で成長した代替食品と一体に成長した代替一体成長物の前記食品に対応する部分とは異なる部分の加工品である付属物の画像、或いは、前記食品と一体に成長した一体成長物の前記食品とは異なる部分の粉末加工品であり、若しくは、前記食品と略同一条件で前記食品とは別体で成長した代替食品と一体に成長した代替一体成長物の前記食品に対応する部分とは異なる部分の粉末加工品である付属物の画像、或いは、前記食品の次世代の種子、若しくは、前記食品と略同一条件で前記食品とは別体で成長した代替食品の次世代の種子である付属物の画像、或いは、前記食品の一部、若しくは、前記食品と略同一条件で前記食品とは別体で成長した代替食品から得られた種芋である付属物の画像、或いは、前記食品の一部であり、若しくは、前記食品と略同一条件で前記食品とは別体で成長した代替食品であり、若しくは、前記食品と一体に成長した一体成長物の前記食品とは異なる部分であり、若しくは、前記食品と略同一条件で前記食品とは別体で成長した代替食品と一体に成長した代替一体成長物の前記食品に対応する部分とは異なる部分である付属物本体が、水と共に収容されて構成された付属物の画像、或いは、前記食品の生産の後に使用された農薬である付属物の画像、或いは、前記食品の生産の後に同食品に関与した燻蒸剤、消毒剤、殺菌剤、抗菌剤、防かび剤、防腐剤、被膜剤、酸化防止剤、除草剤、殺虫剤、漂白殺菌剤、放射線、若しくは、薬剤の少なくとも１つである付属物の画像、或いは、前記食品の生産の後に同食品に関与した動物用食品添加物、若しくは、成長ホルモン剤の少なくとも１つである付属物の画像、或いは、前記食品の生産と略同時期に略同一環境で成長した海藻、草、魚介類の少なくとも１つである付属物の画像、の少なくとも２つ以上を消費者に選択させるために表示する工程と、２つ以上の前記付属物の画像の中から消費者によって選択された１つ以上の前記付属物の画像に対応する前記付属物の現物のみ、２つ以上の前記付属物の画像の中から消費者によって選択された１つ以上の前記付属物の画像に対応する前記付属物の擬似物のみ、２つ以上の前記付属物の画像の中から消費者によって選択された１つ以上の前記付属物の画像に対応する前記付属物の画像のみが印刷された印刷媒体、の少なくとも１つを手渡し、消費者が前記付属物の現物、若しくは、前記付属物の擬似物、若しくは、前記印刷媒体を確認した後に、前記食品を送付若しくは手渡し、或いは、２つ以上の前記付属物の画像の中から消費者によって選択された１つ以上の前記付属物の画像に対応する前記付属物の現物のみ、２つ以上の前記付属物の画像の中から消費者によって選択された１つ以上の前記付属物の画像に対応する前記付属物の擬似物のみ、２つ以上の前記付属物の画像の中から消費者によって選択された１つ以上の前記付属物の画像に対応する前記付属物の画像のみが印刷された印刷媒体、の少なくとも１つを送付若しくは手渡し、消費者が前記付属物の現物、若しくは、前記付属物の擬似物、若しくは、前記印刷媒体を確認した後に、前記食品を手渡す工程とを備える。
【００１１】
また、上記の目的を達成するために、本発明の食品製品の提供方法では、一次産品である所定の食品の生産に関与した土壌、水、海水、海底水、アルカリ水、海底水から採取した塩、海底泥、海藻、肥料、土壌消毒剤、殺菌剤、抗菌剤、農薬、種子、土壌中の生き物、水中の生き物、草、養殖用飼料、プランクトン、昆虫類、忌避植物、飼料、赤身肉化剤、抗生物質、成長ホルモン剤、ビニールハウスのビニールと略同質のビニール、放射線の少なくとも１つである付属物の画像、或いは、前記食品と略同一条件で前記食品とは別体で成長した代替食品である付属物の画像、或いは、前記食品と略同一条件で前記食品とは別体で成長した代替食品の粉末である付属物の画像、或いは、前記食品と略同一条件で前記食品とは別体で成長した代替食品の加工品である付属物の画像、或いは、前記食品と略同一条件で前記食品とは別体で成長した代替食品の粉末加工品である付属物の画像、或いは、前記食品と略同一条件で前記食品とは別体で成長した代替食品と一体に成長した代替一体成長物である付属物の画像、或いは、前記食品と略同一条件で前記食品とは別体で成長した代替食品と一体に成長した代替一体成長物の粉末である付属物の画像、或いは、前記食品と略同一条件で前記食品とは別体で成長した代替食品と一体に成長した代替一体成長物の加工品である付属物の画像、或いは、前記食品と略同一条件で前記食品とは別体で成長した代替食品と一体に成長した代替一体成長物の粉末加工品である付属物の画像、或いは、前記食品と一体に成長した一体成長物の前記食品とは異なる部分であり、若しくは、前記食品と略同一条件で前記食品とは別体で成長した代替食品と一体に成長した代替一体成長物の前記食品に対応する部分とは異なる部分である付属物の画像、或いは、前記食品と一体に成長した一体成長物の前記食品とは異なる部分の粉末であり、若しくは、前記食品と略同一条件で前記食品とは別体で成長した代替食品と一体に成長した代替一体成長物の前記食品に対応する部分とは異なる部分の粉末である付属物の画像、或いは、前記食品と一体に成長した一体成長物の前記食品とは異なる部分の加工品であり、若しくは、前記食品と略同一条件で前記食品とは別体で成長した代替食品と一体に成長した代替一体成長物の前記食品に対応する部分とは異なる部分の加工品である付属物の画像、或いは、前記食品と一体に成長した一体成長物の前記食品とは異なる部分の粉末加工品であり、若しくは、前記食品と略同一条件で前記食品とは別体で成長した代替食品と一体に成長した代替一体成長物の前記食品に対応する部分とは異なる部分の粉末加工品である付属物の画像、或いは、前記食品の次世代の種子、若しくは、前記食品と略同一条件で前記食品とは別体で成長した代替食品の次世代の種子である付属物の画像、或いは、前記食品の一部、若しくは、前記食品と略同一条件で前記食品とは別体で成長した代替食品から得られた種芋である付属物の画像、或いは、前記食品の一部であり、若しくは、前記食品と略同一条件で前記食品とは別体で成長した代替食品であり、若しくは、前記食品と一体に成長した一体成長物の前記食品とは異なる部分であり、若しくは、前記食品と略同一条件で前記食品とは別体で成長した代替食品と一体に成長した代替一体成長物の前記食品に対応する部分とは異なる部分である付属物本体が、水と共に収容されて構成された付属物の画像、或いは、前記食品の生産の後に使用された農薬である付属物の画像、或いは、前記食品の生産の後に同食品に関与した燻蒸剤、消毒剤、殺菌剤、抗菌剤、防かび剤、防腐剤、被膜剤、酸化防止剤、除草剤、殺虫剤、漂白殺菌剤、放射線、若しくは、薬剤の少なくとも１つである付属物の画像、或いは、前記食品の生産の後に同食品に関与した動物用食品添加物、若しくは、成長ホルモン剤の少なくとも１つである付属物の画像、或いは、前記食品の生産と略同時期に略同一環境で成長した海藻、草、魚介類の少なくとも１つである付属物の画像、の少なくとも２つ以上が表示された印刷物を、同印刷物に表示された前記付属物の画像を選択させるために消費者に提供する工程と、提供された前記印刷物に表示された２つ以上の前記付属物の画像の中から消費者によって選択された１つ以上の前記付属物の画像に対応する前記付属物の現物のみ、提供された前記印刷物に表示された２つ以上の前記付属物の画像の中から消費者によって選択された１つ以上の前記付属物の画像に対応する前記付属物の擬似物のみ、提供された前記印刷物に表示された２つ以上の前記付属物の画像の中から消費者によって選択された１つ以上の前記付属物の画像に対応する前記付属物の画像のみが印刷された印刷媒体、の少なくとも１つを手渡し、消費者が前記付属物の現物、若しくは、前記付属物の擬似物、若しくは、前記印刷媒体を確認した後に、前記食品を送付若しくは手渡し、或いは、提供された前記印刷物に表示された２つ以上の前記付属物の画像の中から消費者によって選択された１つ以上の前記付属物の画像に対応する前記付属物の現物のみ、提供された前記印刷物に表示された２つ以上の前記付属物の画像の中から消費者によって選択された１つ以上の前記付属物の画像に対応する前記付属物の擬似物のみ、提供された前記印刷物に表示された２つ以上の前記付属物の画像の中から消費者によって選択された１つ以上の前記付属物の画像に対応する前記付属物の画像のみが印刷された印刷媒体、の少なくとも１つを送付若しくは手渡し、消費者が前記付属物の現物、若しくは、前記付属物の擬似物、若しくは、前記印刷媒体を確認した後に、前記食品を手渡す工程とを備える。
【００１２】
ところで、付属物の現物を提供（送付や手渡し）することに何らの問題が無い場合もあるが、衛生面、安全面、破損、劣化、新鮮さ等を考慮した場合に、必ずしも付属物の現物を提供（送付や手渡し）することが好ましいとは言い切れない場合がある。そうした場合には、付属物の現物に代えて、付属物の画像や擬似物を提供（送付や手渡し）することが好ましいと言える。例えば、付属物が生物である場合には、時間の経過に伴って死んでしまう場合があり、崩れたり、臭い等が問題になったりすることが考えられる。また、付属物が危険物質である場合には、安全面で取り扱いが問題になる。
また、付属物が食品添加物である場合、健康を害するものや、法律で食品への使用が禁止されているものもあり、こうした場合には付属物としても使用することを控えるべきであり、こうした場合には、画像や擬似物での代用が好ましいこととなる。
【００１３】
なお、「付属物の擬似物」とは、「食品の品質を把握するにあたって付属物の現物が発揮する機能と略同一の機能を有している物」を意味する。例えば、食品の品質を把握するにあたって、付属物の現物の外観が最も機能する場合には、付属物の擬似物は、付属物の現物の外観と略同一の外観を有する。また、食品の品質を把握するにあたって、付属物の現物の重量や体積が最も機能する場合には、付属物の擬似物は、付属物の現物の重量や体積と略同一である。
【００１４】
ここで、食品の生産に関与した土壌、水、海水、海底水、アルカリ水、海底水から採取した塩、海底泥、海藻、肥料、土壌消毒剤、殺菌剤、抗菌剤、農薬、種子、土壌中の生き物、水中の生き物、草、養殖用飼料、プランクトン、昆虫類、忌避植物、飼料、赤身肉化剤、抗生物質、成長ホルモン剤、ビニールハウスのビニールと略同質のビニール、放射線の少なくとも１つである付属物の画像や現物や擬似物、また、こうした付属物の画像が印刷された印刷媒体によって、食品（一次産品）が消費者に提供されるまでの過程において影響を受けた要因を把握することができる。
なお、土壌等の付属物の画像と共に、土壌の分析表等の付属物の詳細な説明（例えば、土壌が放射能を含むか否か等）を見せることで、消費者はより一層安心して食品を選択することができる。また、アルカリ水には、当然、弱アルカリ水をも含む。
【００１５】
また、水等の付属物の画像と共に、水の水源地、ポンプの地図上の位置情報、或いは、水質情報（例えば、硬水であるか軟水であるかといった情報や、ｐＨ値等）といった、付属物の詳細な説明を見せても良い。更に、海水、海底水、アルカリ水、海底水から採取した塩、海底泥、海藻、肥料、土壌消毒剤、殺菌剤、抗菌剤、農薬、種子、土壌中の生き物、水中の生き物、草、養殖用飼料、プランクトン、昆虫類、忌避植物、飼料、赤身肉化剤、抗生物質、成長ホルモン剤、ビニールハウスのビニールと略同質のビニール、放射線等についても、付属物としての詳細な情報（例えば、生産者、生産地、使用量、濃度、Ｆ１種か否か、自家採種か否か、遺伝子組換え種か否か、回数、数量、放射能を含むか否か等）を文字情報や音声情報で伝達しても良い。
なお、「水中の生き物」は、川の中の生き物、海の中の生き物、池の中の生き物、湖の中の生き物等を意味し、例えば、「藻」「貝」等も含まれる。
また、動物は水を飲まなければ生きることができず、特に良質の水であればあるほど肉質も向上する。従って、水は大事な生産関与物の１つである。更に、田畑にとっても水質は重要であり、良い作物を作るためには、できるだけアルカリ性の水やミネラル分を多く含む水を与える必要があることを念のために付言する。
【００１６】
ここでの「海底水」とは、伏流水と海水とが混合した水を意味している。
具体的には、海岸線の砂浜や、昔砂浜であったところは背後の山々から伏流水が湧き出ている。この伏流水こそミネラルを含んだ天然水である。また、海水もミネラルを含んでいる。この両者（伏流水と海水）が交わる、混合した水を意味している。
なお、海底水の採取方法としては、砂地面から５〜１０ｃｍ程から口先をつけて取水することができ、また、砂地に井戸を掘っても良いし、ボーリングしても良い。
【００１７】
また、「海藻」は海のミネラルを含んでいるので、乾燥させたものを植物の根の周りに載置したり、土壌と混ぜ合わせて使用したりする。
【００１８】
なお、海水、海底水、海底水から採取した塩、海藻が食品の生産に関与することで、自然のミネラルだけでの食品の成長が期待できる。更に、弱アルカリ水（ｐＨ７．０以上）を供給することで、土壌の酸性化を食い止めるという効果が期待できる。また、家畜に飲ませた水について、水質分析表を付帯させれば、消費者は更に安心ができる。なお、塩や海藻と共に放射線量のデータ情報を提供しても良い。
【００１９】
また、食品と略同一条件で食品とは別体で成長した代替食品、食品と略同一条件で食品とは別体で成長した代替食品の粉末（デンプンを含む）、食品と略同一条件で食品とは別体で成長した代替食品の加工品、または、食品と略同一条件で食品とは別体で成長した代替食品の粉末加工品（デンプンの加工品を含む）である付属物の画像や現物や擬似物、また、こうした付属物の画像が印刷された印刷媒体によって、消費者は食品（一次産品）の成長過程の実態や、食品（一次産品）が消費者に提供されるまでの過程において影響を受けた要因を把握することができる。
なお、「代替食品である付属物の画像」には、「代替食品である付属物のＤＮＡに関す
る画像」をも含む。
【００２０】
ここで、「食品と略同一条件で食品とは別体で成長した代替食品」とは、同じ場所で同じ物を食して育った牛や豚や、同じ時期に同じ海域で収穫された魚等を意味する。また、同じ農場で同じ肥料を施して育った野菜や果実を意味する。
即ち、「代替食品」とは、品質を把握するにあたって、食品と同一視できるものを意味している。
【００２１】
なお、魚介類の場合には、漁をする海域が同じであっても荷揚げする港が異なっていれば、魚のブランドが異なるといったことがあり得る。しかしながら、同じ時期に同じ海域で収穫された魚介類については、品質を把握するにあたって同一視できることから、ブランドが異なっていたとしても、代替食品であると言える。
また、海域を表示する手段としては、漁船に搭載されたナビゲーションシステムを利用して作成された漁獲した海域図が挙げられる。更に、養殖場を消費者が確認できる様に囲いブイや網などに、通信可能な機器を付けても良い。
【００２２】
ここで、代替食品としての魚の画像に、漁船が漁をした航路図（魚に対応）を添付することで、荷揚げ違いの漁港であっても、同一海域かどうかの判定ができ、消費者の理解の容易化が実現できる。同様に、代替食品としての貝類の画像に、貝類を収穫した湾や湾内の区域図を添付することで、荷揚げ違いの漁港であっても、同一湾で収穫したかどうかの判定ができ、消費者の理解の容易化が実現できる。
また、泳いでいる魚を検体として放射能等の数値を確認することができるが、同一地域の海底の生き物からも放射能等の情報を得ることができ、特に、海底の生き物については危険物質の把握が容易な場合もある。
【００２３】
例えば、一般栽培（化学肥料と農薬を使う農法）、有機栽培（有機肥料と無農薬の農法）、自然栽培（無肥料と無農薬の農法）等、それぞれの農法の食品は、互いに代替食品では無い。ここで、一般栽培から自然栽培に切り替えたからといって、切り替えた後も１年ぐらいでは目に見えるようにはならない。土壌に化学肥料や農薬が残っており、自然栽培と認定するわけにはいかない。なお、切り替えた後、３年〜５年程度が経過すると、自然栽培農法による食品として認定しても構わない。この点については、有機栽培についても同様である。
【００２４】
具体的には、食品Ａと同一生産人が、食品Ａと同一時期に、食品Ａと同一の農法で栽培した農作物Ｂについては、食品Ａの代替食品と言える。また、「同一生産人」は農協の部会が同じである場合を含めても良く、「同一農法」とは肥料や農薬が一定の基準を満たす場合を含めても良い。決めるのは生産人である。なお、「部会」とは、「植える土壌は持ち主によって異なるが、共同或いは協働して、できるだけ同一品種の作物を出荷しようという目的を持った複数の生産者の集合体」を意味する。
【００２５】
例えば、食品が牛ヒレ肉である場合は、その牛と同じ肉牛牧場で同様の飼料を食した別の牛のヒレ肉部分は「代替食品」に該当する。一方、異なる肉牛牧場の牛のヒレ肉部分や、同じ肉牛牧場であるものの、異なる飼料を食した牛のヒレ肉部分は「代替食品」には該当しない。なお、「異なる飼料」には、一方が遺伝子組換え技術を用いた飼料で、他方が遺伝子組換え技術を用いていない飼料の場合も含まれる。
例えば、食品がリンゴである場合は、そのリンゴと同じ果樹園で同様の育成条件（肥料や農薬の有無）を施して育てた他のリンゴは「代替食品」に該当する。一方、異なる果樹園のリンゴや、同じ果樹園でも異なる育成条件（肥料や農薬の有無）で育てたリンゴは「代替食品」には該当しない。
【００２６】
例えば、食品が貝類（しじみ）である場合、同じ海域、湾で成長した代替食品である貝類（しじみ）のＤＮＡに関する情報を掲載することで、採取地が認識でき、しかも、採取地特有の貝類（しじみ）のＤＮＡに関する情報ということとなり、消費者の安心の度合いが高まることとなる。
【００２７】
また、「代替食品の粉末」として、例えば、粉末をふりかけ用として利用することができるもの等が挙げられる。
【００２８】
また、「代替食品の加工品」とは、例えば、卵を加工した玉子焼きやケーキ、お菓子、小麦を加工した団子、米を加工したおにぎりや煎餅や餅、パン、焼酎、酒、魚を加工したかまぼこ等が挙げられる。
【００２９】
また、「代替食品の粉末加工品」とは、例えば、米粉を加工した乾パン、小麦粉を加工したお菓子、小麦粉を加工したういろう、大豆の粉を加工したトースト、きな粉クッキー等をいう。
【００３０】
また、食品と略同一条件で食品とは別体で成長した代替食品と一体に成長した代替一体成長物、食品と略同一条件で食品とは別体で成長した代替食品と一体に成長した代替一体成長物の粉末、食品と略同一条件で食品とは別体で成長した代替食品と一体に成長した代替一体成長物の加工品、または、食品と略同一条件で食品とは別体で成長した代替食品と一体に成長した代替一体成長物の粉末加工品である付属物の画像や現物や擬似物、また、こうした付属物の画像が印刷された印刷媒体によって、消費者は食品（一次産品）の成長過程の実態や、食品（一次産品）が消費者に提供されるまでの過程において影響を受けた要因を把握することができる。
なお、「代替一体成長物である付属物の画像」には、「代替一体成長物である付属物のＤＮＡに関する画像」をも含む。
【００３１】
また、食品と一体に成長した一体成長物の食品とは異なる部分、若しくは、食品と略同一条件で食品とは別体で成長した代替食品と一体に成長した代替一体成長物の食品に対応する部分とは異なる部分、若しくは、食品と一体に成長した一体成長物の食品とは異なる部分の粉末、若しくは、食品と略同一条件で食品とは別体で成長した代替食品と一体に成長した代替一体成長物の食品に対応する部分とは異なる部分の粉末、若しくは、食品と一体に成長した一体成長物の食品とは異なる部分の加工品、若しくは、食品と略同一条件で食品とは別体で成長した代替食品と一体に成長した代替一体成長物の食品に対応する部分とは異なる部分の加工品、若しくは、食品と一体に成長した一体成長物の食品とは異なる部分の粉末加工品、若しくは、食品と略同一条件で食品とは別体で成長した代替食品と一体に成長した代替一体成長物の食品に対応する部分とは異なる部分の粉末加工品である付属物の画像や現物や擬似物、また、こうした付属物の画像が印刷された印刷媒体によって、消費者は提供される食品（一次産品）の成長過程の実態を把握することができる。
【００３２】
ここで、「食品と一体に成長した一体成長物の食品とは異なる部分」とは、食品として採用された部分とは異なる部分であるものの、食品と一体に成長した部分を意味する。
【００３３】
例えば、食品が豚ロース肉である場合は、同じ豚のその他のロース肉部分は、同一部分であるために、「一体成長物」には該当するものの、「一体成長物の食品とは異なる部分」には該当しない。これに対して、同じ豚の皮や手や足、ホルモン等は「一体成長物の食品とは異なる部分」に該当する。
例えば、食品が大根（根や茎の部分）である場合は、大根の根や茎のその他の部分は、同一部分であるために、「一体成長物」には該当するものの、「一体成長物の食品とは異なる部分」には該当しない。これに対して、同じ大根の葉は「一体成長物の食品とは異なる部分」に該当する。
【００３４】
更に、「代替食品と一体に成長した代替一体成長物の食品に対応する部分とは異なる部分」とは、食品として採用された部分に対応する部分とは異なる部分であるものの、代替食品と一体に成長した部分を意味する。
【００３５】
例えば、食品が豚ロース肉である場合は、食品として採用された豚と同じ養豚場で同じ飼料を食した別の豚のロース肉部分は、「代替一体成長物の食品に対応する部分とは異なる部分」には該当しない。これに対して、食品として採用された豚と同じ養豚場で同じ飼料を食した別の豚の皮や手や足、ホルモン等は「代替一体成長物の食品に対応する部分とは異なる部分」に該当する。
【００３６】
例えば、食品がリンゴである場合は、食品として採用されたリンゴと同じ果樹園で同様の育成条件（肥料や農薬の有無）を施して育てたリンゴは、「代替一体成長物の食品に対応する部分とは異なる部分」には該当しない。これに対して、食品として採用されたリンゴと同じ果樹園で同様の育成条件（肥料や農薬の有無）を施して育てたリンゴの枝や葉は「代替一体成長物の食品に対応する部分とは異なる部分」に該当する。
【００３７】
また、食品の次世代の種子、若しくは、食品と略同一条件で食品とは別体で成長した代替食品の次世代の種子である付属物の現物、または、食品の一部、若しくは、食品と略同一条件で食品とは別体で成長した代替食品から得られた種芋である付属物の現物によって、食品（一次産品）が遺伝子組換え作物であるか否かを把握することができる。
【００３８】
具体的には、例えば、付属物の現物を用いて消費者は作物を栽培することができるが、こうした作物を栽培する過程で遺伝子組換え作物のみが耐性を有する農薬を使用することによって、作物が枯れなければ遺伝子組換え作物であり、作物が枯れてしまうと遺伝子組換え作物ではないとの判断が可能となる。
【００３９】
また、例えば、付属物の現物を用いて消費者は作物を栽培することができるが、こうした作物を虫と共に所定の空間（例えば、虫かご等）に配置し、虫の生死によっても遺伝子組換え作物であるか否かを判断することができる。
即ち、付属物の現物を用いて栽培した作物と共に配置した虫が死んだ場合（例えば、作物の葉や茎や枝を食して虫が死んだ場合）には遺伝子組換え作物であり、付属物の現物を用いて栽培した作物と共に配置した虫が生きている場合には遺伝子組換え作物ではないとの判断が可能となる。
【００４０】
また、その他の具体的な把握方法としては、例えば、（１）付属物の現物を対象とした汎用の遺伝子組換え食品検査（ＧＭＯ検査）を行ったり、（２）付属物の現物を用いて次世代の作物を栽培し、こうした作物を対象とした汎用の遺伝子組換え食品検査（ＧＭＯ検査）を行ったりすることで、食品が遺伝子組換え作物であるか否かを把握することができる。ここで、付属物の現物を対象とした汎用の遺伝子組換え食品検査（ＧＭＯ検査）を行うにあたって、検査対象の付属物の現物の量が充分でない場合には、付属物の現物と同一品質の種子や種芋を適量加えて食品検査を行う。なお、検査対象に加える種子や種芋が付属物の現物と同一品質であるか否かについては、汎用技術を用いて確認が可能である。
【００４１】
なお、付属物の現物が代替食品の次世代の種子の場合や、代替食品から得られた種芋の場合には、代替食品が遺伝子組換え作物であるか否かを把握することになるが、上述する様に、品質を把握するにあたって、食品と代替食品とは同一視できるものであることから、結果として、食品が遺伝子組換え作物であるか否かを把握することができる。
【００４２】
また、食品（一次産品）を対象とした汎用の遺伝子組換え食品検査（ＧＭＯ検査）を行うことで、食品が遺伝子組換え作物であるか否かを充分に把握することができれば良いが、種々の事情によって、汎用の食品（一次産品）を対象とした遺伝子組換え食品検査（ＧＭＯ検査）のみでは充分な確認ができないことがある点を念のために付言する。
【００４３】
また、付属物本体が水と共に収容されて構成された付属物の画像や現物や擬似物、また、こうした付属物の画像が印刷された印刷媒体によって、食品（一次産品）が消費者に提供されるまでの過程において影響を受けた要因や、食品（一次産品）の成長過程の実態を把握することができる。
【００４４】
ここで、付属物本体と共に水が収容されたことで、時間の経過に伴う水質の変化（例えば、変色や臭い）によって、付属物本体の品質を把握することができ、付属物本体の品質を通じて、食品（一次産品）の品質を把握することが可能となる。
なお、付属物本体と共に収容される水の量が不充分である場合には、付属物本体の品質を水質の変化を通じて充分に把握することが困難である。
【００４５】
なお、付属物本体を水と共に収容する方法（付属物の製造方法）として、付属物本体を水の中に入れ、その水を熱することで付属物本体を加熱し、その後、必要に応じて水を加えても良い。付属物本体を加熱することで、より一層、水質の変化が生じやすくなり、品質の把握が行い易くなる。例えば、付属物本体が米の場合に、米を炊いて、ご飯を水と共に収容するといった具合でも良い。
【００４６】
また、付属物本体である葉を水と共にミキサーで攪拌し、時間の経過とともに観察することで成長過程を推測することができる。例えば、無農薬かつ無化学肥料で育てた作物は腐らず、アンモニアを生ぜず、そのため水が半年、一年と経過しても汚れることなく、きれいなままを保つことができる。なお、観察に頼らず計測器（化学物質反応センサー）により数値を計っても良い。
【００４７】
また、食品の生産の後に使用された農薬である付属物の画像や現物や擬似物、また、こうした付属物の画像が印刷された印刷媒体によって、食品（一次産品）の生産の後、食品（一次産品）が消費者に提供されるまで（例えば、食品の収穫の後から販売直前まで）の過程において影響を受けた要因を把握することができる。
【００４８】
また、食品の生産の後に同食品に関与した燻蒸剤、消毒剤、殺菌剤、抗菌剤、防かび剤、防腐剤、被膜剤、酸化防止剤、除草剤、殺虫剤、漂白殺菌剤、放射線、若しくは、薬剤の少なくとも１つである付属物の画像や現物や擬似物、また、こうした付属物の画像が印刷された印刷媒体によって、食品（一次産品）の生産の後、食品（一次産品）が消費者に提供されるまで（例えば、食品の収穫の後から販売直前まで）の過程において影響を受けた要因を把握することができる。
【００４９】
同様に、食品の生産の後に同食品に関与した動物用食品添加物、若しくは、成長ホルモン剤の少なくとも１つである付属物の画像や現物や擬似物、また、こうした付属物の画像が印刷された印刷媒体によって、食品（一次産品）の生産の後、食品（一次産品）が消費者に提供されるまでの過程において影響を受けた要因を把握することができる。
【００５０】
また、食品の生産と略同時期に略同一環境で成長した海藻、草、魚介類の少なくとも１つである付属物の画像や現物や擬似物、また、こうした付属物の画像が印刷された印刷媒体によって、食品（一次産品）の生産環境の実態を把握することができる。
例えば、魚（食品の一例）の放射能汚染の把握にあたって、この魚と同時期に同じ海域で成長した、換言すると、生産時期と生産環境（育成時期と育成環境）が同じハマグリやなまこの放射能汚染を参酌するといった具合である。
【００５１】
また、２つ以上の付属物の画像を消費者に表示することによって、消費者が付属物を選択することができる。同様に、印刷物に２つ以上の付属物の画像が表示されたことによって、消費者が付属物を選択することができる。
【００５２】
更に、付属物の画像を表示したり、付属物の画像が表示された印刷物を提供したりするのみならず、付属物の現物や、付属物の擬似物や、付属物の画像が印刷された印刷媒体を消費者に送付や手渡すことによって、食品（一次産品）が消費者に提供されるまでの過程において影響を受けた要因や、食品（一次産品）の成長過程の実態の把握を、より一層充分に行うことができる。特に、選択された付属物の現物や、付属物の擬似物や、付属物の画像が印刷された印刷媒体を送付や手渡すことで、消費者が希望する付属物の現物や、付属物の擬似物や、付属物の画像が印刷された印刷媒体の送付や手渡しが実現する。
【００５３】
なお、「付属物の現物のみを送付や手渡し」とは、消費者が選択していない付属物の現物の送付や手渡しは行わないという意味であり、「付属物の擬似物のみを送付や手渡し」とは、消費者が選択していない付属物の擬似物の送付や手渡しは行わないという意味であり、「付属物の画像のみが印刷された印刷媒体」とは、消費者が選択していない付属物の画像は印刷されないという意味である。また、消費者は付属物の現物や、付属物の擬似物や、付属物の画像が印刷された印刷媒体を手に入れることができるので、ゆっくりと時間をかけて観察でき、更には、広く情報を収集することもでき、食品（一次産品）の隠れている部分を発見できる場合がある。
なお、付属物の画像を見ることと、付属物の現物や、付属物の擬似物や、付属物の画像が印刷された印刷媒体を手にして見ることとは、消費者から得ることができる信頼性は全く異なるものであることを、念のために付言する。
【００５４】
また、付属物の現物のみを送付や手渡しても良いし、付属物の擬似物のみを送付や手渡しても良いし、付属物の画像が印刷された印刷媒体のみを送付や手渡しても良いし、これらを組み合わせて送付や手渡しても良い。
【００５５】
なお、「消費者に見せる付属物の画像」と「印刷媒体に印刷された付属物の画像」とは、必ずしも一致していなくても良い。例えば、［１］簡略な付属物の画像を消費者に見せ、詳細な付属物の画像を印刷媒体に印刷しても良いし、［２］詳細な付属物の画像を消費者に見せ、簡略な付属物の画像を印刷媒体に印刷しても良いし、［３］消費者に見せた付属物の画像に、新たな付属物の画像を追加して印刷媒体に印刷しても良いし、［４］消費者に見せた付属物の画像の一部のみを印刷媒体に印刷しても良い。
但し、消費者が選択していない付属物の画像まで印刷媒体に印刷するといった趣旨ではない。
【００５６】
また、上記の目的を達成するために、本発明の食品製品の提供方法では、二次産品である所定の食品の原料である付属物の画像、或いは、前記食品の原料と略同一条件で前記食品の原料とは別体で成長した代替原料である付属物の画像、或いは、前記食品の原料と略同一条件で前記食品の原料とは別体で成長した代替原料の粉末である付属物の画像、或いは、前記食品の原料と略同一条件で前記食品の原料とは別体で成長した代替原料の加工品である付属物の画像、或いは、前記食品の原料と略同一条件で前記食品の原料とは別体で成長した代替原料の粉末加工品である付属物の画像、或いは、前記食品の原料と略同一条件で前記食品の原料とは別体で成長した代替原料と一体に成長した代替一体成長物である付属物の画像、或いは、前記食品の原料と略同一条件で前記食品の原料とは別体で成長した代替原料と一体に成長した代替一体成長物の粉末である付属物の画像、或いは、前記食品の原料と略同一条件で前記食品の原料とは別体で成長した代替原料と一体に成長した代替一体成長物の加工品である付属物の画像、或いは、前記食品の原料と略同一条件で前記食品の原料とは別体で成長した代替原料と一体に成長した代替一体成長物の粉末加工品である付属物の画像、或いは、前記食品の原料である卵である付属物の画像、或いは、前記食品の原料である卵と略同一条件で生産された代替卵である付属物の画像、或いは、前記食品の生産に関与した乳酸菌、ビフィズス菌、麹、麹菌、若しくは、枯草菌の少なくとも１つである付属物の画像、或いは、前記食品の生産に関与した木樽、瓶、プラスチック製容器、若しくは、漬け床である付属物の画像、或いは、前記食品の原料の生産に関与した土壌、水、海水、海底水、アルカリ水、海底水から採取した塩、海底泥、海藻、塩、肥料、土壌消毒剤、殺菌剤、抗菌剤、農薬、種子、土壌中の生き物、水中の生き物、草、養殖用飼料、プランクトン、昆虫類、忌避植物、飼料、赤身肉化剤、抗生物質、成長ホルモン剤、ビニールハウスのビニールと略同質のビニール、放射線の少なくとも１つである付属物の画像、或いは、前記食品の生産に関与した木樽の木片、前記食品の生産に関与した木樽と略同一条件の木樽の木片、前記食品の生産に関与した木樽の構成材と同一種類の木片、前記食品を生産した木樽の中に同食品と共に入れられた前記木樽の構成材と同一種類の木片、前記食品に含まれる汁、若しくは、前記食品の生産に関与した汁の少なくとも１つである付属物の画像、或いは、前記食品の原料と一体に成長した一体成長物の前記食品の原料とは異なる部分であり、若しくは、前記食品の原料と略同一条件で前記食品の原料とは別体で成長した代替原料と一体に成長した代替一体成長物の前記食品の原料に対応する部分とは異なる部分である付属物の画像、或いは、前記食品の原料と一体に成長した一体成長物の前記食品の原料とは異なる部分の粉末であり、若しくは、前記食品の原料と略同一条件で前記食品の原料とは別体で成長した代替原料と一体に成長した代替一体成長物の前記食品の原料に対応する部分とは異なる部分の粉末である付属物の画像、或いは、前記食品の原料と一体に成長した一体成長物の前記食品の原料とは異なる部分の加工品であり、若しくは、前記食品の原料と略同一条件で前記食品の原料とは別体で成長した代替原料と一体に成長した代替一体成長物の前記食品の原料に対応する部分とは異なる部分の加工品である付属物の画像、或いは、前記食品の原料と一体に成長した一体成長物の前記食品の原料とは異なる部分の粉末加工品であり、若しくは、前記食品の原料と略同一条件で前記食品の原料とは別体で成長した代替原料と一体に成長した代替一体成長物の前記食品の原料に対応する部分とは異なる部分の粉末加工品である付属物の画像、或いは、前記食品に用いられた食品添加物の総重量と同じ重量の食品添加物、前記食品に用いられた食品添加物の総重量と同じ重量の擬似物、前記食品に用いられた食品添加物の総体積と同じ体積の食品添加物、前記食品に用いられた食品添加物の総体積と同じ体積の擬似物、前記食品に用いられた食品添加物の総体積と見かけ上同じ体積の食品添加物、前記食品に用いられた食品添加物の総体積と見かけ上同じ体積の擬似物、前記食品に用いられた砂糖の総重量と同じ重量の砂糖、前記食品に用いられた砂糖の総重量と同じ重量の擬似物、前記食品に用いられた砂糖の総体積と同じ体積の砂糖、前記食品に用いられた砂糖の総体積と同じ体積の擬似物、前記食品に用いられた砂糖の総体積と見かけ上同じ体積の砂糖、前記食品に用いられた砂糖の総体積と見かけ上同じ体積の擬似物、前記食品に用いられた塩の総重量と同じ重量の塩、前記食品に用いられた塩の総重量と同じ重量の擬似物、前記食品に用いられた塩の総体積と同じ体積の塩、前記食品に用いられた塩の総体積と同じ体積の擬似物、前記食品に用いられた塩の総体積と見かけ上同じ体積の塩、前記食品に用いられた塩の総体積と見かけ上同じ体積の擬似物、前記食品に用いられたタンパク加水分解物の総重量と同じ重量のタンパク加水分解物、前記食品に用いられたタンパク加水分解物の総重量と同じ重量の擬似物、前記食品に用いられたタンパク加水分解物の総体積と同じ体積のタンパク加水分解物、前記食品に用いられたタンパク加水分解物の総体積と同じ体積の擬似物、前記食品に用いられたタンパク加水分解物の総体積と見かけ上同じ体積のタンパク加水分解物、前記食品に用いられたタンパク加水分解物の総体積と見かけ上同じ体積の擬似物、前記食品に用いられた調味料の総重量と同じ重量の調味料、前記食品に用いられた調味料の総重量と同じ重量の擬似物、前記食品に用いられた調味料の総体積と同じ体積の調味料、前記食品に用いられた調味料の総体積と同じ体積の擬似物、前記食品に用いられた調味料の総体積と見かけ上同じ体積の調味料、前記食品に用いられた調味料の総体積と見かけ上同じ体積の擬似物、前記食品に用いられたブドウ糖果糖液糖の総重量と同じ重量のブドウ糖果糖液糖、前記食品に用いられたブドウ糖果糖液糖の総重量と同じ重量の擬似物、前記食品に用いられたブドウ糖果糖液糖の総体積と同じ体積のブドウ糖果糖液糖、前記食品に用いられたブドウ糖果糖液糖の総体積と同じ体積の擬似物、前記食品に用いられたブドウ糖果糖液糖の総体積と見かけ上同じ体積のブドウ糖果糖液糖、前記食品に用いられたブドウ糖果糖液糖の総体積と見かけ上同じ体積の擬似物、前記食品に用いられた加工油脂の総重量と同じ重量の加工油脂、前記食品に用いられた加工油脂の総重量と同じ重量の擬似物、前記食品に用いられた加工油脂の総体積と同じ体積の加工油脂、前記食品に用いられた加工油脂の総体積と同じ体積の擬似物、前記食品に用いられた加工油脂の総体積と見かけ上同じ体積の加工油脂、前記食品に用いられた加工油脂の総体積と見かけ上同じ体積の擬似物、前記食品に用いられたトランス脂肪酸の総重量と同じ重量のトランス脂肪酸、前記食品に用いられたトランス脂肪酸の総重量と同じ重量の擬似物、前記食品に用いられたトランス脂肪酸の総体積と同じ体積のトランス脂肪酸、前記食品に用いられたトランス脂肪酸の総体積と同じ体積の擬似物、前記食品に用いられたトランス脂肪酸の総体積と見かけ上同じ体積のトランス脂肪酸、前記食品に用いられたトランス脂肪酸の総体積と見かけ上同じ体積の擬似物、前記食品に用いられた加工デンプンの総重量と同じ重量の加工デンプン、前記食品に用いられた加工デンプンの総重量と同じ重量の擬似物、前記食品に用いられた加工デンプンの総体積と同じ体積の加工デンプン、前記食品に用いられた加工デンプンの総体積と同じ体積の擬似物、前記食品に用いられた加工デンプンの総体積と見かけ上同じ体積の加工デンプン、前記食品に用いられた加工デンプンの総体積と見かけ上同じ体積の擬似物、前記食品に用いられた食品添加物のうち一括名の表示が認められた食品添加物の総重量と同じ重量の食品添加物、前記食品に用いられた食品添加物のうち一括名の表示が認められた食品添加物の総重量と同じ重量の擬似物、前記食品に用いられた食品添加物のうち一括名の表示が認められた食品添加物の総体積と同じ体積の食品添加物、前記食品に用いられた食品添加物のうち一括名の表示が認められた食品添加物の総体積と同じ体積の擬似物、前記食品に用いられた食品添加物のうち一括名の表示が認められた食品添加物の総体積と見かけ上同じ体積の食品添加物、前記食品に用いられた食品添加物のうち一括名の表示が認められた食品添加物の総体積と見かけ上同じ体積の擬似物、前記食品に用いられた合成ビタミンの総重量と同じ重量の合成ビタミン、前記食品に用いられた合成ビタミンの総重量と同じ重量の擬似物、前記食品に用いられた合成ビタミンの総体積と同じ体積の合成ビタミン、前記食品に用いられた合成ビタミンの総体積と同じ体積の擬似物、前記食品に用いられた合成ビタミンの総体積と見かけ上同じ体積の合成ビタミン、前記食品に用いられた合成ビタミンの総体積と見かけ上同じ体積の擬似物、前記食品に用いられた食品添加物のうちキャリーオーバーとみなされた食品添加物の総重量と同じ重量の食品添加物、前記食品に用いられた食品添加物のうちキャリーオーバーとみなされた食品添加物の総重量と同じ重量の擬似物、前記食品に用いられた食品添加物のうちキャリーオーバーとみなされた食品添加物の総体積と同じ体積の食品添加物、前記食品に用いられた食品添加物のうちキャリーオーバーとみなされた食品添加物の総体積と同じ体積の擬似物、前記食品に用いられた食品添加物のうちキャリーオーバーとみなされた食品添加物の総体積と見かけ上同じ体積の食品添加物、前記食品に用いられた食品添加物のうちキャリーオーバーとみなされた食品添加物の総体積と見かけ上同じ体積の擬似物、前記食品に用いられた食品添加物のうちキャリーオーバーとみなされた食品添加物を除く食品添加物の総重量と同じ重量の食品添加物、前記食品に用いられた食品添加物のうちキャリーオーバーとみなされた食品添加物を除く食品添加物の総重量と同じ重量の擬似物、前記食品に用いられた食品添加物のうちキャリーオーバーとみなされた食品添加物を除く食品添加物の総体積と同じ体積の食品添加物、前記食品に用いられた食品添加物のうちキャリーオーバーとみなされた食品添加物を除く食品添加物の総体積と同じ体積の擬似物、前記食品に用いられた食品添加物のうちキャリーオーバーとみなされた食品添加物を除く食品添加物の総体積と見かけ上同じ体積の食品添加物、前記食品に用いられた食品添加物のうちキャリーオーバーとみなされた食品添加物を除く食品添加物の総体積と見かけ上同じ体積の擬似物、前記食品に用いられた脱脂加工大豆の総重量と同じ重量の脱脂加工大豆、前記食品に用いられた脱脂加工大豆の総重量と同じ重量の擬似物、前記食品に用いられた脱脂加工大豆の総体積と同じ体積の脱脂加工大豆、前記食品に用いられた脱脂加工大豆の総体積と同じ体積の擬似物、前記食品に用いられた脱脂加工大豆の総体積と見かけ上同じ体積の脱脂加工大豆、前記食品に用いられた脱脂加工大豆の総体積と見かけ上同じ体積の擬似物、前記食品に用いられたカラメル色素の総重量と同じ重量のカラメル色素、前記食品に用いられたカラメル色素の総重量と同じ重量の擬似物、前記食品に用いられたカラメル色素の総体積と同じ体積のカラメル色素、前記食品に用いられたカラメル色素の総体積と同じ体積の擬似物、前記食品に用いられたカラメル色素の総体積と見かけ上同じ体積のカラメル色素、前記食品に用いられたカラメル色素の総体積と見かけ上同じ体積の擬似物、前記食品に用いられたアスパルテームの総重量と同じ重量のアスパルテーム、前記食品に用いられたアスパルテームの総重量と同じ重量の擬似物、前記食品に用いられたアスパルテームの総体積と同じ体積のアスパルテーム、前記食品に用いられたアスパルテームの総体積と同じ体積の擬似物、前記食品に用いられたアスパルテームの総体積と見かけ上同じ体積のアスパルテーム、前記食品に用いられたアスパルテームの総体積と見かけ上同じ体積の擬似物、前記食品に用いられた香料の総重量と同じ重量の香料、前記食品に用いられた香料の総重
量と同じ重量の擬似物、前記食品に用いられた香料の総体積と同じ体積の香料、前記食品に用いられた香料の総体積と同じ体積の擬似物、前記食品に用いられた香料の総体積と見かけ上同じ体積の香料、前記食品に用いられた香料の総体積と見かけ上同じ体積の擬似物の少なくとも１つである付属物の画像、或いは、所定の機能別若しくは所定の用途別に分類された前記食品に用いられた食品添加物の少なくとも一部である付属物の画像、或いは、前記食品に用いられた食品添加物の総重量に所定の割合を乗じて得られた重量と同じ重量の食品添加物、前記食品に用いられた食品添加物の総重量に所定の割合を乗じて得られた重量と同じ重量の擬似物、前記食品に用いられた食品添加物の総体積に所定の割合を乗じて得られた体積と同じ体積の食品添加物、前記食品に用いられた食品添加物の総体積に所定の割合を乗じて得られた体積と同じ体積の擬似物、前記食品に用いられた食品添加物の総体積に所定の割合を乗じて得られた体積と見かけ上同じ体積の食品添加物、前記食品に用いられた食品添加物の総体積に所定の割合を乗じて得られた体積と見かけ上同じ体積の擬似物、前記食品に用いられた砂糖の総重量に所定の割合を乗じて得られた重量と同じ重量の砂糖、前記食品に用いられた砂糖の総重量に所定の割合を乗じて得られた重量と同じ重量の擬似物、前記食品に用いられた砂糖の総体積に所定の割合を乗じて得られた体積と同じ体積の砂糖、前記食品に用いられた砂糖の総体積に所定の割合を乗じて得られた体積と同じ体積の擬似物、前記食品に用いられた砂糖の総体積に所定の割合を乗じて得られた体積と見かけ上同じ体積の砂糖、前記食品に用いられた砂糖の総体積に所定の割合を乗じて得られた体積と見かけ上同じ体積の擬似物、前記食品に用いられた塩の総重量に所定の割合を乗じて得られた重量と同じ重量の塩、前記食品に用いられた塩の総重量に所定の割合を乗じて得られた重量と同じ重量の擬似物、前記食品に用いられた塩の総体積に所定の割合を乗じて得られた体積と同じ体積の塩、前記食品に用いられた塩の総体積に所定の割合を乗じて得られた体積と同じ体積の擬似物、前記食品に用いられた塩の総体積に所定の割合を乗じて得られた体積と見かけ上同じ体積の塩、前記食品に用いられた塩の総体積に所定の割合を乗じて得られた体積と見かけ上同じ体積の擬似物、前記食品に用いられたタンパク加水分解物の総重量に所定の割合を乗じて得られた重量と同じ重量のタンパク加水分解物、前記食品に用いられたタンパク加水分解物の総重量に所定の割合を乗じて得られた重量と同じ重量の擬似物、前記食品に用いられたタンパク加水分解物の総体積に所定の割合を乗じて得られた体積と同じ体積のタンパク加水分解物、前記食品に用いられたタンパク加水分解物の総体積に所定の割合を乗じて得られた体積と同じ体積の擬似物、前記食品に用いられたタンパク加水分解物の総体積に所定の割合を乗じて得られた体積と見かけ上同じ体積のタンパク加水分解物、前記食品に用いられたタンパク加水分解物の総体積に所定の割合を乗じて得られた体積と見かけ上同じ体積の擬似物、前記食品に用いられた調味料の総重量に所定の割合を乗じて得られた重量と同じ重量の調味料、前記食品に用いられた調味料の総重量に所定の割合を乗じて得られた重量と同じ重量の擬似物、前記食品に用いられた調味料の総体積に所定の割合を乗じて得られた体積と同じ体積の調味料、前記食品に用いられた調味料の総体積に所定の割合を乗じて得られた体積と同じ体積の擬似物、前記食品に用いられた調味料の総体積に所定の割合を乗じて得られた体積と見かけ上同じ体積の調味料、前記食品に用いられた調味料の総体積に所定の割合を乗じて得られた体積と見かけ上同じ体積の擬似物、前記食品に用いられたブドウ糖果糖液糖の総重量に所定の割合を乗じて得られた重量と同じ重量のブドウ糖果糖液糖、前記食品に用いられたブドウ糖果糖液糖の総重量に所定の割合を乗じて得られた重量と同じ重量の擬似物、前記食品に用いられたブドウ糖果糖液糖の総体積に所定の割合を乗じて得られた体積と同じ体積のブドウ糖果糖液糖、前記食品に用いられたブドウ糖果糖液糖の総体積に所定の割合を乗じて得られた体積と同じ体積の擬似物、前記食品に用いられたブドウ糖果糖液糖の総体積に所定の割合を乗じて得られた体積と見かけ上同じ体積のブドウ糖果糖液糖、前記食品に用いられたブドウ糖果糖液糖の総体積に所定の割合を乗じて得られた体積と見かけ上同じ体積の擬似物、前記食品に用いられた加工油脂の総重量に所定の割合を乗じて得られた重量と同じ重量の加工油脂、前記食品に用いられた加工油脂の総重量に所定の割合を乗じて得られた重量と同じ重量の擬似物、前記食品に用いられた加工油脂の総体積に所定の割合を乗じて得られた体積と同じ体積の加工油脂、前記食品に用いられた加工油脂の総体積に所定の割合を乗じて得られた体積と同じ体積の擬似物、前記食品に用いられた加工油脂の総体積に所定の割合を乗じて得られた体積と見かけ上同じ体積の加工油脂、前記食品に用いられた加工油脂の総体積に所定の割合を乗じて得られた体積と見かけ上同じ体積の擬似物、前記食品に用いられたトランス脂肪酸の総重量に所定の割合を乗じて得られた重量と同じ重量のトランス脂肪酸、前記食品に用いられたトランス脂肪酸の総重量に所定の割合を乗じて得られた重量と同じ重量の擬似物、前記食品に用いられたトランス脂肪酸の総体積に所定の割合を乗じて得られた体積と同じ体積のトランス脂肪酸、前記食品に用いられたトランス脂肪酸の総体積に所定の割合を乗じて得られた体積と同じ体積の擬似物、前記食品に用いられたトランス脂肪酸の総体積に所定の割合を乗じて得られた体積と見かけ上同じ体積のトランス脂肪酸、前記食品に用いられたトランス脂肪酸の総体積に所定の割合を乗じて得られた体積と見かけ上同じ体積の擬似物、前記食品に用いられた加工デンプンの総重量に所定の割合を乗じて得られた重量と同じ重量の加工デンプン、前記食品に用いられた加工デンプンの総重量に所定の割合を乗じて得られた重量と同じ重量の擬似物、前記食品に用いられた加工デンプンの総体積に所定の割合を乗じて得られた体積と同じ体積の加工デンプン、前記食品に用いられた加工デンプンの総体積に所定の割合を乗じて得られた体積と同じ体積の擬似物、前記食品に用いられた加工デンプンの総体積に所定の割合を乗じて得られた体積と見かけ上同じ体積の加工デンプン、前記食品に用いられた加工デンプンの総体積に所定の割合を乗じて得られた体積と見かけ上同じ体積の擬似物、前記食品に用いられた食品添加物のうち一括名の表示が認められた食品添加物の総重量に所定の割合を乗じて得られた重量と同じ重量の食品添加物、前記食品に用いられた食品添加物のうち一括名の表示が認められた食品添加物の総重量に所定の割合を乗じて得られた重量と同じ重量の擬似物、前記食品に用いられた食品添加物のうち一括名の表示が認められた食品添加物の総体積に所定の割合を乗じて得られた体積と同じ体積の食品添加物、前記食品に用いられた食品添加物のうち一括名の表示が認められた食品添加物の総体積に所定の割合を乗じて得られた体積と同じ体積の擬似物、前記食品に用いられた食品添加物のうち一括名の表示が認められた食品添加物の総体積に所定の割合を乗じて得られた体積と見かけ上同じ体積の食品添加物、前記食品に用いられた食品添加物のうち一括名の表示が認められた食品添加物の総体積に所定の割合を乗じて得られた体積と見かけ上同じ体積の擬似物、前記食品に用いられた合成ビタミンの総重量に所定の割合を乗じて得られた重量と同じ重量の合成ビタミン、前記食品に用いられた合成ビタミンの総重量に所定の割合を乗じて得られた重量と同じ重量の擬似物、前記食品に用いられた合成ビタミンの総体積に所定の割合を乗じて得られた体積と同じ体積の合成ビタミン、前記食品に用いられた合成ビタミンの総体積に所定の割合を乗じて得られた体積と同じ体積の擬似物、前記食品に用いられた合成ビタミンの総体積に所定の割合を乗じて得られた体積と見かけ上同じ体積の合成ビタミン、前記食品に用いられた合成ビタミンの総体積に所定の割合を乗じて得られた体積と見かけ上同じ体積の擬似物、前記食品に用いられた食品添加物のうちキャリーオーバーとみなされた食品添加物の総重量に所定の割合を乗じて得られた重量と同じ重量の食品添加物、前記食品に用いられた食品添加物のうちキャリーオーバーとみなされた食品添加物の総重量に所定の割合を乗じて得られた重量と同じ重量の擬似物、前記食品に用いられた食品添加物のうちキャリーオーバーとみなされた食品添加物の総体積に所定の割合を乗じて得られた体積と同じ体積の食品添加物、前記食品に用いられた食品添加物のうちキャリーオーバーとみなされた食品添加物の総体積に所定の割合を乗じて得られた体積と同じ体積の擬似物、前記食品に用いられた食品添加物のうちキャリーオーバーとみなされた食品添加物の総体積に所定の割合を乗じて得られた体積と見かけ上同じ体積の食品添加物、前記食品に用いられた食品添加物のうちキャリーオーバーとみなされた食品添加物の総体積に所定の割合を乗じて得られた体積と見かけ上同じ体積の擬似物、前記食品に用いられた食品添加物のうちキャリーオーバーとみなされた食品添加物を除く食品添加物の総重量に所定の割合を乗じて得られた重量と同じ重量の食品添加物、前記食品に用いられた食品添加物のうちキャリーオーバーとみなされた食品添加物を除く食品添加物の総重量に所定の割合を乗じて得られた重量と同じ重量の擬似物、前記食品に用いられた食品添加物のうちキャリーオーバーとみなされた食品添加物を除く食品添加物の総体積に所定の割合を乗じて得られた体積と同じ体積の食品添加物、前記食品に用いられた食品添加物のうちキャリーオーバーとみなされた食品添加物を除く食品添加物の総体積に所定の割合を乗じて得られた体積と同じ体積の擬似物、前記食品に用いられた食品添加物のうちキャリーオーバーとみなされた食品添加物を除く食品添加物の総体積に所定の割合を乗じて得られた体積と見かけ上同じ体積の食品添加物、前記食品に用いられた食品添加物のうちキャリーオーバーとみなされた食品添加物を除く食品添加物の総体積に所定の割合を乗じて得られた体積と見かけ上同じ体積の擬似物、前記食品に用いられた脱脂加工大豆の総重量に所定の割合を乗じて得られた重量と同じ重量の脱脂加工大豆、前記食品に用いられた脱脂加工大豆の総重量に所定の割合を乗じて得られた重量と同じ重量の擬似物、前記食品に用いられた脱脂加工大豆の総体積に所定の割合を乗じて得られた体積と同じ体積の脱脂加工大豆、前記食品に用いられた脱脂加工大豆の総体積に所定の割合を乗じて得られた体積と同じ体積の擬似物、前記食品に用いられた脱脂加工大豆の総体積に所定の割合を乗じて得られた体積と見かけ上同じ体積の脱脂加工大豆、前記食品に用いられた脱脂加工大豆の総体積に所定の割合を乗じて得られた体積と見かけ上同じ体積の擬似物、前記食品に用いられたカラメル色素の総重量に所定の割合を乗じて得られた重量と同じ重量のカラメル色素、前記食品に用いられたカラメル色素の総重量に所定の割合を乗じて得られた重量と同じ重量の擬似物、前記食品に用いられたカラメル色素の総体積に所定の割合を乗じて得られた体積と同じ体積のカラメル色素、前記食品に用いられたカラメル色素の総体積に所定の割合を乗じて得られた体積と同じ体積の擬似物、前記食品に用いられたカラメル色素の総体積に所定の割合を乗じて得られた体積と見かけ上同じ体積のカラメル色素、前記食品に用いられたカラメル色素の総体積に所定の割合を乗じて得られた体積と見かけ上同じ体積の擬似物、前記食品に用いられたアスパルテームの総重量に所定の割合を乗じて得られた重量と同じ重量のアスパルテーム、前記食品に用いられたアスパルテームの総重量に所定の割合を乗じて得られた重量と同じ重量の擬似物、前記食品に用いられたアスパルテームの総体積に所定の割合を乗じて得られた体積と同じ体積のアスパルテーム、前記食品に用いられたアスパルテームの総体積に所定の割合を乗じて得られた体積と同じ体積の擬似物、前記食品に
用いられたアスパルテームの総体積に所定の割合を乗じて得られた体積と見かけ上同じ体積のアスパルテーム、前記食品に用いられたアスパルテームの総体積に所定の割合を乗じて得られた体積と見かけ上同じ体積の擬似物、前記食品に用いられた香料の総重量に所定の割合を乗じて得られた重量と同じ重量の香料、前記食品に用いられた香料の総重量に所定の割合を乗じて得られた重量と同じ重量の擬似物、前記食品に用いられた香料の総体積に所定の割合を乗じて得られた体積と同じ体積の香料、前記食品に用いられた香料の総体積に所定の割合を乗じて得られた体積と同じ体積の擬似物、前記食品に用いられた香料の総体積に所定の割合を乗じて得られた体積と見かけ上同じ体積の香料、前記食品に用いられた香料の総体積に所定の割合を乗じて得られた体積と見かけ上同じ体積の擬似物の少なくとも１つである付属物の画像、及び、前記所定の割合を表示した表示物、或いは、前記食品の原料の次世代の種子、若しくは、前記食品の原料と略同一条件で前記食品の原料とは別体で成長した代替原料の次世代の種子である付属物の画像、或いは、前記食品の原料の一部、若しくは、前記食品の原料と略同一条件で前記食品の原料とは別体で成長した代替原料から得られた種芋である付属物の画像、或いは、前記食品の原料の一部であり、若しくは、前記食品の原料と略同一条件で前記食品の原料とは別体で成長した代替原料であり、若しくは、前記食品の原料と一体に成長した一体成長物の前記食品の原料とは異なる部分であり、若しくは、前記食品の原料と略同一条件で前記食品の原料とは別体で成長した代替原料と一体に成長した代替一体成長物の前記食品の原料に対応する部分とは異なる部分である付属物本体が、水と共に収容されて構成された付属物の画像、或いは、前記食品の原料の生産の後に同食品の原料に関与した燻蒸剤、消毒剤、殺菌剤、抗菌剤、防かび剤、防腐剤、被膜剤、酸化防止剤、除草剤、殺虫剤、漂白殺菌剤、放射線、若しくは、薬剤の少なくとも１つである付属物の画像、或いは、前記食品の原料の生産の後に同食品の原料に関与した食品添加物、若しくは、成長ホルモン剤の少なくとも１つである付属物の画像、の少なくとも２つ以上を消費者に選択させるために表示する工程と、２つ以上の前記付属物の画像の中から消費者によって選択された１つ以上の前記付属物の画像に対応する前記付属物の現物のみ、２つ以上の前記付属物の画像の中から消費者によって選択された１つ以上の前記付属物の画像に対応する前記付属物の擬似物のみ、２つ以上の前記付属物の画像の中から消費者によって選択された１つ以上の前記付属物の画像に対応する前記付属物の画像のみが印刷された印刷媒体、の少なくとも１つを手渡し、消費者が前記付属物の現物、若しくは、前記付属物の擬似物、若しくは、前記印刷媒体を確認した後に、前記食品を送付若しくは手渡し、或いは、２つ以上の前記付属物の画像の中から消費者によって選択された１つ以上の前記付属物の画像に対応する前記付属物の現物のみ、２つ以上の前記付属物の画像の中から消費者によって選択された１つ以上の前記付属物の画像に対応する前記付属物の擬似物のみ、２つ以上の前記付属物の画像の中から消費者によって選択された１つ以上の前記付属物の画像に対応する前記付属物の画像のみが印刷された印刷媒体、の少なくとも１つを送付若しくは手渡し、消費者が前記付属物の現物、若しくは、前記付属物の擬似物、若しくは、前記印刷媒体を確認した後に、前記食品を手渡す工程とを備える。
【００５７】
更に、上記の目的を達成するために、本発明の食品製品の提供方法では、二次産品である所定の食品の原料である付属物の画像、或いは、前記食品の原料と略同一条件で前記食品の原料とは別体で成長した代替原料である付属物の画像、或いは、前記食品の原料と略同一条件で前記食品の原料とは別体で成長した代替原料の粉末である付属物の画像、或いは、前記食品の原料と略同一条件で前記食品の原料とは別体で成長した代替原料の加工品である付属物の画像、或いは、前記食品の原料と略同一条件で前記食品の原料とは別体で成長した代替原料の粉末加工品である付属物の画像、或いは、前記食品の原料と略同一条件で前記食品の原料とは別体で成長した代替原料と一体に成長した代替一体成長物である付属物の画像、或いは、前記食品の原料と略同一条件で前記食品の原料とは別体で成長した代替原料と一体に成長した代替一体成長物の粉末である付属物の画像、或いは、前記食品の原料と略同一条件で前記食品の原料とは別体で成長した代替原料と一体に成長した代替一体成長物の加工品である付属物の画像、或いは、前記食品の原料と略同一条件で前記食品の原料とは別体で成長した代替原料と一体に成長した代替一体成長物の粉末加工品である付属物の画像、或いは、前記食品の原料である卵である付属物の画像、或いは、前記食品の原料である卵と略同一条件で生産された代替卵である付属物の画像、或いは、前記食品の生産に関与した乳酸菌、ビフィズス菌、麹、麹菌、若しくは、枯草菌の少なくとも１つである付属物の画像、或いは、前記食品の生産に関与した木樽、瓶、プラスチック製容器、若しくは、漬け床である付属物の画像、或いは、前記食品の原料の生産に関与した土壌、水、海水、海底水、アルカリ水、海底水から採取した塩、海底泥、海藻、塩、肥料、土壌消毒剤、殺菌剤、抗菌剤、農薬、種子、土壌中の生き物、水中の生き物、草、養殖用飼料、プランクトン、昆虫類、忌避植物、飼料、赤身肉化剤、抗生物質、成長ホルモン剤、ビニールハウスのビニールと略同質のビニール、放射線の少なくとも１つである付属物の画像、或いは、前記食品の生産に関与した木樽の木片、前記食品の生産に関与した木樽と略同一条件の木樽の木片、前記食品の生産に関与した木樽の構成材と同一種類の木片、前記食品を生産した木樽の中に同食品と共に入れられた前記木樽の構成材と同一種類の木片、前記食品に含まれる汁、若しくは、前記食品の生産に関与した汁の少なくとも１つである付属物の画像、或いは、前記食品の原料と一体に成長した一体成長物の前記食品の原料とは異なる部分であり、若しくは、前記食品の原料と略同一条件で前記食品の原料とは別体で成長した代替原料と一体に成長した代替一体成長物の前記食品の原料に対応する部分とは異なる部分である付属物の画像、或いは、前記食品の原料と一体に成長した一体成長物の前記食品の原料とは異なる部分の粉末であり、若しくは、前記食品の原料と略同一条件で前記食品の原料とは別体で成長した代替原料と一体に成長した代替一体成長物の前記食品の原料に対応する部分とは異なる部分の粉末である付属物の画像、或いは、前記食品の原料と一体に成長した一体成長物の前記食品の原料とは異なる部分の加工品であり、若しくは、前記食品の原料と略同一条件で前記食品の原料とは別体で成長した代替原料と一体に成長した代替一体成長物の前記食品の原料に対応する部分とは異なる部分の加工品である付属物の画像、或いは、前記食品の原料と一体に成長した一体成長物の前記食品の原料とは異なる部分の粉末加工品であり、若しくは、前記食品の原料と略同一条件で前記食品の原料とは別体で成長した代替原料と一体に成長した代替一体成長物の前記食品の原料に対応する部分とは異なる部分の粉末加工品である付属物の画像、或いは、前記食品に用いられた食品添加物の総重量と同じ重量の食品添加物、前記食品に用いられた食品添加物の総重量と同じ重量の擬似物、前記食品に用いられた食品添加物の総体積と同じ体積の食品添加物、前記食品に用いられた食品添加物の総体積と同じ体積の擬似物、前記食品に用いられた食品添加物の総体積と見かけ上同じ体積の食品添加物、前記食品に用いられた食品添加物の総体積と見かけ上同じ体積の擬似物、前記食品に用いられた砂糖の総重量と同じ重量の砂糖、前記食品に用いられた砂糖の総重量と同じ重量の擬似物、前記食品に用いられた砂糖の総体積と同じ体積の砂糖、前記食品に用いられた砂糖の総体積と同じ体積の擬似物、前記食品に用いられた砂糖の総体積と見かけ上同じ体積の砂糖、前記食品に用いられた砂糖の総体積と見かけ上同じ体積の擬似物、前記食品に用いられた塩の総重量と同じ重量の塩、前記食品に用いられた塩の総重量と同じ重量の擬似物、前記食品に用いられた塩の総体積と同じ体積の塩、前記食品に用いられた塩の総体積と同じ体積の擬似物、前記食品に用いられた塩の総体積と見かけ上同じ体積の塩、前記食品に用いられた塩の総体積と見かけ上同じ体積の擬似物、前記食品に用いられたタンパク加水分解物の総重量と同じ重量のタンパク加水分解物、前記食品に用いられたタンパク加水分解物の総重量と同じ重量の擬似物、前記食品に用いられたタンパク加水分解物の総体積と同じ体積のタンパク加水分解物、前記食品に用いられたタンパク加水分解物の総体積と同じ体積の擬似物、前記食品に用いられたタンパク加水分解物の総体積と見かけ上同じ体積のタンパク加水分解物、前記食品に用いられたタンパク加水分解物の総体積と見かけ上同じ体積の擬似物、前記食品に用いられた調味料の総重量と同じ重量の調味料、前記食品に用いられた調味料の総重量と同じ重量の擬似物、前記食品に用いられた調味料の総体積と同じ体積の調味料、前記食品に用いられた調味料の総体積と同じ体積の擬似物、前記食品に用いられた調味料の総体積と見かけ上同じ体積の調味料、前記食品に用いられた調味料の総体積と見かけ上同じ体積の擬似物、前記食品に用いられたブドウ糖果糖液糖の総重量と同じ重量のブドウ糖果糖液糖、前記食品に用いられたブドウ糖果糖液糖の総重量と同じ重量の擬似物、前記食品に用いられたブドウ糖果糖液糖の総体積と同じ体積のブドウ糖果糖液糖、前記食品に用いられたブドウ糖果糖液糖の総体積と同じ体積の擬似物、前記食品に用いられたブドウ糖果糖液糖の総体積と見かけ上同じ体積のブドウ糖果糖液糖、前記食品に用いられたブドウ糖果糖液糖の総体積と見かけ上同じ体積の擬似物、前記食品に用いられた加工油脂の総重量と同じ重量の加工油脂、前記食品に用いられた加工油脂の総重量と同じ重量の擬似物、前記食品に用いられた加工油脂の総体積と同じ体積の加工油脂、前記食品に用いられた加工油脂の総体積と同じ体積の擬似物、前記食品に用いられた加工油脂の総体積と見かけ上同じ体積の加工油脂、前記食品に用いられた加工油脂の総体積と見かけ上同じ体積の擬似物、前記食品に用いられたトランス脂肪酸の総重量と同じ重量のトランス脂肪酸、前記食品に用いられたトランス脂肪酸の総重量と同じ重量の擬似物、前記食品に用いられたトランス脂肪酸の総体積と同じ体積のトランス脂肪酸、前記食品に用いられたトランス脂肪酸の総体積と同じ体積の擬似物、前記食品に用いられたトランス脂肪酸の総体積と見かけ上同じ体積のトランス脂肪酸、前記食品に用いられたトランス脂肪酸の総体積と見かけ上同じ体積の擬似物、前記食品に用いられた加工デンプンの総重量と同じ重量の加工デンプン、前記食品に用いられた加工デンプンの総重量と同じ重量の擬似物、前記食品に用いられた加工デンプンの総体積と同じ体積の加工デンプン、前記食品に用いられた加工デンプンの総体積と同じ体積の擬似物、前記食品に用いられた加工デンプンの総体積と見かけ上同じ体積の加工デンプン、前記食品に用いられた加工デンプンの総体積と見かけ上同じ体積の擬似物、前記食品に用いられた食品添加物のうち一括名の表示が認められた食品添加物の総重量と同じ重量の食品添加物、前記食品に用いられた食品添加物のうち一括名の表示が認められた食品添加物の総重量と同じ重量の擬似物、前記食品に用いられた食品添加物のうち一括名の表示が認められた食品添加物の総体積と同じ体積の食品添加物、前記食品に用いられた食品添加物のうち一括名の表示が認められた食品添加物の総体積と同じ体積の擬似物、前記食品に用いられた食品添加物のうち一括名の表示が認められた食品添加物の総体積と見かけ上同じ体積の食品添加物、前記食品に用いられた食品添加物のうち一括名の表示が認められた食品添加物の総体積と見かけ上同じ体積の擬似物、前記食品に用いられた合成ビタミンの総重量と同じ重量の合成ビタミン、前記食品に用いられた合成ビタミンの総重量と同じ重量の擬似物、前記食品に用いられた合成ビタミンの総体積と同じ体積の合成ビタミン、前記食品に用いられた合成ビタミンの総体積と同じ体積の擬似物、前記食品に用いられた合成ビタミンの総体積と見かけ上同じ体積の合成ビタミン、前記食品に用いられた合成ビタミンの総体積と見かけ上同じ体積の擬似物、前記食品に用いられた食品添加物のうちキャリーオーバーとみなされた食品添加物の総重量と同じ重量の食品添加物、前記食品に用いられた食品添加物のうちキャリーオーバーとみなされた食品添加物の総重量と同じ重量の擬似物、前記食品に用いられた食品添加物のうちキャリーオーバーとみなされた食品添加物の総体積と同じ体積の食品添加物、前記食品に用いられた食品添加物のうちキャリーオーバーとみなされた食品添加物の総体積と同じ体積の擬似物、前記食品に用いられた食品添加物のうちキャリーオーバーとみなされた食品添加物の総体積と見かけ上同じ体積の食品添加物、前記食品に用いられた食品添加物のうちキャリーオーバーとみなされた食品添加物の総体積と見かけ上同じ体積の擬似物、前記食品に用いられた食品添加物のうちキャリーオーバーとみなされた食品添加物を除く食品添加物の総重量と同じ重量の食品添加物、前記食品に用いられた食品添加物のうちキャリーオーバーとみなされた食品添加物を除く食品添加物の総重量と同じ重量の擬似物、前記食品に用いられた食品添加物のうちキャリーオーバーとみなされた食品添加物を除く食品添加物の総体積と同じ体積の食品添加物、前記食品に用いられた食品添加物のうちキャリーオーバーとみなされた食品添加物を除く食品添加物の総体積と同じ体積の擬似物、前記食品に用いられた食品添加物のうちキャリーオーバーとみなされた食品添加物を除く食品添加物の総体積と見かけ上同じ体積の食品添加物、前記食品に用いられた食品添加物のうちキャリーオーバーとみなされた食品添加物を除く食品添加物の総体積と見かけ上同じ体積の擬似物、前記食品に用いられた脱脂加工大豆の総重量と同じ重量の脱脂加工大豆、前記食品に用いられた脱脂加工大豆の総重量と同じ重量の擬似物、前記食品に用いられた脱脂加工大豆の総体積と同じ体積の脱脂加工大豆、前記食品に用いられた脱脂加工大豆の総体積と同じ体積の擬似物、前記食品に用いられた脱脂加工大豆の総体積と見かけ上同じ体積の脱脂加工大豆、前記食品に用いられた脱脂加工大豆の総体積と見かけ上同じ体積の擬似物、前記食品に用いられたカラメル色素の総重量と同じ重量のカラメル色素、前記食品に用いられたカラメル色素の総重量と同じ重量の擬似物、前記食品に用いられたカラメル色素の総体積と同じ体積のカラメル色素、前記食品に用いられたカラメル色素の総体積と同じ体積の擬似物、前記食品に用いられたカラメル色素の総体積と見かけ上同じ体積のカラメル色素、前記食品に用いられたカラメル色素の総体積と見かけ上同じ体積の擬似物、前記食品に用いられたアスパルテームの総重量と同じ重量のアスパルテーム、前記食品に用いられたアスパルテームの総重量と同じ重量の擬似物、前記食品に用いられたアスパルテームの総体積と同じ体積のアスパルテーム、前記食品に用いられたアスパルテームの総体積と同じ体積の擬似物、前記食品に用いられたアスパルテームの総体積と見かけ上同じ体積のアスパルテーム、前記食品に用いられたアスパルテームの総体積と見かけ上同じ体積の擬似物、前記食品に用いられた香料の総重量と同じ重量の香料、前記食品に用いられた香料の総重
量と同じ重量の擬似物、前記食品に用いられた香料の総体積と同じ体積の香料、前記食品に用いられた香料の総体積と同じ体積の擬似物、前記食品に用いられた香料の総体積と見かけ上同じ体積の香料、前記食品に用いられた香料の総体積と見かけ上同じ体積の擬似物の少なくとも１つである付属物の画像、或いは、所定の機能別若しくは所定の用途別に分類された前記食品に用いられた食品添加物の少なくとも一部である付属物の画像、或いは、前記食品に用いられた食品添加物の総重量に所定の割合を乗じて得られた重量と同じ重量の食品添加物、前記食品に用いられた食品添加物の総重量に所定の割合を乗じて得られた重量と同じ重量の擬似物、前記食品に用いられた食品添加物の総体積に所定の割合を乗じて得られた体積と同じ体積の食品添加物、前記食品に用いられた食品添加物の総体積に所定の割合を乗じて得られた体積と同じ体積の擬似物、前記食品に用いられた食品添加物の総体積に所定の割合を乗じて得られた体積と見かけ上同じ体積の食品添加物、前記食品に用いられた食品添加物の総体積に所定の割合を乗じて得られた体積と見かけ上同じ体積の擬似物、前記食品に用いられた砂糖の総重量に所定の割合を乗じて得られた重量と同じ重量の砂糖、前記食品に用いられた砂糖の総重量に所定の割合を乗じて得られた重量と同じ重量の擬似物、前記食品に用いられた砂糖の総体積に所定の割合を乗じて得られた体積と同じ体積の砂糖、前記食品に用いられた砂糖の総体積に所定の割合を乗じて得られた体積と同じ体積の擬似物、前記食品に用いられた砂糖の総体積に所定の割合を乗じて得られた体積と見かけ上同じ体積の砂糖、前記食品に用いられた砂糖の総体積に所定の割合を乗じて得られた体積と見かけ上同じ体積の擬似物、前記食品に用いられた塩の総重量に所定の割合を乗じて得られた重量と同じ重量の塩、前記食品に用いられた塩の総重量に所定の割合を乗じて得られた重量と同じ重量の擬似物、前記食品に用いられた塩の総体積に所定の割合を乗じて得られた体積と同じ体積の塩、前記食品に用いられた塩の総体積に所定の割合を乗じて得られた体積と同じ体積の擬似物、前記食品に用いられた塩の総体積に所定の割合を乗じて得られた体積と見かけ上同じ体積の塩、前記食品に用いられた塩の総体積に所定の割合を乗じて得られた体積と見かけ上同じ体積の擬似物、前記食品に用いられたタンパク加水分解物の総重量に所定の割合を乗じて得られた重量と同じ重量のタンパク加水分解物、前記食品に用いられたタンパク加水分解物の総重量に所定の割合を乗じて得られた重量と同じ重量の擬似物、前記食品に用いられたタンパク加水分解物の総体積に所定の割合を乗じて得られた体積と同じ体積のタンパク加水分解物、前記食品に用いられたタンパク加水分解物の総体積に所定の割合を乗じて得られた体積と同じ体積の擬似物、前記食品に用いられたタンパク加水分解物の総体積に所定の割合を乗じて得られた体積と見かけ上同じ体積のタンパク加水分解物、前記食品に用いられたタンパク加水分解物の総体積に所定の割合を乗じて得られた体積と見かけ上同じ体積の擬似物、前記食品に用いられた調味料の総重量に所定の割合を乗じて得られた重量と同じ重量の調味料、前記食品に用いられた調味料の総重量に所定の割合を乗じて得られた重量と同じ重量の擬似物、前記食品に用いられた調味料の総体積に所定の割合を乗じて得られた体積と同じ体積の調味料、前記食品に用いられた調味料の総体積に所定の割合を乗じて得られた体積と同じ体積の擬似物、前記食品に用いられた調味料の総体積に所定の割合を乗じて得られた体積と見かけ上同じ体積の調味料、前記食品に用いられた調味料の総体積に所定の割合を乗じて得られた体積と見かけ上同じ体積の擬似物、前記食品に用いられたブドウ糖果糖液糖の総重量に所定の割合を乗じて得られた重量と同じ重量のブドウ糖果糖液糖、前記食品に用いられたブドウ糖果糖液糖の総重量に所定の割合を乗じて得られた重量と同じ重量の擬似物、前記食品に用いられたブドウ糖果糖液糖の総体積に所定の割合を乗じて得られた体積と同じ体積のブドウ糖果糖液糖、前記食品に用いられたブドウ糖果糖液糖の総体積に所定の割合を乗じて得られた体積と同じ体積の擬似物、前記食品に用いられたブドウ糖果糖液糖の総体積に所定の割合を乗じて得られた体積と見かけ上同じ体積のブドウ糖果糖液糖、前記食品に用いられたブドウ糖果糖液糖の総体積に所定の割合を乗じて得られた体積と見かけ上同じ体積の擬似物、前記食品に用いられた加工油脂の総重量に所定の割合を乗じて得られた重量と同じ重量の加工油脂、前記食品に用いられた加工油脂の総重量に所定の割合を乗じて得られた重量と同じ重量の擬似物、前記食品に用いられた加工油脂の総体積に所定の割合を乗じて得られた体積と同じ体積の加工油脂、前記食品に用いられた加工油脂の総体積に所定の割合を乗じて得られた体積と同じ体積の擬似物、前記食品に用いられた加工油脂の総体積に所定の割合を乗じて得られた体積と見かけ上同じ体積の加工油脂、前記食品に用いられた加工油脂の総体積に所定の割合を乗じて得られた体積と見かけ上同じ体積の擬似物、前記食品に用いられたトランス脂肪酸の総重量に所定の割合を乗じて得られた重量と同じ重量のトランス脂肪酸、前記食品に用いられたトランス脂肪酸の総重量に所定の割合を乗じて得られた重量と同じ重量の擬似物、前記食品に用いられたトランス脂肪酸の総体積に所定の割合を乗じて得られた体積と同じ体積のトランス脂肪酸、前記食品に用いられたトランス脂肪酸の総体積に所定の割合を乗じて得られた体積と同じ体積の擬似物、前記食品に用いられたトランス脂肪酸の総体積に所定の割合を乗じて得られた体積と見かけ上同じ体積のトランス脂肪酸、前記食品に用いられたトランス脂肪酸の総体積に所定の割合を乗じて得られた体積と見かけ上同じ体積の擬似物、前記食品に用いられた加工デンプンの総重量に所定の割合を乗じて得られた重量と同じ重量の加工デンプン、前記食品に用いられた加工デンプンの総重量に所定の割合を乗じて得られた重量と同じ重量の擬似物、前記食品に用いられた加工デンプンの総体積に所定の割合を乗じて得られた体積と同じ体積の加工デンプン、前記食品に用いられた加工デンプンの総体積に所定の割合を乗じて得られた体積と同じ体積の擬似物、前記食品に用いられた加工デンプンの総体積に所定の割合を乗じて得られた体積と見かけ上同じ体積の加工デンプン、前記食品に用いられた加工デンプンの総体積に所定の割合を乗じて得られた体積と見かけ上同じ体積の擬似物、前記食品に用いられた食品添加物のうち一括名の表示が認められた食品添加物の総重量に所定の割合を乗じて得られた重量と同じ重量の食品添加物、前記食品に用いられた食品添加物のうち一括名の表示が認められた食品添加物の総重量に所定の割合を乗じて得られた重量と同じ重量の擬似物、前記食品に用いられた食品添加物のうち一括名の表示が認められた食品添加物の総体積に所定の割合を乗じて得られた体積と同じ体積の食品添加物、前記食品に用いられた食品添加物のうち一括名の表示が認められた食品添加物の総体積に所定の割合を乗じて得られた体積と同じ体積の擬似物、前記食品に用いられた食品添加物のうち一括名の表示が認められた食品添加物の総体積に所定の割合を乗じて得られた体積と見かけ上同じ体積の食品添加物、前記食品に用いられた食品添加物のうち一括名の表示が認められた食品添加物の総体積に所定の割合を乗じて得られた体積と見かけ上同じ体積の擬似物、前記食品に用いられた合成ビタミンの総重量に所定の割合を乗じて得られた重量と同じ重量の合成ビタミン、前記食品に用いられた合成ビタミンの総重量に所定の割合を乗じて得られた重量と同じ重量の擬似物、前記食品に用いられた合成ビタミンの総体積に所定の割合を乗じて得られた体積と同じ体積の合成ビタミン、前記食品に用いられた合成ビタミンの総体積に所定の割合を乗じて得られた体積と同じ体積の擬似物、前記食品に用いられた合成ビタミンの総体積に所定の割合を乗じて得られた体積と見かけ上同じ体積の合成ビタミン、前記食品に用いられた合成ビタミンの総体積に所定の割合を乗じて得られた体積と見かけ上同じ体積の擬似物、前記食品に用いられた食品添加物のうちキャリーオーバーとみなされた食品添加物の総重量に所定の割合を乗じて得られた重量と同じ重量の食品添加物、前記食品に用いられた食品添加物のうちキャリーオーバーとみなされた食品添加物の総重量に所定の割合を乗じて得られた重量と同じ重量の擬似物、前記食品に用いられた食品添加物のうちキャリーオーバーとみなされた食品添加物の総体積に所定の割合を乗じて得られた体積と同じ体積の食品添加物、前記食品に用いられた食品添加物のうちキャリーオーバーとみなされた食品添加物の総体積に所定の割合を乗じて得られた体積と同じ体積の擬似物、前記食品に用いられた食品添加物のうちキャリーオーバーとみなされた食品添加物の総体積に所定の割合を乗じて得られた体積と見かけ上同じ体積の食品添加物、前記食品に用いられた食品添加物のうちキャリーオーバーとみなされた食品添加物の総体積に所定の割合を乗じて得られた体積と見かけ上同じ体積の擬似物、前記食品に用いられた食品添加物のうちキャリーオーバーとみなされた食品添加物を除く食品添加物の総重量に所定の割合を乗じて得られた重量と同じ重量の食品添加物、前記食品に用いられた食品添加物のうちキャリーオーバーとみなされた食品添加物を除く食品添加物の総重量に所定の割合を乗じて得られた重量と同じ重量の擬似物、前記食品に用いられた食品添加物のうちキャリーオーバーとみなされた食品添加物を除く食品添加物の総体積に所定の割合を乗じて得られた体積と同じ体積の食品添加物、前記食品に用いられた食品添加物のうちキャリーオーバーとみなされた食品添加物を除く食品添加物の総体積に所定の割合を乗じて得られた体積と同じ体積の擬似物、前記食品に用いられた食品添加物のうちキャリーオーバーとみなされた食品添加物を除く食品添加物の総体積に所定の割合を乗じて得られた体積と見かけ上同じ体積の食品添加物、前記食品に用いられた食品添加物のうちキャリーオーバーとみなされた食品添加物を除く食品添加物の総体積に所定の割合を乗じて得られた体積と見かけ上同じ体積の擬似物、前記食品に用いられた脱脂加工大豆の総重量に所定の割合を乗じて得られた重量と同じ重量の脱脂加工大豆、前記食品に用いられた脱脂加工大豆の総重量に所定の割合を乗じて得られた重量と同じ重量の擬似物、前記食品に用いられた脱脂加工大豆の総体積に所定の割合を乗じて得られた体積と同じ体積の脱脂加工大豆、前記食品に用いられた脱脂加工大豆の総体積に所定の割合を乗じて得られた体積と同じ体積の擬似物、前記食品に用いられた脱脂加工大豆の総体積に所定の割合を乗じて得られた体積と見かけ上同じ体積の脱脂加工大豆、前記食品に用いられた脱脂加工大豆の総体積に所定の割合を乗じて得られた体積と見かけ上同じ体積の擬似物、前記食品に用いられたカラメル色素の総重量に所定の割合を乗じて得られた重量と同じ重量のカラメル色素、前記食品に用いられたカラメル色素の総重量に所定の割合を乗じて得られた重量と同じ重量の擬似物、前記食品に用いられたカラメル色素の総体積に所定の割合を乗じて得られた体積と同じ体積のカラメル色素、前記食品に用いられたカラメル色素の総体積に所定の割合を乗じて得られた体積と同じ体積の擬似物、前記食品に用いられたカラメル色素の総体積に所定の割合を乗じて得られた体積と見かけ上同じ体積のカラメル色素、前記食品に用いられたカラメル色素の総体積に所定の割合を乗じて得られた体積と見かけ上同じ体積の擬似物、前記食品に用いられたアスパルテームの総重量に所定の割合を乗じて得られた重量と同じ重量のアスパルテーム、前記食品に用いられたアスパルテームの総重量に所定の割合を乗じて得られた重量と同じ重量の擬似物、前記食品に用いられたアスパルテームの総体積に所定の割合を乗じて得られた体積と同じ体積のアスパルテーム、前記食品に用いられたアスパルテームの総体積に所定の割合を乗じて得られた体積と同じ体積の擬似物、前記食品に
用いられたアスパルテームの総体積に所定の割合を乗じて得られた体積と見かけ上同じ体積のアスパルテーム、前記食品に用いられたアスパルテームの総体積に所定の割合を乗じて得られた体積と見かけ上同じ体積の擬似物、前記食品に用いられた香料の総重量に所定の割合を乗じて得られた重量と同じ重量の香料、前記食品に用いられた香料の総重量に所定の割合を乗じて得られた重量と同じ重量の擬似物、前記食品に用いられた香料の総体積に所定の割合を乗じて得られた体積と同じ体積の香料、前記食品に用いられた香料の総体積に所定の割合を乗じて得られた体積と同じ体積の擬似物、前記食品に用いられた香料の総体積に所定の割合を乗じて得られた体積と見かけ上同じ体積の香料、前記食品に用いられた香料の総体積に所定の割合を乗じて得られた体積と見かけ上同じ体積の擬似物の少なくとも１つである付属物の画像、及び、前記所定の割合を表示した表示物、或いは、前記食品の原料の次世代の種子、若しくは、前記食品の原料と略同一条件で前記食品の原料とは別体で成長した代替原料の次世代の種子である付属物の画像、或いは、前記食品の原料の一部、若しくは、前記食品の原料と略同一条件で前記食品の原料とは別体で成長した代替原料から得られた種芋である付属物の画像、或いは、前記食品の原料の一部であり、若しくは、前記食品の原料と略同一条件で前記食品の原料とは別体で成長した代替原料であり、若しくは、前記食品の原料と一体に成長した一体成長物の前記食品の原料とは異なる部分であり、若しくは、前記食品の原料と略同一条件で前記食品の原料とは別体で成長した代替原料と一体に成長した代替一体成長物の前記食品の原料に対応する部分とは異なる部分である付属物本体が、水と共に収容されて構成された付属物の画像、或いは、前記食品の原料の収穫後に使用された農薬である付属物の画像、或いは、前記食品の原料の生産の後に同食品の原料に関与した燻蒸剤、消毒剤、殺菌剤、抗菌剤、防かび剤、防腐剤、被膜剤、酸化防止剤、除草剤、殺虫剤、漂白殺菌剤、放射線、若しくは、薬剤の少なくとも１つである付属物の画像、或いは、前記食品の原料の生産の後に同食品の原料に関与した動物用食品添加物、若しくは、成長ホルモン剤の少なくとも１つである付属物の画像、或いは、前記食品の原料の加工直前に、前記食品の原料に含まれている燻蒸剤、消毒剤、殺菌剤、抗菌剤、防かび剤、防腐剤、被膜剤、酸化防止剤、除草剤、殺虫剤、漂白殺菌剤、放射線、若しくは、薬剤の少なくとも１つである付属物の画像、或いは、前記食品の原料の生産と略同時期に略同一環境で成長した海藻、草、魚介類の少なくとも１つである付属物の画像、の少なくとも２つ以上が表示された印刷物を、同印刷物に表示された前記付属物の画像を選択させるために消費者に提供する工程と、提供された前記印刷物に表示された２つ以上の前記付属物の画像の中から消費者によって選択された１つ以上の前記付属物の画像に対応する前記付属物の現物のみ、提供された前記印刷物に表示された２つ以上の前記付属物の画像の中から消費者によって選択された１つ以上の前記付属物の画像に対応する前記付属物の擬似物のみ、提供された前記印刷物に表示された２つ以上の前記付属物の画像の中から消費者によって選択された１つ以上の前記付属物の画像に対応する前記付属物の画像のみが印刷された印刷媒体、の少なくとも１つを手渡し、消費者が前記付属物の現物、若しくは、前記付属物の擬似物、若しくは、前記印刷媒体を確認した後に、前記食品を送付若しくは手渡し、或いは、提供された前記印刷物に表示された２つ以上の前記付属物の画像の中から消費者によって選択された１つ以上の前記付属物の画像に対応する前記付属物の現物のみ、提供された前記印刷物に表示された２つ以上の前記付属物の画像の中から消費者によって選択された１つ以上の前記付属物の画像に対応する前記付属物の擬似物のみ、提供された前記印刷物に表示された２つ以上の前記付属物の画像の中から消費者によって選択された１つ以上の前記付属物の画像に対応する前記付属物の画像のみが印刷された印刷媒体、の少なくとも１つを送付若しくは手渡し、消費者が前記付属物の現物、若しくは、前記付属物の擬似物、若しくは、前記印刷媒体を確認した後に、前記食品を手渡す工程とを備える。
【００５８】
また、上記の目的を達成するために、本発明の商品の提供方法では、二次産品である所定の商品本体の原料である付属物の画像、或いは、前記商品本体の原料と略同一条件で前記商品本体の原料とは別体で成長した代替原料である付属物の画像、或いは、前記商品本体の原料と略同一条件で前記商品本体の原料とは別体で成長した代替原料の粉末である付属物の画像、或いは、前記商品本体の原料と略同一条件で前記商品本体の原料とは別体で成長した代替原料の加工品である付属物の画像、或いは、前記商品本体の原料と略同一条件で前記商品本体の原料とは別体で成長した代替原料の粉末加工品である付属物の画像、或いは、前記商品本体の原料と略同一条件で前記商品本体の原料とは別体で成長した代替原料と一体に成長した代替一体成長物である付属物の画像、或いは、前記商品本体の原料と略同一条件で前記商品本体の原料とは別体で成長した代替原料と一体に成長した代替一体成長物の粉末である付属物の画像、或いは、前記商品本体の原料と略同一条件で前記商品本体の原料とは別体で成長した代替原料と一体に成長した代替一体成長物の加工品である付属物の画像、或いは、前記商品本体の原料と略同一条件で前記商品本体の原料とは別体で成長した代替原料と一体に成長した代替一体成長物の粉末加工品である付属物の画像、或いは、前記商品本体の原料と略同一条件で製造された代替製造原料である付属物の画像、或いは、前記商品本体の原料と略同一条件で製造された代替製造原料の粉末である付属物の画像、或いは、前記商品本体の原料と略同一条件で製造された代替製造原料の加工品である付属物の画像、或いは、前記商品本体の原料と略同一条件で製造された代替製造原料の粉末加工品である付属物の画像、或いは、前記商品本体の生産に関与した乳酸菌、ビフィズス菌、麹、麹菌、若しくは、枯草菌の少なくとも１つである付属物の画像、或いは、前記商品本体の生産に関与した木樽、瓶、プラスチック製容器、若しくは、漬け床である付属物の画像、或いは、前記商品本体の原料の生産に関与した土壌、水、海水、海底水、アルカリ水、海底水から採取した塩、海底泥、海藻、塩、肥料、土壌消毒剤、殺菌剤、抗菌剤、農薬、種子、土壌中の生き物、水中の生き物、草、養殖用飼料、プランクトン、昆虫類、忌避植物、飼料、赤身肉化剤、抗生物質、成長ホルモン剤、ビニールハウスのビニールと略同質のビニール、放射線の少なくとも１つである付属物の画像、或いは、前記商品本体の生産に関与した木樽の木片、前記商品本体の生産に関与した木樽と略同一条件の木樽の木片、前記商品本体の生産に関与した木樽の構成材と同一種類の木片、前記商品本体を生産した木樽の中に同商品本体と共に入れられた前記木樽の構成材と同一種類の木片、前記商品本体に含まれる汁、若しくは、前記商品本体の生産に関与した汁の少なくとも１つである付属物の画像、或いは、前記商品本体の原料と一体に成長した一体成長物の前記商品本体の原料とは異なる部分であり、若しくは、前記商品本体の原料と略同一条件で前記商品本体の原料とは別体で成長した代替原料と一体に成長した代替一体成長物の前記商品本体の原料に対応する部分とは異なる部分である付属物の画像、或いは、前記商品本体の原料と一体に成長した一体成長物の前記商品本体の原料とは異なる部分の粉末であり、若しくは、前記商品本体の原料と略同一条件で前記商品本体の原料とは別体で成長した代替原料と一体に成長した代替一体成長物の前記商品本体の原料に対応する部分とは異なる部分の粉末である付属物の画像、或いは、前記商品本体の原料と一体に成長した一体成長物の前記商品本体の原料とは異なる部分の加工品であり、若しくは、前記商品本体の原料と略同一条件で前記商品本体の原料とは別体で成長した代替原料と一体に成長した代替一体成長物の前記商品本体の原料に対応する部分とは異なる部分の加工品である付属物の画像、或いは、前記商品本体の原料と一体に成長した一体成長物の前記商品本体の原料とは異なる部分の粉末加工品であり、若しくは、前記商品本体の原料と略同一条件で前記商品本体の原料とは別体で成長した代替原料と一体に成長した代替一体成長物の前記商品本体の原料に対応する部分とは異なる部分の粉末加工品である付属物の画像、或いは、前記商品本体に用いられた食品添加物の総重量と同じ重量の食品添加物、前記商品本体に用いられた食品添加物の総重量と同じ重量の擬似物、前記商品本体に用いられた食品添加物の総体積と同じ体積の食品添加物、前記商品本体に用いられた食品添加物の総体積と同じ体積の擬似物、前記商品本体に用いられた食品添加物の総体積と見かけ上同じ体積の食品添加物、前記商品本体に用いられた食品添加物の総体積と見かけ上同じ体積の擬似物、前記商品本体に用いられた砂糖の総重量と同じ重量の砂糖、前記商品本体に用いられた砂糖の総重量と同じ重量の擬似物、前記商品本体に用いられた砂糖の総体積と同じ体積の砂糖、前記商品本体に用いられた砂糖の総体積と同じ体積の擬似物、前記商品本体に用いられた砂糖の総体積と見かけ上同じ体積の砂糖、前記商品本体に用いられた砂糖の総体積と見かけ上同じ体積の擬似物、前記商品本体に用いられた塩の総重量と同じ重量の塩、前記商品本体に用いられた塩の総重量と同じ重量の擬似物、前記商品本体に用いられた塩の総体積と同じ体積の塩、前記商品本体に用いられた塩の総体積と同じ体積の擬似物、前記商品本体に用いられた塩の総体積と見かけ上同じ体積の塩、前記商品本体に用いられた塩の総体積と見かけ上同じ体積の擬似物、前記商品本体に用いられたタンパク加水分解物の総重量と同じ重量のタンパク加水分解物、前記商品本体に用いられたタンパク加水分解物の総重量と同じ重量の擬似物、前記商品本体に用いられたタンパク加水分解物の総体積と同じ体積のタンパク加水分解物、前記商品本体に用いられたタンパク加水分解物の総体積と同じ体積の擬似物、前記商品本体に用いられたタンパク加水分解物の総体積と見かけ上同じ体積のタンパク加水分解物、前記商品本体に用いられたタンパク加水分解物の総体積と見かけ上同じ体積の擬似物、前記商品本体に用いられた調味料の総重量と同じ重量の調味料、前記商品本体に用いられた調味料の総重量と同じ重量の擬似物、前記商品本体に用いられた調味料の総体積と同じ体積の調味料、前記商品本体に用いられた調味料の総体積と同じ体積の擬似物、前記商品本体に用いられた調味料の総体積と見かけ上同じ体積の調味料、前記商品本体に用いられた調味料の総体積と見かけ上同じ体積の擬似物、前記商品本体に用いられたブドウ糖果糖液糖の総重量と同じ重量のブドウ糖果糖液糖、前記商品本体に用いられたブドウ糖果糖液糖の総重量と同じ重量の擬似物、前記商品本体に用いられたブドウ糖果糖液糖の総体積と同じ体積のブドウ糖果糖液糖、前記商品本体に用いられたブドウ糖果糖液糖の総体積と同じ体積の擬似物、前記商品本体に用いられたブドウ糖果糖液糖の総体積と見かけ上同じ体積のブドウ糖果糖液糖、前記商品本体に用いられたブドウ糖果糖液糖の総体積と見かけ上同じ体積の擬似物、前記商品本体に用いられた加工油脂の総重量と同じ重量の加工油脂、前記商品本体に用いられた加工油脂の総重量と同じ重量の擬似物、前記商品本体に用いられた加工油脂の総体積と同じ体積の加工油脂、前記商品本体に用いられた加工油脂の総体積と同じ体積の擬似物、前記商品本体に用いられた加工油脂の総体積と見かけ上同じ体積の加工油脂、前記商品本体に用いられた加工油脂の総体積と見かけ上同じ体積の擬似物、前記商品本体に用いられたトランス脂肪酸の総重量と同じ重量のトランス脂肪酸、前記商品本体に用いられたトランス脂肪酸の総重量と同じ重量の擬似物、前記商品本体に用いられたトランス脂肪酸の総体積と同じ体積のトランス脂肪酸、前記商品本体に用いられたトランス脂肪酸の総体積と同じ体積の擬似物、前記商品本体に用いられたトランス脂肪酸の総体積と見かけ上同じ体積のトランス脂肪酸、前記商品本体に用いられたトランス脂肪酸の総体積と見かけ上同じ体積の擬似物、前記商品本体に用いられた加工デンプンの総重量と同じ重量の加工デンプン、前記商品本体に用いられた加工デンプンの総重量と同じ重量の擬似物、前記商品本体に用いられた加工デンプンの総体積と同じ体積の加工デンプン、前記商品本体に用いられた加工デンプンの総体積と同じ体積の擬似物、前記商品本体に用いられた加工デンプンの総体積と見かけ上同じ体積の加工デンプン、前記商品本体に用いられた加工デンプンの総体積と見かけ上同じ体積の擬似物、前記商品本体に用いられた食品添加物のうち一括名の表示が認められた食品添加物の総重量と同じ重量の食品添加物、前記商品本体に用いられた食品添加物のうち一括名の表示が認められた食品添加物の総重量と同じ重量の擬似物、前記商品本体に用いられた食品添加物のうち一括名の表示が認められた食品添加物の総体積と同じ体積の食品添加物、前記商品本体に用いられた食品添加物のうち一括名の表示が認められた食品添加物の総体積と同じ体積の擬似物、前記商品本体に用いられた食品添加物のうち一括名の表示が認められた食品添加物の総体積と見かけ上同じ体積の食品添加物、前記商品本体に用いられた食品添加物のうち一括名の表示が認められた食品添加物の総体積と見かけ上同じ体積の擬似物、前記商品本体に用いられた合成ビタミンの総重量と同じ重量の合成ビタミン、前記商品本体に用いられた合成ビタミンの総重量と同じ重量の擬似物、前記商品本体に用いられた合成ビタミンの総体積と同じ体積の合成ビタミン、前記商品本体に用いられた合成ビタミンの総体積と同じ体積の擬似物、前記商品本体に用いられた合成ビタミンの総体積と見かけ上同じ体積の合成ビタミン、前記商品本体に用いられた合成ビタミンの総体積と見かけ上同じ体積の擬似物、前記商品本体に用いられた食品添加物のうちキャリーオーバーとみなされた食品添加物の総重量と同じ重量の食品添加物、前記商品本体に用いられた食品添加物のうちキャリーオーバーとみなされた食品添加物の総重量と同じ重量の擬似物、前記商品本体に用いられた食品添加物のうちキャリーオーバーとみなされた食品添加物の総体積と同じ体積の食品添加物、前記商品本体に用いられた食品添加物のうちキャリーオーバーとみなされた食品添加物の総体積と同じ体積の擬似物、前記商品本体に用いられた食品添加物のうちキャリーオーバーとみなされた食品添加物の総体積と見かけ上同じ体積の食品添加物、前記商品本体に用いられた食品添加物のうちキャリーオーバーとみなされた食品添加物の総体積と見かけ上同じ体積の擬似物、前記商品本体に用いられた食品添加物のうちキャリーオーバーとみなされた食品添加物を除く食品添加物の総重量と同じ重量の食品添加物、前記商品本体に用いられた食品添加物のうちキャリーオーバーとみなされた食品添加物を除く食品添加物の総重量と同じ重量の擬似物、前記商品本体に用いられた食品添加物のうちキャリーオーバーとみなされた食品添加物を除く食品添加物の総体積と同じ体積の食品添加物、前記商品本体に用いられた食品添加物のうちキャリーオーバーとみなされた食品添加物を除く食品添加物の総体積と同じ体積の擬似物、前記商品本体に用いられた食品添加物のうちキャリーオーバーとみなされた食品添加物を除く食品添加物の総体積と見かけ上同じ体積の食品添加物、前記商品本体に用いられた食品添加物のうちキャリーオーバーとみなされた食品添加物を除く食品添加物の総体積と見かけ上同じ体積の擬似物、前記商品本体に用いられた脱脂加工大豆の総重量と同じ重量の脱脂加工大豆、前記商品本体に用いられた脱脂加工大豆の総重量と同じ重量の擬似物、前記商品本体に用いられた脱脂加工大豆の総体積と同じ体積の脱脂加工大豆、前記商品本体に用いられた脱脂加工大豆の総体積と同じ体積の擬似物、前記商品本体に用いられた脱脂加工大豆の総体積と見かけ上同じ体積の脱脂加工大豆、前記商品本体に用いられた脱脂加工大豆の総体積と見かけ上同じ体積の擬似物、前記食品に用いられたカラメル色素の総重量と同じ重量のカラメル色素、前記食品に用いられたカラメル色素の総重量と同じ重量の擬似物、前記食品に用いら
れたカラメル色素の総体積と同じ体積のカラメル色素、前記食品に用いられたカラメル色素の総体積と同じ体積の擬似物、前記食品に用いられたカラメル色素の総体積と見かけ上同じ体積のカラメル色素、前記食品に用いられたカラメル色素の総体積と見かけ上同じ体積の擬似物、前記食品に用いられたアスパルテームの総重量と同じ重量のアスパルテーム、前記食品に用いられたアスパルテームの総重量と同じ重量の擬似物、前記食品に用いられたアスパルテームの総体積と同じ体積のアスパルテーム、前記食品に用いられたアスパルテームの総体積と同じ体積の擬似物、前記食品に用いられたアスパルテームの総体積と見かけ上同じ体積のアスパルテーム、前記食品に用いられたアスパルテームの総体積と見かけ上同じ体積の擬似物、前記食品に用いられた香料の総重量と同じ重量の香料、前記食品に用いられた香料の総重量と同じ重量の擬似物、前記食品に用いられた香料の総体積と同じ体積の香料、前記食品に用いられた香料の総体積と同じ体積の擬似物、前記食品に用いられた香料の総体積と見かけ上同じ体積の香料、前記食品に用いられた香料の総体積と見かけ上同じ体積の擬似物の少なくとも１つである付属物の画像、或いは、所定の機能別若しくは所定の用途別に分類された前記商品本体に用いられた食品添加物の少なくとも一部である付属物の画像、或いは、前記商品本体に用いられた食品添加物の総重量に所定の割合を乗じて得られた重量と同じ重量の食品添加物、前記商品本体に用いられた食品添加物の総重量に所定の割合を乗じて得られた重量と同じ重量の擬似物、前記商品本体に用いられた食品添加物の総体積に所定の割合を乗じて得られた体積と同じ体積の食品添加物、前記商品本体に用いられた食品添加物の総体積に所定の割合を乗じて得られた体積と同じ体積の擬似物、前記商品本体に用いられた食品添加物の総体積に所定の割合を乗じて得られた体積と見かけ上同じ体積の食品添加物、前記商品本体に用いられた食品添加物の総体積に所定の割合を乗じて得られた体積と見かけ上同じ体積の擬似物、前記商品本体に用いられた砂糖の総重量に所定の割合を乗じて得られた重量と同じ重量の砂糖、前記商品本体に用いられた砂糖の総重量に所定の割合を乗じて得られた重量と同じ重量の擬似物、前記商品本体に用いられた砂糖の総体積に所定の割合を乗じて得られた体積と同じ体積の砂糖、前記商品本体に用いられた砂糖の総体積に所定の割合を乗じて得られた体積と同じ体積の擬似物、前記商品本体に用いられた砂糖の総体積に所定の割合を乗じて得られた体積と見かけ上同じ体積の砂糖、前記商品本体に用いられた砂糖の総体積に所定の割合を乗じて得られた体積と見かけ上同じ体積の擬似物、前記商品本体に用いられた塩の総重量に所定の割合を乗じて得られた重量と同じ重量の塩、前記商品本体に用いられた塩の総重量に所定の割合を乗じて得られた重量と同じ重量の擬似物、前記商品本体に用いられた塩の総体積に所定の割合を乗じて得られた体積と同じ体積の塩、前記商品本体に用いられた塩の総体積に所定の割合を乗じて得られた体積と同じ体積の擬似物、前記商品本体に用いられた塩の総体積に所定の割合を乗じて得られた体積と見かけ上同じ体積の塩、前記商品本体に用いられた塩の総体積に所定の割合を乗じて得られた体積と見かけ上同じ体積の擬似物、前記商品本体に用いられたタンパク加水分解物の総重量に所定の割合を乗じて得られた重量と同じ重量のタンパク加水分解物、前記商品本体に用いられたタンパク加水分解物の総重量に所定の割合を乗じて得られた重量と同じ重量の擬似物、前記商品本体に用いられたタンパク加水分解物の総体積に所定の割合を乗じて得られた体積と同じ体積のタンパク加水分解物、前記商品本体に用いられたタンパク加水分解物の総体積に所定の割合を乗じて得られた体積と同じ体積の擬似物、前記商品本体に用いられたタンパク加水分解物の総体積に所定の割合を乗じて得られた体積と見かけ上同じ体積のタンパク加水分解物、前記商品本体に用いられたタンパク加水分解物の総体積に所定の割合を乗じて得られた体積と見かけ上同じ体積の擬似物、前記商品本体に用いられた調味料の総重量に所定の割合を乗じて得られた重量と同じ重量の調味料、前記商品本体に用いられた調味料の総重量に所定の割合を乗じて得られた重量と同じ重量の擬似物、前記商品本体に用いられた調味料の総体積に所定の割合を乗じて得られた体積と同じ体積の調味料、前記商品本体に用いられた調味料の総体積に所定の割合を乗じて得られた体積と同じ体積の擬似物、前記商品本体に用いられた調味料の総体積に所定の割合を乗じて得られた体積と見かけ上同じ体積の調味料、前記商品本体に用いられた調味料の総体積に所定の割合を乗じて得られた体積と見かけ上同じ体積の擬似物、前記商品本体に用いられたブドウ糖果糖液糖の総重量に所定の割合を乗じて得られた重量と同じ重量のブドウ糖果糖液糖、前記商品本体に用いられたブドウ糖果糖液糖の総重量に所定の割合を乗じて得られた重量と同じ重量の擬似物、前記商品本体に用いられたブドウ糖果糖液糖の総体積に所定の割合を乗じて得られた体積と同じ体積のブドウ糖果糖液糖、前記商品本体に用いられたブドウ糖果糖液糖の総体積に所定の割合を乗じて得られた体積と同じ体積の擬似物、前記商品本体に用いられたブドウ糖果糖液糖の総体積に所定の割合を乗じて得られた体積と見かけ上同じ体積のブドウ糖果糖液糖、前記商品本体に用いられたブドウ糖果糖液糖の総体積に所定の割合を乗じて得られた体積と見かけ上同じ体積の擬似物、前記商品本体に用いられた加工油脂の総重量に所定の割合を乗じて得られた重量と同じ重量の加工油脂、前記商品本体に用いられた加工油脂の総重量に所定の割合を乗じて得られた重量と同じ重量の擬似物、前記商品本体に用いられた加工油脂の総体積に所定の割合を乗じて得られた体積と同じ体積の加工油脂、前記商品本体に用いられた加工油脂の総体積に所定の割合を乗じて得られた体積と同じ体積の擬似物、前記商品本体に用いられた加工油脂の総体積に所定の割合を乗じて得られた体積と見かけ上同じ体積の加工油脂、前記商品本体に用いられた加工油脂の総体積に所定の割合を乗じて得られた体積と見かけ上同じ体積の擬似物、前記商品本体に用いられたトランス脂肪酸の総重量に所定の割合を乗じて得られた重量と同じ重量のトランス脂肪酸、前記商品本体に用いられたトランス脂肪酸の総重量に所定の割合を乗じて得られた重量と同じ重量の擬似物、前記商品本体に用いられたトランス脂肪酸の総体積に所定の割合を乗じて得られた体積と同じ体積のトランス脂肪酸、前記商品本体に用いられたトランス脂肪酸の総体積に所定の割合を乗じて得られた体積と同じ体積の擬似物、前記商品本体に用いられたトランス脂肪酸の総体積に所定の割合を乗じて得られた体積と見かけ上同じ体積のトランス脂肪酸、前記商品本体に用いられたトランス脂肪酸の総体積に所定の割合を乗じて得られた体積と見かけ上同じ体積の擬似物、前記商品本体に用いられた加工デンプンの総重量に所定の割合を乗じて得られた重量と同じ重量の加工デンプン、前記商品本体に用いられた加工デンプンの総重量に所定の割合を乗じて得られた重量と同じ重量の擬似物、前記商品本体に用いられた加工デンプンの総体積に所定の割合を乗じて得られた体積と同じ体積の加工デンプン、前記商品本体に用いられた加工デンプンの総体積に所定の割合を乗じて得られた体積と同じ体積の擬似物、前記商品本体に用いられた加工デンプンの総体積に所定の割合を乗じて得られた体積と見かけ上同じ体積の加工デンプン、前記商品本体に用いられた加工デンプンの総体積に所定の割合を乗じて得られた体積と見かけ上同じ体積の擬似物、前記商品本体に用いられた食品添加物のうち一括名の表示が認められた食品添加物の総重量に所定の割合を乗じて得られた重量と同じ重量の食品添加物、前記商品本体に用いられた食品添加物のうち一括名の表示が認められた食品添加物の総重量に所定の割合を乗じて得られた重量と同じ重量の擬似物、前記商品本体に用いられた食品添加物のうち一括名の表示が認められた食品添加物の総体積に所定の割合を乗じて得られた体積と同じ体積の食品添加物、前記商品本体に用いられた食品添加物のうち一括名の表示が認められた食品添加物の総体積に所定の割合を乗じて得られた体積と同じ体積の擬似物、前記商品本体に用いられた食品添加物のうち一括名の表示が認められた食品添加物の総体積に所定の割合を乗じて得られた体積と見かけ上同じ体積の食品添加物、前記商品本体に用いられた食品添加物のうち一括名の表示が認められた食品添加物の総体積に所定の割合を乗じて得られた体積と見かけ上同じ体積の擬似物、前記商品本体に用いられた合成ビタミンの総重量に所定の割合を乗じて得られた重量と同じ重量の合成ビタミン、前記商品本体に用いられた合成ビタミンの総重量に所定の割合を乗じて得られた重量と同じ重量の擬似物、前記商品本体に用いられた合成ビタミンの総体積に所定の割合を乗じて得られた体積と同じ体積の合成ビタミン、前記商品本体に用いられた合成ビタミンの総体積に所定の割合を乗じて得られた体積と同じ体積の擬似物、前記商品本体に用いられた合成ビタミンの総体積に所定の割合を乗じて得られた体積と見かけ上同じ体積の合成ビタミン、前記商品本体に用いられた合成ビタミンの総体積に所定の割合を乗じて得られた体積と見かけ上同じ体積の擬似物、前記商品本体に用いられた食品添加物のうちキャリーオーバーとみなされた食品添加物の総重量に所定の割合を乗じて得られた重量と同じ重量の食品添加物、前記商品本体に用いられた食品添加物のうちキャリーオーバーとみなされた食品添加物の総重量に所定の割合を乗じて得られた重量と同じ重量の擬似物、前記商品本体に用いられた食品添加物のうちキャリーオーバーとみなされた食品添加物の総体積に所定の割合を乗じて得られた体積と同じ体積の食品添加物、前記商品本体に用いられた食品添加物のうちキャリーオーバーとみなされた食品添加物の総体積に所定の割合を乗じて得られた体積と同じ体積の擬似物、前記商品本体に用いられた食品添加物のうちキャリーオーバーとみなされた食品添加物の総体積に所定の割合を乗じて得られた体積と見かけ上同じ体積の食品添加物、前記商品本体に用いられた食品添加物のうちキャリーオーバーとみなされた食品添加物の総体積に所定の割合を乗じて得られた体積と見かけ上同じ体積の擬似物、前記商品本体に用いられた食品添加物のうちキャリーオーバーとみなされた食品添加物を除く食品添加物の総重量に所定の割合を乗じて得られた重量と同じ重量の食品添加物、前記商品本体に用いられた食品添加物のうちキャリーオーバーとみなされた食品添加物を除く食品添加物の総重量に所定の割合を乗じて得られた重量と同じ重量の擬似物、前記商品本体に用いられた食品添加物のうちキャリーオーバーとみなされた食品添加物を除く食品添加物の総体積に所定の割合を乗じて得られた体積と同じ体積の食品添加物、前記商品本体に用いられた食品添加物のうちキャリーオーバーとみなされた食品添加物を除く食品添加物の総体積に所定の割合を乗じて得られた体積と同じ体積の擬似物、前記商品本体に用いられた食品添加物のうちキャリーオーバーとみなされた食品添加物を除く食品添加物の総体積に所定の割合を乗じて得られた体積と見かけ上同じ体積の食品添加物、前記商品本体に用いられた食品添加物のうちキャリーオーバーとみなされた食品添加物を除く食品添加物の総体積に所定の割合を乗じて得られた体積と見かけ上同じ体積の擬似物、前記商品本体に用いられた脱脂加工大豆の総重量に所定の割合を乗じて得られた重量と同じ重量の脱脂加工大豆、前記商品本体に用いられた脱脂加工大豆の総重量に所定の割合を乗じて得られた重量と同じ重量の擬似物、前記商品本体に用いられた脱脂加工大豆の総体積に所定の割合を乗じて得られた体積と同じ体積の脱脂加工大豆、前記商品本体に用いられた脱脂加工大豆の総体積に所定の割合を乗じて得られた体積と同じ体積の擬似物、前記商品本体に用いられた脱脂加工大豆の総体積に所定の割合を乗じて得られた体積と見かけ上同じ体積の脱脂加工大豆、前記商品
本体に用いられた脱脂加工大豆の総体積に所定の割合を乗じて得られた体積と見かけ上同じ体積の擬似物、前記食品に用いられたカラメル色素の総重量に所定の割合を乗じて得られた重量と同じ重量のカラメル色素、前記食品に用いられたカラメル色素の総重量に所定の割合を乗じて得られた重量と同じ重量の擬似物、前記食品に用いられたカラメル色素の総体積に所定の割合を乗じて得られた体積と同じ体積のカラメル色素、前記食品に用いられたカラメル色素の総体積に所定の割合を乗じて得られた体積と同じ体積の擬似物、前記食品に用いられたカラメル色素の総体積に所定の割合を乗じて得られた体積と見かけ上同じ体積のカラメル色素、前記食品に用いられたカラメル色素の総体積に所定の割合を乗じて得られた体積と見かけ上同じ体積の擬似物、前記食品に用いられたアスパルテームの総重量に所定の割合を乗じて得られた重量と同じ重量のアスパルテーム、前記食品に用いられたアスパルテームの総重量に所定の割合を乗じて得られた重量と同じ重量の擬似物、前記食品に用いられたアスパルテームの総体積に所定の割合を乗じて得られた体積と同じ体積のアスパルテーム、前記食品に用いられたアスパルテームの総体積に所定の割合を乗じて得られた体積と同じ体積の擬似物、前記食品に用いられたアスパルテームの総体積に所定の割合を乗じて得られた体積と見かけ上同じ体積のアスパルテーム、前記食品に用いられたアスパルテームの総体積に所定の割合を乗じて得られた体積と見かけ上同じ体積の擬似物、前記食品に用いられた香料の総重量に所定の割合を乗じて得られた重量と同じ重量の香料、前記食品に用いられた香料の総重量に所定の割合を乗じて得られた重量と同じ重量の擬似物、前記食品に用いられた香料の総体積に所定の割合を乗じて得られた体積と同じ体積の香料、前記食品に用いられた香料の総体積に所定の割合を乗じて得られた体積と同じ体積の擬似物、前記食品に用いられた香料の総体積に所定の割合を乗じて得られた体積と見かけ上同じ体積の香料、前記食品に用いられた香料の総体積に所定の割合を乗じて得られた体積と見かけ上同じ体積の擬似物の少なくとも１つである付属物の画像、及び、前記所定の割合を表示した表示物、或いは、前記商品本体の原料の次世代の種子、若しくは、前記商品本体の原料と略同一条件で前記商品本体の原料とは別体で成長した代替原料の次世代の種子である付属物の画像、或いは、前記商品本体の原料の一部、若しくは、前記商品本体の原料と略同一条件で前記商品本体の原料とは別体で成長した代替原料から得られた種芋である付属物の画像、或いは、前記商品本体の原料の一部であり、若しくは、前記商品本体の原料と略同一条件で前記商品本体の原料とは別体で成長した代替原料であり、若しくは、前記商品本体の原料と一体に成長した一体成長物の前記商品本体の原料とは異なる部分であり、若しくは、前記商品本体の原料と略同一条件で前記商品本体の原料とは別体で成長した代替原料と一体に成長した代替一体成長物の前記商品本体の原料に対応する部分とは異なる部分である付属物本体が、水と共に収容されて構成された付属物の画像、或いは、前記商品本体の原料の生産の後に同商品本体の原料に関与した燻蒸剤、消毒剤、殺菌剤、抗菌剤、防かび剤、防腐剤、被膜剤、酸化防止剤、除草剤、殺虫剤、漂白殺菌剤、放射線、若しくは、薬剤の少なくとも１つである付属物の画像、或いは、前記商品本体の原料の生産の後に同商品本体の原料に関与した食品添加物、若しくは、成長ホルモン剤の少なくとも１つである付属物の画像、の少なくとも２つ以上を消費者に選択させるために表示する工程と、２つ以上の前記付属物の画像の中から消費者によって選択された１つ以上の前記付属物の画像に対応する前記付属物の現物のみ、２つ以上の前記付属物の画像の中から消費者によって選択された１つ以上の前記付属物の画像に対応する前記付属物の擬似物のみ、２つ以上の前記付属物の画像の中から消費者によって選択された１つ以上の前記付属物の画像に対応する前記付属物の画像のみが印刷された印刷媒体、の少なくとも１つを手渡し、消費者が前記付属物の現物、若しくは、前記付属物の擬似物、若しくは、前記印刷媒体を確認した後に、前記商品本体を送付若しくは手渡し、或いは、２つ以上の前記付属物の画像の中から消費者によって選択された１つ以上の前記付属物の画像に対応する前記付属物の現物のみ、２つ以上の前記付属物の画像の中から消費者によって選択された１つ以上の前記付属物の画像に対応する前記付属物の擬似物のみ、２つ以上の前記付属物の画像の中から消費者によって選択された１つ以上の前記付属物の画像に対応する前記付属物の画像のみが印刷された印刷媒体、の少なくとも１つを送付若しくは手渡し、消費者が前記付属物の現物、若しくは、前記付属物の擬似物、若しくは、前記印刷媒体を確認した後に、前記商品本体を手渡す工程とを備える。
【００５９】
また、上記の目的を達成するために、本発明の商品の提供方法では、二次産品である所定の商品本体の原料である付属物の画像、或いは、前記商品本体の原料と略同一条件で前記商品本体の原料とは別体で成長した代替原料である付属物の画像、或いは、前記商品本体の原料と略同一条件で前記商品本体の原料とは別体で成長した代替原料の粉末である付属物の画像、或いは、前記商品本体の原料と略同一条件で前記商品本体の原料とは別体で成長した代替原料の加工品である付属物の画像、或いは、前記商品本体の原料と略同一条件で前記商品本体の原料とは別体で成長した代替原料の粉末加工品である付属物の画像、或いは、前記商品本体の原料と略同一条件で前記商品本体の原料とは別体で成長した代替原料と一体に成長した代替一体成長物である付属物の画像、或いは、前記商品本体の原料と略同一条件で前記商品本体の原料とは別体で成長した代替原料と一体に成長した代替一体成長物の粉末である付属物の画像、或いは、前記商品本体の原料と略同一条件で前記商品本体の原料とは別体で成長した代替原料と一体に成長した代替一体成長物の加工品である付属物の画像、或いは、前記商品本体の原料と略同一条件で前記商品本体の原料とは別体で成長した代替原料と一体に成長した代替一体成長物の粉末加工品である付属物の画像、或いは、前記商品本体の原料と略同一条件で製造された代替製造原料である付属物の画像、或いは、前記商品本体の原料と略同一条件で製造された代替製造原料の粉末である付属物の画像、或いは、前記商品本体の原料と略同一条件で製造された代替製造原料の加工品である付属物の画像、或いは、前記商品本体の原料と略同一条件で製造された代替製造原料の粉末加工品である付属物の画像、或いは、前記商品本体の生産に関与した乳酸菌、ビフィズス菌、麹、麹菌、若しくは、枯草菌の少なくとも１つである付属物の画像、或いは、前記商品本体の生産に関与した木樽、瓶、プラスチック製容器、若しくは、漬け床である付属物の画像、或いは、前記商品本体の原料の生産に関与した土壌、水、海水、海底水、アルカリ水、海底水から採取した塩、海底泥、海藻、塩、肥料、土壌消毒剤、殺菌剤、抗菌剤、農薬、種子、土壌中の生き物、水中の生き物、草、養殖用飼料、プランクトン、昆虫類、忌避植物、飼料、赤身肉化剤、抗生物質、成長ホルモン剤、ビニールハウスのビニールと略同質のビニール、放射線の少なくとも１つである付属物の画像、或いは、前記商品本体の生産に関与した木樽の木片、前記商品本体の生産に関与した木樽と略同一条件の木樽の木片、前記商品本体の生産に関与した木樽の構成材と同一種類の木片、前記商品本体を生産した木樽の中に同商品本体と共に入れられた前記木樽の構成材と同一種類の木片、前記商品本体に含まれる汁、若しくは、前記商品本体の生産に関与した汁の少なくとも１つである付属物の画像、或いは、前記商品本体の原料と一体に成長した一体成長物の前記商品本体の原料とは異なる部分であり、若しくは、前記商品本体の原料と略同一条件で前記商品本体の原料とは別体で成長した代替原料と一体に成長した代替一体成長物の前記商品本体の原料に対応する部分とは異なる部分である付属物の画像、或いは、前記商品本体の原料と一体に成長した一体成長物の前記商品本体の原料とは異なる部分の粉末であり、若しくは、前記商品本体の原料と略同一条件で前記商品本体の原料とは別体で成長した代替原料と一体に成長した代替一体成長物の前記商品本体の原料に対応する部分とは異なる部分の粉末である付属物の画像、或いは、前記商品本体の原料と一体に成長した一体成長物の前記商品本体の原料とは異なる部分の加工品であり、若しくは、前記商品本体の原料と略同一条件で前記商品本体の原料とは別体で成長した代替原料と一体に成長した代替一体成長物の前記商品本体の原料に対応する部分とは異なる部分の加工品である付属物の画像、或いは、前記商品本体の原料と一体に成長した一体成長物の前記商品本体の原料とは異なる部分の粉末加工品であり、若しくは、前記商品本体の原料と略同一条件で前記商品本体の原料とは別体で成長した代替原料と一体に成長した代替一体成長物の前記商品本体の原料に対応する部分とは異なる部分の粉末加工品である付属物の画像、或いは、前記商品本体に用いられた食品添加物の総重量と同じ重量の食品添加物、前記商品本体に用いられた食品添加物の総重量と同じ重量の擬似物、前記商品本体に用いられた食品添加物の総体積と同じ体積の食品添加物、前記商品本体に用いられた食品添加物の総体積と同じ体積の擬似物、前記商品本体に用いられた食品添加物の総体積と見かけ上同じ体積の食品添加物、前記商品本体に用いられた食品添加物の総体積と見かけ上同じ体積の擬似物、前記商品本体に用いられた砂糖の総重量と同じ重量の砂糖、前記商品本体に用いられた砂糖の総重量と同じ重量の擬似物、前記商品本体に用いられた砂糖の総体積と同じ体積の砂糖、前記商品本体に用いられた砂糖の総体積と同じ体積の擬似物、前記商品本体に用いられた砂糖の総体積と見かけ上同じ体積の砂糖、前記商品本体に用いられた砂糖の総体積と見かけ上同じ体積の擬似物、前記商品本体に用いられた塩の総重量と同じ重量の塩、前記商品本体に用いられた塩の総重量と同じ重量の擬似物、前記商品本体に用いられた塩の総体積と同じ体積の塩、前記商品本体に用いられた塩の総体積と同じ体積の擬似物、前記商品本体に用いられた塩の総体積と見かけ上同じ体積の塩、前記商品本体に用いられた塩の総体積と見かけ上同じ体積の擬似物、前記商品本体に用いられたタンパク加水分解物の総重量と同じ重量のタンパク加水分解物、前記商品本体に用いられたタンパク加水分解物の総重量と同じ重量の擬似物、前記商品本体に用いられたタンパク加水分解物の総体積と同じ体積のタンパク加水分解物、前記商品本体に用いられたタンパク加水分解物の総体積と同じ体積の擬似物、前記商品本体に用いられたタンパク加水分解物の総体積と見かけ上同じ体積のタンパク加水分解物、前記商品本体に用いられたタンパク加水分解物の総体積と見かけ上同じ体積の擬似物、前記商品本体に用いられた調味料の総重量と同じ重量の調味料、前記商品本体に用いられた調味料の総重量と同じ重量の擬似物、前記商品本体に用いられた調味料の総体積と同じ体積の調味料、前記商品本体に用いられた調味料の総体積と同じ体積の擬似物、前記商品本体に用いられた調味料の総体積と見かけ上同じ体積の調味料、前記商品本体に用いられた調味料の総体積と見かけ上同じ体積の擬似物、前記商品本体に用いられたブドウ糖果糖液糖の総重量と同じ重量のブドウ糖果糖液糖、前記商品本体に用いられたブドウ糖果糖液糖の総重量と同じ重量の擬似物、前記商品本体に用いられたブドウ糖果糖液糖の総体積と同じ体積のブドウ糖果糖液糖、前記商品本体に用いられたブドウ糖果糖液糖の総体積と同じ体積の擬似物、前記商品本体に用いられたブドウ糖果糖液糖の総体積と見かけ上同じ体積のブドウ糖果糖液糖、前記商品本体に用いられたブドウ糖果糖液糖の総体積と見かけ上同じ体積の擬似物、前記商品本体に用いられた加工油脂の総重量と同じ重量の加工油脂、前記商品本体に用いられた加工油脂の総重量と同じ重量の擬似物、前記商品本体に用いられた加工油脂の総体積と同じ体積の加工油脂、前記商品本体に用いられた加工油脂の総体積と同じ体積の擬似物、前記商品本体に用いられた加工油脂の総体積と見かけ上同じ体積の加工油脂、前記商品本体に用いられた加工油脂の総体積と見かけ上同じ体積の擬似物、前記商品本体に用いられたトランス脂肪酸の総重量と同じ重量のトランス脂肪酸、前記商品本体に用いられたトランス脂肪酸の総重量と同じ重量の擬似物、前記商品本体に用いられたトランス脂肪酸の総体積と同じ体積のトランス脂肪酸、前記商品本体に用いられたトランス脂肪酸の総体積と同じ体積の擬似物、前記商品本体に用いられたトランス脂肪酸の総体積と見かけ上同じ体積のトランス脂肪酸、前記商品本体に用いられたトランス脂肪酸の総体積と見かけ上同じ体積の擬似物、前記商品本体に用いられた加工デンプンの総重量と同じ重量の加工デンプン、前記商品本体に用いられた加工デンプンの総重量と同じ重量の擬似物、前記商品本体に用いられた加工デンプンの総体積と同じ体積の加工デンプン、前記商品本体に用いられた加工デンプンの総体積と同じ体積の擬似物、前記商品本体に用いられた加工デンプンの総体積と見かけ上同じ体積の加工デンプン、前記商品本体に用いられた加工デンプンの総体積と見かけ上同じ体積の擬似物、前記商品本体に用いられた食品添加物のうち一括名の表示が認められた食品添加物の総重量と同じ重量の食品添加物、前記商品本体に用いられた食品添加物のうち一括名の表示が認められた食品添加物の総重量と同じ重量の擬似物、前記商品本体に用いられた食品添加物のうち一括名の表示が認められた食品添加物の総体積と同じ体積の食品添加物、前記商品本体に用いられた食品添加物のうち一括名の表示が認められた食品添加物の総体積と同じ体積の擬似物、前記商品本体に用いられた食品添加物のうち一括名の表示が認められた食品添加物の総体積と見かけ上同じ体積の食品添加物、前記商品本体に用いられた食品添加物のうち一括名の表示が認められた食品添加物の総体積と見かけ上同じ体積の擬似物、前記商品本体に用いられた合成ビタミンの総重量と同じ重量の合成ビタミン、前記商品本体に用いられた合成ビタミンの総重量と同じ重量の擬似物、前記商品本体に用いられた合成ビタミンの総体積と同じ体積の合成ビタミン、前記商品本体に用いられた合成ビタミンの総体積と同じ体積の擬似物、前記商品本体に用いられた合成ビタミンの総体積と見かけ上同じ体積の合成ビタミン、前記商品本体に用いられた合成ビタミンの総体積と見かけ上同じ体積の擬似物、前記商品本体に用いられた食品添加物のうちキャリーオーバーとみなされた食品添加物の総重量と同じ重量の食品添加物、前記商品本体に用いられた食品添加物のうちキャリーオーバーとみなされた食品添加物の総重量と同じ重量の擬似物、前記商品本体に用いられた食品添加物のうちキャリーオーバーとみなされた食品添加物の総体積と同じ体積の食品添加物、前記商品本体に用いられた食品添加物のうちキャリーオーバーとみなされた食品添加物の総体積と同じ体積の擬似物、前記商品本体に用いられた食品添加物のうちキャリーオーバーとみなされた食品添加物の総体積と見かけ上同じ体積の食品添加物、前記商品本体に用いられた食品添加物のうちキャリーオーバーとみなされた食品添加物の総体積と見かけ上同じ体積の擬似物、前記商品本体に用いられた食品添加物のうちキャリーオーバーとみなされた食品添加物を除く食品添加物の総重量と同じ重量の食品添加物、前記商品本体に用いられた食品添加物のうちキャリーオーバーとみなされた食品添加物を除く食品添加物の総重量と同じ重量の擬似物、前記商品本体に用いられた食品添加物のうちキャリーオーバーとみなされた食品添加物を除く食品添加物の総体積と同じ体積の食品添加物、前記商品本体に用いられた食品添加物のうちキャリーオーバーとみなされた食品添加物を除く食品添加物の総体積と同じ体積の擬似物、前記商品本体に用いられた食品添加物のうちキャリーオーバーとみなされた食品添加物を除く食品添加物の総体積と見かけ上同じ体積の食品添加物、前記商品本体に用いられた食品添加物のうちキャリーオーバーとみなされた食品添加物を除く食品添加物の総体積と見かけ上同じ体積の擬似物、前記商品本体に用いられた脱脂加工大豆の総重量と同じ重量の脱脂加工大豆、前記商品本体に用いられた脱脂加工大豆の総重量と同じ重量の擬似物、前記商品本体に用いられた脱脂加工大豆の総体積と同じ体積の脱脂加工大豆、前記商品本体に用いられた脱脂加工大豆の総体積と同じ体積の擬似物、前記商品本体に用いられた脱脂加工大豆の総体積と見かけ上同じ体積の脱脂加工大豆、前記商品本体に用いられた脱脂加工大豆の総体積と見かけ上同じ体積の擬似物、前記食品に用いられたカラメル色素の総重量と同じ重量のカラメル色素、前記食品に用いられたカラメル色素の総重量と同じ重量の擬似物、前記食品に用いら
れたカラメル色素の総体積と同じ体積のカラメル色素、前記食品に用いられたカラメル色素の総体積と同じ体積の擬似物、前記食品に用いられたカラメル色素の総体積と見かけ上同じ体積のカラメル色素、前記食品に用いられたカラメル色素の総体積と見かけ上同じ体積の擬似物、前記食品に用いられたアスパルテームの総重量と同じ重量のアスパルテーム、前記食品に用いられたアスパルテームの総重量と同じ重量の擬似物、前記食品に用いられたアスパルテームの総体積と同じ体積のアスパルテーム、前記食品に用いられたアスパルテームの総体積と同じ体積の擬似物、前記食品に用いられたアスパルテームの総体積と見かけ上同じ体積のアスパルテーム、前記食品に用いられたアスパルテームの総体積と見かけ上同じ体積の擬似物、前記食品に用いられた香料の総重量と同じ重量の香料、前記食品に用いられた香料の総重量と同じ重量の擬似物、前記食品に用いられた香料の総体積と同じ体積の香料、前記食品に用いられた香料の総体積と同じ体積の擬似物、前記食品に用いられた香料の総体積と見かけ上同じ体積の香料、前記食品に用いられた香料の総体積と見かけ上同じ体積の擬似物の少なくとも１つである付属物の画像、或いは、所定の機能別若しくは所定の用途別に分類された前記商品本体に用いられた食品添加物の少なくとも一部である付属物の画像、或いは、前記商品本体に用いられた食品添加物の総重量に所定の割合を乗じて得られた重量と同じ重量の食品添加物、前記商品本体に用いられた食品添加物の総重量に所定の割合を乗じて得られた重量と同じ重量の擬似物、前記商品本体に用いられた食品添加物の総体積に所定の割合を乗じて得られた体積と同じ体積の食品添加物、前記商品本体に用いられた食品添加物の総体積に所定の割合を乗じて得られた体積と同じ体積の擬似物、前記商品本体に用いられた食品添加物の総体積に所定の割合を乗じて得られた体積と見かけ上同じ体積の食品添加物、前記商品本体に用いられた食品添加物の総体積に所定の割合を乗じて得られた体積と見かけ上同じ体積の擬似物、前記商品本体に用いられた砂糖の総重量に所定の割合を乗じて得られた重量と同じ重量の砂糖、前記商品本体に用いられた砂糖の総重量に所定の割合を乗じて得られた重量と同じ重量の擬似物、前記商品本体に用いられた砂糖の総体積に所定の割合を乗じて得られた体積と同じ体積の砂糖、前記商品本体に用いられた砂糖の総体積に所定の割合を乗じて得られた体積と同じ体積の擬似物、前記商品本体に用いられた砂糖の総体積に所定の割合を乗じて得られた体積と見かけ上同じ体積の砂糖、前記商品本体に用いられた砂糖の総体積に所定の割合を乗じて得られた体積と見かけ上同じ体積の擬似物、前記商品本体に用いられた塩の総重量に所定の割合を乗じて得られた重量と同じ重量の塩、前記商品本体に用いられた塩の総重量に所定の割合を乗じて得られた重量と同じ重量の擬似物、前記商品本体に用いられた塩の総体積に所定の割合を乗じて得られた体積と同じ体積の塩、前記商品本体に用いられた塩の総体積に所定の割合を乗じて得られた体積と同じ体積の擬似物、前記商品本体に用いられた塩の総体積に所定の割合を乗じて得られた体積と見かけ上同じ体積の塩、前記商品本体に用いられた塩の総体積に所定の割合を乗じて得られた体積と見かけ上同じ体積の擬似物、前記商品本体に用いられたタンパク加水分解物の総重量に所定の割合を乗じて得られた重量と同じ重量のタンパク加水分解物、前記商品本体に用いられたタンパク加水分解物の総重量に所定の割合を乗じて得られた重量と同じ重量の擬似物、前記商品本体に用いられたタンパク加水分解物の総体積に所定の割合を乗じて得られた体積と同じ体積のタンパク加水分解物、前記商品本体に用いられたタンパク加水分解物の総体積に所定の割合を乗じて得られた体積と同じ体積の擬似物、前記商品本体に用いられたタンパク加水分解物の総体積に所定の割合を乗じて得られた体積と見かけ上同じ体積のタンパク加水分解物、前記商品本体に用いられたタンパク加水分解物の総体積に所定の割合を乗じて得られた体積と見かけ上同じ体積の擬似物、前記商品本体に用いられた調味料の総重量に所定の割合を乗じて得られた重量と同じ重量の調味料、前記商品本体に用いられた調味料の総重量に所定の割合を乗じて得られた重量と同じ重量の擬似物、前記商品本体に用いられた調味料の総体積に所定の割合を乗じて得られた体積と同じ体積の調味料、前記商品本体に用いられた調味料の総体積に所定の割合を乗じて得られた体積と同じ体積の擬似物、前記商品本体に用いられた調味料の総体積に所定の割合を乗じて得られた体積と見かけ上同じ体積の調味料、前記商品本体に用いられた調味料の総体積に所定の割合を乗じて得られた体積と見かけ上同じ体積の擬似物、前記商品本体に用いられたブドウ糖果糖液糖の総重量に所定の割合を乗じて得られた重量と同じ重量のブドウ糖果糖液糖、前記商品本体に用いられたブドウ糖果糖液糖の総重量に所定の割合を乗じて得られた重量と同じ重量の擬似物、前記商品本体に用いられたブドウ糖果糖液糖の総体積に所定の割合を乗じて得られた体積と同じ体積のブドウ糖果糖液糖、前記商品本体に用いられたブドウ糖果糖液糖の総体積に所定の割合を乗じて得られた体積と同じ体積の擬似物、前記商品本体に用いられたブドウ糖果糖液糖の総体積に所定の割合を乗じて得られた体積と見かけ上同じ体積のブドウ糖果糖液糖、前記商品本体に用いられたブドウ糖果糖液糖の総体積に所定の割合を乗じて得られた体積と見かけ上同じ体積の擬似物、前記商品本体に用いられた加工油脂の総重量に所定の割合を乗じて得られた重量と同じ重量の加工油脂、前記商品本体に用いられた加工油脂の総重量に所定の割合を乗じて得られた重量と同じ重量の擬似物、前記商品本体に用いられた加工油脂の総体積に所定の割合を乗じて得られた体積と同じ体積の加工油脂、前記商品本体に用いられた加工油脂の総体積に所定の割合を乗じて得られた体積と同じ体積の擬似物、前記商品本体に用いられた加工油脂の総体積に所定の割合を乗じて得られた体積と見かけ上同じ体積の加工油脂、前記商品本体に用いられた加工油脂の総体積に所定の割合を乗じて得られた体積と見かけ上同じ体積の擬似物、前記商品本体に用いられたトランス脂肪酸の総重量に所定の割合を乗じて得られた重量と同じ重量のトランス脂肪酸、前記商品本体に用いられたトランス脂肪酸の総重量に所定の割合を乗じて得られた重量と同じ重量の擬似物、前記商品本体に用いられたトランス脂肪酸の総体積に所定の割合を乗じて得られた体積と同じ体積のトランス脂肪酸、前記商品本体に用いられたトランス脂肪酸の総体積に所定の割合を乗じて得られた体積と同じ体積の擬似物、前記商品本体に用いられたトランス脂肪酸の総体積に所定の割合を乗じて得られた体積と見かけ上同じ体積のトランス脂肪酸、前記商品本体に用いられたトランス脂肪酸の総体積に所定の割合を乗じて得られた体積と見かけ上同じ体積の擬似物、前記商品本体に用いられた加工デンプンの総重量に所定の割合を乗じて得られた重量と同じ重量の加工デンプン、前記商品本体に用いられた加工デンプンの総重量に所定の割合を乗じて得られた重量と同じ重量の擬似物、前記商品本体に用いられた加工デンプンの総体積に所定の割合を乗じて得られた体積と同じ体積の加工デンプン、前記商品本体に用いられた加工デンプンの総体積に所定の割合を乗じて得られた体積と同じ体積の擬似物、前記商品本体に用いられた加工デンプンの総体積に所定の割合を乗じて得られた体積と見かけ上同じ体積の加工デンプン、前記商品本体に用いられた加工デンプンの総体積に所定の割合を乗じて得られた体積と見かけ上同じ体積の擬似物、前記商品本体に用いられた食品添加物のうち一括名の表示が認められた食品添加物の総重量に所定の割合を乗じて得られた重量と同じ重量の食品添加物、前記商品本体に用いられた食品添加物のうち一括名の表示が認められた食品添加物の総重量に所定の割合を乗じて得られた重量と同じ重量の擬似物、前記商品本体に用いられた食品添加物のうち一括名の表示が認められた食品添加物の総体積に所定の割合を乗じて得られた体積と同じ体積の食品添加物、前記商品本体に用いられた食品添加物のうち一括名の表示が認められた食品添加物の総体積に所定の割合を乗じて得られた体積と同じ体積の擬似物、前記商品本体に用いられた食品添加物のうち一括名の表示が認められた食品添加物の総体積に所定の割合を乗じて得られた体積と見かけ上同じ体積の食品添加物、前記商品本体に用いられた食品添加物のうち一括名の表示が認められた食品添加物の総体積に所定の割合を乗じて得られた体積と見かけ上同じ体積の擬似物、前記商品本体に用いられた合成ビタミンの総重量に所定の割合を乗じて得られた重量と同じ重量の合成ビタミン、前記商品本体に用いられた合成ビタミンの総重量に所定の割合を乗じて得られた重量と同じ重量の擬似物、前記商品本体に用いられた合成ビタミンの総体積に所定の割合を乗じて得られた体積と同じ体積の合成ビタミン、前記商品本体に用いられた合成ビタミンの総体積に所定の割合を乗じて得られた体積と同じ体積の擬似物、前記商品本体に用いられた合成ビタミンの総体積に所定の割合を乗じて得られた体積と見かけ上同じ体積の合成ビタミン、前記商品本体に用いられた合成ビタミンの総体積に所定の割合を乗じて得られた体積と見かけ上同じ体積の擬似物、前記商品本体に用いられた食品添加物のうちキャリーオーバーとみなされた食品添加物の総重量に所定の割合を乗じて得られた重量と同じ重量の食品添加物、前記商品本体に用いられた食品添加物のうちキャリーオーバーとみなされた食品添加物の総重量に所定の割合を乗じて得られた重量と同じ重量の擬似物、前記商品本体に用いられた食品添加物のうちキャリーオーバーとみなされた食品添加物の総体積に所定の割合を乗じて得られた体積と同じ体積の食品添加物、前記商品本体に用いられた食品添加物のうちキャリーオーバーとみなされた食品添加物の総体積に所定の割合を乗じて得られた体積と同じ体積の擬似物、前記商品本体に用いられた食品添加物のうちキャリーオーバーとみなされた食品添加物の総体積に所定の割合を乗じて得られた体積と見かけ上同じ体積の食品添加物、前記商品本体に用いられた食品添加物のうちキャリーオーバーとみなされた食品添加物の総体積に所定の割合を乗じて得られた体積と見かけ上同じ体積の擬似物、前記商品本体に用いられた食品添加物のうちキャリーオーバーとみなされた食品添加物を除く食品添加物の総重量に所定の割合を乗じて得られた重量と同じ重量の食品添加物、前記商品本体に用いられた食品添加物のうちキャリーオーバーとみなされた食品添加物を除く食品添加物の総重量に所定の割合を乗じて得られた重量と同じ重量の擬似物、前記商品本体に用いられた食品添加物のうちキャリーオーバーとみなされた食品添加物を除く食品添加物の総体積に所定の割合を乗じて得られた体積と同じ体積の食品添加物、前記商品本体に用いられた食品添加物のうちキャリーオーバーとみなされた食品添加物を除く食品添加物の総体積に所定の割合を乗じて得られた体積と同じ体積の擬似物、前記商品本体に用いられた食品添加物のうちキャリーオーバーとみなされた食品添加物を除く食品添加物の総体積に所定の割合を乗じて得られた体積と見かけ上同じ体積の食品添加物、前記商品本体に用いられた食品添加物のうちキャリーオーバーとみなされた食品添加物を除く食品添加物の総体積に所定の割合を乗じて得られた体積と見かけ上同じ体積の擬似物、前記商品本体に用いられた脱脂加工大豆の総重量に所定の割合を乗じて得られた重量と同じ重量の脱脂加工大豆、前記商品本体に用いられた脱脂加工大豆の総重量に所定の割合を乗じて得られた重量と同じ重量の擬似物、前記商品本体に用いられた脱脂加工大豆の総体積に所定の割合を乗じて得られた体積と同じ体積の脱脂加工大豆、前記商品本体に用いられた脱脂加工大豆の総体積に所定の割合を乗じて得られた体積と同じ体積の擬似物、前記商品本体に用いられた脱脂加工大豆の総体積に所定の割合を乗じて得られた体積と見かけ上同じ体積の脱脂加工大豆、前記商品
本体に用いられた脱脂加工大豆の総体積に所定の割合を乗じて得られた体積と見かけ上同じ体積の擬似物、前記食品に用いられたカラメル色素の総重量に所定の割合を乗じて得られた重量と同じ重量のカラメル色素、前記食品に用いられたカラメル色素の総重量に所定の割合を乗じて得られた重量と同じ重量の擬似物、前記食品に用いられたカラメル色素の総体積に所定の割合を乗じて得られた体積と同じ体積のカラメル色素、前記食品に用いられたカラメル色素の総体積に所定の割合を乗じて得られた体積と同じ体積の擬似物、前記食品に用いられたカラメル色素の総体積に所定の割合を乗じて得られた体積と見かけ上同じ体積のカラメル色素、前記食品に用いられたカラメル色素の総体積に所定の割合を乗じて得られた体積と見かけ上同じ体積の擬似物、前記食品に用いられたアスパルテームの総重量に所定の割合を乗じて得られた重量と同じ重量のアスパルテーム、前記食品に用いられたアスパルテームの総重量に所定の割合を乗じて得られた重量と同じ重量の擬似物、前記食品に用いられたアスパルテームの総体積に所定の割合を乗じて得られた体積と同じ体積のアスパルテーム、前記食品に用いられたアスパルテームの総体積に所定の割合を乗じて得られた体積と同じ体積の擬似物、前記食品に用いられたアスパルテームの総体積に所定の割合を乗じて得られた体積と見かけ上同じ体積のアスパルテーム、前記食品に用いられたアスパルテームの総体積に所定の割合を乗じて得られた体積と見かけ上同じ体積の擬似物、前記食品に用いられた香料の総重量に所定の割合を乗じて得られた重量と同じ重量の香料、前記食品に用いられた香料の総重量に所定の割合を乗じて得られた重量と同じ重量の擬似物、前記食品に用いられた香料の総体積に所定の割合を乗じて得られた体積と同じ体積の香料、前記食品に用いられた香料の総体積に所定の割合を乗じて得られた体積と同じ体積の擬似物、前記食品に用いられた香料の総体積に所定の割合を乗じて得られた体積と見かけ上同じ体積の香料、前記食品に用いられた香料の総体積に所定の割合を乗じて得られた体積と見かけ上同じ体積の擬似物の少なくとも１つである付属物の画像、及び、前記所定の割合を表示した表示物、或いは、前記商品本体の原料の次世代の種子、若しくは、前記商品本体の原料と略同一条件で前記商品本体の原料とは別体で成長した代替原料の次世代の種子である付属物の画像、或いは、前記商品本体の原料の一部、若しくは、前記商品本体の原料と略同一条件で前記商品本体の原料とは別体で成長した代替原料から得られた種芋である付属物の画像、或いは、前記商品本体の原料の一部であり、若しくは、前記商品本体の原料と略同一条件で前記商品本体の原料とは別体で成長した代替原料であり、若しくは、前記商品本体の原料と一体に成長した一体成長物の前記商品本体の原料とは異なる部分であり、若しくは、前記商品本体の原料と略同一条件で前記商品本体の原料とは別体で成長した代替原料と一体に成長した代替一体成長物の前記商品本体の原料に対応する部分とは異なる部分である付属物本体が、水と共に収容されて構成された付属物の画像、或いは、前記商品本体の原料の生産の後に同商品本体の原料に関与した燻蒸剤、消毒剤、殺菌剤、抗菌剤、防かび剤、防腐剤、被膜剤、酸化防止剤、除草剤、殺虫剤、漂白殺菌剤、放射線、若しくは、薬剤の少なくとも１つである付属物の画像、或いは、前記商品本体の原料の生産の後に同商品本体の原料に関与した食品添加物、若しくは、成長ホルモン剤の少なくとも１つである付属物の画像、の少なくとも２つ以上が表示された印刷物を、同印刷物に表示された前記付属物の画像を選択させるために消費者に提供する工程と、提供された前記印刷物に表示された２つ以上の前記付属物の画像の中から消費者によって選択された１つ以上の前記付属物の画像に対応する前記付属物の現物のみ、提供された前記印刷物に表示された２つ以上の前記付属物の画像の中から消費者によって選択された１つ以上の前記付属物の画像に対応する前記付属物の擬似物のみ、提供された前記印刷物に表示された２つ以上の前記付属物の画像の中から消費者によって選択された１つ以上の前記付属物の画像に対応する前記付属物の画像のみが印刷された印刷媒体、の少なくとも１つを手渡し、消費者が前記付属物の現物、若しくは、前記付属物の擬似物、若しくは、前記印刷媒体を確認した後に、前記商品本体を送付若しくは手渡し、或いは、提供された前記印刷物に表示された２つ以上の前記付属物の画像の中から消費者によって選択された１つ以上の前記付属物の画像に対応する前記付属物の現物のみ、提供された前記印刷物に表示された２つ以上の前記付属物の画像の中から消費者によって選択された１つ以上の前記付属物の画像に対応する前記付属物の擬似物のみ、提供された前記印刷物に表示された２つ以上の前記付属物の画像の中から消費者によって選択された１つ以上の前記付属物の画像に対応する前記付属物の画像のみが印刷された印刷媒体、の少なくとも１つを送付若しくは手渡し、消費者が前記付属物の現物、若しくは、前記付属物の擬似物、若しくは、前記印刷媒体を確認した後に、前記商品本体を手渡す工程とを備える。
【００６０】
ここで、食品や商品本体の原料である付属物の画像や現物や擬似物、また、こうした付属物の画像が印刷された印刷媒体によって、消費者は提供される食品（二次産品）や商品本体（二次産品）の原料の品質を把握することができる。また、「食品の原料」や「商品本体の原料」は、一次産品であっても、二次産品であっても良い。なお、商品の原料について、動物性の原料として皮、動物性原料に似せた人工皮革、等が挙げられる。
【００６１】
なお、食品が発酵食品である場合には、例えば、食品が味噌、しょう油、酒、ビール、焼酎、漬物等である場合には、食品の原料として麹や麹菌が挙げられる。また、食品の原料が卵である場合としては、例えば、鶏卵、いくら、からすみ、明太子等が挙げられる。鶏卵については、消費者に提供することで有精卵か無精卵かの別を把握することが可能となる。また、飼料情報、飼育環境、飲む水の水質情報等も把握することが可能となる。更に、食品の原料である卵と略同一条件で生産された代替卵であっても同様である。
【００６２】
また、食品や商品本体の原料と略同一条件で食品や商品本体の原料とは別体で成長した代替原料、食品や商品本体の原料と略同一条件で食品や商品本体の原料とは別体で成長した代替原料の粉末、食品や商品本体の原料と略同一条件で食品や商品本体の原料とは別体で成長した代替原料の加工品、または、食品や商品本体の原料と略同一条件で食品や商品本体の原料とは別体で成長した代替原料の粉末加工品である付属物の画像や現物や擬似物、また、こうした付属物の画像が印刷された印刷媒体によって、消費者は提供される食品（二次産品）や商品本体（二次産品）の原料の品質を把握することができる。
なお、「代替原料である付属物の画像」には、「代替原料である付属物のＤＮＡに関する画像」をも含む。
【００６３】
また、「食品の原料」には、「動物性の原料」と「植物性の原料」、更に両者の組合せとがあり、「動物性の原料」とは「動物に由来する原料」を意味し、例えば、肉、魚、貝、卵、乳、油脂などが挙げられ、「植物性の原料」とは「植物体に存在する原料」を意味し、米，小麦，大豆，小豆，トウモロコシ等の穀類、芋、豆、野菜、果実、キノコ、油脂、海藻類等が挙げられる。
【００６４】
ここで、「食品の原料と略同一条件で食品の原料とは別体で成長した代替原料」とは、同じ場所で同じ物を食して育った牛や豚や、同じ時期に同じ海域で収穫された魚等を意味する。また、同じ農場で同じ肥料を施して育った野菜や果実を意味する。商品本体についても同様である。
即ち、「代替原料」とは、品質を把握するにあたって、食品や商品本体の原料と同一視できるものを意味している。
【００６５】
なお、魚の場合には、漁をする海域が同じであっても荷揚げする港が異なっていれば、魚のブランドが異なるといったことがあり得る。しかしながら、同じ時期に同じ海域で収穫された魚については、品質を把握するにあたって同一視できることから、ブランドが異なっていたとしても、代替原料であると言える。
また、海域を表示する手段としては、漁船に搭載されたナビゲーションシステムを利用して作成された漁獲した海域図が挙げられる。更に、養殖場を消費者が確認できる様に囲いブイや網などに、通信可能な機器を付けても良い。
【００６６】
ここで、代替原料としての魚の画像に、漁船が漁をした航路図（魚に対応）を添付することで、荷揚げ違いの漁港であっても、同一海域かどうかの判定ができ、消費者の理解の容易化が実現できる。同様に、代替原料としての貝類の画像に、貝類を収穫した湾や湾内の区域図を添付することで、荷揚げ違いの漁港であっても、同一湾で収穫したかどうかの判定ができ、消費者の理解の容易化が実現できる。同様に、代替原料としての貝類の画像に、貝類を収穫した湾や湾内の区域図を添付することで、荷揚げ違いの漁港であっても、同一湾で収穫したかどうかの判定ができ、消費者の理解の容易化が実現できる。
また、泳いでいる魚を検体として放射能等の数値を確認することができるが、同一地域の海底の生き物からも放射能等の情報を得ることができ、特に、海底の生き物については危険物質の把握が容易な場合もある。
【００６７】
なお、一般栽培（化学肥料と農薬を使う農法）、有機栽培（有機肥料と無農薬の農法）、自然栽培（無肥料と無農薬の農法）等、それぞれの農法の食品の原料は、互いに代替原料では無い。ここで、一般栽培から自然栽培に切り替えたからといって、切り替えた後も１年ぐらいは土壌に化学肥料や農薬が残っており、自然栽培と認定するわけにはいかない。なお、切り替えた後、３年〜５年程度が経過すると、自然栽培農法による食品の原料として認定しても構わない。この点については、有機栽培についても同様である。
【００６８】
具体的には、食品原料Ａと同一生産人が、食品原料Ａと同一時期に、食品原料Ａと同一の農法で栽培した農作物Ｂについては、食品原料Ａの代替原料と言える。また、「同一生産人」は農協の部会が同じである場合を含めても良く、「同一農法」とは肥料や農薬が一定の基準を満たす場合を含めても良い。なお、「部会」とは、「植える土壌は持ち主によって異なるが、共同或いは協働して、できるだけ同一品種の作物を出荷しようという目的を持った複数の生産者の集合体」を意味する。
【００６９】
例えば、食品の植物性の原料がリンゴである場合は、そのリンゴと同じ果樹園で同様の育成条件（肥料や農薬の有無）を施して育てた他のリンゴは「代替原料」に該当する。一方、異なる果樹園のリンゴや、同じ果樹園でも異なる育成条件（肥料や農薬の有無）や異なる条件若しくは環境で育てたリンゴは「代替原料」には該当しない。
【００７０】
例えば、食品の動物性の原料が牛ヒレ肉である場合は、その牛と同じ肉牛牧場で同様の飼料を食した別の牛のヒレ肉部分は「代替原料」に該当する。一方、異なる肉牛牧場の牛のヒレ肉部分や、同じ肉牛牧場であるものの、異なる飼料を食した牛のヒレ肉部分は、同一条件、同一環境では無いと考えられるために、「代替原料」には該当しない。なお、「異なる飼料」には、一方が遺伝子組換え技術を用いた飼料で、他方が遺伝子組換え技術を用いていない飼料の場合も含まれる。
【００７１】
例えば、食品の原料が貝類（しじみ）である場合、同じ海域、湾で成長した代替原料である貝類（しじみ）のＤＮＡに関する情報を掲載することで、採取地が認識でき、しかも、採取地特有の貝類（しじみ）のＤＮＡに関する情報ということとなり、消費者の安心の度合いが高まることとなる。
【００７２】
また、「代替原料の粉末」として、例えば、粉末をふりかけ用として用いることができるもの等が挙げられる。
【００７３】
また、「代替原料の加工品」とは、例えば、卵を加工した玉子焼きやケーキ、お菓子、小麦を加工した団子、米を加工したおにぎりや煎餅や餅、パン、焼酎、酒、魚を加工したかまぼこ等が挙げられる。
【００７４】
また、「代替原料の粉末加工品」とは、例えば、米粉を加工した乾パン、パン、小麦粉を加工したお菓子、小麦粉を加工したういろう、大豆の粉を加工したトースト、きな粉クッキー等をいう。
【００７５】
また、食品や商品本体の原料と略同一条件で食品や商品本体の原料とは別体で成長した代替原料と一体に成長した代替一体成長物、食品や商品本体の原料と略同一条件で食品や商品本体の原料とは別体で成長した代替原料と一体に成長した代替一体成長物の粉末、食品や商品本体の原料と略同一条件で食品や商品本体の原料とは別体で成長した代替原料と一体に成長した代替一体成長物の加工品、または、食品や商品本体の原料と略同一条件で食品や商品本体の原料とは別体で成長した代替原料と一体に成長した代替一体成長物の粉末加工品である付属物の画像や現物や擬似物、また、こうした付属物の画像が印刷された印刷媒体によって、消費者は食品（二次産品）や商品本体（二次産品）の原料の品質を把握することができる。
なお、「代替一体成長物である付属物の画像」には、「代替一体成長物である付属物のＤＮＡに関する画像」をも含む。
【００７６】
また、商品本体の原料と略同一条件で製造された代替製造原料、商品本体の原料と略同一条件で製造された代替製造原料の粉末、商品本体の原料と略同一条件で製造された代替製造原料の加工品、または、商品本体の原料と略同一条件で製造された代替製造原料の粉末加工品である付属物の画像や現物や擬似物、また、こうした付属物の画像が印刷された印刷媒体によって、消費者は商品本体（二次産品）の原料の品質を把握することができる。
【００７７】
ここで、「商品本体の原料と略同一条件で製造された代替製造原料」とは、環境や条件を同じくして製造された原料を意味する。
即ち、「代替製造原料」とは、品質を把握するにあたって、商品本体の原料と同一視できるものを意味している。
【００７８】
また、食品や商品本体の原料である付属物の画像や、代替原料（その粉末や加工品や粉末加工品も含む）である付属物の画像や、代替一体成長物（その粉末や加工品や粉末加工品も含む）である付属物の画像や、代替製造原料（その粉末や加工品や粉末加工品も含む）である付属物の画像と共に、付属物の詳細な説明を表示しても良い。
例えば、和菓子の製造過程において、遠赤外線を作用させた特殊な水を用いている場合において、こうした特殊な水（付属物に該当）の画像と共に、遠赤外線を作用させた特殊な水の水質情報を文字情報や音声情報で伝達しても良い。また、例えば、付属物が木工品である場合に、商品本体と同一木材を加工した付属物である旨を伝達しても良く、付属物が人工皮革製品（例えば、ミニチュアのランドセル）である場合に、商品本体（ランドセル）と同一の人工皮革を加工した旨を伝達しても良い。
【００７９】
また、食品や商品本体の生産に関与した乳酸菌、ビフィズス菌、麹、麹菌、若しくは、枯草菌の少なくとも１つである付属物の画像や現物や擬似物、また、こうした付属物の画像が印刷された印刷媒体によって、食品や商品本体が消費者に提供されるまでの過程において影響を受けた要因を把握することができる。同様に、食品や商品本体の生産に関与した木樽、瓶、プラスチック製容器、若しくは、漬け床である付属物の画像や現物や擬似物、また、こうした付属物の画像が印刷された印刷媒体によって、食品や商品本体が消費者に提供されるまでの過程において影響を受けた要因を把握することができる。
なお、漬け床としては、例えば、塩、しょう油、味噌、麹、麹菌、米ぬか、酒かす、酢、もろみ、辛子、みりん等が挙げられる。
また、乳酸菌等の付属物の変化について消費者に提供しても良い。具体的には、食品の乳酸菌の変化を、購入後に提供しても良い。
【００８０】
また、食品や商品本体の原料の生産に関与した土壌、水、海水、海底水、アルカリ水、海底水から採取した塩、海底泥、海藻、塩、肥料、土壌消毒剤、殺菌剤、抗菌剤、農薬、種子、土壌中の生き物、水中の生き物、草、養殖用飼料、プランクトン、昆虫類、忌避植物、飼料、赤身肉化剤、抗生物質、成長ホルモン剤、ビニールハウスのビニールと略同質のビニール、放射線の少なくとも１つである付属物の画像や現物や擬似物、また、こうした付属物の画像が印刷された印刷媒体によって、食品や商品本体の原料が消費者に提供されるまでの過程において影響を受けた要因を把握することができる。
【００８１】
更に、食品や商品本体の生産に関与した木樽の木片、食品や商品本体の生産に関与した木樽と略同一条件の木樽の木片、食品や商品本体の生産に関与した木樽の構成材と同一種類の木片、食品や商品本体を生産した木樽の中に食品や商品本体と共に入れられた木樽の構成材と同一種類の木片の少なくとも１つである付属物の画像や現物や擬似物、また、こうした付属物の画像が印刷された印刷媒体によって、消費者は提供される食品や商品本体の生産環境の実態を把握することができる。
【００８２】
ここで、「食品や商品本体の生産に関与した木樽と略同一条件の木樽」とは、食品や商品本体の生産環境の実態を把握するにあたって、同一視できるものを言う。例えば、同一の木材を使用して構成され、同じ環境下で利用された木樽が該当する。一方で、異なる木材で構成された場合や、異なる環境下で利用された木樽は該当しない。
【００８３】
また、食品や商品本体に含まれる汁や、食品や商品本体の生産に関与した汁である付属物の画像や現物や擬似物、また、こうした付属物の画像が印刷された印刷媒体によって、消費者は提供される食品や商品本体の生産環境の実態を把握することができる。具体的には、例えば、おでんを煮込んだ汁や、煮魚の煮汁といった具合である。
【００８４】
例えば、コンビニエンスストア等で販売されているおでんを例に挙げると、おでんの具材は、調理された状態（下味がつけられた状態）で各店舗に届けられ、各店舗で具材を温めることになる。なお、おでんの出汁には、次から次に具材が入ることになるが、おでんの出汁には具材に含まれている食品添加物が混ざり込む（溶け込む）ことになる。そして、こうした出汁に具材が浸された状態で販売されることになる。
ここで、おでんの出汁は「食品に含まれる汁」に該当し、具材に下味を付ける際の汁は「食品の生産に関与した汁」に該当する。
【００８５】
また、食品や商品本体の原料と一体に成長した一体成長物の食品や商品本体の原料とは異なる部分、若しくは、食品や商品本体の原料と略同一条件で食品や商品本体の原料とは別体で成長した代替原料と一体に成長した代替一体成長物の食品や商品本体の原料に対応する部分とは異なる部分、若しくは、食品や商品本体の原料と一体に成長した一体成長物の食品や商品本体の原料とは異なる部分の粉末、若しくは、食品や商品本体の原料と略同一条件で食品や商品本体の原料とは別体で成長した代替原料と一体に成長した代替一体成長物の食品や商品本体の原料に対応する部分とは異なる部分の粉末、若しくは、食品や商品本体の原料と一体に成長した一体成長物の食品や商品本体の原料とは異なる部分の加工品、若しくは、食品や商品本体の原料と略同一条件で食品や商品本体の原料とは別体で成長した代替原料と一体に成長した代替一体成長物の食品や商品本体の原料に対応する部分とは異なる部分の加工品、若しくは、食品や商品本体の原料と一体に成長した一体成長物の食品や商品本体の原料とは異なる部分の粉末加工品、若しくは、食品や商品本体の原料と略同一条件で食品や商品本体の原料とは別体で成長した代替原料と一体に成長した代替一体成長物の食品や商品本体の原料に対応する部分とは異なる部分の粉末加工品である付属物の画像や現物や擬似物、また、こうした付属物の画像が印刷された印刷媒体によって、消費者は提供される食品や商品本体の原料の成長過程の実態を把握することができる。
【００８６】
ここで、「食品や商品本体の原料と一体に成長した一体成長物の食品や商品本体の原料とは異なる部分」とは、食品や商品本体の原料として採用された部分とは異なる部分であるものの、食品や商品本体の原料と一体に成長した部分を意味する。
【００８７】
なお、食品の原料については、「動物性の原料」と「植物性の原料」に大別され、「動物性の原料」とは「動物に由来する原料」を意味し、例えば、肉、魚、貝、卵、乳などが挙げられ、「植物性の原料」とは「植物体に存在する原料」を意味し、穀類、芋、豆、野菜、果実、キノコ、海藻類等が挙げられる。
【００８８】
例えば、食品の動物性の原料が豚ロース肉である場合は、同じ豚のその他のロース肉部分は、同一部分であるために、「一体成長物」には該当するものの、「一体成長物の食品の動物性の原料とは異なる部分」には該当しない。これに対して、同じ豚の皮や手や足は「一体成長物の食品の動物性の原料とは異なる部分」に該当する。
例えば、食品の植物性の原料が大根（根や茎の部分）である場合は、大根の根や茎のその他の部分は、同一部分であるために、「一体成長物」には該当するものの、「一体成長物の食品の植物性の原料とは異なる部分」には該当しない。これに対して、同じ大根の葉は「一体成長物の食品の植物性の原料とは異なる部分」に該当する。
【００８９】
また、「代替原料と一体に成長した代替一体成長物の食品や商品本体の原料に対応する部分とは異なる部分」とは、食品や商品本体の原料として採用された部分に対応する部分とは異なる部分であるものの、代替原料と一体に成長した部分を意味する。
【００９０】
例えば、食品の原料が豚ロース肉である場合は、食品の原料として採用された豚と同じ養豚場で同じ飼料を食した別の豚のロース肉部分は、「代替一体成長物の食品の動物性の原料に対応する部分とは異なる部分」には該当しない。これに対して、食品の原料として採用された豚と同じ養豚場で同じ飼料を食した別の豚の皮や手や足は「代替一体成長物の食品の動物性の原料に対応する部分とは異なる部分」に該当する。
例えば、食品の原料がリンゴである場合は、食品の原料として採用されたリンゴと同じ果樹園で同様の育成条件（肥料や農薬の有無）を施して育てたリンゴは、「代替一体成長物の食品の植物性の原料に対応する部分とは異なる部分」には該当しない。これに対して、食品の原料として採用されたリンゴと同じ果樹園で同様の育成条件（肥料や農薬の有無）を施して育てたリンゴの枝や葉は「代替一体成長物の食品の植物性の原料に対応する部分とは異なる部分」に該当する。
【００９１】
また、食品や商品本体に用いられた食品添加物の総重量と同じ重量の食品添加物若しくは擬似物である付属物の画像や現物や擬似物、また、こうした付属物の画像が印刷された印刷媒体によって、食品や商品本体に用いられた食品添加物の総重量を容易に把握することができる。更に、食品や商品本体に用いられた食品添加物の総体積と同じ体積の食品添加物若しくは擬似物である付属物の画像や現物や擬似物、また、こうした付属物の画像が印刷された印刷媒体によって、食品や商品本体に用いられた食品添加物の総体積を容易に把握することができる。また、食品や商品本体に用いられた食品添加物の総体積と見かけ上同じ体積である食品添加物若しくは擬似物である付属物の画像や現物や擬似物、また、こうした付属物の画像が印刷された印刷媒体によって、食品や商品本体に用いられた食品添加物の総体積を容易に把握することができる。
なお、「見かけ上同じ体積」とは、見た目が同じ体積の様に見えることを意味する。例えば、食品に用いられた食品添加物の総体積が１ｃｍ３である場合に、１ｃｍ×１ｃｍ×１ｃｍの中空状の立方体は、実際の体積は中空部分が存在するために１ｃｍ３に満たない、見かけ上同じ体積に該当する。
【００９２】
同様に、食品や商品本体に用いられた砂糖の総重量と同じ重量の砂糖若しくは擬似物である付属物の画像や現物や擬似物、また、こうした付属物の画像が印刷された印刷媒体によって、食品や商品本体に用いられた砂糖の総重量を容易に把握することができる。更に、食品や商品本体に用いられた砂糖の総体積と同じ体積の砂糖若しくは擬似物である付属物の画像や現物や擬似物、また、こうした付属物の画像が印刷された印刷媒体によって、食品や商品本体に用いられた砂糖の総体積を容易に把握することができる。また、食品や商品本体に用いられた砂糖の総体積と見かけ上同じ体積である砂糖若しくは擬似物である付属物の画像や現物や擬似物、また、こうした付属物の画像が印刷された印刷媒体によって、食品や商品本体に用いられた砂糖の総体積を容易に把握することができる。
なお、「見かけ上同じ体積」とは、見た目が同じ体積の様に見えることを意味する。例えば、食品に用いられた砂糖の総体積が１ｃｍ３である場合に、１ｃｍ×１ｃｍ×１ｃｍの中空状の立方体は、実際の体積は中空部分が存在するために１ｃｍ３に満たないが、見かけ上同じ体積に該当する。
【００９３】
また同様に、食品や商品本体に用いられた塩の総重量と同じ重量の塩若しくは擬似物である付属物の画像や現物や擬似物、また、こうした付属物の画像が印刷された印刷媒体によって、食品や商品本体に用いられた塩の総重量を容易に把握することができる。更に、食品や商品本体に用いられた塩の総体積と同じ体積の塩若しくは擬似物である付属物の画像や現物や擬似物、また、こうした付属物の画像が印刷された印刷媒体によって、食品や商品本体に用いられた塩の総体積を容易に把握することができる。また、食品や商品本体に用いられた塩の総体積と見かけ上同じ体積である塩若しくは擬似物である付属物の画像や現物や擬似物、また、こうした付属物の画像が印刷された印刷媒体によって、食品や商品本体に用いられた塩の総体積を容易に把握することができる。
なお、「見かけ上同じ体積」とは、見た目が同じ体積の様に見えることを意味する。例えば、食品に用いられた塩の総体積が１ｃｍ３である場合に、１ｃｍ×１ｃｍ×１ｃｍの中空状の立方体は、実際の体積は中空部分が存在するために１ｃｍ３に満たないが、見かけ上同じ体積に該当する。
【００９４】
また同様に、食品や商品本体に用いられたタンパク加水分解物の総重量と同じ重量のタンパク加水分解物若しくは擬似物である付属物の画像や現物や擬似物、また、こうした付属物の画像が印刷された印刷媒体によって、食品や商品本体に用いられたタンパク加水分解物の総重量を容易に把握することができる。更に、食品や商品本体に用いられたタンパク加水分解物の総体積と同じ体積のタンパク加水分解物若しくは擬似物である付属物の画像や現物や擬似物、また、こうした付属物の画像が印刷された印刷媒体によって、食品や商品本体に用いられたタンパク加水分解物の総体積を容易に把握することができる。また、食品や商品本体に用いられたタンパク加水分解物の総体積と見かけ上同じ体積であるタンパク加水分解物若しくは擬似物である付属物の画像や現物や擬似物、また、こうした付属物の画像が印刷された印刷媒体によって、食品や商品本体に用いられたタンパク加水分解物の総体積を容易に把握することができる。
なお、「見かけ上同じ体積」とは、見た目が同じ体積の様に見えることを意味する。例えば、食品に用いられたタンパク加水分解物の総体積が１ｃｍ３である場合に、１ｃｍ×１ｃｍ×１ｃｍの中空状の立方体は、実際の体積は中空部分が存在するために１ｃｍ３に満たないが、見かけ上同じ体積に該当する。
【００９５】
また同様に、食品や商品本体に用いられた調味料（アミノ酸等。以下、同様）の総重量と同じ重量の調味料若しくは擬似物である付属物の画像や現物や擬似物、また、こうした付属物の画像が印刷された印刷媒体によって、食品や商品本体に用いられた調味料の総重量を容易に把握することができる。更に、食品や商品本体に用いられた調味料の総体積と同じ体積の調味料若しくは擬似物である付属物の画像や現物や擬似物、また、こうした付属物の画像が印刷された印刷媒体によって、食品や商品本体に用いられた調味料の総体積を容易に把握することができる。また、食品や商品本体に用いられた調味料の総体積と見かけ上同じ体積である調味料若しくは擬似物である付属物の画像や現物や擬似物、また、こうした付属物の画像が印刷された印刷媒体によって、食品や商品本体に用いられた調味料の総体積を容易に把握することができる。
なお、「見かけ上同じ体積」とは、見た目が同じ体積の様に見えることを意味する。例えば、食品に用いられた調味料の総体積が１ｃｍ３である場合に、１ｃｍ×１ｃｍ×１ｃｍの中空状の立方体は、実際の体積は中空部分が存在するために１ｃｍ３に満たないが、見かけ上同じ体積に該当する。
【００９６】
また同様に、食品や商品本体に用いられたブドウ糖果糖液糖の総重量と同じ重量のブドウ糖果糖液糖若しくは擬似物である付属物の画像や現物や擬似物、また、こうした付属物の画像が印刷された印刷媒体によって、食品や商品本体に用いられたブドウ糖果糖液糖の総重量を容易に把握することができる。更に、食品や商品本体に用いられたブドウ糖果糖液糖の総体積と同じ体積のブドウ糖果糖液糖若しくは擬似物である付属物の画像や現物や擬似物、また、こうした付属物の画像が印刷された印刷媒体によって、食品や商品本体に用いられたブドウ糖果糖液糖の総体積を容易に把握することができる。また、食品や商品本体に用いられたブドウ糖果糖液糖の総体積と見かけ上同じ体積であるブドウ糖果糖液糖若しくは擬似物である付属物の画像や現物や擬似物、また、こうした付属物の画像が印刷された印刷媒体によって、食品や商品本体に用いられたブドウ糖果糖液糖の総体積を容易に把握することができる。
なお、「見かけ上同じ体積」とは、見た目が同じ体積の様に見えることを意味する。例えば、食品に用いられたブドウ糖果糖液糖の総体積が１ｃｍ３である場合に、１ｃｍ×１ｃｍ×１ｃｍの中空状の立方体は、実際の体積は中空部分が存在するために１ｃｍ３に満たないが、見かけ上同じ体積に該当する。
【００９７】
また同様に、食品や商品本体に用いられた加工油脂の総重量と同じ重量の加工油脂若しくは擬似物である付属物の画像や現物や擬似物、また、こうした付属物の画像が印刷された印刷媒体によって、食品や商品本体に用いられた加工油脂の総重量を容易に把握することができる。更に、食品や商品本体に用いられた加工油脂の総体積と同じ体積の加工油脂若しくは擬似物である付属物の画像や現物や擬似物、また、こうした付属物の画像が印刷された印刷媒体によって、食品や商品本体に用いられた加工油脂の総体積を容易に把握することができる。また、食品や商品本体に用いられた加工油脂の総体積と見かけ上同じ体積である加工油脂若しくは擬似物である付属物の画像や現物や擬似物、また、こうした付属物の画像が印刷された印刷媒体によって、食品や商品本体に用いられた加工油脂の総体積を容易に把握することができる。
なお、「見かけ上同じ体積」とは、見た目が同じ体積の様に見えることを意味する。例えば、食品に用いられた加工油脂の総体積が１ｃｍ３である場合に、１ｃｍ×１ｃｍ×１ｃｍの中空状の立方体は、実際の体積は中空部分が存在するために１ｃｍ３に満たないが、見かけ上同じ体積に該当する。
【００９８】
また同様に、食品や商品本体に用いられたトランス脂肪酸の総重量と同じ重量のトランス脂肪酸若しくは擬似物である付属物の画像や現物や擬似物、また、こうした付属物の画像が印刷された印刷媒体によって、食品や商品本体に用いられたトランス脂肪酸の総重量を容易に把握することができる。更に、食品や商品本体に用いられたトランス脂肪酸の総体積と同じ体積のトランス脂肪酸若しくは擬似物である付属物の画像や現物や擬似物、また、こうした付属物の画像が印刷された印刷媒体によって、食品や商品本体に用いられたトランス脂肪酸の総体積を容易に把握することができる。また、食品や商品本体に用いられたトランス脂肪酸の総体積と見かけ上同じ体積であるトランス脂肪酸若しくは擬似物である付属物の画像や現物や擬似物、また、こうした付属物の画像が印刷された印刷媒体によって、食品や商品本体に用いられたトランス脂肪酸の総体積を容易に把握することができる。
なお、「見かけ上同じ体積」とは、見た目が同じ体積の様に見えることを意味する。例えば、食品に用いられたトランス脂肪酸の総体積が１ｃｍ３である場合に、１ｃｍ×１ｃｍ×１ｃｍの中空状の立方体は、実際の体積は中空部分が存在するために１ｃｍ３に満たないが、見かけ上同じ体積に該当する。
【００９９】
また同様に、食品や商品本体に用いられた加工デンプンの総重量と同じ重量の加工デンプン若しくは擬似物である付属物の画像や現物や擬似物、また、こうした付属物の画像が印刷された印刷媒体によって、食品や商品本体に用いられた加工デンプンの総重量を容易に把握することができる。更に、食品や商品本体に用いられた加工デンプンの総体積と同じ体積の加工デンプン若しくは擬似物である付属物の画像や現物や擬似物、また、こうした付属物の画像が印刷された印刷媒体によって、食品や商品本体に用いられた加工デンプンの総体積を容易に把握することができる。また、食品や商品本体に用いられた加工デンプンの総体積と見かけ上同じ体積である加工デンプン若しくは擬似物である付属物の画像や現物や擬似物、また、こうした付属物の画像が印刷された印刷媒体によって、食品や商品本体に用いられた加工デンプンの総体積を容易に把握することができる。
なお、「見かけ上同じ体積」とは、見た目が同じ体積の様に見えることを意味する。例えば、食品に用いられた加工デンプンの総体積が１ｃｍ３である場合に、１ｃｍ×１ｃｍ×１ｃｍの中空状の立方体は、実際の体積は中空部分が存在するために１ｃｍ３に満たないが、見かけ上同じ体積に該当する。
【０１００】
また同様に、食品や商品本体に用いられた食品添加物のうち一括名の表示が認められた食品添加物の総重量と同じ重量の食品添加物若しくは擬似物である付属物の画像や現物や擬似物、また、こうした付属物の画像が印刷された印刷媒体によって、食品や商品本体に用いられた食品添加物のうち一括名の表示が認められた食品添加物の総重量を容易に把握することができる。更に、食品や商品本体に用いられた食品添加物のうち一括名の表示が認められた食品添加物の総体積と同じ体積の食品添加物若しくは擬似物である付属物の画像や現物や擬似物、また、こうした付属物の画像が印刷された印刷媒体によって、食品や商品本体に用いられた食品添加物のうち一括名の表示が認められた食品添加物の総体積を容易に把握することができる。また、食品や商品本体に用いられた食品添加物のうち一括名の表示が認められた食品添加物の総体積と見かけ上同じ体積である食品添加物若しくは擬似物である付属物の画像や現物や擬似物、また、こうした付属物の画像が印刷された印刷媒体によって、食品や商品本体に用いられた食品添加物のうち一括名の表示が認められた食品添加物の総体積を容易に把握することができる。
なお、「見かけ上同じ体積」とは、見た目が同じ体積の様に見えることを意味する。例えば、食品に用いられた食品添加物のうち一括名の表示が認められた食品添加物の総体積が１ｃｍ３である場合に、１ｃｍ×１ｃｍ×１ｃｍの中空状の立方体は、実際の体積は中空部分が存在するために１ｃｍ３に満たないが、見かけ上同じ体積に該当する。
【０１０１】
ここで、一括表示でいう「一括名」とは、例えば、ＰＨ調整剤、乳化剤、イーストフード、香料、かんすい、膨張剤、光沢剤等を指す。それぞれは７種類から４０種類以上の合成化合物を一括名で表示している。
【０１０２】
また同様に、食品や商品本体に用いられた合成ビタミンの総重量と同じ重量の合成ビタミン若しくは擬似物である付属物の画像や現物や擬似物、また、こうした付属物の画像が印刷された印刷媒体によって、食品や商品本体に用いられた合成ビタミンの総重量を容易に把握することができる。更に、食品や商品本体に用いられた合成ビタミンの総体積と同じ体積の合成ビタミン若しくは擬似物である付属物の画像や現物や擬似物、また、こうした付属物の画像が印刷された印刷媒体によって、食品や商品本体に用いられた合成ビタミンの総体積を容易に把握することができる。また、食品や商品本体に用いられた合成ビタミンの総体積と見かけ上同じ体積である合成ビタミン若しくは擬似物である付属物の画像や現物や擬似物、また、こうした付属物の画像が印刷された印刷媒体によって、食品や商品本体に用いられた合成ビタミンの総体積を容易に把握することができる。
なお、「見かけ上同じ体積」とは、見た目が同じ体積の様に見えることを意味する。例えば、食品に用いられた合成ビタミンの総体積が１ｃｍ３である場合に、１ｃｍ×１ｃｍ×１ｃｍの中空状の立方体は、実際の体積は中空部分が存在するために１ｃｍ３に満たないが、見かけ上同じ体積に該当する。
【０１０３】
ここで、「合成ビタミン」とは、ビタミンＢ１ラウリル硫酸塩、ビタミンＢ２合成着色料、ビタミンＣ合成酸化防止剤、ビタミンＥ合成酸化防止剤等のもの全ての化学合成でできたものを指す。
【０１０４】
また同様に、食品や商品本体に用いられた食品添加物のうちキャリーオーバーとみなされた食品添加物の総重量と同じ重量の食品添加物若しくは擬似物である付属物の画像や現物や擬似物、また、こうした付属物の画像が印刷された印刷媒体によって、食品や商品本体に用いられた食品添加物のうちキャリーオーバーとみなされた食品添加物の総重量を容易に把握することができる。更に、食品や商品本体に用いられた食品添加物のうちキャリーオーバーとみなされた食品添加物の総体積と同じ体積の食品添加物若しくは擬似物である付属物の画像や現物や擬似物、また、こうした付属物の画像が印刷された印刷媒体によって、食品や商品本体に用いられた食品添加物のうちキャリーオーバーとみなされた食品添加物の総体積を容易に把握することができる。また、食品や商品本体に用いられた食品添加物のうちキャリーオーバーとみなされた食品添加物の総体積と見かけ上同じ体積である食品添加物若しくは擬似物である付属物の画像や現物や擬似物、また、こうした付属物の画像が印刷された印刷媒体によって、食品や商品本体に用いられた食品添加物のうちキャリーオーバーとみなされた食品添加物の総体積を容易に把握することができる。
なお、「見かけ上同じ体積」とは、見た目が同じ体積の様に見えることを意味する。例えば、食品に用いられた食品添加物のうちキャリーオーバーとみなされた食品添加物の総体積が１ｃｍ３である場合に、１ｃｍ×１ｃｍ×１ｃｍの中空状の立方体は、実際の体積は中空部分が存在するために１ｃｍ３に満たないが、見かけ上同じ体積に該当する。
【０１０５】
また同様に、食品や商品本体に用いられた食品添加物のうちキャリーオーバーとみなされた食品添加物を除く食品添加物の総重量と同じ重量の食品添加物若しくは擬似物である付属物の画像や現物や擬似物、また、こうした付属物の画像が印刷された印刷媒体によって、食品や商品本体に用いられた食品添加物のうちキャリーオーバーとみなされた食品添加物を除く食品添加物の総重量を容易に把握することができる。更に、食品や商品本体に用いられた食品添加物のうちキャリーオーバーとみなされた食品添加物を除く食品添加物の総体積と同じ体積の食品添加物若しくは擬似物である付属物の画像や現物や擬似物、また、こうした付属物の画像が印刷された印刷媒体によって、食品や商品本体に用いられた食品添加物のうちキャリーオーバーとみなされた食品添加物を除く食品添加物の総体積を容易に把握することができる。また、食品や商品本体に用いられた食品添加物のうちキャリーオーバーとみなされた食品添加物を除く食品添加物の総体積と見かけ上同じ体積である食品添加物若しくは擬似物である付属物の画像や現物や擬似物、また、こうした付属物の画像が印刷された印刷媒体によって、食品や商品本体に用いられた食品添加物のうちキャリーオーバーとみなされた食品添加物を除く食品添加物の総体積を容易に把握することができる。
なお、「見かけ上同じ体積」とは、見た目が同じ体積の様に見えることを意味する。例えば、食品に用いられた食品添加物のうちキャリーオーバーとみなされた食品添加物を除く食品添加物の総体積が１ｃｍ３である場合に、１ｃｍ×１ｃｍ×１ｃｍの中空状の立方体は、実際の体積は中空部分が存在するために１ｃｍ３に満たないが、見かけ上同じ体積に該当する。
【０１０６】
また同様に、食品や商品本体に用いられた脱脂加工大豆の総重量と同じ重量の脱脂加工大豆若しくは擬似物である付属物の画像や現物や擬似物、また、こうした付属物の画像が印刷された印刷媒体によって、食品や商品本体に用いられた脱脂加工大豆の総重量を容易に把握することができる。更に、食品や商品本体に用いられた脱脂加工大豆の総体積と同じ体積の脱脂加工大豆若しくは擬似物である付属物の画像や現物や擬似物、また、こうした付属物の画像が印刷された印刷媒体によって、食品や商品本体に用いられた脱脂加工大豆の総体積を容易に把握することができる。また、食品や商品本体に用いられた脱脂加工大豆の総体積と見かけ上同じ体積である脱脂加工大豆若しくは擬似物である付属物の画像や現物や擬似物、また、こうした付属物の画像が印刷された印刷媒体によって、食品や商品本体に用いられた脱脂加工大豆の総体積を容易に把握することができる。
なお、「見かけ上同じ体積」とは、見た目が同じ体積の様に見えることを意味する。例えば、食品に用いられた脱脂加工大豆の総体積が１ｃｍ３である場合に、１ｃｍ×１ｃｍ×１ｃｍの中空状の立方体は、実際の体積は中空部分が存在するために１ｃｍ３に満たないが、見かけ上同じ体積に該当する。
【０１０７】
また同様に、食品や商品本体に用いられたカラメル色素の総重量と同じ重量のカラメル色素若しくは擬似物である付属物の画像や現物や擬似物、また、こうした付属物の画像が印刷された印刷媒体によって、食品や商品本体に用いられたカラメル色素の総重量を容易に把握することができる。更に、食品や商品本体に用いられたカラメル色素の総体積と同じ体積のカラメル色素若しくは擬似物である付属物の画像や現物や擬似物、また、こうした付属物の画像が印刷された印刷媒体によって、食品や商品本体に用いられたカラメル色素の総体積を容易に把握することができる。また、食品や商品本体に用いられたカラメル色素の総体積と見かけ上同じ体積であるカラメル色素若しくは擬似物である付属物の画像や現物や擬似物、また、こうした付属物の画像が印刷された印刷媒体によって、食品や商品本体に用いられたカラメル色素の総体積を容易に把握することができる。
なお、「見かけ上同じ体積」とは、見た目が同じ体積の様に見えることを意味する。例えば、食品に用いられたカラメル色素の総体積が１ｃｍ３である場合に、１ｃｍ×１ｃｍ×１ｃｍの中空状の立方体は、実際の体積は中空部分が存在するために１ｃｍ３に満たないが、見かけ上同じ体積に該当する。
【０１０８】
また同様に、食品や商品本体に用いられたアスパルテームの総重量と同じ重量のアスパルテーム若しくは擬似物である付属物の画像や現物や擬似物、また、こうした付属物の画像が印刷された印刷媒体によって、食品や商品本体に用いられたアスパルテームの総重量を容易に把握することができる。更に、食品や商品本体に用いられたアスパルテームの総体積と同じ体積のアスパルテーム若しくは擬似物である付属物の画像や現物や擬似物、また、こうした付属物の画像が印刷された印刷媒体によって、食品や商品本体に用いられたアスパルテームの総体積を容易に把握することができる。また、食品や商品本体に用いられたアスパルテームの総体積と見かけ上同じ体積であるアスパルテーム若しくは擬似物である付属物の画像や現物や擬似物、また、こうした付属物の画像が印刷された印刷媒体によって、食品や商品本体に用いられたアスパルテームの総体積を容易に把握することができる。
なお、「見かけ上同じ体積」とは、見た目が同じ体積の様に見えることを意味する。例えば、食品に用いられたアスパルテームの総体積が１ｃｍ３である場合に、１ｃｍ×１ｃｍ×１ｃｍの中空状の立方体は、実際の体積は中空部分が存在するために１ｃｍ３に満たないが、見かけ上同じ体積に該当する。
【０１０９】
また同様に、食品や商品本体に用いられた香料の総重量と同じ重量の香料若しくは擬似物である付属物の画像や現物や擬似物、また、こうした付属物の画像が印刷された印刷媒体によって、食品や商品本体に用いられた香料の総重量を容易に把握することができる。更に、食品や商品本体に用いられた香料の総体積と同じ体積の香料若しくは擬似物である付属物の画像や現物や擬似物、また、こうした付属物の画像が印刷された印刷媒体によって、食品や商品本体に用いられた香料の総体積を容易に把握することができる。また、食品や商品本体に用いられた香料の総体積と見かけ上同じ体積である香料若しくは擬似物である付属物の画像や現物や擬似物、また、こうした付属物の画像が印刷された印刷媒体によって、食品や商品本体に用いられた香料の総体積を容易に把握することができる。
なお、「見かけ上同じ体積」とは、見た目が同じ体積の様に見えることを意味する。例えば、食品に用いられた香料の総体積が１ｃｍ３である場合に、１ｃｍ×１ｃｍ×１ｃｍの中空状の立方体は、実際の体積は中空部分が存在するために１ｃｍ３に満たないが、見かけ上同じ体積に該当する。
【０１１０】
また、所定の機能別に分類された食品や商品本体に用いられた食品添加物の少なくとも一部である付属物の画像や現物や擬似物、また、こうした付属物の画像が印刷された印刷媒体によって、食品や商品本体に用いられた食品添加物の機能を容易に把握することができる。同様に、所定の用途別に分類された食品や商品本体に用いられた食品添加物の少なくとも一部である付属物の画像や現物や擬似物、また、こうした付属物の画像が印刷された印刷媒体によって、食品や商品本体に用いられた食品添加物の用途を容易に把握することができる。
【０１１１】
なお、「用途別」とは、発色、着色、合成、酸化防止、漂白、増粘、保存、甘味、防カビ、製造用といった具合であり、分類の一例としては、乳化剤（水と油を混合させる機能であり、具体的な物質としてはグリセリン脂肪酸エステルなどが該当する）であったり、酸味料（食品に酸味をつける機能であり、具体的な物質としては乳酸などが該当する）であったり、保存料（食品のカビなどを抑止して日持ちさせる機能である）であったり、といった具合である。
【０１１２】
また、食品や商品本体に用いられた食品添加物の総重量に所定の割合を乗じて得られた重量と同じ重量の食品添加物若しくは擬似物である付属物の画像や現物や擬似物、また、こうした付属物の画像が印刷された印刷媒体と、所定の割合を表示した表示物によって、食品や商品本体に用いられた食品添加物の総重量を容易に把握することができる。更に、食品や商品本体に用いられた食品添加物の総体積に所定の割合を乗じて得られた体積と同じ体積の食品添加物若しくは擬似物である付属物の画像や現物や擬似物、また、こうした付属物の画像が印刷された印刷媒体と、所定の割合を表示した表示物によって、食品や商品本体に用いられた食品添加物の総体積を容易に把握することができる。また、食品や商品本体に用いられた食品添加物の総体積に所定の割合を乗じて得られた体積と見かけ上同じ体積の食品添加物若しくは擬似物である付属物の画像や現物や擬似物、また、こうした付属物の画像が印刷された印刷媒体と、所定の割合を表示した表示物によって、食品や商品本体に用いられた食品添加物の総体積を容易に把握することができる。
【０１１３】
同様に、食品や商品本体に用いられた砂糖の総重量に所定の割合を乗じて得られた重量と同じ重量の砂糖若しくは擬似物である付属物の画像や現物や擬似物、また、こうした付属物の画像が印刷された印刷媒体と、所定の割合を表示した表示物によって、食品や商品本体に用いられた砂糖の総重量を容易に把握することができる。更に、食品や商品本体に用いられた砂糖の総体積に所定の割合を乗じて得られた体積と同じ体積の砂糖若しくは擬似物である付属物の画像や現物や擬似物、また、こうした付属物の画像が印刷された印刷媒体と、所定の割合を表示した表示物によって、食品や商品本体に用いられた砂糖の総体積を容易に把握することができる。また、食品や商品本体に用いられた砂糖の総体積に所定の割合を乗じて得られた体積と見かけ上同じ体積の砂糖若しくは擬似物である付属物の画像や現物や擬似物、また、こうした付属物の画像が印刷された印刷媒体と、所定の割合を表示した表示物によって、食品や商品本体に用いられた砂糖の総体積を容易に把握することができる。
【０１１４】
また同様に、食品や商品本体に用いられた塩の総重量に所定の割合を乗じて得られた重量と同じ重量の塩若しくは擬似物である付属物の画像や現物や擬似物、また、こうした付属物の画像が印刷された印刷媒体と、所定の割合を表示した表示物によって、食品や商品本体に用いられた塩の総重量を容易に把握することができる。更に、食品や商品本体に用いられた塩の総体積に所定の割合を乗じて得られた体積と同じ体積の塩若しくは擬似物である付属物の画像や現物や擬似物、また、こうした付属物の画像が印刷された印刷媒体と、所定の割合を表示した表示物によって、食品や商品本体に用いられた塩の総体積を容易に把握することができる。また、食品や商品本体に用いられた塩の総体積に所定の割合を乗じて得られた体積と見かけ上同じ体積の塩若しくは擬似物である付属物の画像や現物や擬似物、また、こうした付属物の画像が印刷された印刷媒体と、所定の割合を表示した表示物によって、食品や商品本体に用いられた塩の総体積を容易に把握することができる。
【０１１５】
また同様に、食品や商品本体に用いられたタンパク加水分解物の総重量に所定の割合を乗じて得られた重量と同じ重量のタンパク加水分解物若しくは擬似物である付属物の画像や現物や擬似物、また、こうした付属物の画像が印刷された印刷媒体と、所定の割合を表示した表示物によって、食品や商品本体に用いられたタンパク加水分解物の総重量を容易に把握することができる。更に、食品や商品本体に用いられたタンパク加水分解物の総体積に所定の割合を乗じて得られた体積と同じ体積のタンパク加水分解物若しくは擬似物である付属物の画像や現物や擬似物、また、こうした付属物の画像が印刷された印刷媒体と、所定の割合を表示した表示物によって、食品や商品本体に用いられたタンパク加水分解物の総体積を容易に把握することができる。また、食品や商品本体に用いられたタンパク加水分解物の総体積に所定の割合を乗じて得られた体積と見かけ上同じ体積のタンパク加水分解物若しくは擬似物である付属物の画像や現物や擬似物、また、こうした付属物の画像が印刷された印刷媒体と、所定の割合を表示した表示物によって、食品や商品本体に用いられたタンパク加水分解物の総体積を容易に把握することができる。
【０１１６】
また同様に、食品や商品本体に用いられた調味料の総重量に所定の割合を乗じて得られた重量と同じ重量の調味料若しくは擬似物である付属物の画像や現物や擬似物、また、こうした付属物の画像が印刷された印刷媒体と、所定の割合を表示した表示物によって、食品や商品本体に用いられた調味料の総重量を容易に把握することができる。更に、食品や商品本体に用いられた調味料の総体積に所定の割合を乗じて得られた体積と同じ体積の調味料若しくは擬似物である付属物の画像や現物や擬似物、また、こうした付属物の画像が印刷された印刷媒体と、所定の割合を表示した表示物によって、食品や商品本体に用いられた調味料の総体積を容易に把握することができる。また、食品や商品本体に用いられた調味料の総体積に所定の割合を乗じて得られた体積と見かけ上同じ体積の調味料若しくは擬似物である付属物の画像や現物や擬似物、また、こうした付属物の画像が印刷された印刷媒体と、所定の割合を表示した表示物によって、食品や商品本体に用いられた調味料の総体積を容易に把握することができる。
【０１１７】
また同様に、食品や商品本体に用いられたブドウ糖果糖液糖の総重量に所定の割合を乗じて得られた重量と同じ重量のブドウ糖果糖液糖若しくは擬似物である付属物の画像や現物や擬似物、また、こうした付属物の画像が印刷された印刷媒体と、所定の割合を表示した表示物によって、食品や商品本体に用いられたブドウ糖果糖液糖の総重量を容易に把握することができる。更に、食品や商品本体に用いられたブドウ糖果糖液糖の総体積に所定の割合を乗じて得られた体積と同じ体積のブドウ糖果糖液糖若しくは擬似物である付属物の画像や現物や擬似物、また、こうした付属物の画像が印刷された印刷媒体と、所定の割合を表示した表示物によって、食品や商品本体に用いられたブドウ糖果糖液糖の総体積を容易に把握することができる。また、食品や商品本体に用いられたブドウ糖果糖液糖の総体積に所定の割合を乗じて得られた体積と見かけ上同じ体積のブドウ糖果糖液糖若しくは擬似物である付属物の画像や現物や擬似物、また、こうした付属物の画像が印刷された印刷媒体と、所定の割合を表示した表示物によって、食品や商品本体に用いられたブドウ糖果糖液糖の総体積を容易に把握することができる。
【０１１８】
また同様に、食品や商品本体に用いられた加工油脂の総重量に所定の割合を乗じて得られた重量と同じ重量の加工油脂若しくは擬似物である付属物の画像や現物や擬似物、また、こうした付属物の画像が印刷された印刷媒体と、所定の割合を表示した表示物によって、食品や商品本体に用いられた加工油脂の総重量を容易に把握することができる。更に、食品や商品本体に用いられた加工油脂の総体積に所定の割合を乗じて得られた体積と同じ体積の加工油脂若しくは擬似物である付属物の画像や現物や擬似物、また、こうした付属物の画像が印刷された印刷媒体と、所定の割合を表示した表示物によって、食品や商品本体に用いられた加工油脂の総体積を容易に把握することができる。また、食品や商品本体に用いられた加工油脂の総体積に所定の割合を乗じて得られた体積と見かけ上同じ体積の加工油脂若しくは擬似物である付属物の画像や現物や擬似物、また、こうした付属物の画像が印刷された印刷媒体と、所定の割合を表示した表示物によって、食品や商品本体に用いられた加工油脂の総体積を容易に把握することができる。
【０１１９】
また同様に、食品や商品本体に用いられたトランス脂肪酸の総重量に所定の割合を乗じて得られた重量と同じ重量のトランス脂肪酸若しくは擬似物である付属物の画像や現物や擬似物、また、こうした付属物の画像が印刷された印刷媒体と、所定の割合を表示した表示物によって、食品や商品本体に用いられたトランス脂肪酸の総重量を容易に把握することができる。更に、食品や商品本体に用いられたトランス脂肪酸の総体積に所定の割合を乗じて得られた体積と同じ体積のトランス脂肪酸若しくは擬似物である付属物の画像や現物や擬似物、また、こうした付属物の画像が印刷された印刷媒体と、所定の割合を表示した表示物によって、食品や商品本体に用いられたトランス脂肪酸の総体積を容易に把握することができる。また、食品や商品本体に用いられたトランス脂肪酸の総体積に所定の割合を乗じて得られた体積と見かけ上同じ体積のトランス脂肪酸若しくは擬似物である付属物の画像や現物や擬似物、また、こうした付属物の画像が印刷された印刷媒体と、所定の割合を表示した表示物によって、食品や商品本体に用いられたトランス脂肪酸の総体積を容易に把握することができる。
【０１２０】
また同様に、食品や商品本体に用いられた加工デンプンの総重量に所定の割合を乗じて得られた重量と同じ重量の加工デンプン若しくは擬似物である付属物の画像や現物や擬似物、また、こうした付属物の画像が印刷された印刷媒体と、所定の割合を表示した表示物によって、食品や商品本体に用いられた加工デンプンの総重量を容易に把握することができる。更に、食品や商品本体に用いられた加工デンプンの総体積に所定の割合を乗じて得られた体積と同じ体積の加工デンプン若しくは擬似物である付属物の画像や現物や擬似物、また、こうした付属物の画像が印刷された印刷媒体と、所定の割合を表示した表示物によって、食品や商品本体に用いられた加工デンプンの総体積を容易に把握することができる。また、食品や商品本体に用いられた加工デンプンの総体積に所定の割合を乗じて得られた体積と見かけ上同じ体積の加工デンプン若しくは擬似物である付属物の画像や現物や擬似物、また、こうした付属物の画像が印刷された印刷媒体と、所定の割合を表示した表示物によって、食品や商品本体に用いられた加工デンプンの総体積を容易に把握することができる。
【０１２１】
また同様に、食品や商品本体に用いられた食品添加物のうち一括名の表示が認められた食品添加物の総重量に所定の割合を乗じて得られた重量と同じ重量の食品添加物若しくは擬似物である付属物の画像や現物や擬似物、また、こうした付属物の画像が印刷された印刷媒体と、所定の割合を表示した表示物によって、食品や商品本体に用いられた食品添加物のうち一括名の表示が認められた食品添加物の総重量を容易に把握することができる。更に、食品や商品本体に用いられた食品添加物のうち一括名の表示が認められた食品添加物の総体積に所定の割合を乗じて得られた体積と同じ体積の食品添加物若しくは擬似物である付属物の画像や現物や擬似物、また、こうした付属物の画像が印刷された印刷媒体と、所定の割合を表示した表示物によって、食品や商品本体に用いられた食品添加物のうち一括名の表示が認められた食品添加物の総体積を容易に把握することができる。また、食品や商品本体に用いられた食品添加物のうち一括名の表示が認められた食品添加物の総体積に所定の割合を乗じて得られた体積と見かけ上同じ体積の食品添加物若しくは擬似物である付属物の画像や現物や擬似物、また、こうした付属物の画像が印刷された印刷媒体と、所定の割合を表示した表示物によって、食品や商品本体に用いられた食品添加物のうち一括名の表示が認められた食品添加物の総体積を容易に把握することができる。
【０１２２】
また同様に、食品や商品本体に用いられた合成ビタミンの総重量に所定の割合を乗じて得られた重量と同じ重量の合成ビタミン若しくは擬似物である付属物の画像や現物や擬似物、また、こうした付属物の画像が印刷された印刷媒体と、所定の割合を表示した表示物によって、食品や商品本体に用いられた合成ビタミンの総重量を容易に把握することができる。更に、食品や商品本体に用いられた合成ビタミンの総体積に所定の割合を乗じて得られた体積と同じ体積の合成ビタミン若しくは擬似物である付属物の画像や現物や擬似物、また、こうした付属物の画像が印刷された印刷媒体と、所定の割合を表示した表示物によって、食品や商品本体に用いられた合成ビタミンの総体積を容易に把握することができる。また、食品や商品本体に用いられた合成ビタミンの総体積に所定の割合を乗じて得られた体積と見かけ上同じ体積の合成ビタミン若しくは擬似物である付属物の画像や現物や擬似物、また、こうした付属物の画像が印刷された印刷媒体と、所定の割合を表示した表示物によって、食品や商品本体に用いられた合成ビタミンの総体積を容易に把握することができる。
【０１２３】
また同様に、食品や商品本体に用いられた食品添加物のうちキャリーオーバーとみなされた食品添加物の総重量に所定の割合を乗じて得られた重量と同じ重量の食品添加物若しくは擬似物である付属物の画像や現物や擬似物、また、こうした付属物の画像が印刷された印刷媒体と、所定の割合を表示した表示物によって、食品や商品本体に用いられた食品添加物のうちキャリーオーバーとみなされた食品添加物の総重量を容易に把握することができる。更に、食品や商品本体に用いられた食品添加物のうちキャリーオーバーとみなされた食品添加物の総体積に所定の割合を乗じて得られた体積と同じ体積の食品添加物若しくは擬似物である付属物の画像や現物や擬似物、また、こうした付属物の画像が印刷された印刷媒体と、所定の割合を表示した表示物によって、食品や商品本体に用いられた食品添加物のうちキャリーオーバーとみなされた食品添加物の総体積を容易に把握することができる。また、食品や商品本体に用いられた食品添加物のうちキャリーオーバーとみなされた食品添加物の総体積に所定の割合を乗じて得られた体積と見かけ上同じ体積の食品添加物若しくは擬似物である付属物の画像や現物や擬似物、また、こうした付属物の画像が印刷された印刷媒体と、所定の割合を表示した表示物によって、食品や商品本体に用いられた食品添加物のうちキャリーオーバーとみなされた食品添加物の総体積を容易に把握することができる。
【０１２４】
また同様に、食品や商品本体に用いられた食品添加物のうちキャリーオーバーとみなされた食品添加物を除く食品添加物の総重量に所定の割合を乗じて得られた重量と同じ重量の食品添加物若しくは擬似物である付属物の画像や現物や擬似物、また、こうした付属物の画像が印刷された印刷媒体と、所定の割合を表示した表示物によって、食品や商品本体に用いられた食品添加物のうちキャリーオーバーとみなされた食品添加物を除く食品添加物の総重量を容易に把握することができる。更に、食品や商品本体に用いられた食品添加物のうちキャリーオーバーとみなされた食品添加物を除く食品添加物の総体積に所定の割合を乗じて得られた体積と同じ体積の食品添加物若しくは擬似物である付属物の画像や現物や擬似物、また、こうした付属物の画像が印刷された印刷媒体と、所定の割合を表示した表示物によって、食品や商品本体に用いられた食品添加物のうちキャリーオーバーとみなされた食品添加物を除く食品添加物の総体積を容易に把握することができる。また、食品や商品本体に用いられた食品添加物のうちキャリーオーバーとみなされた食品添加物を除く食品添加物の総体積に所定の割合を乗じて得られた体積と見かけ上同じ体積の食品添加物若しくは擬似物である付属物の画像や現物や擬似物、また、こうした付属物の画像が印刷された印刷媒体と、所定の割合を表示した表示物によって、食品や商品本体に用いられた食品添加物のうちキャリーオーバーとみなされた食品添加物を除く食品添加物の総体積を容易に把握することができる。
【０１２５】
また同様に、食品や商品本体に用いられた脱脂加工大豆の総重量に所定の割合を乗じて得られた重量と同じ重量の脱脂加工大豆若しくは擬似物である付属物の画像や現物や擬似物、また、こうした付属物の画像が印刷された印刷媒体と、所定の割合を表示した表示物によって、食品や商品本体に用いられた脱脂加工大豆の総重量を容易に把握することができる。更に、食品や商品本体に用いられた脱脂加工大豆の総体積に所定の割合を乗じて得られた体積と同じ体積の脱脂加工大豆若しくは擬似物である付属物の画像や現物や擬似物、また、こうした付属物の画像が印刷された印刷媒体と、所定の割合を表示した表示物によって、食品や商品本体に用いられた脱脂加工大豆の総体積を容易に把握することができる。また、食品や商品本体に用いられた脱脂加工大豆の総体積に所定の割合を乗じて得られた体積と見かけ上同じ体積の脱脂加工大豆若しくは擬似物である付属物の画像や現物や擬似物、また、こうした付属物の画像が印刷された印刷媒体と、所定の割合を表示した表示物によって、食品や商品本体に用いられた脱脂加工大豆の総体積を容易に把握することができる。
【０１２６】
また同様に、食品や商品本体に用いられたカラメル色素の総重量に所定の割合を乗じて得られた重量と同じ重量のカラメル色素若しくは擬似物である付属物の画像や現物や擬似物、また、こうした付属物の画像が印刷された印刷媒体と、所定の割合を表示した表示物によって、食品や商品本体に用いられたカラメル色素の総重量を容易に把握することができる。更に、食品や商品本体に用いられたカラメル色素の総体積に所定の割合を乗じて得られた体積と同じ体積のカラメル色素若しくは擬似物である付属物の画像や現物や擬似物、また、こうした付属物の画像が印刷された印刷媒体と、所定の割合を表示した表示物によって、食品や商品本体に用いられたカラメル色素の総体積を容易に把握することができる。また、食品や商品本体に用いられたカラメル色素の総体積に所定の割合を乗じて得られた体積と見かけ上同じ体積のカラメル色素若しくは擬似物である付属物の画像や現物や擬似物、また、こうした付属物の画像が印刷された印刷媒体と、所定の割合を表示した表示物によって、食品や商品本体に用いられたカラメル色素の総体積を容易に把握することができる。
【０１２７】
また同様に、食品や商品本体に用いられたアスパルテームの総重量に所定の割合を乗じて得られた重量と同じ重量のアスパルテーム若しくは擬似物である付属物の画像や現物や擬似物、また、こうした付属物の画像が印刷された印刷媒体と、所定の割合を表示した表示物によって、食品や商品本体に用いられたアスパルテームの総重量を容易に把握することができる。更に、食品や商品本体に用いられたアスパルテームの総体積に所定の割合を乗じて得られた体積と同じ体積のアスパルテーム若しくは擬似物である付属物の画像や現物や擬似物、また、こうした付属物の画像が印刷された印刷媒体と、所定の割合を表示した表示物によって、食品や商品本体に用いられたアスパルテームの総体積を容易に把握することができる。また、食品や商品本体に用いられたアスパルテームの総体積に所定の割合を乗じて得られた体積と見かけ上同じ体積のアスパルテーム若しくは擬似物である付属物の画像や現物や擬似物、また、こうした付属物の画像が印刷された印刷媒体と、所定の割合を表示した表示物によって、食品や商品本体に用いられたアスパルテームの総体積を容易に把握することができる。
【０１２８】
また同様に、食品や商品本体に用いられた香料の総重量に所定の割合を乗じて得られた重量と同じ重量の香料若しくは擬似物である付属物の画像や現物や擬似物、また、こうした付属物の画像が印刷された印刷媒体と、所定の割合を表示した表示物によって、食品や商品本体に用いられた香料の総重量を容易に把握することができる。更に、食品や商品本体に用いられた香料の総体積に所定の割合を乗じて得られた体積と同じ体積の香料若しくは擬似物である付属物の画像や現物や擬似物、また、こうした付属物の画像が印刷された印刷媒体と、所定の割合を表示した表示物によって、食品や商品本体に用いられた香料の総体積を容易に把握することができる。また、食品や商品本体に用いられた香料の総体積に所定の割合を乗じて得られた体積と見かけ上同じ体積の香料若しくは擬似物である付属物の画像や現物や擬似物、また、こうした付属物の画像が印刷された印刷媒体と、所定の割合を表示した表示物によって、食品や商品本体に用いられた香料の総体積を容易に把握することができる。
【０１２９】
また、食品や商品本体の原料の次世代の種子、若しくは、食品や商品本体の原料と略同一条件で食品や商品本体の原料とは別体で成長した代替原料の次世代の種子である付属物の現物、または、食品や商品本体の原料の一部、若しくは、食品や商品本体の原料と略同一条件で食品や商品本体の原料とは別体で成長した代替原料から得られた種芋である付属物の現物によって、食品（二次産品）や商品本体（二次産品）の原料が遺伝子組換え作物を用いているか否かを把握することができる。
【０１３０】
具体的には、例えば、付属物の現物を用いて消費者は作物を栽培することができるが、こうした作物を栽培する過程で遺伝子組換え作物のみが耐性を有する農薬を使用することによって、作物が枯れなければ遺伝子組換え作物であり、作物が枯れてしまうと遺伝子組換え作物ではないとの判断が可能となる。
【０１３１】
また、例えば、付属物の現物を用いて消費者は作物を栽培することができるが、こうした作物を虫と共に所定の空間（例えば、虫かご等）に配置し、虫の生死によっても遺伝子組換え作物であるか否かを判断することができる。
即ち、付属物の現物を用いて栽培した作物と共に配置した虫が死んだ場合（例えば、作物の葉や茎や枝を食して虫が死んだ場合）には遺伝子組換え作物であり、付属物の現物を用いて栽培した作物と共に配置した虫が生きている場合には遺伝子組換え作物ではないとの判断が可能となる。
【０１３２】
また、その他の具体的な把握方法としては、例えば、（１）付属物の現物を対象とした汎用の遺伝子組換え食品検査（ＧＭＯ検査）を行ったり、（２）付属物の現物を用いて次世代の作物を栽培し、こうした作物を対象とした汎用の遺伝子組換え食品検査（ＧＭＯ検査）を行ったりすることで、食品や商品本体の原料が遺伝子組換え作物を用いているか否かを把握することができる。ここで、付属物の現物を対象とした遺伝子組換え食品検査（ＧＭＯ検査）を行うにあたって、検査対象の付属物の現物の量が充分でない場合には、付属物の現物と同一品種の種子や種芋を適量加えて食品検査を行う。なお、検査対象に加える種子や種芋が付属物の現物と同一品質であるか否かについては、汎用技術を用いて確認が可能である。
【０１３３】
なお、付属物の現物が代替原料の次世代の種子や、代替原料から得られた種芋であるために、代替原料が遺伝子組換え作物であるか否かを把握することになるが、上述の様に、品質を把握するにあたって、食品や商品本体の原料と代替原料とは同一視できるものであることから、結果として、食品や商品本体の原料が遺伝子組換え作物であるか否かを把握することができる。
【０１３４】
また、食品（二次産品）を対象とした汎用の遺伝子組換え食品検査（ＧＭＯ検査）を行うことで、食品の原料が遺伝子組換え作物を用いているか否かを充分に把握することができれば良いが、種々の事情によって、食品（二次産品）を対象とした汎用の遺伝子組換え食品検査（ＧＭＯ検査）のみでは充分に確認や判定ができないことがある点を念のために付言する。なお、食品（二次産品）の原料を対象にした方が、食品（二次産品）を対象にするより、遺伝子組換え食品検査（ＧＭＯ検査）の精度は高い。
【０１３５】
また、付属物本体が水と共に収容されて構成された付属物の画像や現物や擬似物、また、こうした付属物の画像が印刷された印刷媒体によって、食品（二次産品）や商品本体（二次産品）の原料が消費者に提供されるまでの過程において影響を受けた要因や、食品（二次産品）や商品本体（二次産品）の原料の成長過程の実態を把握することができる。
【０１３６】
ここで、付属物本体と共に水が収容されたことで、時間の経過に伴う水質の変化（例えば、変色や臭い）によって、付属物本体の品質を把握することができ、付属物本体の品質を通じて、食品（二次産品）や商品本体（二次産品）の原料の品質を把握することが可能となる。
なお、付属物本体と共に収容される水の量が不充分である場合には、付属物本体の品質を水質の変化を通じて充分に把握することが困難である。
【０１３７】
なお、付属物本体を水と共に収容する方法（付属物の製造方法）として、付属物本体を水の中に入れ、その水を熱することで付属物本体を加熱し、その後、必要に応じて水を加えてもよい。付属物本体を加熱することで、より一層、水質の変化が生じやすくなり、品質の把握が行い易くなる。例えば、付属物本体が米の場合に、米を炊いて、ご飯を水と共に収容するといった具合でも良い。
【０１３８】
また、付属物本体である葉を水と共にミキサーで攪拌し、時間の経過とともに観察することで成長過程を推測することができる。例えば、無農薬かつ無化学肥料で育てた作物は腐らず、アンモニアを生ぜず、そのため水が半年、一年と経過しても汚れることなく、きれいなままを保つことができる。なお、観察に頼らず計測器（化学物質反応センサー）により数値を図っても良い。
【０１３９】
また、食品や商品本体の原料の生産の後に食品や商品本体の原料に関与した燻蒸剤、消毒剤、殺菌剤、抗菌剤、防かび剤、防腐剤、被膜剤、酸化防止剤、除草剤、殺虫剤、漂白殺菌剤、放射線、若しくは、薬剤の少なくとも１つである付属物の画像や現物や擬似物、また、こうした付属物の画像が印刷された印刷媒体によって、食品や商品本体の原料の生産の後、食品や商品本体の原料が消費者に提供されるまで（例えば、食品の原料の生産後（収穫後）、原料の加工、つまり、二次産品材料投入直前まで）の過程において影響を受けた要因を把握することができる。
【０１４０】
同様に、食品や商品本体の原料の生産の後に同食品や商品本体の原料に関与した食品添加物、若しくは、成長ホルモン剤の少なくとも１つである付属物の画像や現物や擬似物、また、こうした付属物の画像が印刷された印刷媒体によって、食品や商品本体の原料の生産の後、食品や商品本体の原料が消費者に提供されるまでの過程において影響を受けた要因を把握することができる。
【０１４１】
また、２つ以上の付属物の画像を消費者に表示することによって、消費者が付属物を選択することができる。同様に、印刷物に２つ以上の付属物の画像が表示されたことによって、消費者が付属物を選択することができる。
【０１４２】
更に、付属物の画像を表示したり、付属物の画像が表示された印刷物を提供したりするのみならず、付属物の現物や、付属物の擬似物や、付属物の画像が印刷された印刷媒体を消費者に送付や手渡すことによって、食品（二次産品）や商品本体（二次産品）の原料が消費者に提供されるまでの過程において影響を受けた要因や、食品（二次産品）や商品本体（二次産品）の原料の成長過程の実態の把握を、より一層充分に行うことができる。特に、選択された付属物の現物や、付属物の擬似物や、付属物の画像が印刷された印刷媒体を送付や手渡すことで、消費者が希望する付属物の現物や、付属物の擬似物や、付属物の画像が印刷された印刷媒体の送付や手渡しが実現する。
【０１４３】
なお、「付属物の現物のみを送付や手渡し」とは、消費者が選択していない付属物の現物の送付や手渡しは行わないという意味であり、「付属物の擬似物のみを送付や手渡し」とは、消費者が選択していない付属物の擬似物の送付や手渡しは行わないという意味であり、「付属物の画像のみが印刷された印刷媒体」とは、消費者が選択していない付属物の画像は印刷されないという意味である。また、消費者は付属物の現物や、付属物の擬似物や、付属物の画像が印刷された印刷媒体を手に入れることができるので、ゆっくりと時間をかけて観察でき、更には、広く情報を収集することもでき、食品（二次産品）や商品本体（二次産品）の原料の隠れている部分を発見できる場合がある。
なお、付属物の画像を見ることと、付属物の現物や、付属物の擬似物や、付属物の画像が印刷された印刷媒体を手にして見ることとは、消費者から得ることができる信頼性は全く異なるものであることを、念のために付言する。
【０１４４】
また、付属物の現物のみを送付や手渡しても良いし、付属物の擬似物のみを送付や手渡しても良いし、付属物の画像が印刷された印刷媒体のみを送付や手渡しても良いし、これらを組み合わせて送付や手渡しても良い。
【０１４５】
なお、「消費者に見せる付属物の画像」と「印刷媒体に印刷された付属物の画像」とは、必ずしも一致していなくても良い。例えば、［１］簡略な付属物の画像を消費者に見せ、詳細な付属物の画像を印刷媒体に印刷しても良いし、［２］詳細な付属物の画像を消費者に見せ、簡略な付属物の画像を印刷媒体に印刷しても良いし、［３］消費者に見せた付属物の画像に、新たな付属物の画像を追加して印刷媒体に印刷しても良いし、［４］消費者に見せた付属物の画像の一部のみを印刷媒体に印刷しても良い。
但し、消費者が選択していない付属物の画像まで印刷媒体に印刷するといった趣旨ではない。
【０１４６】
ところで、ここでの「食品」とは、栄養素の摂取や嗜好を目的とした飲食物（生鮮食品、動物性食品、植物性食品、加工食品、嗜好食品、調味用材料、健康食品、サプリメント、飲料、加工材料等）を含むことは勿論のこと、医薬品や医薬部外品をも含む趣旨である。例えば、漢方薬も含まれる。また、ペットフード、家畜の飼料、養殖魚の飼料等、動物を対象としたものも含む趣旨である。また、「商品」とは、皮製品（本革のみならず、人工皮革を用いたものも含む）、木工家具、石材のモニュメント、綿製品、おむつ、医療関連製品等、どの様なものであっても良い。
【０１４７】
また、ここでの「一次産品」とは、加工前の生鮮食品、動物性食品、植物性食品そのものであり、例えば、大根やキャベツ等の野菜、果物、あるいは鶏肉や牛肉等の生肉やホルモンそのものが該当する。
【０１４８】
更に、ここでの「二次産品」とは、未加工の生鮮食品、未加工の動物性食品、未加工の植物性食品を加工した産品である。また、多種類の二次産品等を加工して生産した食品をも含むものである。具体的には、酒、炭酸飲料、ごはん、冷凍食品、ペットフード、うどん、味噌汁、缶詰、お菓子、ラーメン、パン、漬物、野菜炒め、ステーキ、弁当、ハンバーグ等が該当する。更に、レストランで提供されるひと皿ひと皿の料理が該当する。
【０１４９】
なお、ここでの「画像」とは、静止画のみならず動画も含まれる。例えば、ウェブサイトに掲載された静止画や動画、電子カタログに掲載された静止画や動画、紙カタログに掲載された静止画、その他の各種広告媒体に掲載された静止画や動画等が挙げられる。
【０１５０】
また、ここでの「画像」とは、付属物の中身や性質等を説明することを趣旨としており、付属物に付帯しているあらゆる情報を含んでも良い。なお、画像の詳細を説明するための文字情報があっても良い。例えば、何が、いつ、どの段階、どうしたものであるのか、といった情報があれば、消費者の理解の容易化が実現する。
更に、付属物を単一の画像で充分に表現することが困難な場合もあり、その場合には、複数の画像を用いて表現しても良い。また、付属物の画像のみならず、付属物の容器や箱、袋といった画像を、付属物の画像と共に用いて表現しても良い。
【０１５１】
更に、画像に表された付属物の形態や、送付や手渡される付属物の形態については、特に限定されるものではない。例えば、切断や粉砕、乾燥等の所定の加工を行った方が、より一層、食品や食品の原料の品質を把握することができる場合もあり、その様な場合には、所定の加工を行った付属物について、画像に表したり、送付や手渡したりすることが好ましい。なお、乾燥は「強制乾燥」と「自然乾燥」の２つの方法が考えられるが、自然乾燥の方が食品や食品の原料の品質の良し悪しが分かり易いことが多い。
【０１５２】
具体的には、付属物がりんごである場合に、切った状態のりんごの画像を見せたり、切った状態のりんごを提供しても良く、更には、乾燥させてドライフルーツとした状態のりんごの画像を見せたり、乾燥させてドライフルーツの状態としたりんごを提供しても良い。この場合にも、上述した理由と同様に、自然乾燥によるドライフルーツが好ましい。
【発明の効果】
【０１５３】
本発明の食品製品の提供方法及び商品の提供方法では、消費者がより一層安心して食品や商品本体を選択することが可能となり、食品や商品本体の信頼度の向上を実現することができる。
【図面の簡単な説明】
【０１５４】
【図１】本発明を適用した食品製品の提供方法を説明するための模式図（１）である。
【図２】本発明を適用した食品製品の提供方法を説明するための模式図（２）である。
【図３】本発明を適用した食品製品の提供方法を説明するための模式図（３）である。
【発明を実施するための形態】
【０１５５】
以下、発明を実施するための形態（以下、「実施の形態」と称する）について説明を行う。なお、説明は以下の順序で行う。
１．第１の実施の形態
２．第２の実施の形態
３．第３の実施の形態
４．変形例
【０１５６】
＜１．第１の実施の形態＞
［構成の説明］
図１は本発明を適用した食品製品の提供方法の一例を説明するための模式図である。
図１で示す食品製品の提供方法の一例では、パソコン２０を利用してインターネット回線を介してアクセス可能なホームページ（通販サイト）に、販売商品である食品の画像Ａ１、Ａ２、Ａ３が掲載されている。また、それぞれの食品の画像ごとに付属物の画像１１〜１９が掲載されている。
【０１５７】
具体的には、画像Ａ１の隣に、画像Ａ１で表されている食品の一体成長物（付属物の一例）の画像１１、画像Ａ１で表されている食品の代替一体成長物（付属物の一例）の画像１２、画像Ａ１で表されている食品の生産関与物（付属物の一例）の画像１３が掲載されている。
【０１５８】
同様に、画像Ａ２の隣に、画像Ａ２で表されている食品の一体成長物（付属物の一例）の画像１４、画像Ａ２で表されている食品の代替一体成長物（付属物の一例）の画像１５、画像Ａ２で表されている食品の生産関与物（付属物の一例）の画像１６が掲載されている。
【０１５９】
また同様に、画像Ａ３の隣に、画像Ａ３で表されている食品の一体成長物（付属物の一例）の画像１７、画像Ａ３で表されている食品の代替一体成長物（付属物の一例）の画像１８、画像Ａ３で表されている食品の生産関与物（付属物の一例）の画像１９が掲載されている。
【０１６０】
ここで、こうした通販サイトを通じて消費者は食品製品を購入することになるのであるが、通販サイトを通じて食品製品の購入を検討している消費者に対して、換言すると、食品（販売商品）の購入前の消費者に対して、付属物（現物）を送付する。
【０１６１】
例えば、画像Ａ１で表されている食品の購入を検討している消費者に対して、画像１１〜１３の中から、消費者自身が選択した付属物を送付するのである。なお、送付する付属物は１つでも、２つでも、３つでも良い。
また、消費者が付属物を選択する方法としては、付属物を選択するページを通じて、即ち、パソコン２０を通じて、商品提供者（商品販売者）に希望する付属物を伝える等が考えられる。
【０１６２】
そして、付属物の現物を受領した消費者は、付属物の現物を充分に確認することで、食品や食品の原料の品質を把握した後に、商品（食品製品）を購入することとなる。なお、購入した商品（食品製品）は店頭で手渡される。
【０１６３】
ところで、一体成長物とは、食品が一次産品の場合には、「食品と一体に成長した物であって食品とは異なる部分」を意味する。
【０１６４】
具体的には、食品が一次産品である柿、リンゴ、豆、米、麦、胡麻、さとうきび等の場合には、一体成長物としては、食品である柿、リンゴ、豆、米、麦等と一体に成長した葉、根、枝、茎、ぬか、もみ、つる、殻、稲穂、麦穂、さや（豆や胡麻のさや）、幹部（さとうきびの幹部）、花等が挙げられる。なお、殻については殻の中に実を有した状態であっても良い。但し、一体成長物は、食品とは異なる部分である。
【０１６５】
また、食品が一次産品である牛肉、豚肉、鶏肉、魚肉等の肉そのものである場合には、一体成長物としては、牛肉、豚肉、鶏肉、魚肉等と一体に成長した内臓や手足（例えば、豚足）、骨（例えば、魚の骨）、脂や舌等が挙げられる。但し、一体成長物は、食品とは異なる部分である。
【０１６６】
また、代替一体成長物とは、食品が一次産品の場合には、「食品の代替食品と一体に成長した物であって食品に対応する部分とは異なる部分」を意味する。
なお、代替食品とは、食品と略同一条件で食品とは別体で成長した物を意味する。
【０１６７】
具体的には、食品が一次産品である柿、リンゴ、豆、米、麦等の場合には、代替一体成長物としては、食品と同じ農場で同じ肥料を施して育った柿、リンゴ、豆、米、麦等の代替食品と一体に成長した葉、根、枝、茎、ぬか、もみ、つる、殻、稲穂、麦穂、麦芽、花等が挙げられる。なお、殻については殻の中に実を有した状態であっても良い。但し、代替一体成長物は、食品に対応する部分とは異なる部分である。
【０１６８】
また、食品が一次産品である牛肉、豚肉、鶏肉、魚肉等の場合には、代替一体成長物としては、食品（牛肉、豚肉、鶏肉、魚肉等）と同じ場所で同じ物を食して育った牛肉、豚肉、鶏肉、魚肉等の食品と一体に成長した内臓、大腸、脂身、舌や手足（例えば、豚足）、骨等が挙げられる。但し、代替一体成長物は、食品に対応する部分とは異なる部分である。
【０１６９】
また、生産関与物とは、食品が一次産品の場合には、「食品（一次産品）の生産に関与した土壌、水、海水、海底水、アルカリ水、海底水から採取した塩、海底泥、海藻、肥料、土壌消毒剤、殺菌剤、抗菌剤、農薬、種子、土壌中の生き物、水中の生き物、草、養殖用飼料、プランクトン、昆虫類、忌避植物、飼料、赤身肉化剤、抗生物質、成長ホルモン剤、ビニールハウスのビニールと略同質のビニール、放射線等の少なくとも１つ」を意味する。
【０１７０】
一方、食品が二次産品の場合には、一体成長物とは、「食品の原料と一体に成長した物であって食品の原料とは異なる部分」を意味する。
【０１７１】
具体的には、食品が二次産品である柿、リンゴ、豆、米、じゃがいも、さつまいも等を加工した加工食品の場合には、一体成長物としては、加工食品の原料（柿、リンゴ、豆、米、じゃがいも、さつまいも等）と一体に成長した葉、根、枝、茎、ぬか、つる、殻、稲穂、花等が挙げられる。但し、一体成長物は、加工食品（食品）の原料とは異なる部分である。
【０１７２】
また、食品が二次産品である牛肉、豚肉、鶏肉、魚肉等を加工した加工食品の場合には、一体成長物としては、加工食品の原料（牛肉、豚肉、鶏肉、魚肉等）と一体に成長した内臓や手足、舌等が挙げられる。但し、一体成長物は、加工食品（食品）の原料とは異なる部分である。
【０１７３】
更に、食品が二次産品であるビールの場合には、一体成長物としては、ビールの原料（麦芽、ホップ等）と一体に成長した麦穂やホップ等が挙げられる。但し、一体成長物は、ビール（食品）の原料とは異なる部分である。
【０１７４】
また、食品が二次産品の場合には、代替一体成長物とは、「食品の代替原料と一体に成長した物であって食品の原料に対応する部分とは異なる部分」を意味する。
なお、代替原料とは、食品の原料と略同一条件で食品の原料とは別体で成長した物を意味する。
【０１７５】
具体的には、食品が二次産品である柿、リンゴ、豆、米、じゃがいも、さつまいも等を加工した加工食品の場合には、代替一体成長物としては、加工食品の原料（柿、リンゴ、豆、米、じゃがいも、さつまいも等）と同じ農場で同じ肥料を施して育った柿、リンゴ、豆、米、じゃがいも、さつまいも等の代替原料と一体に成長した葉、根、枝、茎、ぬか、つる、殻、稲穂、花等が挙げられる。但し、代替一体成長物は、加工食品（食品）の原料に対応する部分とは異なる部分である。
【０１７６】
また、食品が二次産品である牛肉、豚肉、鶏肉、魚肉等を加工した加工食品の場合には、代替一体成長物としては、加工食品の原料（牛肉、豚肉、鶏肉、魚肉等）と同じ場所で同じ物を食して育った牛肉、豚肉、鶏肉、魚肉等の代替原料と一体に成長した内臓、大腸、脂身や手足（例えば、豚足）、舌、骨等が挙げられる。但し、代替一体成長物は、加工食品（食品）の原料に対応する部分とは異なる部分である。
【０１７７】
更に、食品が二次産品であるビールの場合には、代替一体成長物としては、ビールの原料（麦芽、ホップ等）と同じ農場で同じ肥料を施して育った麦芽、ホップ等の代替原料と一体に成長した麦穂やホップ花等が挙げられる。但し、代替一体成長物は、ビール（食品）の原料に対応する部分とは異なる部分である。
【０１７８】
また、食品が二次産品である場合には、生産関与物とは、「食品（二次産品）の原料の生産に関与した土壌、水、海水、海底水、アルカリ水、海底水から採取した塩、海底泥、海藻、塩、肥料、土壌消毒剤、殺菌剤、抗菌剤、農薬、種子、土壌中の生き物、水中の生き物、草、養殖用飼料、プランクトン、昆虫類、忌避植物、飼料、赤身肉化剤、抗生物質、成長ホルモン剤、ビニールハウスのビニールと略同質のビニール、放射線等の少なくとも１つ」を意味したり、「食品（二次産品）の生産に関与した木樽の木片や、食品（二次産品）の生産に関与した木樽と略同一条件の木樽の木片や、食品（二次産品）の生産に関与した木樽の構成材と同一種類の木片や、食品（二次産品）を生産した木樽の中に食品と共に入れられた木樽の構成材と同一種類の木片」を意味したり、「食品（二次産品）に含まれる汁や、食品（二次産品）の生産に関与した汁」を意味したりする。
【０１７９】
［効果］
上記した本発明を適用した食品製品の提供方法の一例では、食品製品の購入の検討に際して付属物の画像１１〜１９を確認することによって、提供される食品や食品の原料の成長過程の実態を把握することができ、消費者はより一層安心して食品を選択することが可能となり、食品の信頼度の向上が実現することとなる。
【０１８０】
また、例えば、牛肉、豚肉、魚肉等と一体に成長した一体成長物として「内臓、手あるいは足」の画像を掲載する場合には、牛、豚、鶏、魚等がどのような環境で育てられたかを知ることができる。
【０１８１】
また、付属物の画像を消費者に見せることで、通常は食品の背景にあって消費者からは見えない部分をも知ることができ、より一層製品に対する親しみを感じさせることができ、商品の消費拡大が期待できる。
【０１８２】
なお、一体成長物や代替一体成長物の画像を掲載することで、提供される食品や食品の原料の成長過程の実態を充分に把握することが可能となる。即ち、文字情報として例えば、一体成長物や代替一体成長物の情報を開示する場合等が考えられるものの、文字情報による知覚的理解のみでは、提供される食品や食品の原料の成長過程の実態を把握するには不十分である。
【０１８３】
更に、一体成長物や代替一体成長物の画像を消費者に見せることで、食品の品質理解の容易化を図ることが可能となる。即ち、原料粉末見本を添付する場合（例えば、特開２００９−５６５６号公報に記載の技術の場合）には、原料粉末見本の検査等を行わなければ、食品の品質理解が困難であるのに対して、一体成長物や代替一体成長物の画像を見せる場合には、検査等を行うことなく一見して食品の品質を判断できる場合もあり、食品の品質理解の容易化が実現する。
【０１８４】
具体的には、例えば、加工果実（例えば、リンゴジャム）の一体成長物の画像として「虫食い跡を有するリンゴの葉」の画像を見せる場合には、「この加工果実に使用されているリンゴは、虫が生存可能な環境で生産されたものである」という点が分かり、虫が生存しているということから、「農薬が散布されていない、若しくは、散布された農薬量が少ない」と判断できることとなる。なお、加工果実に使用されている果物の粉末が添付された場合には、粉末を検査しなければ農薬に関する情報を得ることができない。
【０１８５】
なお、検査等を要せずに食品の品質を判断できることによって、食品の品質の安全性の判断材料となる情報を消費者が食品を購入する前段階で得ることができ、購入するか否かといった判断材料を消費者に提供することができる。一方、食品の品質の判断にあたって検査等を要する場合には、購入後に初めて食品の品質の安全性に関する情報を得ることとなるため、食品を購入するか否かといった判断材料を消費者に提供することはできない。
【０１８６】
更に、付属物の画像を通販サイトに掲載して消費者に見せるのみならず、食品の購入を検討している消費者に対して、付属物を送付するために、消費者は画像のみならず、付属物の現物を入手することができ、より一層、提供される食品や食品の原料の成長過程の実態を把握することができる。なお、通販サイトで見せた付属物の画像と一致する付属物を消費者に送付し、消費者が一致を確認することで安心度が増す。また、消費者の信頼度も増す。こうした点を考慮すると、画像で見せる付属物と送付する付属物とは一致している方が好ましい。
【０１８７】
また、消費者からすると、付属物の現物を送付してもらえることで、付属物の画像を見ているときのみならず、付属物の現物を受領した後にもゆっくりと時間をかけて検討することができるということとなり、安心度が増すことになる。
【０１８８】
具体的には、例えば、リンゴジュースの一体成長物の画像として「リンゴの皮」の画像を見せ、「リンゴの皮」を送付する場合には、「リンゴの皮」を入手した消費者はリンゴの皮に農薬が存在（残留）するか否かを確認することによって、リンゴの栽培時に農薬が散布されたか否か、また、散布された場合にはその量等を知ることができる。なお、散布された農薬は皮に残留することが多いため、リンゴの皮の農薬分析を行うことは、リンゴの栽培時の農薬散布状況を把握する上で極めて重要と言える。
【０１８９】
また、本発明を適用した食品製品の提供方法の一例では、通販サイトに画像１１〜１９を掲載し、２以上の付属物の中から、消費者に付属物を選択させている。即ち、付属物の送付にあたって、生産者や販売者から一方的に押し付けるのでは無く、消費者の品質や安全性に関する知識や、意見、期待を受け入れるという意味をも含んで、消費者に付属物を選択させており、こうした点からも、消費者はより一層安心して食品を選択することが可能となり、食品の信頼度の向上が実現することとなる。
【０１９０】
また、本発明を適用した食品製品の提供方法の一例では、通販サイトに画像１１〜１９を掲載しており、極めて多くの情報を消費者に提供することができる。例えば、大容量の動画や、多数の静止画等であっても、極めて容易に消費者に提供することが可能となる。
【０１９１】
［変形例１］
本実施の形態では、食品の画像Ａ１〜Ａ３と共に付属物の画像１１〜１９が掲載されている場合を例に挙げて説明を行っているが、付属物の画像１１〜１９に加えて、食品や付属物に関する情報を掲載しても良い。例えば、食品の栽培方法や栽培環境に関する情報、食品の飼育方法や飼育環境に関する情報、食品の成分の分析表、食品の原料の栽培方法や栽培環境に関する情報、食品の原料の飼育方法や飼育環境に関する情報、食品の原料の成分の分析表、付属物の成分の分析表等を通販サイトに掲載しても良い。
こうした食品や付属物に関する情報を通販サイトに掲載することで、消費者はより一層安心して食品を選択することが可能となる。
【０１９２】
［変形例２］
また、食品が二次産品であり、食品の原料が食肉である場合には、食肉の部位を図示で表した画像を、付属物の画像１１〜１９に加えて掲載した方が好ましい。例えば、食品（二次産品）がミートボールやハンバーグである場合に、ミートボールやハンバーグの原料である食肉が、牛や鶏や豚のどの部位であるかを図で示した画像と共に見せることが好ましい。
こうした部位を示す画像を見せ、加工により原料の部位が特に分かり難くなる食肉の情報を通販サイトに掲載することで、消費者はより一層安心して食品を選択することが可能となる。なお、肉の種類や部位の種類がどんなに多くても、製造工程の画像、音声、文字等のあらゆる手段を使うことで、消費者に情報を提供することが可能となる。
【０１９３】
＜２．第２の実施の形態＞
［構成の説明］
図２は本発明を適用した食品製品の提供方法の他の一例を説明するための模式図である。
図２で示す食品製品の提供方法の他の一例では、通信販売用の商品カタログ３０に、販売商品である食品の画像Ｂ１、Ｂ２、Ｂ３が掲載されている。また、それぞれの食品の画像ごとに付属物の画像２１〜２９が掲載されている。
【０１９４】
具体的には、画像Ｂ１の隣に、画像Ｂ１で表されている食品の食品粉末が水と共に封入された付属物の画像２１、画像Ｂ１で表されている食品の一体成長物（付属物の一例）の画像２２、画像Ｂ１で表されている食品の代替一体成長物（付属物の一例）の画像２３が掲載されている。
【０１９５】
同様に、画像Ｂ２の隣に、画像Ｂ２で表されている食品の食品粉末が水と共に封入された付属物の画像２４、画像Ｂ２で表されている食品の一体成長物（付属物の一例）の画像２５、画像Ｂ２で表されている食品の代替一体成長物（付属物の一例）の画像２６が掲載されている。
【０１９６】
また同様に、画像Ｂ３の隣に、画像Ｂ３で表されている食品の食品粉末が水と共に封入された付属物の画像２７、画像Ｂ３で表されている食品の一体成長物（付属物の一例）の画像２８、画像Ｂ３で表されている食品の代替一体成長物（付属物の一例）の画像２９が掲載されている。
【０１９７】
なお、食品粉末とは、食品が一次産品の場合には、「食品の粉末」若しくは「食品の一体成長物の粉末」若しくは「食品の代替一体成長物の粉末」である。
また、食品が二次産品の場合には、「食品の原料の粉末」若しくは「食品の原料の一体成長物の粉末」若しくは「食品の原料の代替一体成長物の粉末」である。
【０１９８】
ここで、本実施の形態では、食品粉末を例に挙げて説明を行っているが、換言すると、水と共に収容される対象物が粉状である場合を例に挙げて説明を行っているが、水と共に収容される対象物は必ずしも粉状である必要は無い。即ち、付属物の画像を消費者に見せることで、食品や食品の原料が消費者に提供されるまでの過程において影響を受けた要因を把握することができれば、必ずしも粉状である必要は無い。例えば、粉状の他に、角切り、千切りにして水に浸しても良いし、ミキサーで回転させながら切り刻んでも良い。
但し、粉状とすることで、水と共に収容した付属物の変化が生じやすくなるために、粉状であることが好ましい。
【０１９９】
ここで、こうしたカタログ販売を通じて食品製品を購入することになるのであるが、カタログ販売を通じて食品製品の購入を検討している消費者に対して、換言すると、食品（販売商品）の購入前の消費者に対して、付属物（現物）を送付する。
【０２００】
例えば、画像Ｂ１で表されている食品の購入を検討している消費者に対して、画像２１〜２３の中から、消費者自身が選択した付属物を送付するのである。なお、送付する付属物は１つでも、２つでも、３つでも良い。
また、消費者が付属物を選択する方法としては、商品カタログに付属するハガキ等に希望の付属物を記載し、商品提供者（商品販売者）に希望する付属物を伝える等が考えられる。
【０２０１】
そして、付属物の現物を受領した消費者は、付属物の現物を充分に確認することで、食品や食品の原料の品質を把握した後に、商品（食品製品）を購入することとなる。なお、購入した商品（食品製品）は店頭で手渡される。
【０２０２】
［効果］
上記した本発明を適用した食品製品の提供方法の他の一例では、食品製品の購入の検討に際して付属物の画像２１〜２９を確認することによって、食品や食品の原料が消費者に提供されるまでの過程において影響を受けた要因や、食品や食品の原料の成長過程の実態を把握することができ、消費者はより一層安心して食品製品を選択することが可能となり、食品製品の信頼度の向上が実現することとなる。
【０２０３】
また、付属物の画像２１〜２９を見せることで、通常は食品の背景にあって消費者からは見えない部分をも知ることができ、より一層製品に対する親しみを感じさせることができ、食品製品の消費拡大が期待できる。
【０２０４】
なお、付属物の画像を見せることで、提供された食品や食品の原料の成長過程の実態を充分に把握することが可能となる。即ち、文字情報として、例えば、付属物の情報を開示する場合等が考えられるものの、文字情報による知覚的理解のみでは、提供された食品や食品の原料の成長過程の実態を把握するには不十分である。
【０２０５】
更に、食品粉末と水が封入された付属物の画像を消費者に見せることで、食品や食品の原料の品質理解の容易化を図ることが可能となる。即ち、原料粉末見本を添付する場合（例えば、特開２００９−５６５６号公報に記載の技術の場合）には、原料粉末見本の検査等を行わなければ、食品の品質理解が困難であるのに対して、付属物の画像を見せる場合には、一見して食品や食品の原料の品質を判断できる場合もあり、食品や食品の原料の品質理解の容易化が実現する。
【０２０６】
具体的には、例えば、「無農薬で育成した野菜等の食品粉末を水に混ぜた付属物」の場合には、１０日程度が経過しても、変色の度合いが小さい。一方で、「無機肥料、殺菌剤、殺虫剤、除草剤等を利用して育成した野菜等の食品粉末を水に混ぜた付属物」の場合には、１０日程度が経過すると、変色の度合いが大きい。こうした変色の度合いから、「農薬が散布されていない、若しくは、散布された農薬量が少ない」と判断できることとなる。即ち、付属物の画像を見せることで、一見して食品や食品の原料の品質を判断できる場合もある。なお、変色の度合いをセンサー等で計測し、計測結果を数値化して消費者に伝えても良い。
【０２０７】
同様に、例えば、「化学肥料を使わず、無農薬で育成した野菜等の食品粉末を水に混ぜた付属物」の場合には３０日から１２０日程度が経過しても、変色の度合いが少なく、ガスの発生もほとんどない。一方で、「化学肥料、農薬等を利用して育成した野菜等の食品粉末を水に混ぜた付属物」の場合には、３０日から１２０日程度が経過すると、変色度合いが大きく、ガスが発生する。こうした変色やガスの状態から、「化学肥料や農薬等の有無、多い少ない」の判断ができることとなる。この様に、所定の期間が経過した後の付属物の画像を見せることで、一見して食品や食品の原料の品質を判断できる場合もある。
【０２０８】
上記の点を考慮すると、食品粉末と水が封入されてから一定期間（例えば、１０日程度や、２０日から３０日程度や、３０日から１２０日程度）が経過した状態の画像を掲載する方が好ましい。
そうすることで、食品製品の購入段階で付属物の変化を確認することができ、食品を購入するか否かといった判断材料を消費者に提供することができるからである。
【０２０９】
なお、検査等を要せずに食品の品質を判断できることによって、食品の品質の安全性の判断材料となる情報を消費者が食品を購入する前段階で得ることができ、購入するか否かといった判断材料を消費者に提供することができる。一方、食品の品質の判断にあたって検査等を要する場合には、購入後に初めて食品の品質の安全性に関する情報を得ることとなるため、食品を購入するか否かといった判断材料を消費者に提供することはできない。
【０２１０】
更に、付属物の画像をカタログに掲載して消費者に見せるのみならず、食品の購入を検討している消費者に対して、付属物を送付するために、消費者が画像のみならず、付属物の現物を入手することができ、より一層、提供される食品や食品の原料の実態を把握することができる。また、より一層、食品や食品の原料が消費者に提供されるまでの過程において影響を受けた要因を把握することができる。
【０２１１】
［変形例１］
本実施の形態では、食品の画像Ｂ１〜Ｂ３と共に付属物の画像２１〜２９が掲載されている場合を例に挙げて説明を行っているが、付属物の画像２１〜２９に加えて、食品や付属物に関する情報を掲載しても良い。例えば、食品の栽培方法や栽培環境に関する情報、食品の飼育方法や飼育環境に関する情報、食品の成分の分析表、食品の原料の栽培方法や栽培環境に関する情報、食品の原料の飼育方法や飼育環境に関する情報、食品の原料の成分の分析表、付属物の成分の分析表等を商品カタログに掲載しても良い。
こうした食品や付属物に関する情報を商品カタログに掲載することで、消費者はより一層安心して食品を選択することが可能となる。
【０２１２】
［変形例２］
また、食品が二次産品であり、食品の原料が食肉である場合には、食肉の部位を図示で表した画像を、付属物の画像２１〜２９に加えて掲載した方が好ましい。例えば、食肉（二次産品）がミートボールやハンバーグである場合に、ミートボールやハンバーグの原料である食肉が、牛や鶏や豚のどの部位であるかを図で示した画像と共に見せることが好ましい。
こうした部位を示す画像を見せ、加工により原料の部位が特に分かり難くなる食肉の事情を商品カタログに掲載することで、消費者はより一層安心して食品を選択することが可能となる。
【０２１３】
＜３．第３の実施の形態＞
［構成の説明］
図３は本発明を適用した食品製品の提供方法の更に他の一例を説明するための模式図である。
図３で示す食品製品の提供方法の更に他の一例では、商品の購入を検討している消費者に手渡す付属物カタログ４０に、販売商品である食品の画像Ｃ１と、販売商品である食品の付属物の画像３１〜３９が掲載されている。
【０２１４】
なお、ここでは、画像Ｃ１で表されている食品の購入を検討している消費者に提供される付属物カタログ４０を例に挙げており、そのため、付属物カタログ４０に画像Ｃ１が掲載されているのである。
【０２１５】
具体的には、画像Ｃ１の隣に、販売商品（画像Ｃ１で表されている食品）の食品粉末が水と共に封入された付属物の画像３１〜３３が掲載されている。
なお、画像３１〜３３で表された付属物は、それぞれ水と共に封入されている食品粉末が異なる。
【０２１６】
また、画像３１〜３３の下段には、販売商品（画像Ｃ１で表されている食品）の一体成長物（付属物の一例）の画像３４〜３６が掲載されている。
なお、画像３１〜３３で表された一体成長物は、それぞれが別物である。
【０２１７】
更に、画像３４〜３６の下段には、販売商品（画像Ｃ１で表されている食品）の代替一体成長物（付属物の一例）の画像３７〜３９が掲載されている。
なお、画像３４〜３６で表された代替一体成長物は、それぞれが別物である。
【０２１８】
ここで、付属物カタログ４０に掲載された付属物３１〜３９の中から、消費者自身が選択した付属物（現物）を消費者に手渡すのである。なお、手渡す付属物は１つでも、２つ以上でも良い。
【０２１９】
そして、付属物の現物を受領した消費者は、付属物の現物を充分に確認することで、食品や食品の原料の品質を把握した後に、販売商品を購入することとなる。なお、購入した商品（食品製品）は店頭で手渡される。
【０２２０】
［効果］
上記した本発明を適用した食品製品の提供方法の更に他の一例では、食品製品の購入検討時に提供される付属物カタログ４０で付属物の画像３１〜３９を確認することができ、食品や食品の原料が消費者に提供されるまでの過程において影響を受けた要因や、食品や食品の原料の成長過程の実態を把握することができ、消費者はより一層安心して食品製品を選択することが可能となり、食品製品の信頼度の向上が実現することとなる。
【０２２１】
また、付属物の画像３１〜３９を見せることで、通常は食品の背景にあって消費者からは見えない部分をも知ることができ、より一層製品に対する親しみを感じさせることができ、食品製品の消費拡大が期待できる。
【０２２２】
なお、付属物の画像を見せることで、提供された食品や食品の原料の成長過程の実態を充分に把握することが可能となる。即ち、文字情報として、例えば、付属物の情報を開示する場合等が考えられるものの、文字情報による知覚的理解のみでは、提供された食品や食品の原料の成長過程の実態を把握するには不十分である。
【０２２３】
更に、食品粉末と水が封入された付属物の画像を消費者に見せることで、食品や食品の原料の品質理解の容易化を図ることが可能となる。即ち、原料粉末見本を添付する場合（例えば、特開２００９−５６５６号公報に記載の技術の場合）には、原料粉末見本の検査等を行わなければ、食品の品質理解が困難であるのに対して、付属物の画像を見せる場合には、一見して食品や食品の原料の品質を判断できる場合もあり、食品や食品の原料の品質理解の容易化が実現する。
【０２２４】
また、付属物の画像を付属物カタログに掲載して消費者に見せるのみならず、消費者の求めに応じて付属物を手渡すために、消費者が画像のみならず、付属物の現物を入手することができ、より一層、提供される食品や食品の原料の実態を把握することができる。また、より一層、食品や食品の原料が消費者に提供されるまでの過程において影響を受けた要因を把握することができる。
【０２２５】
＜４．変形例＞
上記した第１の実施の形態では、付属物が一体成長物、代替一体成長物、生産関与物である場合を例に挙げ、また、上記した第２の実施の形態、第３の実施の形態では、食品粉末が水と共に封入された付属物、一体成長物である付属物、代替一体成長物である付属物の場合を例に挙げて説明を行っているが、付属物は必ずしもこれらに限られるものではなく、以下に示す様なものであっても良い。
【０２２６】
［変形例１］
例えば、食品（二次産品）の原料（例えば、卵など）を付属物として、こうした付属物の画像を食品の画像Ａ１〜Ａ３や画像Ｂ１〜Ｂ３と共に掲載しても良い。
【０２２７】
［変形例２］
また、食品（二次産品）の原料と略同一条件で食品の原料とは別体で成長した代替原料を付属物とし、または、こうした代替原料の粉末や、加工品や、粉末加工品を付属物とし、こうした付属物の画像を食品の画像Ａ１〜Ａ３や画像Ｂ１〜Ｂ３と共に掲載しても良い。例えば、食品の原料である卵と略同一条件で生産された代替卵を付属物としても良い。その際、鶏が食べた飼料の内訳を記載したメモを添えた飼料を共に掲載しても良い。
なお、「加工」とは、代替原料を使って、同種同類物と混合したり、異種物と混合したり、煮たり、炒めたり、焦がしたり、膨らしたり、漬けたり等が挙げられ、加工品は単品でも複合品でも良い。
【０２２８】
［変形例３］
また、食品（二次産品）の原料と略同一条件で食品の原料とは別体に成長した代替原料と一体に成長した代替一体成長物を付属物とし、または、こうした代替一体成長物の粉末や、加工品や、粉末加工品を付属物とし、こうした付属物の画像を食品の画像Ａ１〜Ａ３や画像Ｂ１〜Ｂ３と共に掲載しても良い。
なお、「加工」とは、代替一体成長物を使って、同種同類物と混合したり、異種物と混合したり、煮たり、炒めたり、焦がしたり、膨らしたり、漬けたり等が挙げられ、加工品は単品でも複合品でも良い。
【０２２９】
［変形例４］
また、食品（二次産品）の生産に関与した乳酸菌を付属物とし、または、食品（二次産品）の生産に関与したビフィズス菌を付属物とし、または、食品（二次産品）の生産に関与した麹を付属物とし、または、食品（二次産品）の生産に関与した麹菌を付属物とし、または、食品（二次産品）の生産に関与した枯草菌を付属物とし、こうした付属物の画像を食品の画像Ａ１〜Ａ３や画像Ｂ１〜Ｂ３と共に掲載しても良い。なお、時間経過に応じた菌の状況や状態の情報と共に掲載しても良い。
【０２３０】
［変形例５］
更に、食品（二次産品）の生産に関与した木樽、瓶、プラスチック製容器、若しくは、漬け床を付属物とし、こうした付属物の画像を食品の画像Ａ１〜Ａ３や画像Ｂ１〜Ｂ３と共に掲載しても良い。
なお、漬け床としては、例えば、塩、しょう油、味噌、麹、米ぬか、酒かす、酢、もろみ、辛子、みりん等が挙げられる。
また、漬け床として糠を用いた場合には、糠の品質を掲載しても良い。具体的には、「無農薬の糠である」といった具合である。
【０２３１】
［変形例６］
また、食品（二次産品）の生産に関与した木樽の木片を付属物とし、または、食品（二次産品）の生産に関与した木樽と略同一条件の木樽の木片を付属物とし、または、食品（二次産品）の生産に関与した木樽の構成材と同一種類の木片を付属物とし、または、食品（二次産品）を生産した木樽の中に同食品と共に入れられた木樽の構成材と同一種類の木片を付属物とし、または、食品（二次産品）に含まれる汁を付属物とし、または、商品（二次産品）の生産に関与した汁を付属物とし、こうした付属物の画像を食品の画像Ａ１〜Ａ３や画像Ｂ１〜Ｂ３と共に掲載しても良い。
【０２３２】
［変形例７］
また、食品（二次産品）に用いられた食品添加物の総重量と同じ重量の食品添加物若しくは擬似物を付属物とし、または、食品（二次産品）に用いられた食品添加物の総体積と同じ体積の食品添加物若しくは擬似物を付属物とし、または、食品（二次産品）に用いられた食品添加物の総体積と見かけ上同じ体積の食品添加物若しくは擬似物を付属物とし、または、食品（二次産品）に用いられた砂糖の総重量と同じ重量の砂糖若しくは擬似物を付属物とし、または、食品（二次産品）に用いられた砂糖の総体積と同じ体積の砂糖若しくは擬似物を付属物とし、または、食品（二次産品）に用いられた砂糖の総体積と見かけ上同じ体積の砂糖若しくは擬似物を付属物とし、または、食品（二次産品）に用いられた塩の総重量と同じ重量の塩若しくは擬似物を付属物とし、または、食品（二次産品）に用いられた塩の総体積と同じ体積の塩若しくは擬似物を付属物とし、または、食品（二次産品）に用いられた塩の総体積と見かけ上同じ体積の塩若しくは擬似物を付属物とし、または、食品（二次産品）に用いられたタンパク加水分解物の総重量と同じ重量のタンパク加水分解物若しくは擬似物を付属物とし、または、食品（二次産品）に用いられたタンパク加水分解物の総体積と同じ体積のタンパク加水分解物若しくは擬似物を付属物とし、または、食品（二次産品）に用いられたタンパク加水分解物の総体積と見かけ上同じ体積のタンパク加水分解物若しくは擬似物を付属物とし、または、食品（二次産品）に用いられた調味料の総重量と同じ重量の調味料若しくは擬似物を付属物とし、または、食品（二次産品）に用いられた調味料の総体積と同じ体積の調味料若しくは擬似物を付属物とし、または、食品（二次産品）に用いられた調味料の総体積と見かけ上同じ体積の調味料若しくは擬似物を付属物とし、または、食品（二次産品）に用いられたブドウ糖果糖液糖の総重量と同じ重量のブドウ糖果糖液糖若しくは擬似物を付属物とし、または、食品（二次産品）に用いられたブドウ糖果糖液糖の総体積と同じ体積のブドウ糖果糖液糖若しくは擬似物を付属物とし、または、食品（二次産品）に用いられたブドウ糖果糖液糖の総体積と見かけ上同じ体積のブドウ糖果糖液糖若しくは擬似物を付属物とし、または、食品（二次産品）に用いられた加工油脂の総重量と同じ重量の加工油脂若しくは擬似物を付属物とし、または、食品（二次産品）に用いられた加工油脂の総体積と同じ体積の加工油脂若しくは擬似物を付属物とし、または、食品（二次産品）に用いられた加工油脂の総体積と見かけ上同じ体積の加工油脂若しくは擬似物を付属物とし、または、食品（二次産品）に用いられたトランス脂肪酸の総重量と同じ重量のトランス脂肪酸若しくは擬似物を付属物とし、または、食品（二次産品）に用いられたトランス脂肪酸の総体積と同じ体積のトランス脂肪酸若しくは擬似物を付属物とし、または、食品（二次産品）に用いられたトランス脂肪酸の総体積と見かけ上同じ体積のトランス脂肪酸若しくは擬似物を付属物とし、または、食品（二次産品）に用いられた加工デンプンの総重量と同じ重量の加工デンプン若しくは擬似物を付属物とし、または、食品（二次産品）に用いられた加工デンプンの総体積と同じ体積の加工デンプン若しくは擬似物を付属物とし、または、食品（二次産品）に用いられた加工デンプンの総体積と見かけ上同じ体積の加工デンプン若しくは擬似物を付属物とし、または、食品（二次産品）に用いられた食品添加物のうち一括名の表示が認められた食品添加物の総重量と同じ重量の食品添加物若しくは擬似物を付属物とし、または、食品（二次産品）に用いられた食品添加物のうち一括名の表示が認められた食品添加物の総体積と同じ体積の食品添加物若しくは擬似物を付属物とし、または、食品（二次産品）に用いられた食品添加物のうち一括名の表示が認められた食品添加物の総体積と見かけ上同じ体積の食品添加物若しくは擬似物を付属物とし、または、食品（二次産品）に用いられた合成ビタミンの総重量と同じ重量の合成ビタミン若しくは擬似物を付属物とし、または、食品（二次産品）に用いられた合成ビタミンの総体積と同じ体積の合成ビタミン若しくは擬似物を付属物とし、または、食品（二次産品）に用いられた合成ビタミンの総体積と見かけ上同じ体積の合成ビタミン若しくは擬似物を付属物とし、または、食品（二次産品）に用いられた食品添加物のうちキャリーオーバーとみなされた食品添加物の総重量と同じ重量の食品添加物若しくは擬似物を付属物とし、または、食品（二次産品）に用いられた食品添加物のうちキャリーオーバーとみなされた食品添加物の総体積と同じ体積の食品添加物若しくは擬似物を付属物とし、または、食品（二次産品）に用いられた食品添加物のうちキャリーオーバーとみなされた食品添加物の総体積と見かけ上同じ体積の食品添加物若しくは擬似物を付属物とし、または、食品（二次産品）に用いられた食品添加物のうちキャリーオーバーとみなされた食品添加物を除く食品添加物の総重量と同じ重量の食品添加物若しくは擬似物を付属物とし、または、食品（二次産品）に用いられた食品添加物のうちキャリーオーバーとみなされた食品添加物を除く食品添加物の総体積と同じ体積の食品添加物若しくは擬似物を付属物とし、または、食品（二次産品）に用いられた食品添加物のうちキャリーオーバーとみなされた食品添加物を除く食品添加物の総体積と見かけ上同じ体積の食品添加物若しくは擬似物を付属物とし、または、食品（二次産品）に用いられた脱脂加工大豆の総重量と同じ重量の脱脂加工大豆若しくは擬似物を付属物とし、または、食品（二次産品）に用いられた脱脂加工大豆の総体積と同じ体積の脱脂加工大豆若しくは擬似物を付属物とし、または、食品（二次産品）に用いられた脱脂加工大豆の総体積と見かけ上同じ体積の脱脂加工大豆若しくは擬似物を付属物とし、または、食品（二次産品）に用いられたカラメル色素の総重量と同じ重量のカラメル色素若しくは擬似物を付属物とし、または、食品（二次産品）に用いられたカラメル色素の総体積と同じ体積のカラメル色素若しくは擬似物を付属物とし、または、食品（二次産品）に用いられたカラメル色素の総体積と見かけ上同じ体積のカラメル色素若しくは擬似物を付属物とし、または、食品（二次産品）に用いられたアスパルテームの総重量と同じ重量のアスパルテーム若しくは擬似物を付属物とし、または、食品（二次産品）に用いられたアスパルテームの総体積と同じ体積のアスパルテーム若しくは擬似物を付属物とし、または、食品（二次産品）に用いられたアスパルテームの総体積と見かけ上同じ体積のアスパルテーム若しくは擬似物を付属物とし、または、食品（二次産品）に用いられた香料の総重量と同じ重量の香料若しくは擬似物を付属物とし、または、食品（二次産品）に用いられた香料の総体積と同じ体積の香料若しくは擬似物を付属物とし、または、食品（二次産品）に用いられた香料の総体積と見かけ上同じ体積の香料若しくは擬似物を付属物とし、こうした付属物の画像を食品の画像Ａ１〜Ａ３や画像Ｂ１〜Ｂ３と共に掲載しても良い。
【０２３３】
［変形例８］
また、食品（二次産品）に用いられた食品添加物を所定の機能別に分類して付属物とし、こうした付属物の画像を食品の画像Ａ１〜Ａ３や画像Ｂ１〜Ｂ３と共に掲載しても良い。更に、例えば、食品（二次産品）に用いられた食品添加物を所定の用途別に分類して付属物とし、こうした付属物の画像を食品の画像Ａ１〜Ａ３や画像Ｂ１〜Ｂ３と共に掲載しても良い。なお、機能別や用途別に分類する場合には、分類表を掲載すると消費者の理解の容易化が実現する。
【０２３４】
［変形例９］
また、食品（二次産品）に用いられた食品添加物の総重量に所定の割合を乗じて得られた重量と同じ重量の食品添加物若しくは擬似物を付属物とし、または、食品（二次産品）に用いられた食品添加物の総体積に所定の割合を乗じて得られた体積と同じ体積の食品添加物若しくは擬似物を付属物とし、または、食品（二次産品）に用いられた食品添加物の総体積に所定の割合を乗じて得られた体積と見かけ上同じ体積の食品添加物若しくは擬似物を付属物とし、または、食品（二次産品）に用いられた砂糖の総重量に所定の割合を乗じて得られた重量と同じ重量の砂糖若しくは擬似物を付属物とし、または、食品（二次産品）に用いられた砂糖の総体積に所定の割合を乗じて得られた体積と同じ体積の砂糖若しくは擬似物を付属物とし、または、食品（二次産品）に用いられた砂糖の総体積に所定の割合を乗じて得られた体積と見かけ上同じ体積の砂糖若しくは擬似物を付属物とし、または、食品（二次産品）に用いられた塩の総重量に所定の割合を乗じて得られた重量と同じ重量の塩若しくは擬似物を付属物とし、または、食品（二次産品）に用いられた塩の総体積に所定の割合を乗じて得られた体積と同じ体積の塩若しくは擬似物を付属物とし、または、食品（二次産品）に用いられた塩の総体積に所定の割合を乗じて得られた体積と見かけ上同じ体積の塩若しくは擬似物を付属物とし、または、食品（二次産品）に用いられたタンパク加水分解物の総重量に所定の割合を乗じて得られた重量と同じ重量のタンパク加水分解物若しくは擬似物を付属物とし、または、食品（二次産品）に用いられたタンパク加水分解物の総体積に所定の割合を乗じて得られた体積と同じ体積のタンパク加水分解物若しくは擬似物を付属物とし、または、食品（二次産品）に用いられたタンパク加水分解物の総体積に所定の割合を乗じて得られた体積と見かけ上同じ体積のタンパク加水分解物若しくは擬似物を付属物とし、または、食品（二次産品）に用いられた調味料の総重量に所定の割合を乗じて得られた重量と同じ重量の調味料若しくは擬似物を付属物とし、または、食品（二次産品）に用いられた調味料の総体積に所定の割合を乗じて得られた体積と同じ体積の調味料若しくは擬似物を付属物とし、または、食品（二次産品）に用いられた調味料の総体積に所定の割合を乗じて得られた体積と見かけ上同じ体積の調味料若しくは擬似物を付属物とし、または、食品（二次産品）に用いられたブドウ糖果糖液糖の総重量に所定の割合を乗じて得られた重量と同じ重量のブドウ糖果糖液糖若しくは擬似物を付属物とし、または、食品（二次産品）に用いられたブドウ糖果糖液糖の総体積に所定の割合を乗じて得られた体積と同じ体積のブドウ糖果糖液糖若しくは擬似物を付属物とし、または、食品（二次産品）に用いられたブドウ糖果糖液糖の総体積に所定の割合を乗じて得られた体積と見かけ上同じ体積のブドウ糖果糖液糖若しくは擬似物を付属物とし、または、食品（二次産品）に用いられた加工油脂の総重量に所定の割合を乗じて得られた重量と同じ重量の加工油脂若しくは擬似物を付属物とし、または、食品（二次産品）に用いられた加工油脂の総体積に所定の割合を乗じて得られた体積と同じ体積の加工油脂若しくは擬似物を付属物とし、または、食品（二次産品）に用いられた加工油脂の総体積に所定の割合を乗じて得られた体積と見かけ上同じ体積の加工油脂若しくは擬似物を付属物とし、または、食品（二次産品）に用いられたトランス脂肪酸の総重量に所定の割合を乗じて得られた重量と同じ重量のトランス脂肪酸若しくは擬似物を付属物とし、または、食品（二次産品）に用いられたトランス脂肪酸の総体積に所定の割合を乗じて得られた体積と同じ体積のトランス脂肪酸若しくは擬似物を付属物とし、または、食品（二次産品）に用いられたトランス脂肪酸の総体積に所定の割合を乗じて得られた体積と見かけ上同じ体積のトランス脂肪酸若しくは擬似物を付属物とし、または、食品（二次産品）に用いられた加工デンプンの総重量に所定の割合を乗じて得られた重量と同じ重量の加工デンプン若しくは擬似物を付属物とし、または、食品（二次産品）に用いられた加工デンプンの総体積に所定の割合を乗じて得られた体積と同じ体積の加工デンプン若しくは擬似物を付属物とし、または、食品（二次産品）に用いられた加工デンプンの総体積に所定の割合を乗じて得られた体積と見かけ上同じ体積の加工デンプン若しくは擬似物を付属物とし、または、食品（二次産品）に用いられた食品添加物のうち一括名の表示が認められた食品添加物の総重量に所定の割合を乗じて得られた重量と同じ重量の食品添加物若しくは擬似物を付属物とし、または、食品（二次産品）に用いられた食品添加物のうち一括名の表示が認められた食品添加物の総体積に所定の割合を乗じて得られた体積と同じ体積の食品添加物若しくは擬似物を付属物とし、または、食品（二次産品）に用いられた食品添加物のうち一括名の表示が認められた食品添加物の総体積に所定の割合を乗じて得られた体積と見かけ上同じ体積の食品添加物若しくは擬似物を付属物とし、または、食品（二次産品）に用いられた合成ビタミンの総重量に所定の割合を乗じて得られた重量と同じ重量の合成ビタミン若しくは擬似物を付属物とし、または、食品（二次産品）に用いられた合成ビタミンの総体積に所定の割合を乗じて得られた体積と同じ体積の合成ビタミン若しくは擬似物を付属物とし、または、食品（二次産品）に用いられた合成ビタミンの総体積に所定の割合を乗じて得られた体積と見かけ上同じ体積の合成ビタミン若しくは擬似物を付属物とし、または、食品（二次産品）に用いられた食品添加物のうちキャリーオーバーとみなされた食品添加物の総重量に所定の割合を乗じて得られた重量と同じ重量の食品添加物若しくは擬似物を付属物とし、または、食品（二次産品）に用いられた食品添加物のうちキャリーオーバーとみなされた食品添加物の総体積に所定の割合を乗じて得られた体積と同じ体積の食品添加物若しくは擬似物を付属物とし、または、食品（二次産品）に用いられた食品添加物のうちキャリーオーバーとみなされた食品添加物の総体積に所定の割合を乗じて得られた体積と見かけ上同じ体積の食品添加物若しくは擬似物を付属物とし、または、食品（二次産品）に用いられた食品添加物のうちキャリーオーバーとみなされた食品添加物を除く食品添加物の総重量に所定の割合を乗じて得られた重量と同じ重量の食品添加物若しくは擬似物を付属物とし、または、食品（二次産品）に用いられた食品添加物のうちキャリーオーバーとみなされた食品添加物を除く食品添加物の総体積に所定の割合を乗じて得られた体積と同じ体積の食品添加物若しくは擬似物を付属物とし、または、食品（二次産品）に用いられた食品添加物のうちキャリーオーバーとみなされた食品添加物を除く食品添加物の総体積に所定の割合を乗じて得られた体積と見かけ上同じ体積の食品添加物若しくは擬似物を付属物とし、または、食品（二次産品）に用いられた脱脂加工大豆の総重量に所定の割合を乗じて得られた重量と同じ重量の脱脂加工大豆若しくは擬似物を付属物とし、または、食品（二次産品）に用いられた脱脂加工大豆の総体積に所定の割合を乗じて得られた体積と同じ体積の脱脂加工大豆若しくは擬似物を付属物とし、または、食品（二次産品）に用いられた脱脂加工大豆の総体積に所定の割合を乗じて得られた体積と見かけ上同じ体積の脱脂加工大豆若しくは擬似物を付属物とし、または、食品（二次産品）に用いられたカラメル色素の総重量に所定の割合を乗じて得られた重量と同じ重量のカラメル色素若しくは擬似物を付属物とし、または、食品（二次産品）に用いられたカラメル色素の総体積に所定の割合を乗じて得られた体積と同じ体積のカラメル色素若しくは擬似物を付属物とし、または、食品（二次産品）に用いられたカラメル色素の総体積に所定の割合を乗じて得られた体積と見かけ上同じ体積のカラメル色素若しくは擬似物を付属物とし、または、食品（二次産品）に用いられたアスパルテームの総重量に所定の割合を乗じて得られた重量と同じ重量のアスパルテーム若しくは擬似物を付属物とし、または、食品（二次産品）に用いられたアスパルテームの総体積に所定の割合を乗じて得られた体積と同じ体積のアスパルテーム若しくは擬似物を付属物とし、または、食品（二次産品）に用いられたアスパルテームの総体積に所定の割合を乗じて得られた体積と見かけ上同じ体積のアスパルテーム若しくは擬似物を付属物とし、または、食品（二次産品）に用いられた香料の総重量に所定の割合を乗じて得られた重量と同じ重量の香料若しくは擬似物を付属物とし、または、食品（二次産品）に用いられた香料の総体積に所定の割合を乗じて得られた体積と同じ体積の香料若しくは擬似物を付属物とし、または、食品（二次産品）に用いられた香料の総体積に所定の割合を乗じて得られた体積と見かけ上同じ体積の香料若しくは擬似物を付属物とし、こうした付属物の画像を食品の画像Ａ１〜Ａ３や画像Ｂ１〜Ｂ３と共に掲載しても良い。
なお、変形例９の場合には、所定の割合も併せて掲載する必要がある。
【０２３５】
［変形例１０］
また、食品（二次産品）の原料の次世代の種子を付属物とし、こうした付属物の画像を食品の画像Ａ１〜Ａ３や画像Ｂ１〜Ｂ３と共に掲載しても良い。更に、食品（二次産品）の原料と同一時期に、食品の原料と同一農法で栽培した代替原料の次世代の種子を付属物とし、または、食品（二次産品）の原料の一部、若しくは、代替原料から得られた種芋を付属物とし、こうした付属物の画像を食品の画像Ａ１〜Ａ３や画像Ｂ１〜Ｂ３と共に掲載しても良い。なお、次世代の種子や種芋の画像と共に、こうした種子や種芋が遺伝子組み換えでないことを証明するための情報を掲載しても良い。
なお、消費者に次世代の種子や種芋を送付する際には、消費者がより一層の理解を増すためにも、種子や種芋がＦ１であるといった情報や、ＧＭであるといった情報について併せて提供したり、メーカー名の情報について併せて提供したりした方が好ましい。また、種芋についてはスライスカットしたものであっても良い。
【０２３６】
［変形例１１］
また、食品（二次産品）の原料の生産の後に同食品の原料に関与した燻蒸剤、消毒剤、殺菌剤、抗菌剤、防かび剤、防腐剤、被膜剤、酸化防止剤、除草剤、殺虫剤、漂白殺菌剤、放射線、若しくは、薬剤の少なくとも１つを付属物とし、こうした付属物の画像を食品の画像Ａ１〜Ａ３や画像Ｂ１〜Ｂ３と共に掲載しても良い。
【０２３７】
［変形例１２］
また、食品（二次産品）の原料の生産の後に同食品の原料に関与した食品添加物、若しくは、成長ホルモン剤の少なくとも１つを付属物とし、こうした付属物の画像を食品の画像Ａ１〜Ａ３や画像Ｂ１〜Ｂ３と共に掲載しても良い。なお、食品（二次産品）の原料の生産の後に同食品の原料に関与した食品添加物の一例として、ラクトパミンが挙げられる。
【０２３８】
［変形例１３］
また、食品（一次産品）と略同一条件で食品とは別体で成長した代替食品を付属物とし、または、こうした代替食品の粉末や、加工品や、粉末加工品を付属物とし、こうした付属物の画像を食品の画像Ａ１〜Ａ３や画像Ｂ１〜Ｂ３と共に掲載しても良い。
【０２３９】
［変形例１４］
また、食品（一次産品）の次世代の種子を付属物とし、こうした付属物の画像を食品の画像Ａ１〜Ａ３や画像Ｂ１〜Ｂ３と共に掲載しても良い。更に、食品（一次産品）と同一時期に、食品と同一農法で栽培した代替食品の次世代の種子を付属物とし、または、食品（一次産品）の一部、若しくは、代替食品から得られた種芋を付属物とし、こうした付属物の画像を食品の画像Ａ１〜Ａ３や画像Ｂ１〜Ｂ３と共に掲載しても良い。なお、次世代の種子や種芋の画像と共に、こうした種子や種芋が遺伝子組み換えでないことを証明するための情報を掲載しても良い。
なお、消費者に次世代の種子や種芋を送付する際には、消費者がより一層の理解を増すためにも、種子や種芋がＦ１であるといった情報や、ＧＭであるといった情報について併せて提供したり、メーカー名の情報について併せて提供したりした方が好ましい。また、種芋についてはスライスカットしたものであっても良い。
【０２４０】
［変形例１５］
また、食品（一次産品）の生産の後に使用された農薬を付属物とし、こうした付属物の画像を食品の画像Ａ１〜Ａ３やＢ１〜Ｂ３と共に掲載しても良い。なお、農薬残留検査のデータと共に掲載しても良い。また、どの様な農薬であるのかの明確化のために、包装袋、シール、瓶等を付属物と共に掲載しても良い。
【０２４１】
［変形例１６］
また、食品（一次産品）の生産の後に同食品に関与した燻蒸剤、消毒剤、殺菌剤、抗菌剤、防かび剤、防腐剤、被膜剤、酸化防止剤、除草剤、殺虫剤、漂白殺菌剤、放射線、若しくは、薬剤の少なくとも１つを付属物とし、こうした付属物の画像を食品の画像Ａ１〜Ａ３や画像Ｂ１〜Ｂ３と共に掲載しても良い。ここでの漂白殺菌剤の一例として、野菜等の見栄えを白くして美しくするといった用途のものが挙げられる。
なお、薬剤のみならず、薬剤を包装している包装袋、薬剤が瓶詰めの場合にはレッテル、その他の薬剤に関する情報をも掲載しても良い。
【０２４２】
［変形例１７］
また、食品（一次産品）の生産の後に同食品に関与した動物用食品添加物、若しくは、成長ホルモン剤の少なくとも１つを付属物とし、こうした付属物の画像を食品の画像Ａ１〜Ａ３や画像Ｂ１〜Ｂ３と共に掲載しても良い。なお、食品（一次産品）の生産の後に同食品に関与した動物用食品添加物の一例として、ラクトパミンが挙げられる。更に、成長ホルモン剤については、使用時期等の文字情報を掲載しても良い。また、商品名の情報等を含めて掲載しても良い。これらは、飼料と一緒に与えられるものである。
【０２４３】
［変形例１８］
また、食品（一次産品）の生産と略同時期に略同一環境で成長した海藻、草、魚介類の少なくとも１つを付属物とし、こうした付属物の画像を食品の画像Ａ１〜Ａ３や画像Ｂ１〜Ｂ３と共に掲載しても良い。また、海底の泥の分析データを共に掲載しても良い。
なお、「略同一環境」とは、例えば、川や海の生物が住む環境が略同一であることを意味し、化学物質、重金属、薬品等がどの程度含まれているかという観点において、略同一であることを意味する。
【０２４４】
［変形例１９］
上記した第１の実施の形態〜第３の実施の形態では、付属物の現物を消費者に送付（提供）する場合を例に挙げて説明を行っているが、付属物によっては危険物質もあり、消費者が擬似物や印刷物の送付を希望することも考えられる。その場合には、付属物の現物に代えて、付属物の擬似物や付属物の画像が印刷された印刷媒体を送付しても良い。
なお、擬似物を送付する場合には、「〇〇の擬似物である」といった具合に、何の擬似物であるのかを明示する。
【０２４５】
［変形例２０］
上記した第１の実施の形態〜第３の実施の形態では、取り扱い対象が食品である場合を例に挙げて説明を行っているが、必ずしも食品である必要はなく、食品以外の商品であっても良い。例えば、マスクやガーゼ等の医療品、ベッドや布団等の寝具、革製品、木工製品等であっても良い。
具体的には、商品本体（二次産品）がランドセルの場合に、ランドセルに用いた革を付属物としても良い。この場合、ランドセルに用いた革を用いてミニサイズのランドセルを作って付属物としても良い。
また、商品本体（二次産品）が、医療品、化粧用品、手術用品、寝具用品等の場合に、こうした商品本体に用いた綿花を付属物としても良い。
また、商品本体（二次産品）が洗剤である場合に、洗剤に含まれる有害化学物質を付属物としても良い。
更に、商品本体（二次産品）が、真珠を利用した宝石である場合に、真珠と略同一条件で成長した真珠（代替原料）や、代替原料である真珠と一体に成長した部分（一体成長物）を付属物としても良い。その際に、付属物と共に真珠の遺伝子に関する情報を提供しても良い。
また、商品本体（二次産品）が、コンクリートで模ったベース材の表面にコケを付着せしめた庭石である場合に、こうした庭石の原料であるコケを付属物としても良い。
【符号の説明】
【０２４６】
１１〜１９  付属物の画像
２１〜２９  付属物の画像
３１〜３９  付属物の画像
Ａ１〜Ａ３  商品の画像
Ｂ１〜Ｂ３  商品の画像
Ｃ１        商品の画像
２０        パソコン
３０        商品カタログ
４０        付属物カタログ
【図１】
2018132915.tif 000003
【図２】
2018132915.tif 000004
【図３】
2018132915.tif 000005